(57)【要約】      （修正有）【課題】室内で虫を効果的に誘引して捕えることができ、低コストで製造及び販売することができ、小型で、別の場所に簡単に動かすことができ、捕らえられた虫に接触することなしに、クリーニングとメンテナンスをより容易に行うことができる捕虫装置を提供する。【解決手段】ベース部分１１２と取り外し可能な捕虫部分１１４とを含む捕虫装置であって、ベース部分１１２の前側表面１６０がスイッチ１１６を含み、捕虫部分１１４は、前側表面１６８に少なくとも１つの開口部１２０を備えた前部ハウジング１１８を含み、開口部１２０が１種類以上の個々の虫又は様々な種類の虫を誘引する捕虫装置。【選択図】図１
2019205471.tif 000002
【特許請求の範囲】
【請求項１】
捕虫装置であって、
接着表面と第１開口部を有するエンクロージャを含む捕虫部分であって、前記接着表面は、前記エンクロージャ内に少なくとも部分的に収容され、かつ虫を付着するよう構成されている、捕虫部分と、
発光エレメント及び取り付け部分を含むベース部分であって、前記発光エレメントは、前記捕虫部分に対して主方向に光を提供するよう構成され、前記取り付け部分は、電源につながって電力を受け取るよう構成されている、ベース部分と、を備え、
前記捕虫部分は、前記ベース部分と取り外し可能に係合し、係合しているときに前記ベース部分からの光を受け取るよう構成されており、
前記エンクロージャは、
第１内側表面を有する前部ハウジング部分と、
第２内側表面を有する後部ハウジング部分と、
前部ハウジング部分と前記後部ハウジング部分との間に少なくとも部分的に配置されるディバイダ部分とを含み、前記ディバイダ部分は前記光の前記主方向に対して鋭角をなすよう構成されている、捕虫装置。
【請求項２】
前記鋭角が、前記光の前記主方向の面に対して約０度〜４５度である、請求項１に記載の捕虫装置。
【請求項３】
前記ディバイダ部分が、半透明材料を含む後側表面と、接着表面を含む前側表面とを含む、請求項１に記載の捕虫装置。
【請求項４】
前記ディバイダ部分の前記後側表面が、前記後部ハウジング部分の前記第２内側表面からの光、又は前記発光エレメントから直接来る光を、受け取るよう構成されている、請求項３に記載の捕虫装置。
【請求項５】
前記ディバイダ部分が、斜めの角度の光を受け取り、前記光を前記ディバイダ部分にわたって広げるよう構成されている、請求項４に記載の捕虫装置。
【請求項６】
前記ディバイダ部分が、光を操作するよう構成されている、請求項４に記載の捕虫装置。
【請求項７】
前記後部ハウジング部分の前記第２内側表面が、凹状表面を含み、前記凹状表面は、前記ディバイダ部分の前記後側表面に光を反射させるよう構成されている、請求項３に記載の捕虫装置。
【請求項８】
光が前記接着表面を透過し、前記接着表面を照らして、前記接着表面に虫を誘引する、請求項７に記載の捕虫装置。
【請求項９】
前記ディバイダ部分が、平面又は形成形状を含み、前記ディバイダ部分の形状が、光分布を最適化するよう構成されている、請求項１に記載の捕虫装置。
【請求項１０】
捕虫装置であって、
接着表面と第１開口部を有するエンクロージャを含む捕虫部分であって、前記接着表面は、前記エンクロージャ内に少なくとも部分的に収容され、かつ虫を付着するよう構成されている、捕虫部分と、
発光エレメント及び取り付け部分を含むベース部分であって、前記発光エレメントは、前記捕虫部分に対して光を提供するよう構成され、前記取り付け部分は、電源につながって電力を受け取るよう構成されている、ベース部分と、を備え、
前記捕虫部分は、前記ベース部分と取り外し可能に係合し、係合しているときに前記ベース部分からの光を受け取るよう構成されており、
前記ベース部分はスナップ突起を含み、前記捕虫部分は前記スナップ突起を受け取るためのスナップ陥凹を含み、前記スナップ突起が前記捕虫部分により受け取られているとき、前記ベース部分と前記捕虫部分がスナップ嵌めで係合し、前記スナップ嵌めは、前記捕虫装置が適切に係合していることをユーザーに知らせるための明確な可触又は可聴合図を提供するよう構成されている、捕虫装置。
【請求項１１】
前記スナップ嵌めが、約５０ニュートン未満の力で着脱を行うことができる、請求項１０に記載の捕虫装置。
【請求項１２】
前記スナップ嵌めが、前記捕虫部分と前記ベース部分との着脱を、ユーザーが片手を使って行うことができる、請求項１１に記載の捕虫装置。
【請求項１３】
前記ベース部分が、水平表面に置いたときに直立状態を保つよう構成されている、請求項１０に記載の捕虫装置。
【請求項１４】
前記ベース部分は、前記ベース部分が直立状態を保てるように、平らな底面又は脚部を含む、請求項１３に記載の捕虫装置。
【請求項１５】
捕虫装置であって、
接着表面と第１開口部を有するエンクロージャを含む捕虫部分であって、前記接着表面は、前記エンクロージャ内に少なくとも部分的に収容され、かつ虫を付着するよう構成されている、捕虫部分と、
発光エレメント及び取り付け部分を含むベース部分であって、前記発光エレメントは、前記捕虫部分に対して光を提供するよう構成され、前記取り付け部分は、電源につながって電力を受け取るよう構成されている、ベース部分と、を備え、
前記捕虫部分は、前記ベース部分と取り外し可能に係合し、係合しているときに前記ベース部分からの光を受け取るよう構成されており、
前記エンクロージャは、
第１内側表面を有する前部ハウジング部分と、
第２内側表面を有する後部ハウジング部分とを有し、前記第２内側表面は、透明、半透明又は不透明な接着剤コーティングを含む、捕虫装置。
【請求項１６】
前記第２内側表面が、前記接着剤コーティングの下に反射性コーティングを更に含む、請求項１５に記載の捕虫装置。
【請求項１７】
前記発光エレメントが、紫外線（ＵＶ）発光ダイオード（ＬＥＤ）又は青色ＬＥＤを含み、前記発光エレメントは、前記後部ハウジング部分の前記接着剤コーティング上に直接光を透過させる、請求項１５に記載の捕虫装置。
【請求項１８】
捕虫装置であって、
接着表面と第１開口部を有するエンクロージャを含む捕虫部分であって、前記接着表面は、前記エンクロージャ内に少なくとも部分的に収容され、かつ虫を付着するよう構成されている、捕虫部分と、
発光エレメント及び取り付け部分を含むベース部分であって、前記発光エレメントは、前記ベース部分から前記捕虫部分内に少なくとも部分的に突出するよう構成され、前記捕虫部分に係合しているときに前記捕虫部分に光を提供するよう構成され、前記取り付け部分は、電源につながって電力を受け取るよう構成されている、ベース部分と、を備え、
前記捕虫部分は、前記ベース部分と取り外し可能に係合するよう構成されている、捕虫装置。
【請求項１９】
前記発光エレメントが、蛍光光源、白熱光源、発光ダイオード（ＬＥＤ）、又はこれらの組み合わせを含む、請求項１８に記載の捕虫装置。
【請求項２０】
前記捕虫部分が、前記捕虫部分内へと突出する前記発光エレメントを受容するよう構成されたスリーブを更に含む、請求項１８に記載の捕虫装置。
【請求項２１】
前記スリーブが、透明、半透明、又は不透明なスリーブを含む、請求項２０に記載の捕虫装置。
【請求項２２】
前記スリーブが、開口部と先細セクションとを含み、前記開口部が前記ベース部分に近接して配置され、前記ベース部分から前記発光エレメントが突出している、請求項２０に記載の捕虫装置。
【請求項２３】
前記スリーブの前記先細セクションが、前記発光エレメントを前記スリーブ内へとガイドするよう構成されている、請求項２２に記載の捕虫装置。
【請求項２４】
前記スリーブが、前記発光エレメントのために保護被覆を提供するのに十分な準剛性材料で構築されている、請求項２０に記載の捕虫装置。
【請求項２５】
前記スリーブが、不透明コーティングを更に含み、前記不透明コーティングは、前記発光エレメントから前記捕虫部分内へと光が直接透過するのを防ぐよう構成されている、請求項２０に記載の捕虫装置。
【請求項２６】
前記捕虫部分が、前記捕虫部分内へと突出する前記発光エレメントを受容するよう構成された不透明スリーブを更に含む、請求項１８に記載の捕虫装置。
【請求項２７】
前記捕虫部分が、前記捕虫部分内へと突出する前記発光エレメントを受容するよう構成され、前記発光エレメントを内部へとガイドするよう構成された、準剛性スリーブを更に含む、請求項１８に記載の捕虫装置。
【請求項２８】
前記スリーブが、プラスチック又は金属のワイヤメッシュを含む、請求項２７に記載の捕虫装置。
【請求項２９】
前記スリーブは、前記発光エレメントが前記接着表面に接触するのを防ぐよう構成されている、請求項２７に記載の捕虫装置。
【請求項３０】
前記発光エレメントが、光を発するよう構成されており、前記スリーブは、発せられた光を前記エンクロージャ内及び前記接着表面上へと透過させるよう構成されている、請求項２７に記載の捕虫装置。
【請求項３１】
前記スリーブが、前記発光エレメントからの光を散乱させるよう更に構成されている、請求項２７に記載の捕虫装置。
【請求項３２】
捕虫装置であって、
接着表面と第１開口部を有するエンクロージャを含む捕虫部分であって、前記接着表面は、前記エンクロージャ内に少なくとも部分的に収容され、かつ虫を付着するよう構成されている、捕虫部分と、
発光エレメント及び取り付け部分を含むベース部分であって、前記発光エレメントは、前記捕虫部分に対して光を提供するよう構成され、前記取り付け部分は、電源につながって電力を受け取るよう構成されている、ベース部分と、を備え、
前記捕虫部分は、前記ベース部分と取り外し可能に係合し、係合しているときに前記ベース部分からの光を受け取るよう構成されており、
前記捕虫装置は、平らな表面の上に置いて、前記エンクロージャの前記第１開口部を介して這う虫を取り込むよう構成されている、捕虫装置。
【請求項３３】
前記取り付け部分が、電気プラグから実質的に垂直かつ直接突出している剛性の導電体を有する前記電気プラグとつながった電気コードを含み、前記導電体は、電源コンセントに差し込むことができる、請求項３２に記載の捕虫装置。
【請求項３４】
前記捕虫部分が、上表面及び下表面を有する底プレートを含む、請求項３２に記載の捕虫装置。
【請求項３５】
前記底プレートの前記上表面が、透明、半透明、又は不透明な接着剤コーティングを含む、請求項３４に記載の捕虫装置。
【請求項３６】
前記底プレートの前記下表面が、前記捕虫装置を平らな表面の上に置いたときに、前記捕虫装置の下を虫が這うのを防ぐよう構成されている、請求項３４に記載の捕虫装置。
【請求項３７】
前記下表面が平坦であるか、又は外周部分が平坦である、請求項３６に記載の捕虫装置。
【請求項３８】
前記エンクロージャが、
第１内側表面を有する上部ハウジング部分と、
第２内側表面を有する下部ハウジング部分と、
前記上部ハウジング部分と前記下部ハウジング部分との間に少なくとも部分的に配置されるディバイダ部分とを含み、
前記上部ハウジング部分と前記下部ハウジング部分は互いに噛み合い係合して前記エンクロージャを形成し；
前記ディバイダ部分は、前記エンクロージャを上部エンクロージャ部分と下部エンクロージャ部分に分割する、請求項３１に記載の捕虫装置。
【請求項３９】
前記第２内側表面が、底プレートの一部、及び反射性コーティングを含む、請求項３８に記載の捕虫装置。
【請求項４０】
前記ディバイダ部分が、上表面及び下表面を含み、前記上表面は、透明又は半透明の接着剤で少なくとも部分的にコーティングされている、請求項３８に記載の捕虫装置。
【請求項４１】
前記捕虫部分内の前記第１開口部が前記上部エンクロージャ部分内にあり、虫は、前記ディバイダ部分上の前記接着剤に捕らえられる、請求項４０に記載の捕虫装置。
【請求項４２】
前記発光エレメントが光を発し、前記光が前記上部エンクロージャ内に受容され、前記ハウジングの前記第１内側表面と、前記ディバイダ部分の上表面とに当たる、請求項３８に記載の捕虫装置。
【請求項４３】
前記ディバイダ部分が、前記ハウジング部分の前記第１開口部に対応するディバイダ開口部を含む、請求項４２に記載の捕虫装置。
【請求項４４】
前記第２内側表面が、底プレートの一部を含み、かつ接着剤コーティングを含む、請求項４３に記載の捕虫装置。
【請求項４５】
這う虫が前記第１開口部及び前記ディバイダ開口部を通って入ると、この虫が前記底プレートの前記接着剤コーティングに捕らえられる、請求項４４に記載の捕虫装置。
【請求項４６】
前記上部エンクロージャ部分内に配置される光散乱部材を更に備え、前記光散乱部材が光散乱特性を有する、請求項３８に記載の捕虫装置。
【請求項４７】
前記光散乱部材が、透明又は半透明の材料を含む、請求項４６に記載の捕虫装置。
【請求項４８】
前記光散乱部材が、光散乱を助ける表面形状を含む、請求項４６に記載の捕虫装置。
【請求項４９】
前記光散乱部材が、前記上部エンクロージャ部分の内側表面に適合するよう構成された可撓性シートを含む、請求項４６に記載の捕虫装置。
【請求項５０】
前記光散乱部材が、前記ディバイダ部分の陥凹に受容されるよう構成されている、請求項４９に記載の捕虫装置。
【請求項５１】
前記光散乱部材が、前記ディバイダ部分を通って前記下部エンクロージャ部分内へと均一に光を透過するよう構成されている、請求項４６に記載の捕虫装置。
【請求項５２】
捕虫装置であって、
接着表面と第１開口部を有するエンクロージャを含む捕虫部分であって、前記接着表面は、前記エンクロージャ内に少なくとも部分的に収容され、かつ虫を付着するよう構成されている、捕虫部分と、
発光エレメント及び取り付け部分を含むベース部分であって、前記発光エレメントは、前記捕虫部分に対して光を提供するよう構成され、前記取り付け部分は、電源につながって電力を受け取るよう構成されている、ベース部分と、を備え、
前記捕虫部分は、前記ベース部分と取り外し可能に係合し、係合しているときに前記ベース部分からの光を受け取るよう構成されており、
前記捕虫部分は、取り外し可能なカバーを有する虫誘引モジュールを含む、捕虫装置。
【請求項５３】
前記取り外し可能なカバーが、プルタブ及び膜を含み、前記エンクロージャが、前記取り外し可能なプルタブを受容するためのタブスロットを含む、請求項５２に記載の捕虫装置。
【請求項５４】
前記虫誘引モジュールが、使い捨てカップを含み、前記使い捨てカップは、前記プルタブが係合するまで膜で覆われている、請求項５３に記載の捕虫装置。
【請求項５５】
前記プルタブを係合させることは、前記膜がカップから分離するまで、前記タブスロットの前記プルタブを引っ張ることを含む、請求項５４に記載の捕虫装置。
【請求項５６】
前記取り外し可能なカバーが、未使用の間、前記虫誘引モジュールを気密封止する、請求項５２に記載の捕虫装置。
【請求項５７】
前記虫誘引モジュールが、担体材料と、１つ以上の虫誘引性物質とを含む、請求項５２に記載の捕虫装置。
【請求項５８】
前記担体材料と前記虫誘引性物質が、所定の期間、虫誘引性のにおいを放出するよう構成される、請求項５７に記載の捕虫装置。
【請求項５９】
前記所定の期間が、１週間、１ヶ月、又は最長３ヶ月を含む、請求項５８に記載の捕虫装置。
【請求項６０】
前記所定の期間が、前記捕虫装置の寿命を含む、請求項５８に記載の捕虫装置。
【請求項６１】
前記放出される虫誘引性のにおいは、時間が経つにつれて変化する、請求項６０に記載の捕虫装置。
【請求項６２】
第１の虫誘引性のにおいが第１期間にわたって放出され、第２の虫誘引性のにおいが第２期間にわたって放出される、請求項６１に記載の捕虫装置。
【請求項６３】
第１の虫誘引性のにおいが第１期間にわたって第１濃度で放出され、前記第１の虫誘引性のにおいが第２期間にわたって第２濃度で放出される、請求項６２に記載の捕虫装置。
【請求項６４】
前記担体材料が１つ以上のにおい隠しを放出するよう構成されており、前記におい隠しは、人間及び／又は対象外の動物に対して、前記虫誘引性物質をマスキングするよう構成されている、請求項５７に記載の捕虫装置。
【請求項６５】
前記虫誘引モジュールを温めて、虫誘引性物質の放出を助けるよう構成されている加熱エレメントを更に備える、請求項５２に記載の捕虫装置。
【請求項６６】
前記加熱エレメントが、前記捕虫装置の前記ベース部分内に回路基板を含む、請求項６５に記載の捕虫装置。
【請求項６７】
前記エンクロージャが、
第１内側表面を有する前部ハウジング部分と、
第２内側表面を有する後部ハウジング部分と、
前記前部ハウジング部分と前記後部ハウジング部分との間に少なくとも部分的に配置されるディバイダ部分とを含み、
前記ディバイダ部分は、前記エンクロージャを前部エンクロージャ部分と後部エンクロージャ部分に分割し、
前記虫誘引モジュールが前記後部ハウジング部分に配置される、請求項５２に記載の捕虫装置。
【請求項６８】
前記取り外し可能なカバーが、プルタブ及び膜を含み、前記ディバイダ部分が、スロットを含み、前記前部エンクロージャが、前記取り外し可能なプルタブを受容するためのタブスロットを含み、前記プルタブが、前記ディバイダ部分のスロットと前記前部エンクロージャのタブスロットとを通って延在する、請求項６７に記載の捕虫装置。
【請求項６９】
前記ディバイダ部分と前記前部ハウジング部分が、前記虫誘引モジュールの虫誘引性物質が前記捕虫装置から放出されるように、複数の開口部を含む、請求項６７に記載の捕虫装置。
【請求項７０】
捕虫装置であって、
接着表面と第１開口部を有するエンクロージャを含む捕虫部分であって、前記接着表面は、前記エンクロージャ内に少なくとも部分的に収容され、かつ虫を付着するよう構成されている、捕虫部分と、
発光エレメント及び取り付け部分を含むベース部分であって、前記発光エレメントは、前記捕虫部分に対して光を提供するよう構成され、前記取り付け部分は、電源につながって電力を受け取るよう構成されている、ベース部分と、を備え、
前記捕虫部分は、前記ベース部分と取り外し可能に係合し、係合しているときに前記ベース部分からの光を受け取るよう構成されており、
前記捕虫部分は、前記捕虫部分が前記ベース部分と係合しているときに、虫誘引性物質を自動的に放出するよう構成されている虫誘引モジュールを含む、捕虫装置。
【請求項７１】
前記虫誘引モジュールが、使い捨てカップを含み、前記使い捨てカップは、貫通可能な蓋により覆われている、請求項７０に記載の捕虫装置。
【請求項７２】
前記ベース部分が、前記貫通可能な蓋及び／又は使い捨てカップに穴を開けるよう構成されたパンチを含む、請求項７１に記載の捕虫装置。
【請求項７３】
捕虫装置であって、
接着表面と第１開口部を有するエンクロージャを含む捕虫部分であって、前記接着表面は、前記エンクロージャ内に少なくとも部分的に収容され、かつ虫を付着するよう構成されている、捕虫部分と、
発光エレメント及び取り付け部分を含むベース部分であって、前記発光エレメントは、前記捕虫部分に対して光を提供するよう構成され、前記取り付け部分は、電源につながって電力を受け取るよう構成されている、ベース部分と、を備え、
前記捕虫部分は、前記ベース部分と取り外し可能に係合し、係合しているときに該ベース部分からの光を受け取るよう構成されており、
前記捕虫装置は、虫誘引性の音又は振動を発するよう構成された発信機を含む、捕虫装置。
【請求項７４】
前記ベース部分が第２開口部を含み、前記第２開口部が、前記発信機のための取り付け表面を提供する、請求項７３に記載の捕虫装置。
【請求項７５】
前記発信機が、電気機械アクチュエーター又は圧電スピーカーを含む、請求項７３に記載の捕虫装置。
【請求項７６】
前記発信機が、前記捕虫装置に、虫誘引性の音又は振動を発振させ増幅させるよう構成されている、請求項７３に記載の捕虫装置。
【請求項７７】
前記エンクロージャが、
第１内側表面を有する前部ハウジング部分と、
第２内側表面を有する後部ハウジング部分と、
前記前部ハウジング部分と前記後部ハウジング部分との間に少なくとも部分的に配置されるディバイダ部分とを有し、前記ディバイダ部分は、前記前部ハウジング部分に近接する前側表面と、前記後部ハウジング部分に近接する後側表面とを有し、
前記ディバイダ部分は、前記エンクロージャを前部エンクロージャ部分と後部エンクロージャ部分に分割し、
前記発信機は、前記ディバイダ部分の前記後側表面に接続される、請求項７３に記載の捕虫装置。
【請求項７８】
前記捕虫装置の前記ベース部分内に配置される回路基板を更に備え、前記回路基板は、前記捕虫部分と前記ベース部分とが係合しているときに、前記発信機と電気的につながっている、請求項７７に記載の捕虫装置。
【請求項７９】
前記発信機が、電気機械アクチュエーター又は圧電スピーカーを含む、請求項７８に記載の捕虫装置。
【請求項８０】
前記虫誘引性の音又は振動が、蚊、小昆虫、蛾、又は蠅を誘引する、請求項７７に記載の捕虫装置。
【請求項８１】
前記虫誘引性の音又は振動が、虫の発信、応答、求愛、又は連結の歌を含む、請求項７７に記載の捕虫装置。
【請求項８２】
前記回路基板が、前記発信機に電気パルスを送信し、かつ前記発信機から電気的応答信号を受信するよう構成されており、前記応答信号は、前記捕虫装置内に虫容積が存在することを示す、請求項７８に記載の捕虫装置。
【請求項８３】
前記電気的応答信号が、部分的に、前記接着表面に付着し前記ディバイダ部分につながっている前記虫容積により生じる、請求項８２に記載の捕虫装置。
【請求項８４】
前記電気パルスにより前記ディバイダ部分が振動し、前記振動は、前記接着表面に付着し前記ディバイダ部分につながっている前記虫容積により影響を受ける、請求項８２に記載の捕虫装置。
【請求項８５】
前記虫容積が所定の閾値に達すると、前記回路基板が、可聴又は視覚的な指標をユーザーに提供するよう構成されている、請求項８２に記載の捕虫装置。
【請求項８６】
前記視覚的な指標が、光の点滅、又は所定の色の光の点灯を含む、請求項８５に記載の捕虫装置。
【請求項８７】
前記可聴指標が、トーン又はチャイムを含む、請求項８５に記載の捕虫装置。
【請求項８８】
前記前部ハウジングが、前記前部エンクロージャ内に、偏光反射性の下表面を更に含む、請求項８２に記載の捕虫装置。
【請求項８９】
前記偏光反射性の表面が、水表面を模する、請求項８８に記載の捕虫装置。
【請求項９０】
前記偏光反射性の表面が、畝又は微小形状を含む、請求項８８に記載の捕虫装置。
【請求項９１】
捕虫装置であって、
接着表面と第１開口部を有するエンクロージャを含む捕虫部分であって、前記接着表面は、前記エンクロージャ内に少なくとも部分的に収容され、かつ虫を付着するよう構成されている、捕虫部分と、
発光エレメント及び取り付け部分を含むベース部分であって、前記発光エレメントは、前記捕虫部分に対して光を提供するよう構成され、前記取り付け部分は、電源につながって電力を受け取るよう構成されている、ベース部分と、を備え、
前記ベース部分は開口部を含み、前記開口部は、前記ベース部分から前記捕虫部分へと光を発するよう構成されており、
前記捕虫部分は、前記ベース部分と取り外し可能に係合し、係合しているときに該ベース部分からの光を受け取るよう構成されており、
前記発光エレメントの一部が前記ベース部分から前記開口部を通って前記捕虫部分内に突出し、前記捕虫部分と係合しているときに光を該捕虫部分へと供給する、捕虫装置。
【請求項９２】
前記ベース部分の前記開口部が、透明又は半透明のウィンドウを含む、請求項９１に記載の捕虫装置。
【請求項９３】
前記ベース部分の前記開口部が、光検出器のための取り付け表面を提供するよう構成されている、請求項９１に記載の捕虫装置。
【請求項９４】
前記光検出器が、光センサ、光電池、光トランジスタ、光抵抗器又は光ダイオードを含む、請求項９３に記載の捕虫装置。
【請求項９５】
前記捕虫装置の前記ベース部分内に配置される回路基板を更に備え、前記回路基板は、前記捕虫部分と前記ベース部分とが係合しているときに、前記発光エレメント及び前記光検出器と電気的につながっている、請求項９４に記載の捕虫装置。
【請求項９６】
前記回路基板が、前記光検出器の電気的特性の変化を検出するよう構成されており、前記変化が、前記捕虫装置内の虫容積の指標となる、請求項９５に記載の捕虫装置。
【請求項９７】
前記回路基板が、前記虫容積が所定の閾値に達すると、視覚的な指標をユーザーに提供するよう構成されている、請求項９６に記載の捕虫装置。
【請求項９８】
前記視覚的な指標が、光の点滅、又は所定の色の光の点灯を含む、請求項９７に記載の捕虫装置。
【請求項９９】
捕虫装置であって、
接着表面と第１開口部を有するエンクロージャを含む捕虫部分であって、前記接着表面は、前記エンクロージャ内に少なくとも部分的に収容され、かつ虫を付着するよう構成されている、捕虫部分と、
発光エレメント及び取り付け部分を含むベース部分であって、前記発光エレメントは、前記捕虫部分に対して光を提供するよう構成され、前記取り付け部分は、電源につながって電力を受け取るよう構成されている、ベース部分と、を備え、
前記捕虫部分は、前記ベース部分と取り外し可能に係合し、係合しているときに該ベース部分からの光を受け取るよう構成されており、
前記エンクロージャは、
第１内側表面を有する前部ハウジング部分と、
第２内側表面を有する後部ハウジング部分と、
前記前部ハウジング部分と前記後部ハウジング部分との間に少なくとも部分的に配置されるディバイダ部分とを有し、前記ディバイダ部分は、虫を誘引するための明暗コントラスト領域を提供するよう構成されたテキスト又は図形を含む、捕虫装置。
【請求項１００】
前記テキスト又は図形が、印刷、ホットスタンプ、シルクスクリーン、エンボス加工、刻印、又は成形により適用される、請求項９９に記載の捕虫装置。
【請求項１０１】
前記テキスト又は図形が、照明されたときに光って見える蛍光顔料を含む、請求項１００に記載の捕虫装置。
【請求項１０２】
捕虫装置であって、
接着表面と第１開口部を有するエンクロージャを含む捕虫部分であって、前記接着表面は、前記エンクロージャ内に少なくとも部分的に収容され、かつ虫を付着するよう構成されている、捕虫部分と、
発光エレメント及び取り付け部分を含むベース部分であって、前記発光エレメントは、前記捕虫部分に対して光を提供するよう構成され、前記取り付け部分は、電源につながって電力を受け取るよう構成されている、ベース部分と、を備え、
前記捕虫部分は、前記ベース部分と取り外し可能に係合し、係合しているときに前記ベース部分からの光を受け取るよう構成されており、
前記エンクロージャは、エレクトロルミネセンス発光体、又は前記ベース部分から光を受け取るよう構成された表面を更に含み、前記エンクロージャ内において所定のパターンで光を分配する、捕虫装置。
【請求項１０３】
捕虫装置であって、
接着表面と第１開口部を有するエンクロージャを含む捕虫部分であって、前記接着表面は、前記エンクロージャ内に少なくとも部分的に収容され、かつ虫を付着するよう構成されている、捕虫部分と、
発光エレメント及び取り付け部分を含むベース部分であって、前記発光エレメントは、発光ダイオード（ＬＥＤ）アレイを含み、前記捕虫部分に対して光を提供するよう構成され、前記取り付け部分は、電源につながって電力を受け取るよう構成されており、
前記捕虫部分は、前記ベース部分と取り外し可能に係合し、係合しているときに前記ベース部分からの光を受け取るよう構成されており、
前記ベース部分は、反射性表面を有する後部ハウジングを含み、前記反射性表面は、前記ＬＥＤから発せられた光に対する後ろ方向のバリヤーとして作用するよう構成されている、捕虫装置。
【請求項１０４】
前記ベース部分が、透明又は半透明のウィンドウを含み、前記ウィンドウは、前記ベース部分から前記捕虫部分へと光を発するよう構成されている、請求項１０３に記載の捕虫装置。
【請求項１０５】
前記ウィンドウが、前記後部ハウジングの反射性表面とＬＥＤを、ダストと屑から保護するよう更に構成されている、請求項１０４に記載の捕虫装置。
【請求項１０６】
捕虫装置であって、
接着表面と第１開口部を有するエンクロージャを含む捕虫部分であって、前記接着表面は、前記エンクロージャ内に少なくとも部分的に収容され、かつ虫を付着するよう構成されている、捕虫部分と、
発光エレメント、取り付け部分、及びドッキングスイッチを含むベース部分であって、前記発光エレメントは、前記捕虫部分に対して光を提供するよう構成され、前記取り付け部分は、電源につながって電力を受け取るよう構成されている、ベース部分と、を備え、
前記捕虫部分は、前記ベース部分と取り外し可能に係合し、係合しているときに前記ベース部分からの光を受け取るよう構成されており、
前記ドッキングスイッチは、前記捕虫部分が前記ベース部分と正しく係合しているときに前記発光エレメントを起動し、前記捕虫部分が前記ベース部分と正しく係合していないときには前記発光エレメントからの光を遮断するよう構成されている、捕虫装置。
【請求項１０７】
前記ベース部分が更にスクリーンを含み、前記スクリーンは、起動されると、前記発光エレメントからの光の少なくとも一部を遮断するよう構成されている、請求項１０６に記載の捕虫装置。
【請求項１０８】
前記スクリーンが液晶ディスプレイ（ＬＣＤ）を含む、請求項１０７に記載の捕虫装置。
【発明の詳細な説明】
【技術分野】
【０００１】
本開示は、一般に捕虫装置に関するものであり、より具体的には、最小限の設置面積と審美的に心地良いデザインを有する取り外し可能な捕虫装置に関する。
【０００２】
（関連出願の相互参照）
本出願は、２０１３年３月１日に出願された、米国特許仮出願第６１／７７１，７７４号、表題「Ｉｎｓｅｃｔ  Ｔｒａｐ  Ｄｅｖｉｃｅ  ａｎｄ  Ｍｅｔｈｏｄ  ｏｆ  Ｕｓｉｎｇ、及び２０１３年３月１５日に出願された、同第６１／７８７，６２９号、表題「Ｉｎｓｅｃｔ  Ｔｒａｐ  Ｄｅｖｉｃｅ  ａｎｄ  Ｍｅｔｈｏｄ  ｏｆ  Ｕｓｉｎｇ」に関連しており、これらは参照により全体が本明細書に援用される。本出願は、２０１４年２月２８日に出願された、ＰＣＴ／ＵＳ２０１４／０１９１７５号、表題「Ｉｎｓｅｃｔ  Ｔｒａｐ  Ｄｅｖｉｃｅ  ａｎｄ  Ｍｅｔｈｏｄ  ｏｆ  Ｕｓｉｎｇ」に関連しており、これらは参照により全体が本明細書に援用される。
【０００３】
本出願は、２０１３年１１月２７日に出願された、米国特許仮出願第６１／９１０，０２３号、表題「Ｉｎｓｅｃｔ  Ｔｒａｐ  Ｄｅｖｉｃｅ  ａｎｄ  Ｍｅｔｈｏｄ  ｏｆ  Ｕｓｉｎｇ」、及び２０１３年１２月１５日に出願された、同第６１／９１６，２５７号、表題「Ｉｎｓｅｃｔ  Ｔｒａｐ  Ｄｅｖｉｃｅ  ａｎｄ  Ｍｅｔｈｏｄ  ｏｆ  Ｕｓｉｎｇ」の権利を主張し、これらは参照により全体が本明細書に援用される。
【背景技術】
【０００４】
飛ぶ虫は長年にわたって悩みの種であり健康に危害をもたらし続けてきた。古代から、飛ぶ虫を排除するために捕虫装置が使用されており、何世紀にもわたって何百種類もの様々な装置が提案及び開発されてきた。どうしても家の中に入り込んでくる蠅と蚊を除去するニーズが常に存在してきた。米国における東部馬脳炎、ウエストナイルウイルス、及び病原性大腸菌感染の最近の流行など、飛ぶ虫により広がる可能性がある公衆衛生上の脅威により、このニーズは更に高まっている。虫は、紫外線（ＵＶ）と可視光の組み合わせを見て誘引される可能性があるため、室内捕虫装置はそれ自体のＵＶ及び可視光源を有し得る。捕虫装置は一般に、虫を誘引するためのＵＶと可視光の両方を発光する蛍光管と、虫を捕らえるための粘着板とを有する。
【発明の概要】
【発明が解決しようとする課題】
【０００５】
しかしながら、蛍光管とそれに電源供給するための変圧器を組み込んだ捕虫装置は、必要とされるあらゆる場所にフィットさせるには大きすぎることがあり、また室内のすべての部屋に置くには高価すぎる可能性がある。加えて、虫が蛍光管に接触する可能性があり、時間が経つにつれてダストと虫の屑が蓄積して光を妨げ、装置の有効性を減損させ得る。更に、粘着板は、捕らえられた虫と接着剤に触ることなしに取り外しと交換を行うのは難しいことがある。
【課題を解決するための手段】
【０００６】
捕虫装置と、その装置の使用方法が、本明細書に記述される。この捕虫装置は、室内で虫を効果的に誘引して捕らえることができ、市販されている装置よりも低コストで製造及び販売され得る。この捕虫装置は、競合する室内用捕虫装置よりも小型であり得、別の場所に簡単に動かすことができる。この捕虫装置は、捕らえられた虫に接触することなしに、クリーニングとメンテナンスをより容易に行うことができる。
【０００７】
第１の態様において、捕虫装置が開示され、この捕虫装置は、接着表面と第１開口部を有するエンクロージャを含む捕虫部分であって、この接着表面は、エンクロージャ内に少なくとも部分的に収容され、かつ虫を付着するよう構成されている、捕虫部分と、発光エレメント及び取り付け部分を含むベース部分であって、この発光エレメントは、捕虫部分に対して主方向に光を提供するよう構成され、この取り付け部分は、電源につながって電力を受け取るよう構成されている、ベース部分と、を備え、この捕虫部分は、ベース部分と取り外し可能に係合し、係合しているときにベース部分からの光を受け取るよう構成されており、このエンクロージャは、第１内側表面を有する前部ハウジング部分と、第２内側表面を有する後部ハウジング部分と、この前部ハウジング部分と後部ハウジング部分との間に少なくとも部分的に配置されるディバイダ部分とを有し、このディバイダ部分は光の主方向に対して鋭角をなすよう構成されている。一実施形態において、この鋭角は、光の主方向の面に対して約０度〜４５度である。第１の態様の一実施形態において、ディバイダ部分は、半透明材料を含む後側表面と、接着表面を含む前側表面とを含む。第１の態様の一実施形態において、このディバイダ部分の後側表面は、後部ハウジング部分の第２内側表面からの光、又は発光エレメントから直接来る光を、受け取るよう構成されている。第１の態様の一実施形態において、このディバイダ部分は、斜めの角度の光を受け取り、これをディバイダ部分にわたって広げるよう構成されている。第１の態様の一実施形態において、このディバイダ部分は、光を操作するよう構成されている。第１の態様の一実施形態において、この後部ハウジング部分の第２内側表面は、凹状表面を含み、この凹状表面は、ディバイダ部分の後側表面に光を反射させるよう構成されている。第１の態様の一実施形態において、光は接着表面を透過し、接着表面を照らして、接着表面に虫を誘引する。第１の態様の一実施形態において、このディバイダ部分は、平面又は形成形状を含み、このディバイダ部分の形状は、光分布を最適化するよう構成されている。
【０００８】
第２の態様において、捕虫装置が開示され、この捕虫装置は、接着表面と第１開口部を有するエンクロージャを含む捕虫部分であって、この接着表面は、エンクロージャ内に少なくとも部分的に収容され、かつ虫を付着するよう構成されている、捕虫部分と、発光エレメント及び取り付け部分を含むベース部分であって、この発光エレメントは、捕虫部分に対して光を提供するよう構成され、この取り付け部分は、電源につながって電力を受け取るよう構成されている、ベース部分と、を備え、この捕虫部分は、ベース部分と取り外し可能に係合し、係合しているときにベース部分からの光を受け取るよう構成されており、このベース部分はスナップ突起を含み、かつこの捕虫部分はこのスナップ突起を受け取るためのスナップ陥凹を含み、スナップ突起が捕虫部分により受け取られているとき、ベース部分と捕虫部分がスナップ嵌めで係合し、このスナップ嵌めは、捕虫装置が適切に係合していることをユーザーに知らせるための明確な可触又は可聴合図を提供するよう構成されている。第２の態様の一実施形態において、このスナップ嵌めは、約５０ニュートン未満の力で着脱を行うことができる。第２の態様の一実施形態において、このスナップ嵌めは、捕虫部分とベース部分との着脱を、ユーザーが片手を使って行うことができる。第２の態様の一実施形態において、このベース部分は、水平表面に置いたときに直立状態を保つよう構成されている。第２の態様の一実施形態において、このベース部分は、ベース部分が直立状態を保てるように、平らな底面又は脚部を含む。
【０００９】
第３の態様において、捕虫装置が開示され、この捕虫装置は、接着表面と第１開口部を有するエンクロージャを含む捕虫部分であって、この接着表面は、エンクロージャ内に少なくとも部分的に収容され、かつ虫を付着するよう構成されている、捕虫部分と、発光エレメント及び取り付け部分を含むベース部分であって、この発光エレメントは、捕虫部分に対して光を提供するよう構成され、この取り付け部分は、電源につながって電力を受け取るよう構成されている、ベース部分と、を備え、この捕虫部分は、ベース部分と取り外し可能に係合し、係合しているときにベース部分からの光を受け取るよう構成されており、このエンクロージャは、第１内側表面を有する前部ハウジング部分と、第２内側表面を有する後部ハウジング部分とを有し、この第２内側表面は、透明、半透明又は不透明の接着剤コーティングを含む。第３の態様の一実施形態において、この第２内側表面は更に、接着剤コーティングの下に反射性コーティングを含む。第３の態様の一実施形態において、この発光エレメントは紫外線（ＵＶ）発光ダイオード（ＬＥＤ）又は青色ＬＥＤを含み、この発光エレメントは、後部ハウジング部分の接着剤コーティング上に直接光を透過させる。
【００１０】
第４の態様において、捕虫装置が開示され、この捕虫装置は、接着表面と第１開口部を有するエンクロージャを含む捕虫部分であって、この接着表面は、エンクロージャ内に少なくとも部分的に収容され、かつ虫を付着するよう構成されている、捕虫部分と、発光エレメント及び取り付け部分を含むベース部分であって、この発光エレメントは、ベース部分から捕虫部分内に少なくとも部分的に突出するよう構成され、捕虫部分に係合しているときに捕虫部分に光を提供するよう構成され、この取り付け部分は、電源につながって電力を受け取るよう構成されている、ベース部分と、を備え、この捕虫部分は、ベース部分と取り外し可能に係合するよう構成されている。第４の態様の一実施形態において、この発光エレメントは、蛍光光源、白熱光源、発光ダイオード（ＬＥＤ）、又はこれらの組み合わせを含む。第４の態様の一実施形態において、捕虫部分は更に、捕虫部分内へと突出する発光エレメントを受容するよう構成されたスリーブを含む。第４の態様の一実施形態において、このスリーブは、透明、半透明、又は不透明のスリーブを含む。第４の態様の一実施形態において、このスリーブは、開口部と先細セクションとを含み、この開口部はベース部分に近接して配置され、ここから発光エレメントが突出している。第４の態様の一実施形態において、このスリーブの先細セクションは、発光エレメントをスリーブ内へとガイドするよう構成されている。第４の態様の一実施形態において、このスリーブは、発光エレメントのために保護被覆を提供するのに十分な準剛性材料で構築されている。第４の態様の一実施形態において、このスリーブは更に不透明コーティングを含み、この不透明コーティングは、発光エレメントから捕虫部分内へと光が直接透過するのを防ぐよう構成されている。第４の態様の一実施形態において、捕虫部分は更に、捕虫部分内へと突出する発光エレメントを受容するよう構成された不透明スリーブを含む。第４の態様の一実施形態において、この捕虫部分は更に、捕虫部分内へと突出する発光エレメントを受容するよう構成され、発光エレメントをスリーブ内へとガイドするよう構成された、準剛性スリーブを含む。第４の態様の一実施形態において、このスリーブはプラスチック又は金属のワイヤメッシュを含む。第４の態様の一実施形態において、このスリーブは、発光エレメントが接着表面に接触するのを防ぐよう構成されている。第４の態様の一実施形態において、この発光エレメントは、光を発するよう構成されており、このスリーブは、発せられた光をエンクロージャ内及び接着表面上へと透過させるよう構成されている。第４の態様の一実施形態において、このスリーブは更に、発光エレメントからの光を散乱させるよう構成されている。
【００１１】
第５の態様において、捕虫装置が開示され、この捕虫装置は、接着表面と第１開口部とを有するエンクロージャを含む捕虫部分であって、この接着表面は、エンクロージャ内に少なくとも部分的に収容され、かつ虫を付着するよう構成されている、捕虫部分と、発光エレメント及び取り付け部分を含むベース部分であって、この発光エレメントは、捕虫部分に対して光を提供するよう構成され、この取り付け部分は、電源につながって電力を受け取るよう構成されている、ベース部分と、を備え、この捕虫部分は、ベース部分と取り外し可能に係合し、係合しているときにベース部分からの光を受け取るよう構成されており、この捕虫装置は、平らな表面の上に置いて、エンクロージャの第１開口部を介して這う虫を取り込むよう構成されている。第５の態様の一実施形態において、この取り付け部分は、プラグから実質的に垂直かつ直接突出している剛性の導電体を有する電気プラグとつながった電気コードを含み、この導電体は、電源コンセントに差し込むことができる。第５の態様の一実施形態において、この捕虫部分は、上表面及び下表面を有する底プレートを含む。第５の態様の一実施形態において、この底プレートの上表面は、透明、半透明、又は不透明の接着剤コーティングを含む。第５の態様の一実施形態において、この底プレートの下表面は、捕虫装置を平らな表面の上に置いたときに、捕虫装置の下を虫が這うのを防ぐよう構成されている。第５の態様の一実施形態において、この下表面は平坦であるか、又は外周部分が平坦である。第５の態様の一実施形態において、このエンクロージャは、第１内側表面を有する上部ハウジング部分と、第２内側表面を有する下部ハウジング部分と、上部ハウジング部分と下部ハウジング部分との間に少なくとも部分的に配置されるディバイダ部分とを含み、上部ハウジング部分と下部ハウジング部分は互いに噛み合い係合してエンクロージャを形成し、このディバイダ部分は、エンクロージャを上部エンクロージャ部分と下部エンクロージャ部分に分割する。第５の態様の一実施形態において、第２内側表面は、底プレートの一部を含み、かつ反射性コーティングを含む。第５の態様の一実施形態において、このディバイダ部分は、上表面及び下表面を含み、この上表面は、透明又は半透明の接着剤で少なくとも部分的にコーティングされている。第５の態様の一実施形態において、捕虫部分内の第１開口部は上部エンクロージャ部分内にあり、虫は、ディバイダ部分上の接着剤に捕らえられる。第５の態様の一実施形態において、この発光エレメントは光を発し、この光が上部エンクロージャ内に受容され、ハウジングの第１内側表面と、ディバイダ部分の上表面とに当たる。第５の態様の一実施形態において、このディバイダ部分は、ハウジング部分の第１開口部に対応するディバイダ開口部を含む。第５の態様の一実施形態において、第２内側表面は、底プレートの一部を含み、かつ接着剤コーティングを含む。第５の態様の一実施形態において、這う虫が第１開口部及びディバイダ開口部を通って入ると、この虫が底プレートの接着剤コーティングに捕らえられる。第５の態様の一実施形態において、この捕虫装置は更に、上部エンクロージャ部分内に配置される光散乱部材を含み、この光散乱部材は光散乱特性を有する。第５の態様の一実施形態において、この光散乱部材は、透明又は半透明の材料を含む。第５の態様の一実施形態において、この光散乱部材は、光散乱を助ける表面形状を含む。第５の態様の一実施形態において、この光散乱部材は、上部エンクロージャ部分の内側表面にぴったり沿うよう構成された可撓性シートを含む。第５の態様の一実施形態において、この光散乱部材は、ディバイダ部分の陥凹に受容されるよう構成されている。第５の態様の一実施形態において、この光散乱部材は、ディバイダ部分を通って下部エンクロージャ部分内へと均一に光を透過するよう構成されている。
【００１２】
第６の態様において、捕虫装置が開示され、この捕虫装置は、接着表面と第１開口部を有するエンクロージャを含む捕虫部分であって、この接着表面は、エンクロージャ内に少なくとも部分的に収容され、かつ虫を付着するよう構成されている、捕虫部分と発光エレメント及び取り付け部分を含むベース部分であって、この発光エレメントは、捕虫部分に対して光を提供するよう構成され、この取り付け部分は、電源につながって電力を受け取るよう構成されている、ベース部分と、を備え、この捕虫部分はベース部分と取り外し可能に係合し、係合しているときにベース部分からの光を受け取るよう構成されており、かつこの捕虫部分は、取り外し可能なカバーを有する虫誘引モジュールを含む。第６の態様の一実施形態において、この取り外し可能なカバーは、プルタブ及び膜を含み、このエンクロージャは、取り外し可能なプルタブを受容するためのタブスロットを含む。第６の態様の一実施形態において、この虫誘引モジュールは、使い捨てカップを含み、この使い捨てカップは、プルタブが係合するまで膜で覆われている。第６の態様の一実施形態において、プルタブを係合させる工程は、膜がカップから分離するまで、タブスロットのプルタブを引っ張る工程を含む。第６の態様の一実施形態において、この取り外し可能なカバーは、未使用の間、虫誘引モジュールを気密封止する。第６の態様の一実施形態において、この虫誘引モジュールは、担体材料と、１つ以上の虫誘引性物質とを含む。第６の態様の一実施形態において、この担体材料と虫誘引性物質は、所定の期間、虫誘引性のにおいを放出するよう構成される。第６の態様の一実施形態において、この所定の期間は、１週間、１ヶ月、又は最長３ヶ月を含む。第６の態様の一実施形態において、この所定の期間は、捕虫装置の寿命を含む。第６の態様の一実施形態において、この放出される虫誘引性のにおいは、時間が経つにつれて変化する。第６の態様の一実施形態において、第１の虫誘引性のにおいが第１期間にわたって放出され、第２の虫誘引性のにおいが第２期間にわたって放出される。第６の態様の一実施形態において、第１の虫誘引性のにおいが第１期間にわたって第１濃度で放出され、第１の虫誘引性のにおいが第２期間にわたって第２濃度で放出される。第６の態様の一実施形態において、この担体材料は１つ以上のにおい隠しを放出するよう構成されており、このにおい隠しは、人間及び／又は対象外の動物に対して、虫誘引性物質をマスキングするよう構成されている。第６の態様の一実施形態において、この捕虫装置は更に加熱エレメントを含み、この加熱エレメントは、虫誘引モジュールを温めて、虫誘引性物質の放出を助けるよう構成されている。第６の態様の一実施形態において、この加熱エレメントは、捕虫装置のベース部分内に回路基板を含む。第６の態様の一実施形態において、このエンクロージャは、第１内側表面を有する前部ハウジング部分と、第２内側表面を有する後部ハウジング部分と、この前部ハウジング部分と後部ハウジング部分との間に少なくとも部分的に配置されるディバイダ部分とを有し、このディバイダ部分は、エンクロージャを前部エンクロージャ部分と後部エンクロージャ部分とに分割し、虫誘引モジュールは後部ハウジング部分に配置される。第６の態様の一実施形態において、この取り外し可能なカバーはプルタブ及び膜を含み、このディバイダ部分がスロットを含み、前部エンクロージャが、取り外し可能なプルタブを受容するためのタブスロットを含み、このプルタブが、ディバイダ部分のスロットと前部エンクロージャのタブスロットとを通って延在する。第６の態様の一実施形態において、このディバイダ部分と前部ハウジング部分は、虫誘引モジュールの虫誘引性物質が捕虫装置から放出されるように、複数の開口部を含む。
【００１３】
第７の態様において、捕虫装置が開示され、この捕虫装置は、接着表面と第１開口部を有するエンクロージャを含む捕虫部分であって、この接着表面は、エンクロージャ内に少なくとも部分的に収容され、かつ虫を付着するよう構成されている、捕虫部分と、発光エレメント及び取り付け部分を含むベース部分であって、この発光エレメントは、捕虫部分に対して光を提供するよう構成され、この取り付け部分は、電源につながって電力を受け取るよう構成されている、ベース部分と、を備え、この捕虫部分はベース部分と取り外し可能に係合し、係合しているときにベース部分からの光を受け取るよう構成されており、かつこの捕虫部分は、捕虫部分がベース部分と係合しているときに、虫誘引性物質を自動的に放出するよう構成されている虫誘引モジュールを含む。第７の態様の一実施形態において、この虫誘引モジュールは、使い捨てカップを含み、この使い捨てカップは、貫通可能な蓋により覆われている。第７の態様の一実施形態において、このベース部分は、貫通可能な蓋及び／又は使い捨てカップに穴を開けるよう構成されたパンチを含む。
【００１４】
第８の態様において、捕虫装置が開示され、この捕虫装置は、接着表面と第１開口部を有するエンクロージャを含む捕虫部分であって、この接着表面は、エンクロージャ内に少なくとも部分的に収容され、かつ虫を付着するよう構成されている、捕虫部分と、発光エレメント及び取り付け部分を含むベース部分であって、この発光エレメントは、捕虫部分に対して光を提供するよう構成され、この取り付け部分は、電源につながって電力を受け取るよう構成されている、ベース部分と、を備え、この捕虫部分はベース部分と取り外し可能に係合し、係合しているときにベース部分からの光を受け取るよう構成されており、かつこの捕虫装置は、虫誘引性の音又は振動を発するよう構成された発信機を含む。第８の態様の一実施形態において、このベース部分は第２開口部を含み、この第２開口部は、この発信機のための取り付け表面を提供する。第８の態様の一実施形態において、この発信機は、電気機械アクチュエーター又は圧電スピーカーを含む。第８の態様の一実施形態において、この発信機は、この捕虫装置に、虫誘引性の音又は振動を発振させ増幅するよう構成されている。第８の態様の一実施形態において、このエンクロージャは、第１内側表面を有する前部ハウジング部分と、第２内側表面を有する後部ハウジング部分と、この前部ハウジング部分と後部ハウジング部分との間に少なくとも部分的に配置されるディバイダ部分とを有し、このディバイダ部分は、前部ハウジング部分に近接する前側表面と、後部ハウジング部分に近接する後側表面とを有し、このディバイダ部分は、エンクロージャを前部エンクロージャ部分と後部エンクロージャ部分とに分割し、この発信機は、ディバイダ部分の後側表面に接続される。第８の態様の一実施形態において、この捕虫装置は更に、捕虫装置のベース部分内に配置される回路基板を含み、この回路基板は、捕虫部分とベース部分とが係合しているときに、発信機と電気的につながっている。第８の態様の一実施形態において、この発信機は、電気機械アクチュエーター又は圧電スピーカーを含む。第８の態様の一実施形態において、この虫誘引性の音又は振動は、蚊、小昆虫、蛾、又は蠅を誘引する。第８の態様の一実施形態において、この虫誘引性の音又は振動は、虫の発信、応答、求愛、又は連結の歌を含む。第８の態様の一実施形態において、この回路基板は、発信機に電気パルスを送信し、かつ発信機から電気的応答信号を受信するよう構成されており、この応答信号は、捕虫装置内に虫容積が存在することを示す。第８の態様の一実施形態において、この電気的応答信号は、部分的に、接着表面に付着しディバイダ部分につながっている虫容積により生じる。第８の態様の一実施形態において、この電気パルスによりディバイダ部分が振動し、この振動は、接着表面に付着しディバイダ部分につながっている虫容積により影響を受ける。第８の態様の一実施形態において、この回路基板は、虫容積が所定の閾値に達すると、可聴又は視覚的な指標をユーザーに提供するよう構成されている。第８の態様の一実施形態において、この視覚的な指標は、光の点滅、又は所定の色の光の点灯を含む。第８の態様の一実施形態において、この可聴的指標は、トーン又はチャイムを含む。第８の態様の一実施形態において、この前部ハウジングは更に、前部エンクロージャ内に、偏光反射性の下表面を含む。第８の態様の一実施形態において、この偏光反射性表面は、水表面を模する。第８の態様の一実施形態において、この偏光反射性表面は、畝又は微小形状を含む。
【００１５】
第９の態様において、捕虫装置が開示され、この捕虫装置は、接着表面と第１開口部を有するエンクロージャを含む捕虫部分であって、この接着表面は、エンクロージャ内に少なくとも部分的に収容され、かつ虫を付着するよう構成されている、捕虫部分と、発光エレメント及び取り付け部分を含むベース部分であって、この発光エレメントは、捕虫部分に対して光を提供するよう構成され、この取り付け部分は、電源につながって電力を受け取るよう構成されている、ベース部分と、を備え、このベース部分は開口部を有し、この開口部は、ベース部分から捕虫部分へと光を発するよう構成され、この捕虫部分はベース部分と取り外し可能に係合し、係合しているときにベース部分からの光を受け取るよう構成されており、発光エレメントの一部がベース部分から開口部を通って捕虫部分内に突出し、捕虫部分と係合しているときに光を捕虫部分へと供給する。第９の態様の一実施形態において、このベース部分の開口部は、透明又は半透明のウィンドウを含む。第９の態様の一実施形態において、このベース部分の開口部は、光検出器のための取り付け表面を提供するよう構成されている。第９の態様の一実施形態において、この光検出器は、光センサー、光電池、光トランジスタ、又は光ダイオードを含む。第９の態様の一実施形態において、この捕虫装置は更に、捕虫装置のベース部分内に配置される回路基板を含み、この回路基板は、捕虫部分とベース部分とが係合しているときに、発光エレメント及び光検出器と電気的につながっている。第９の態様の一実施形態において、この回路基板は、光検出器の電気的特性の変化を検出するよう構成されており、この変化が、捕虫装置内の虫容積の指標となる。第９の態様の一実施形態において、この回路基板は、虫容積が所定の閾値に達すると、視覚的な指標をユーザーに提供するよう構成されている。第９の態様の一実施形態において、この視覚的な指標は、光の点滅、又は所定の色の光の点灯を含む。
【００１６】
第１０の態様において、捕虫装置が開示され、この捕虫装置は、接着表面と第１開口部を有するエンクロージャを含む捕虫部分であって、この接着表面は、エンクロージャ内に少なくとも部分的に収容され、かつ虫を付着するよう構成されている、捕虫部分と、発光エレメント及び取り付け部分を含むベース部分であって、この発光エレメントは、捕虫部分に対して光を提供するよう構成され、この取り付け部分は、電源につながって電力を受け取るよう構成されている、ベース部分と、を備え、この捕虫部分は、ベース部分と取り外し可能に係合し、係合しているときにベース部分からの光を受け取るよう構成されており、このエンクロージャは、第１内側表面を有する前部ハウジング部分と、第２内側表面を有する後部ハウジング部分と、この前部ハウジング部分と後部ハウジング部分との間に少なくとも部分的に配置されるディバイダ部分とを有し、このディバイダ部分は、虫を誘引するための明暗コントラスト領域を提供するよう構成されたテキスト又は図形を含む。第１０の態様の一実施形態において、このテキスト又は図形は、印刷、ホットスタンプ、シルクスクリーン、エンボス加工、刻印、又は成形により適用される。第１０の態様の一実施形態において、このテキスト又は図形は、照明されたときに光って見える蛍光顔料を含む。
【００１７】
第１１の態様において、捕虫装置が開示され、この捕虫装置は、接着表面と第１開口部を有するエンクロージャを含む捕虫部分であって、この接着表面は、エンクロージャ内に少なくとも部分的に収容され、かつ虫を付着するよう構成されている、捕虫部分と、発光エレメント及び取り付け部分を含むベース部分であって、この発光エレメントは、捕虫部分に対して光を提供するよう構成され、この取り付け部分は、電源につながって電力を受け取るよう構成されている、ベース部分と、を備え、この捕虫部分は、ベース部分と取り外し可能に係合し、係合しているときにベース部分からの光を受け取るよう構成されており、このエンクロージャは更に、エレクトロルミネセンス発光体、又はベース部分から光を受け取るよう構成された表面を含み、エンクロージャ内において所定のパターンで光を分配する。
【００１８】
第１２の態様において、捕虫装置が開示され、この捕虫装置は、接着表面と第１開口部を有するエンクロージャを含む捕虫部分であって、この接着表面は、エンクロージャ内に少なくとも部分的に収容され、かつ虫を付着するよう構成されている、捕虫部分と、発光エレメント及び取り付け部分を含むベース部分であって、この発光エレメントは、発光ダイオード（ＬＥＤ）アレイを含み、かつ捕虫部分に対して光を提供するよう構成され、この取り付け部分は、電源につながって電力を受け取るよう構成されている、ベース部分と、を備え、この捕虫部分は、ベース部分と取り外し可能に係合し、係合しているときにベース部分からの光を受け取るよう構成されており、ベース部分は、反射性表面を有する後部ハウジングを含み、この反射性表面は、ＬＥＤから発せられた光に対する後ろ方向のバリヤーとして作用するよう構成されている。第１２の態様の一実施形態において、このベース部分は透明又は半透明のウィンドウを含み、このウィンドウは、ベース部分から捕虫部分へと光を発するよう構成されている。第１２の態様の一実施形態において、このウィンドウは更に、後部ハウジングの反射性表面とＬＥＤを、ダストと屑から保護するよう構成されている。
【００１９】
第１３の態様において、捕虫装置が開示され、この捕虫装置は、接着表面と第１開口部を有するエンクロージャを含む捕虫部分であって、この接着表面は、エンクロージャ内に少なくとも部分的に収容され、かつ虫を付着するよう構成されている、捕虫部分と、発光エレメント、取り付け部分、及びドッキングスイッチを含むベース部分であって、この発光エレメントは、捕虫部分に対して光を提供するよう構成され、この取り付け部分は、電源につながって電力を受け取るよう構成されている、ベース部分と、を備え、この捕虫部分は、ベース部分と取り外し可能に係合し、係合しているときにベース部分からの光を受け取るよう構成されており、このドッキングスイッチは、捕虫部分がベース部分と正しく係合しているときに発光エレメントを起動し、捕虫部分がベース部分と正しく係合していないときには発光エレメントからの光を遮断するよう構成されている。第１３の態様の一実施形態において、このベース部分は更にスクリーンを含み、このスクリーンは、起動されると、発光エレメントからの光の少なくとも一部を遮断するよう構成されている。第１３の態様の一実施形態において、このスクリーンは液晶ディスプレイ（ＬＣＤ）を含む。
【００２０】
本開示の更なる目的、特徴、及び利点は、後述の図と共に下記の発明を実施するための形態を参照することにより明らかとなろう。
【図面の簡単な説明】
【００２１】
添付の請求項は、本技法の特徴を具体的に示しているが、これらの技法は、その目的及び利点と合わせて、添付の図と共に下記の発明を実施するための形態を参照することにより、最もよく理解することができる。
【図１】本開示の原理による捕虫装置の第１の実施形態の前側斜視図である。
【図２】図１の捕虫装置のベース部分の後側斜視図である。
【図３】図１の捕虫装置の捕虫部分の分解図である。
【図４】図１の捕虫装置を通る断面図である。
【図５】本開示の原理による捕虫装置の第２の実施形態を通る断面図である。
【図６】本開示の原理による捕虫装置の第３の実施形態の前側斜視図である。
【図７】図６の捕虫装置のベース部分の後側斜視図である。
【図８】図６の捕虫装置の捕虫部分の前側斜視図である。
【図９】図６の捕虫装置を通る断面図である。
【図１０】本開示の原理による捕虫装置の第４の実施形態の前側斜視図である。
【図１１】図１０の捕虫装置の後側斜視図である。
【図１２】本開示の原理による捕虫装置の第５の実施形態の前側斜視図である。
【図１３】図１２の捕虫装置の後側斜視図である。
【図１４】図１２の捕虫装置の前側斜視図である。
【図１５】図１２の捕虫装置の捕虫部分の前側斜視図である。
【図１６】図１２の捕虫装置を通る断面図である。
【図１７】本開示の原理による捕虫装置の第６の実施形態の前側斜視図である。
【図１８】図１７の捕虫装置を通る断面図である。
【図１９】本開示の原理による捕虫装置の第７の実施形態を通る断面図である。
【図２０】図１９の一部の拡大図である。
【図２１】本開示の原理による捕虫装置の第８の実施形態の前側斜視図である。
【図２２】図２１の捕虫装置の断面図である。
【図２３】図２２の一部の拡大図である。
【図２４】本開示の原理による捕虫装置の第９の実施形態の前側斜視図である。
【図２５】図２４の捕虫装置の断面図である。
【図２６】図２５の一部の拡大図である。
【図２７】本開示の原理による捕虫装置の第１０の実施形態の前側斜視図である。
【図２８】図２７の捕虫装置を通る断面図である。
【図２９】本開示の原理による捕虫装置の第１１の実施形態の前側斜視図である。
【図３０】図２９の捕虫装置の断面図である。
【図３１】本開示の原理による捕虫装置の第１２の実施形態の前側斜視図である。
【図３２】図３１の捕虫装置の断面図である。
【図３３】本開示の原理による捕虫装置の第１３の実施形態の前側斜視図である。
【図３４】図３３の捕虫装置の断面図である。
【図３５】本開示の原理による捕虫装置の第１４の実施形態の前側斜視図である。
【図３６】図３５の捕虫装置の断面図である。
【図３７】本開示の原理による捕虫装置の第１５の実施形態の前側斜視図である。
【図３８】図３７の捕虫装置の前側斜視図である。
【図３９】図３７の捕虫装置の前側斜視図である。
【図４０】図３７の捕虫装置を通る断面図である。
【図４１】本開示の原理による捕虫装置の第１６の実施形態の前側斜視図である。
【図４２】図４１の捕虫装置を通る断面図である。
【図４３】本開示の原理による捕虫装置の第１７の実施形態の後側斜視図である。
【図４４】図４３の捕虫装置を通る断面図である。
【図４５】図４４の一部の拡大図である。
【図４６】本開示の原理による捕虫装置の第１８の実施形態の前側斜視図である。
【図４７】本開示の原理による捕虫装置の第１９の実施形態の前側斜視図である。
【図４８】図４７の捕虫装置の後側斜視図である。
【図４９】図４７の捕虫装置（the insect of）を通る断面図である。
【図５０】本開示の原理による捕虫装置の第２０の実施形態の前側斜視図である。
【図５１】図５０の捕虫装置を通る断面図である。
【図５２】本開示の原理による捕虫装置の第２１の実施形態の後側斜視図である。
【図５３】図５２の捕虫装置の前側斜視図である。
【図５４】図５２の捕虫装置を通る断面図である。
【図５５】図５４の一部の拡大図である。
【図５６】本開示の原理による捕虫装置の第２２の実施形態の前側斜視図である。
【図５７】図５６の捕虫装置の前側斜視図である。
【図５８】図５６の捕虫装置の前側斜視図である。
【図５９】図５６の捕虫装置を通る断面図である。
【図６０】本開示の原理による捕虫装置の第２３の実施形態の前側斜視図である。
【図６１】図６０の一部の拡大図である。
【図６２】図６０の捕虫装置を通る断面図である。
【図６３】図６２の一部の拡大図である。
【図６４】図６０の捕虫装置を通る断面図である。
【図６５】図６４の一部の拡大図である。
【図６６】本開示の原理による捕虫装置の第２４の実施形態の前側斜視図である。
【図６７】図６６の捕虫装置の前側斜視図である。
【図６８】図６６の捕虫装置の断面図である。
【図６９】本開示の原理による捕虫装置の第２５の実施形態の前側斜視図である。
【図７０】図６９の捕虫装置の断面図である。
【図７１】本開示の原理による捕虫装置の第２６の実施形態の前側斜視図である。
【図７２】図７１の捕虫装置の断面図である。
【図７３】本開示の原理による捕虫装置の第２７の実施形態の前側斜視図である。
【発明を実施するための形態】
【００２２】
図を参照して、図１は、全体的に１１０として示される捕虫装置の一実施形態の前側斜視図である。捕虫装置１１０は、ベース部分１１２と取り外し可能な捕虫部分１１４とを含む。ベース部分１１２の前側表面１６０は、スイッチ１１６を含み得、これはユーザーが望むようにスイッチ１１６の開閉により捕虫装置１１０をオン又はオフにすることができるように構成可能である。あるいは、スイッチ１１６は他の機能を制御するよう構成可能であり、例えば光の強さ、光の波長の組み合わせ、光ちらつきの様々なモード又は周波数、部屋が暗くなったときにオンにする自動設定、あるいはリモートコントロール設定が挙げられる。スイッチ１１６は手動で操作することができるが、ただし、スイッチ１１６は電気的、光学的、電子機械的、電子光学的、又は任意の他の方法、又は方法の組み合わせにより、スイッチ１１６の開閉を操作することができる。捕虫部分１１４は、前側表面１６８に少なくとも１つの開口部１２０を備えた前部ハウジング１１８を含む。前部ハウジング１１８の開口部１２０は、広範な種類の虫を捕虫装置１１０に受け入れるよう構成することができ、あるいは、１種類以上の特定の種の虫を受け入れるよう構成することができる。いくつかの実施形態において、開口部１２０は、捕虫部分１１４を取り外して交換するときに、ユーザーの指が開口部１２０に入ってしまい捕らえられた虫又は接着剤に誤って触れることを防ぐよう構成される。いくつかの実施形態において、開口部１２０は、直径２５ｍｍの球が開口部１２０を通過できないような寸法及び形状を有し、かつ、直径１ｍｍの球が開口部１２０のいかなる部分も通過できるような寸法及び形状を有する。開口部１２０の幅、形状及び向きは、均一であってよく又は変化してよく、また、捕虫部分１１４が複数の開口部１２０を有する場合は、それらの幅、形状及び向きは、同一であってよく又は異なってよい。開口部１２０は、１種類以上の個々の虫又は様々な種類の虫を誘引するよう構成することができる。
【００２３】
図２は、捕虫部分１１４を取り外した捕虫装置１１０のベース部分１１２の後側斜視図である。ベース部分１１２の後側表面１６２から突出しているのは、複数の導電性プロング１２２であり、導電性プロング１２２を標準の家庭用壁面電気コンセントに差し込むことにより、捕虫装置１１０を壁面に取り付けて捕虫装置１１０に電源を供給するよう適合されている。あるいは、ベース部分１１２は、望ましいように静置又は吊り下げて、ベース部分１１２内に取り付けられた電池（図示せず）から電力を受け取るよう構成され得る。電気コンセントと電池は、捕虫装置１１０に電力を供給するものとして記述されるが、任意の好適な電源を使用することができる。ベース部分１１２は、１つ以上の発光ダイオード（ＬＥＤ）１２４などの発光エレメントを含む。いくつかの実施形態において、ＬＥＤ  １２４は、紫外（ＵＶ）光を発するＬＥＤを少なくとも１つ、及び可視光を発するＬＥＤを少なくとも１つ含む。いくつかの実施形態において、ＬＥＤ  １２４は、広範な種の虫をよりよく誘引するために、ＵＶ光を発するＬＥＤを少なくとも１つ、及び青色光を発するＬＥＤを少なくとも１つ含む。いくつかの実施形態において、この発光エレメントは、日光を模した波長の組み合わせを放射する。いくつかの実施形態において、ＬＥＤ  １２４は、蚊などの特定の種の虫をよりよく誘引するために、赤外（ＩＲ）光を発するＬＥＤを少なくとも１つ含む。ベース部分１１２の上表面１２６に取り付けられているのは、透明又は半透明のウィンドウ１２８であってよく、図ではＬＥＤ  １２４を見えるようにするため部分的に切り取られている。ウィンドウ１２８はＬＥＤ  １２４をダストと虫の屑から保護し、ベース部分１１２をクリーニングしやすくする。上表面１２６にはスロット１３０があってよく、上表面１２６の外周１６４には、縁又は上向きの突出部１３２がある。
【００２４】
図３は、捕虫装置１１０の捕虫部分１１４の分解図である。捕虫部分１１４は、前側表面１３８を有し得るディバイダ１３４と、後部ハウジング１４０とを含む。いくつかの実施形態において、ディバイダ１３４は透明又は半透明の材料から構築されるか又はこれを含み、前側表面１３８が透明又は半透明の接着剤１３６でコーティングされ得る。接着剤１３６はこの図で部分的に切り取られて示されている。いくつかの実施形態において、ディバイダ１３４は、飛ぶ虫（広範な種類の飛ぶ虫が、偏光を感知することが知られている）を更に誘引するため、日光と同様に、ある向きで透過する光を偏光するよう構成される。いくつかの実施形態において、ディバイダ１３４の材料及び厚さと接着剤１３６の材料及び厚さは、ＵＶ光及び／又は可視光及び／又はＩＲ光のうちかなりの割合を透過するよう選択され、例えば、光の６０％超がディバイダ１３４と接着剤１３６を透過するよう選択される。いくつかの実施形態において、後部ハウジング１４０は、反射性コーティングされた内側表面１４２を含む。あるいは、後部ハウジング１４０の材料及び表面仕上げは、反射性コーティングなしに、ＵＶ光及び／又は可視光及び／又はＩＲ光を反射及び分散させるように構成され得る。後部ハウジング１４０は、その下表面１６６に開口部１４４を含んでよく、あるいは開口部１４４は、透明又は半透明のウィンドウ（図示せず）に置き換えられてもよい。
【００２５】
いくつかの実施形態において、前部ハウジング１１８と後部ハウジング１４０は不透明のプラスチックシートで熱成形される。あるいは、紙、板紙、厚紙又は紙パルプなどの不透明、透明又は半透明の材料も使用することができる。いくつかの実施形態において、前部ハウジング１１８及び後部ハウジング１４０は、射出成形、注型成形、又はその他の好適な製造技法により構築される。図示のように、ディバイダ１３４は実質的に平らであるが、光の均一な分布を最適化するよう、凸状、凹状、又はサドル形状、又は形状の組み合わせに形成され得る。あるいは、ディバイダ１３４は、接着表面面積を増大させ、明暗コントラストの領域を形成するような、畝又はその他の特徴を有し得、これにより、広範な種類の虫に対して可視性が高く、虫をより誘引しやすくなり得る。
【００２６】
いくつかの実施形態において、前部ハウジング１１８は内側表面１７０を透明、半透明又は不透明の接着剤でコーティングされてよく、これにより付加的な捕虫効果及び能力が提供される。加えて、前部ハウジング１１８は更に内側表面１７０の接着剤コーティングの下に反射性コーティング（図示せず）を有してよく、これにより、虫の誘引効果を強化し、捕虫効果及び効率を更に改善する。
【００２７】
いくつかの実施形態において、前部ハウジング１１８、ディバイダ１３４及び後部ハウジング１４０は、その外周部が接着剤で接合されているが、これらは他の一般的に使用されているパッケージング組立技法により接合されてよく、例えば超音波溶接又はＲＦ密封、又はその他任意の好適な組立方法により接合され得る。捕虫部分１１４の材料は更に、１つ以上の虫誘引性物質を含み得る。例えば、捕虫部分１１４は、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコール（trunc-call）を含む）、双翅類誘引剤（セラルア、キュールア（cue-lure）、ラチルア、メドルア、モグチュン、ムスカルア、及びトリメドルアを含む）、同翅類誘引剤（レスカルアを含む）、鱗翅類誘引剤（例えばディスパールア）、直鎖レピドプテランフェロモン（コドレルア、ゴシップルア、ヘキサルア、リトルア、ループルア、オルフラルア、及びオストラモンを含む）、及びその他の虫誘引性物質（例えばオイゲノール、メチルオイゲノール、及びシグルア）、又はその他の、捕虫装置１１０の虫誘引効率を更に向上させるにおいを供給する物質を、含浸させることができる。そのような実施形態において、虫誘引性物質は、捕虫部分１１４に一体化している。あるいは、虫誘引性物質は、前部ハウジング１１８の内側表面１７０に、又は前部ハウジング１１８の開口部１２０を通して、又はディバイダ１３４の前側表面１３８に取り付けられる、別個のピース（図示せず）に埋め込むことができる。そのような誘引物質は、捕虫装置１１０から半径約２メートルにいる虫に感知可能となることが望ましい。
【００２８】
図４は、捕虫装置１１０を通る断面図である。図示のように、ディバイダ１３４は、捕虫部分１１４を前部エンクロージャ１４６と後部エンクロージャ１４８とに区分している。いくつかの実施形態において、ベース部分１１２は、コマンドを実行するためのプログラム可能プロセッサ又はチップ（図示せず）を有する回路基板１５０を含み、これは導電性プロング１２２（１つのみが図示されている）、スイッチ１１６、及びＬＥＤ  １２４（１つのみが図示されている）に電気的に接続されている。ただし、見やすくするため、電気的接続は一部しか表示されていない。回路基板１５０は、導電性プロング１２２から通常の家庭用電流を受け取り、スイッチ１１６の位置に対応し、ＬＥＤ  １２４を点灯させる電力を供給するための電子回路部品を含み得る。回路基板１５０は、スイッチ１１６が閉位置にあるときに、ＬＥＤ  １２４に定電圧を供給する、全波整流回路又はその他の回路などのエネルギー安定器を含み得るが、ただし、一部の種の虫（蚊を含む）にとって誘引性となり得るような動きを模倣するちらつき光を提供するように、ＬＥＤ  １２４に変動電圧を供給することもできる。例えば、およそ０．０５Ｈｚ（例えば、大型哺乳動物の呼吸数を模倣する）〜２５０Ｈｚ（例えば、オスのイエバエを誘引するちらつきの最高周波数）の範囲の光ちらつき周波数が望ましいことがあり、発光エレメントがこの範囲内でちらつくよう構成することができる。回路基板１５０は、ＵＶ光及び／又は可視光及び／又はＩＲ光を提供するために、ＬＥＤ  １２４に電力を供給するが、ただし、ＵＶ光及び／又は可視光及び／又はＩＲ光のちらつきの組み合わせを生み出すために、ＵＶ  ＬＥＤ  １２４のみ又は可視光ＬＥＤ  １２４のみ又はＩＲ光ＬＥＤ  １２４のみに電力を供給するか、あるいは変動電力を供給するよう、構成することもできる。回路基板１５０はまた、圧電スピーカー（図示せず）などの発信機又はトランシーバー、又はその他の装置を駆動させるよう構成することができ、これらはベース部分１１２に取り付けて、虫誘引性の音を発するようにすることができる。いくつかの実施形態において、この発信機又はトランシーバーは、虫（例えば蚊、小昆虫、蛾、又は蠅など）をよりよく誘引するために、録音及び／又は生成された虫の音又は振動を発することができ、これには、虫の発信、応答、求愛、及び連結の歌のうち１つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の単音又は複数の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置１１０から約２メートル以内の距離にいる虫に感知可能となることが望ましい。そのような虫誘引性の音は、捕虫装置１１０から約１メートル超の距離にいる人間に感知できないものであることが望ましい。
【００２９】
図示のように、ベース部分１１２の上表面１２６のスロット１３０と、ベース部分１１２の上表面１２６の突出部１３２とが、捕虫部分１１４と係合して、使用中に定位置に固定させる。ただし、捕虫部分１１４をベース部分１１２に取り外し可能にしっかりと取り付けることができるような、他の任意の取り付けの形態に置き換えることができる。
【００３０】
捕虫装置１１０の操作において、導電性プロング１２２を壁面電気コンセントに差し込み、スイッチ１１６を閉位置に動かす。ＬＥＤ  １２４が、好ましくはＵＶ及び可視光の光を発し（矢印で表わされている）、これはベース部分１１２のウィンドウ１２８を透過して、捕虫部分１１４の後部ハウジング１４０の開口部１４４を通り、後部エンクロージャ１４８に入り、後部ハウジング１４０の内側表面１４２内に直接当たり、ディバイダ１３４の後側表面１５２に当たる。いくつかの実施形態において、光はベース部分１１２内では操作されず、捕虫部分１１４内へ直接発光される。後部ハウジング１４０の内側表面１４２は凹状形状を含み得、ＬＥＤ  １２４からの光を反射及び分散させて、光をディバイダ１３４の後側表面１５２に均等に分配するよう構成することができるが、ただし、後部ハウジング１４０の内側表面１４２は凸状又はサドル形状又は形状の組み合わせを有していてよく、あるいは、光をより均一に分配するように、畝又はその他の特徴を有してもよい。あるいは、ディバイダ１３４の後側表面１５２に光を分配するよう（例えば均等に、特定のパターンに従って、焦点を絞って、など）構成された、アナモルフィックレンズ（図示せず）又はその他のレンズ又はレンズの組み合わせなどの光学的エンハンサーを、後部ハウジング１４０の開口部１４４又はその近くで後部ハウジング１４０に取り付けてよく、又はベース部分１１２のウィンドウ１２８又はその近くでベース部分１１２に取り付けてよく、また、後部ハウジング１４０の内側表面１４２の役割を置換又は増強することができる。いくつかの実施形態において、ＬＥＤ  １２４からの光は、ディバイダ１３４の後側表面１５２に斜めの角度（例えば、約０°〜９０°の鋭角）で直接当たり、ディバイダ１３４全体にわたって広がり、後部ハウジング１４０の内側表面１４２の役割、又は後部ハウジング１４０に取り付けられたレンズ（複数可）の役割を置換又は増強する。
【００３１】
その後、光は、ディバイダ１３４及び前側表面１３８の接着剤１３６を透過し、前部エンクロージャ１４６に入る。光は更に、ディバイダ１３４、前側表面１３８の接着剤１３６、又はこれら両方の光散乱特性により、均一に分配され得る。前部エンクロージャ１４６に入る光の一部が、前部ハウジング１１８の開口部１２０を通って、捕虫装置１１０が設置されている周辺領域に放射される。虫は、接着剤コーティング１３６と前部ハウジング１１８の開口部１２０とを通って放射される光に誘引され、開口部１２０内に飛び入り又は這い入って接着剤１３６の表面に当たり、ここで虫は接着剤（例えば、接着剤１３６）に捕らえられる。ユーザーは、前部ハウジング１１８の開口部１２０を通して見ることにより、捕らわれた虫を観察できる。十分な数の虫が捕獲されると、ユーザーは、捕獲された虫、虫の屑又は接着剤（これらは捕虫部分１１４内の届かないところに留まる）に触れることなしに、使用済みの捕虫部分１１４全体を容易に取り外して捨て、新しい捕虫部分１１４に交換することができる。新しい捕虫部分１１４は、接着剤コーティングされた新しい表面と光誘導表面を有しており、捕虫装置１１０が引き続き効率的かつ効果的に虫を確実に誘引して捕らえることができるようになる。
【００３２】
いくつかの実施形態において、捕虫部分１１４はベース部分１１２の前ではなく上に取り付けられているため、普通の家庭用壁面コンセントに差し込んだときに、捕虫装置１１０の壁面からの突出が最小限に抑えられ、これによって、家庭環境に対する邪魔を最小限に抑える。いくつかの実施形態において、捕虫装置１１０は、壁面に取り付けられたとき、捕虫装置１１０が壁から突出する合計距離によって画定される合計奥行きが、捕虫装置１１０の全体高さ及び全体の幅よりも小さくなるように構成される。
【００３３】
捕虫装置１１０の利点は、捕虫部分１１４内の光の操作であることが理解されよう。いくつかの実施形態において、光の操作は捕虫部分１１４内でのみ起こる。光の操作には、反射、屈折、偏光、分散及び／又は散乱が含まれ得、これは操作可能なエレメント又は表面（例えば、内側表面１４２、ディバイダ１３４及び接着剤１３６）と係合することにより達成される。いくつかの実施形態において、光の操作は、接着剤１３６上に光の均等な分布を生成する。いくつかの実施形態において、光は、接着剤１３６の上又は捕虫部分１１４内に所定のパターンを生成するよう操作され、例えば、均一な分布、高強度のホットスポットを伴う均一な分布、ホットスポットパターン、及び／又はこれらの組み合わせを生成するよう操作される。
【００３４】
任意の好適な接着剤材料を、虫を捕獲するための接着表面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性接着剤を使用することができる。一般に、そのような接着剤の厚さは約０．０１ｍｍ〜１ｍｍの範囲である。いくつかの実施形態において、接着剤厚さは、約０．０５ｍｍ〜０．２ｍｍの範囲であり、厚さ約０．１ｍｍが最もよく使用される。
【００３５】
この構成の捕虫装置１１０は、ベース部分１１２に取り外し可能に取り付けることができる様々な異なる捕虫部分１１４に対応することができ、それぞれの捕虫部分１１４は、特定の種類又は複数の種類の飛ぶ虫を誘引して捕らえるよう独自に構成される。例えば、捕虫部分１１４の全体の寸法及び形状、並びに捕虫部分１１４の前部ハウジング１１８の開口部１２０の寸法、形状、位置及び向きは、特定の種類又は複数の種類の飛ぶ虫を誘引して捕らえるよう独自に構成され得る。例えば、いくつかの実施形態において、捕虫部分１１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分１１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分１１４はおよそ、幅２０ｍｍ〜１３０ｍｍ、高さ２０ｍｍ〜１３０ｍｍ、及び奥行き５ｍｍ〜５０ｍｍである。
【００３６】
いくつかの実施形態において、ベース部分１１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分１１２は、幅２０ｍｍ〜２００ｍｍ、高さ１０ｍｍ〜１００ｍｍ、及び奥行き１０ｍｍ〜８０ｍｍである。いくつかの実施形態において、ベース部分１１２は、幅２０ｍｍ〜１３０ｍｍ、高さ１０ｍｍ〜５０ｍｍ、及び奥行き１０ｍｍ〜５０ｍｍである。
【００３７】
本明細書で示すように、開口部１２０は様々な形状及び／又は寸法であり得る。例えば、開口部１２０の形状は、円形、正方形、長方形、多角形、及び／又は楕円形であり得る。あるいは、開口部１２０は、直線、曲線、又はうねりの形状又はパターンを有するスロット形状であり得る。開口部１２０が円形の場合、開口部１２０の直径は約０．５ｍｍ〜３０ｍｍであり得る。いくつかの実施形態において、円形開口部１２０の直径は約０．５ｍｍ〜２０ｍｍである。いくつかの実施形態において、円形開口部１２０の直径は約０．５ｍｍ〜１５ｍｍである。開口部１２０がスロット形状の場合、開口部１２０はおよそ、幅２ｍｍ〜３０ｍｍ、長さ５ｍｍ〜５００ｍｍであり得る。いくつかの実施形態において、スロット形状開口部１２０はおよそ、幅２ｍｍ〜２０ｍｍ、長さ５ｍｍ〜２００ｍｍである。いくつかの実施形態において、スロット形状開口部１２０はおよそ、幅２ｍｍ〜１５ｍｍ、長さ５ｍｍ〜１００ｍｍである。
【００３８】
いくつかの実施形態において、開口部１２０は前部ハウジング１１８の全部又は一部を占める。例えば、開口部１２０は、前部ハウジング１１８の表面積の約１％〜７５％の範囲を占めることができる。いくつかの実施形態において、開口部１２０は、前部ハウジング１１８の表面積の約５％〜５０％を占める。いくつかの実施形態において、開口部１２０は、前部ハウジング１１８の表面積の約１０％〜３０％を占める。
【００３９】
図５は、捕虫装置の第２の実施形態の断面図であり、この捕虫装置は全体的に２１０として示される。捕虫装置２１０は、ベース部分２１２と取り外し可能な捕虫部分２１４とを含む。ベース部分２１２の後側表面２６２から突出しているのは、複数の導電性プロング２１６（１つのみが図示されている）であり、導電性プロング２１６を標準の家庭用壁面電気コンセントに差し込むことにより、捕虫装置２１０を壁面に取り付けて捕虫装置２１０に電源を供給するよう適合されている。あるいは、ベース部分２１２は、望ましいように静置又は吊り下げて、ベース部分２１２内に取り付けられた電池（図示せず）から電力を受け取るよう構成され得る。電気コンセントと電池は、捕虫装置２１０に電力を供給するものとして記述されるが、任意の好適な電源を使用することができる。ベース部分２１２には、１つ以上のＬＥＤ  ２１８（１つのみが図示されている）などの発光エレメントが含まれる。いくつかの実施形態において、ＬＥＤ  ２１８は、紫外（ＵＶ）光を発するＬＥＤを少なくとも１つ、及び可視光を発するＬＥＤを少なくとも１つ含む。いくつかの実施形態において、ＬＥＤ  ２１８は、広範な種の虫をよりよく誘引するために、ＵＶ光を発するＬＥＤを少なくとも１つ、及び青色光を発するＬＥＤを少なくとも１つ含む。いくつかの実施形態において、この発光エレメントは、日光を模した波長の組み合わせを放射する。いくつかの実施形態において、ＬＥＤ  ２１８は、蚊及びノミなどの特定の種の虫をよりよく誘引するために、赤外（ＩＲ）光を発するＬＥＤを少なくとも１つ含む。
【００４０】
いくつかの実施形態において、ベース部分２１２の上表面２２０に、透明又は半透明のウィンドウ２２２が取り付けられている。ウィンドウ２２２はＬＥＤ  ２１８をダストと虫の屑から保護し、ベース部分２１２をクリーニングしやすくする。ベース部分２１２の上表面２２０にはスロット２２４が含まれてよく、上表面２２０の外周２７０は上向きの突出部２２６である。捕虫部分２１４は、少なくとも１つの開口部２３０と光伝導体２３８を備えた前部ハウジング２２８を含む。前部ハウジング２２８の開口部２３０は、広範な種類の虫を捕虫装置２１０に受け入れるよう構成することができ、あるいは、１種類以上の特定の種の虫を受け入れるよう構成することができる。いくつかの実施形態において、開口部２３０は、捕虫部分２１４を取り外して交換するときに、ユーザーの指が開口部２３０に入ってしまい捕らえられた虫又は接着剤に誤って触れることを防ぐよう構成される。いくつかの実施形態において、開口部２３０は、直径２５ｍｍの球が開口部２３０を通過できないような寸法及び形状を有し、かつ、直径１ｍｍの球が開口部２３０のいかなる部分も通過できるような寸法及び形状を有する。開口部２３０の幅、形状及び向きは、均一であってよく又は変化してよく、また、捕虫部分２１４が複数の開口部２３０を有する場合は、それらの幅、形状及び向きは、同一であってよく又は異なってよい。開口部２３０は、１種類以上の個々の虫又は様々な種類の虫を誘引するよう構成することができる。いくつかの実施形態において、光伝導体２３８は、前側表面２５４と、前側表面２５４上の接着剤コーティング又は接着剤層２３４と、後部カバー２４８とを含む。いくつかの実施形態において、接着剤層２３４の材料及び厚さは、ＵＶ光及び／又は可視光及び／又はＩＲ光のうちかなりの割合を透過するよう選択され、例えば、光の６０％超が接着剤層２３４を透過するよう選択される。光伝導体は、ＬＥＤ  ２１８から下表面２４０を通る光を受け取り、この光を反射させて均一に分配するよう（例えば、前側表面２５４及び接着剤層２３４を通して）、先細形状に構成され得る。後部カバー２４８は、光伝導体２３８の上表面２４２、後側表面２５６及び側面表面（図示せず）を通って光が逃げるのを防ぐよう構成することができる。本明細書で示すように、任意の好適な光伝導体を使用することができる。
【００４１】
いくつかの実施形態において、前部ハウジング２２８は不透明のプラスチックシートから熱成形されるが、他の不透明、透明又は半透明の材料（紙、板紙、厚紙又は紙パルプなど）も使用することができる。いくつかの実施形態において、前部ハウジング２２８は、射出成形、注型成形、又はその他の好適な製造技法により構築される。前部ハウジング２２８は内側表面２５０を透明、半透明又は不透明の接着剤でコーティングされてよく、これにより付加的な捕虫効果及び能力が提供される。加えて、前部ハウジング２２８は更に内側表面２５０の接着剤コーティングの下に反射性コーティング（図示せず）を有してよく、これにより、虫の誘引効果を強化し、捕虫効果及び効率を更に改善する。前部ハウジング２２８と光伝導体２３８は、交差する場所で接合させることができ、又は超音波溶接又は高周波（ＨＦ）溶接で係合させることができるが、ただし、接着剤により、又は一般的に使用されている他のパッケージング組立技法により、又は他の任意の好適な組立技法により、恒久的又は取り外し可能に接合することもできる。
【００４２】
図示のように、前部ハウジング２２８と光伝導体２３８を合わせて、前部エンクロージャ２４６が形成される。光伝導体２３８は先細であってよく（例えば、下表面２４０側がより厚く、上表面２４２側がより薄い）、また、アクリル又はポリカーボネートプラスチックなどの、ＵＶ及び／又はＩＲ及び／又は可視光を伝導する任意の透明の材料から構築されていてもよい。後部カバー２４８の内側表面（図示せず）は、光を反射させて光伝導体２３８内に戻し、前側表面２５４を通過させる反射性コーティングを有し得、これにより光透過効率を高める。光伝導体２３８は、前側表面２５４上に、小平面又は様々な寸法、奥行き及び密度の光誘導形状を有し得、これにより光透過効率を高める。あるいは、いくつかの実施形態において、光伝導体２３８は、前側表面２５４上に、小平面又は他の光誘導形状を有し、しかも先細ではない。前側表面２５４上に微小平面又は他の形状を備えた光伝導体２３８は、一般に光ガイドプレートと呼ばれるが、この小平面又は他の形状は、より大きくしかも依然として効果的に機能するものであってもよい。
【００４３】
あるいは、いくつかの実施形態において、光伝導体２３８は接着剤コーティングを有していなくてもよく、光伝導体２３８と後部カバー２４８はベース部分２１２の一部であってもよい。そのような実施形態において、捕虫部分２１４は、外周が前部ハウジング２２８に取り付けられ、前側表面に接着剤コーティングを備えた、透明又は半透明のバックプレート（図示せず）を含み得る。
【００４４】
捕虫部分２１４の材料は更に、１つ以上の虫誘引性物質を含み得る。例えば、捕虫部分２１４は、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコール（trunc-call）を含む）、双翅類誘引剤（セラルア、キュールア（cue-lure）、ラチルア、メドルア、モグチュン、ムスカルア、及びトリメドルアを含む）、同翅類誘引剤（レスカルアを含む）、鱗翅類誘引剤（例えばディスパールア）、直鎖レピドプテランフェロモン（コドレルア、ゴシップルア、ヘキサルア、リトルア、ループルア、オルフラルア、及びオストラモンを含む）、及びその他の虫誘引性物質（例えばオイゲノール、メチルオイゲノール、及びシグルア）、又はその他の、捕虫装置２１０の虫誘引効率を更に向上させるにおいを供給する物質を、含浸させることができる。そのような実施形態において、虫誘引性物質は、捕虫部分２１４に一体化している。あるいは、虫誘引性物質は、前部ハウジング２２８の内側表面２５０に、又は前部ハウジング２２８の開口部２３０を通して、又は光伝導体２３８の前側表面２５４に取り付けられる、別個のピース（図示せず）に埋め込むことができる。そのような誘引物質は、捕虫装置２１０から半径約２メートルにいる虫に感知可能となることが望ましい。
【００４５】
いくつかの実施形態において、ベース部分２１２は、コマンドを実行するためのプログラム可能プロセッサ又はチップ（図示せず）を有する回路基板２５２を含み、これは導電性プロング２１６及びＬＥＤ  ２１８に電気的に接続されている。ただし、見やすくするため、電気的接続は一部しか示されていない。回路基板２５２は、導電性プロング２１６から通常の家庭用電流を受け取り、ＬＥＤ  ２１８を点灯させる電力を供給するための電子回路部品を含み得る。回路基板２５２は、ＬＥＤ  ２１８に定電圧を供給する、全波整流回路又はその他の回路などのエネルギー安定器を含み得るが、ただし、一部の種の虫（蚊を含む）にとって誘引性となり得るような動きを模倣するちらつき光を提供するように、ＬＥＤ  ２１８に変動電圧を供給することもできる。例えば、およそ０．０５Ｈｚ（例えば、大型哺乳動物の呼吸数を模倣する）〜２７０Ｈｚ（例えば、オスのイエバエを誘引するちらつきの最高周波数）の範囲の光ちらつき周波数が望ましいことがあり、発光エレメントがこの範囲内でちらつくよう構成することができる。回路基板２５２は、ＵＶ光及び／又は可視光及び／又はＩＲ光を提供するために、ＬＥＤ  ２１８に電力を供給するが、ただし、ＵＶ光及び／又は可視光及び／又はＩＲ光のちらつきの組み合わせを生み出すために、ＵＶ  ＬＥＤ  ２１８のみ又は可視光ＬＥＤ  ２１８のみ又はＩＲ  ＬＥＤ  ２１８のみに電力を供給するか、あるいは変動電力を供給するよう、構成することもできる。いくつかの実施形態において、回路基板２５２はまた、圧電スピーカーなどの発信機又はトランシーバー、又はその他の装置を駆動させるよう構成することができ、これらはベース部分２１２に取り付けて、虫誘引性の音を発するようにすることができる。いくつかの実施形態において、この発信機又はトランシーバーは、虫（蚊、小昆虫、蛾、又は蠅など）をよりよく誘引するために、録音及び／又は生成された虫の音又は振動を発することができ、これには、虫の発信、応答、求愛、及び連結の歌のうち１つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の単音又は複数の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置２１０から約２メートル以内の距離にいる虫に感知可能となることが望ましい。そのような虫誘引性の音は、捕虫装置２１０から約１メートル以内の距離にいる人間に感知できないものであることが望ましい。
【００４６】
図示のように、ベース部分２１２の上表面２２０のスロット２２４と、ベース部分２１２の上表面２２０の突出部２２６とが、捕虫部分２１４と係合して、使用中に定位置に固定されている。ただし、捕虫部分２１４をベース部分２１２に取り外し可能にしっかりと取り付けることができるような任意の他の取り付けの形態を、代わりに使用することができる。
【００４７】
捕虫装置２１０の操作において、導電性プロング２１６を壁面電気コンセントに差し込むと、ＬＥＤ  ２１８が矢印で示すように光を発し、好ましくはこの光はＵＶ及び可視光である。ＬＥＤ  ２１８からの光がウィンドウ２２２を通過し、光伝導体２３８の下表面２４０に入り、前側表面２５４と後側表面２５６で繰り返し反射される。いくつかの実施形態において、光はベース部分２１２内では操作されず、捕虫部分２１４内へ直接発光される。反射光の一部が光伝導体２３８の前側表面２５４を透過し、接着剤層２３４を通りこの表面と前部エンクロージャ２４６内に均一に分布した光を提供する。この光は、光伝導体２３８の前側表面２５４の接着剤層２３４が有する屈折及び光散乱特性により、更に均一に分配される。前部エンクロージャ２４６に入る光の一部が、前部ハウジング２２８の開口部２３０を通って、捕虫装置２１０が設置されている周辺領域に放射される。虫は、接着剤層２３４と前部ハウジング２２８の開口部２３０とを通って放射される光に誘引され、開口部２３０を通って飛び入り又は這い入って接着剤層２３４の表面に当たり、ここで虫は接着剤に捕らえられる。ユーザーは、前部ハウジング２２８の開口部２３０を通して見ることにより、捕らわれた虫を観察できる。十分な数の虫が捕獲されると、ユーザーは、捕獲された虫、虫の屑又は接着剤（これらは捕虫部分２１４内の届かないところに留まる）に触れることなしに、使用済みの捕虫部分２１４全体を容易に取り外して捨て、新しい捕虫部分２１４に交換することができる。新しい捕虫部分２１４は、接着剤コーティングされた新しい表面と光誘導表面を有しており、捕虫装置２１０が引き続き効率的かつ効果的に虫を確実に誘引して捕らえることができるようになる。
【００４８】
いくつかの実施形態において、捕虫部分２１４はベース部分２１２の前ではなく上に取り付けられているため、普通の家庭用壁面コンセントに差し込んだときに、捕虫装置２１０の壁面からの突出が最小限に抑えられ、これによって、家庭環境に対する邪魔を最小限に抑える。いくつかの実施形態において、捕虫装置２１０は、壁面に取り付けられたとき、捕虫装置２１０が壁から突出する合計距離によって画定される合計奥行きが、捕虫装置２１０の全体高さ及び全体の幅よりも小さくなるように構成される。
【００４９】
捕虫装置２１０の利点は、捕虫部分２１４内の光の操作であることが理解されよう。いくつかの実施形態において、光の操作は捕虫部分２１４内でのみ起こる。光の操作には、反射、屈折、偏光及び／又は散乱が含まれ得、これは操作可能なエレメント又は表面（例えば、光伝導体２３８、前側表面２５４、後側表面２５６、及び接着剤層２３４）と係合することにより達成される。いくつかの実施形態において、光の操作は、接着剤層２３４上に光の均等な分布を生成する。いくつかの実施形態において、光は、接着剤層２３４の上又は捕虫部分２１４内に所定のパターンを生成するよう操作され、例えば、均一な分布、高強度のホットスポットを伴う均一な分布、ホットスポットパターン、及び／又はこれらの組み合わせを生成するよう操作される。
【００５０】
任意の好適な接着剤材料を、虫を捕獲するための接着表面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性接着剤を使用することができる。一般に、そのような接着剤の厚さは約０．０１ｍｍ〜１ｍｍの範囲である。いくつかの実施形態において、接着剤厚さは、約０．０５ｍｍ〜０．２ｍｍの範囲であり、厚さ約０．１ｍｍが最もよく使用される。
【００５１】
この構成の捕虫装置２１０は、ベース部分２１２に取り外し可能に取り付けることができる様々な異なる捕虫部分２１４に対応することができ、それぞれの捕虫部分２１４は、特定の種類又は複数の種類の虫を誘引して捕らえるよう独自に構成される。例えば、捕虫部分２１４の全体の寸法及び形状、並びに捕虫部分２１４の前部ハウジング２２８の開口部２３０の寸法、形状、位置及び向きは、特定の種類又は複数の種類の虫を誘引して捕らえるよう独自に構成され得る。例えば、いくつかの実施形態において、捕虫部分２１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分２１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分２１４はおよそ、幅２０ｍｍ〜１３０ｍｍ、高さ２０ｍｍ〜１３０ｍｍ、及び奥行き５ｍｍ〜５０ｍｍである。
【００５２】
いくつかの実施形態において、ベース部分２１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分２１２は、幅２０ｍｍ〜２００ｍｍ、高さ１０ｍｍ〜１００ｍｍ、及び奥行き１０ｍｍ〜８０ｍｍである。いくつかの実施形態において、ベース部分２１２は、幅２０ｍｍ〜１３０ｍｍ、高さ１０ｍｍ〜５０ｍｍ、及び奥行き１０ｍｍ〜５０ｍｍである。
【００５３】
本明細書で示すように、開口部２３０は様々な形状及び／又は寸法であり得る。例えば、開口部２３０の形状は、円形、正方形、長方形、多角形、及び／又は楕円形であり得る。あるいは、開口部２３０は、直線、曲線、又はうねりの形状又はパターンを有するスロット形状であり得る。開口部２３０が円形の場合、開口部２３０の直径は約０．５ｍｍ〜３０ｍｍであり得る。いくつかの実施形態において、円形開口部２３０の直径は約０．５ｍｍ〜２０ｍｍである。いくつかの実施形態において、円形開口部２３０の直径は約０．５ｍｍ〜１５ｍｍである。開口部２３０がスロット形状の場合、開口部２３０はおよそ、幅２ｍｍ〜３０ｍｍ、長さ５ｍｍ〜５００ｍｍであり得る。いくつかの実施形態において、スロット形状開口部２３０はおよそ、幅２ｍｍ〜２０ｍｍ、長さ５ｍｍ〜２００ｍｍである。いくつかの実施形態において、スロット形状開口部２３０はおよそ、幅２ｍｍ〜１５ｍｍ、長さ５ｍｍ〜１００ｍｍである。
【００５４】
いくつかの実施形態において、開口部２３０は前部ハウジング２２８の全部又は一部を占める。例えば、開口部２３０は、前部ハウジング２２８の表面積の約１％〜７５％の範囲を占めることができる。いくつかの実施形態において、開口部２３０は、前部ハウジング２２８の表面積の約５％〜５０％を占める。いくつかの実施形態において、開口部２３０は、前部ハウジング２２８の表面積の約１０％〜３０％を占める。
【００５５】
図６は、捕虫装置の第３の実施形態の前側斜視図であり、この捕虫装置は全体的に３１０として示される。捕虫装置３１０は、ベース部分３１２と取り外し可能な捕虫部分３１４とを含み得る。いくつかの実施形態において、ベース部分３１２の前側表面３６０は、スイッチ３１６を含み、これはユーザーが望むようにスイッチ３１６の開閉により捕虫装置３１０をオン又はオフにすることができるように構成可能である。あるいは、スイッチ３１６は他の機能を制御するよう構成可能であり、例えば光の強さ、光の波長の組み合わせ、様々な光ちらつきの周波数又はモード、部屋が暗くなったときにオンにする自動設定、あるいはリモートコントロール設定が挙げられる。スイッチ３１６は手動で操作することができるが、ただし、スイッチ３１６は電気的、光学的、電子機械的、電子光学的、又は任意の他の方法により、スイッチ３１６の開閉を操作することができる。捕虫部分３１４は、少なくとも１つの開口部３２０を備えたハウジング３１８を含み得る。ハウジング３１８の開口部３２０は、広範な種類の虫を捕虫装置３１０に受け入れるよう構成することができ、あるいは、１種類以上の特定の種の虫を受け入れるよう構成することができる。開口部３２０は好ましくは、捕虫部分３１４を取り外して交換するときに、ユーザーの指が開口部３２０に入ってしまい捕らえられた虫又は接着剤に誤って触れることを防ぐよう構成され得る。開口部３２０は好ましくは、直径２５ｍｍの球が開口部３２０を通過できないような寸法及び形状を有し得、かつ、開口部３２０は好ましくは、直径１ｍｍの球が開口部３２０のいかなる部分も通過できるような寸法及び形状を有し得る。開口部３２０の幅、形状及び向きは、均一であってよく又は変化してよく、また、捕虫部分３１４が複数の開口部３２０を有する場合は、それらの幅、形状及び向きは、同一であってよく又は異なってよい。
【００５６】
図７は、捕虫装置３１０のベース部分３１２の後側斜視図である。ベース部分３１２の後側表面３６２から突出しているのは、複数の導電性プロング３２２であり、標準の家庭用壁面電気コンセントに差し込むことにより、捕虫装置３１０を壁面に取り付けて捕虫装置３１０に電源を供給するよう適合されている。あるいは、ベース部分３１２は、望ましいように静置又は吊り下げて、ベース部分３１２内に取り付けられた電池（図示せず）から電力を受け取るよう構成され得る。電気コンセントと電池は、捕虫装置３１０に電力を供給するものとして記述されるが、任意の好適な電源を使用することができる。ベース部分３１２は、１つ以上のＬＥＤ  ３２４などの発光エレメントを含む。いくつかの実施形態において、ＬＥＤ  ３２４は、紫外（ＵＶ）光を発するＬＥＤ、及び可視光を発するＬＥＤを含む。いくつかの実施形態において、ＬＥＤ  ３２４は、広範な種の虫をよりよく誘引するために、ＵＶ光を発するＬＥＤを少なくとも１つ、及び青色光を発するＬＥＤを少なくとも１つ含む。いくつかの実施形態において、この発光エレメントは、日光を模した波長の組み合わせを放射する。いくつかの実施形態において、ＬＥＤ  ３２４は、蚊及びノミなどの特定の種の虫をよりよく誘引するために、赤外（ＩＲ）光を発するＬＥＤを少なくとも１つ含む。ベース部分３１２の上表面３２６に取り付けられているのは、透明又は半透明のウィンドウ３２８であってよく、図ではＬＥＤ  ３２４を見えるようにするため部分的に切り取られている。ウィンドウ３２８はＬＥＤ  ３２４をダストと虫の屑から保護し、ベース部分３１２をクリーニングしやすくする。ベース部分３１２の上表面３２６の外周３６４から突出した上向き突出部又は縁３３０は、使用中に捕虫部分３１４を定位置に固定する役割を果たし得るが、ただし、捕虫部分３１４をベース部分３１２に取り外し可能にしっかりと取り付けることができるような、他の任意の取り付けの形態に置き換えることができる。
【００５７】
図８は、捕虫装置３１０の捕虫部分３１４の前側斜視図である。捕虫部分３１４はハウジング３１８を含み、これは、エンクロージャと、１つ以上の内側表面３３４に適用される透明又は半透明の接着剤コーティングとを形成する。いくつかの実施形態において、ハウジング３１８の材料及び厚さと接着剤コーティングの材料及び厚さは、ＵＶ光及び／又は可視光及び／又はＩＲ光のうちかなりの割合を透過するよう選択され、例えば、光の６０％超がハウジング３１８と接着剤コーティングを透過するよう選択される。いくつかの実施形態において、ハウジング３１８は不透明のプラスチックシートから熱成形されるが、他の不透明、透明又は半透明の材料（紙、板紙、厚紙又は紙パルプなど）も使用することができる。いくつかの実施形態において、ハウジング３１８は、射出成形、又はその他の好適な製造技法により構築される。
【００５８】
図示のように、ハウジング３１８は、畝３３６又はその他の形状を含み、これが、接着剤コーティング表面積を増加させ、一部の種の虫にとって誘引性となるような交互の明暗領域を形成し、かつ、捕虫部分３１４の内側３７０への虫誘引性光の透過を増大させる。スリーブ３３８は、ハウジング３１８の外側表面３６８から放射される光の量を低減し、開口部３２０において下表面３６６以外のハウジング３１８の外側表面３６８を覆う。いくつかの実施形態において、スリーブ３３８は不透明のプラスチックシートから熱成形されるが、他の不透明、透明又は半透明の材料（紙、板紙、厚紙又は紙パルプなど）も使用することができる。いくつかの実施形態において、スリーブ３３８は、１つ以上の内側表面（図示せず）に反射性コーティングを含み、これによりスリーブ３３８がハウジング３１８の内側表面３３４を通してより多くの光を導くことができ、更に、虫誘引及び捕捉の効率と効果を増強することができる。いくつかの実施形態において、スリーブ３３８は、ハウジング３１８の外側表面３６８から放射される光の量を低減するよう構成されたコーティングに置き換えることができ、又は、ハウジング３１８の下表面３６６以外の外側表面３６８に適用された反射性コーティングの上に適用されるコーティングに置き換えることができる。
【００５９】
捕虫部分３１４の材料は更に、１つ以上の虫誘引性物質を含み得る。例えば、捕虫部分３１４は、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコール（trunc-call）を含む）、双翅類誘引剤（セラルア、キュールア（cue-lure）、ラチルア、メドルア、モグチュン、ムスカルア、及びトリメドルアを含む）、同翅類誘引剤（レスカルアを含む）、鱗翅類誘引剤（例えばディスパールア）、直鎖レピドプテランフェロモン（コドレルア、ゴシップルア、ヘキサルア、リトルア、ループルア、オルフラルア、及びオストラモンを含む）、及びその他の虫誘引性物質（例えばオイゲノール、メチルオイゲノール、及びシグルア）、又はその他の、捕虫装置３１０の虫誘引効率を向上させるにおいを供給する物質を、含浸させることができる。そのような実施形態において、虫誘引性物質は、捕虫部分３１４に一体化している。あるいは、虫誘引性物質は、ハウジング３１８の内側表面３３４に、又はハウジング３１８の開口部３２０を通して取り付けられる、別個のピース（図示せず）に埋め込むことができる。そのような誘引物質は、捕虫装置３１０から半径約２メートルにいる虫に感知可能となることが望ましい。
【００６０】
図９は、捕虫装置３１０を通る断面図である。いくつかの実施形態において、ベース部分３１２は、コマンドを実行するためのプログラム可能プロセッサ又はチップ（図示せず）を有する回路基板３４０を含み、これは導電性プロング３２２（１つのみが図示されている）、スイッチ３１６、及びＬＥＤ  ３２４（１つのみが図示されている）に電気的に接続されている。ただし、見やすくするため、電気的接続は一部しか示されていない。回路基板３４０は、導電性プロング３２２から通常の家庭用電流を受け取り、スイッチ３１６の位置に対応し、ＬＥＤ  ３２４を点灯させる電力を供給するための電子回路部品を含み得る。回路基板３４０は、スイッチ３１６が閉位置にあるときに、ＬＥＤ  ３２４に定電圧を供給する、全波整流フィルター回路又はその他の回路などのエネルギー安定器を含み得るが、ただし、一部の種の虫（蚊を含む）にとって誘引性となり得るような動きを模倣するちらつき光を提供するように、ＬＥＤ  ３２４に変動電圧を供給することもできる。例えば、およそ０．０５Ｈｚ（例えば、哺乳動物の呼吸数を模倣する）〜２５０Ｈｚ（例えば、オスのイエバエを誘引するちらつきの最高周波数）の範囲の光ちらつき周波数が望ましいことがあり、発光エレメントがこの範囲内でちらつくよう構成することができる。回路基板３４０は、ＵＶ光及び／又は可視光及び／又はＩＲ光のすべてを提供するために、ＬＥＤ  ３２４に電力を供給するが、ただし、ＵＶ光及び／又は可視光及び／又はＩＲ光のちらつきの組み合わせを生み出すために、ＵＶ  ＬＥＤ  ３２４のみ又は可視光ＬＥＤ  ３２４のみ又はＩＲ  ＬＥＤ  ３２４のみに電力を供給するか、あるいは変動電力を供給するよう、構成することもできる。いくつかの実施形態において、回路基板３４０はまた、圧電スピーカーなどの発信機又はトランシーバー、又はその他の装置を駆動させるよう構成することができ、これらはベース部分３１２に取り付けて、虫誘引性の音を発するようにすることができる。いくつかの実施形態において、この発信機又はトランシーバーは、虫（蚊、小昆虫、蛾、又は蠅など）をよりよく誘引するために、録音及び／又は生成された虫の音又は振動を発することができ、これには、虫の発信、応答、求愛、及び連結の歌のうち１つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の単音又は複数の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置３１０から約２メートル以内の距離にいる虫に感知可能となることが望ましい。そのような虫誘引性の音は、捕虫装置３１０から約１メートル以内の距離にいる人間に感知できないものであることが望ましい。
【００６１】
捕虫装置３１０の操作において、導電性プロング３２２を壁面電気コンセントに差し込み、スイッチ３１６を閉位置に動かす。ＬＥＤ  ３２４は、矢印で示すように光を放射し、これがベース部分３１２のウィンドウ３２８を通り、ハウジング３１８の下表面３６６を透過する。いくつかの実施形態において、光はベース部分３１２内では操作されず、捕虫部分３１４内へ直接発光される。光の一部が、エンクロージャ内で、ハウジング３１８の１つ以上の側面３７２を上がり、内側表面３３４を通って外に出る。光の別の部分が、ハウジング３１８の下表面３６６を通ってエンクロージャに入り、ここで内側表面３３４を照らす。ハウジング３１８に入る光の一部が、開口部３２０を通って、捕虫装置が設置されている周辺領域に放射される。この領域にいる虫が、開口部３２０を透過する光に誘引され、開口部３２０に飛び入り又は這い入って、内側表面３３４に至り、ここで虫は接着剤にぶつかり、捕らえられる。ユーザーは、開口部３２０を通して見ることにより、捕らわれた虫を観察できる。十分な数の虫が捕獲されると、ユーザーは、捕獲された虫、虫の屑又は接着剤（これらは捕虫部分３１４内の届かないところに留まる）に触れることなしに、使用済みの捕虫部分３１４全体を容易に取り外して捨て、新しい捕虫部分３１４に交換することができる。新しい捕虫部分３１４は、接着剤コーティングされた新しい内側表面３３４を有しており、ハウジング３１８はクリーンな下表面３６６を有し、ここを通して光が捕虫部分３１４内へと透過し、捕虫部分３１４の透明又は半透明の材料は、ＬＥＤ  ３２４からのＵＶ光に長時間曝されることによる劣化を受けておらず、これによって、捕虫装置３１０が引き続き、虫を効率的かつ効果的に誘引し捕らえる。
【００６２】
いくつかの実施形態において、捕虫部分３１４はベース部分３１２の前ではなく上に取り付けられているため、普通の家庭用壁面コンセントに差し込んだときに、捕虫装置３１０の壁面からの突出が最小限に抑えられ、これによって、家庭環境に対する邪魔を最小限に抑える。いくつかの実施形態において、捕虫装置３１０は、壁面に取り付けられたとき、捕虫装置３１０が壁から突出する合計距離によって画定される合計奥行きが、捕虫装置３１０の全体高さ及び全体の幅よりも小さくなるように構成される。
【００６３】
捕虫装置３１０の利点は、捕虫部分３１４内の光の操作であることが理解されよう。いくつかの実施形態において、光の操作は捕虫部分３１４内でのみ起こる。光の操作には、反射、屈折、偏光、分散及び／又は散乱が含まれ得、これは操作可能なエレメント又は表面（例えば、ハウジング３１８及び内側表面３１８）と係合することにより達成される。いくつかの実施形態において、光の操作は、接着表面又は接着剤コーティング上に光の均等な分布を生成する。いくつかの実施形態において、光は、接着剤コーティングの上又は捕虫部分３１４内に所定のパターンを生成するよう操作され、例えば、均一な分布、高強度のホットスポットを伴う均一な分布、ホットスポットパターン、及び／又はこれらの組み合わせを生成するよう操作される。
【００６４】
任意の好適な接着剤材料を、虫を捕獲するための接着表面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性接着剤を使用することができる。一般に、そのような接着剤の厚さは約０．０１ｍｍ〜１ｍｍの範囲である。いくつかの実施形態において、接着剤厚さは、約０．０５ｍｍ〜０．２ｍｍの範囲であり、厚さ約０．１ｍｍが最もよく使用される。
【００６５】
この構成の捕虫装置３１０は、ベース部分３１２に取り外し可能に取り付けることができる様々な異なる捕虫部分３１４に対応することができ、それぞれの捕虫部分３１４は、特定の種類又は複数の種類の虫を誘引して捕らえるよう独自に構成される。例えば、捕虫部分３１４の全体の寸法及び形状、並びに捕虫部分３１４のハウジング３１８の開口部３２０の寸法、形状、位置及び向きは、特定の種類又は複数の種類の虫を誘引して捕らえるよう独自に構成され得る。例えば、いくつかの実施形態において、捕虫部分３１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分３１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分３１４はおよそ、幅２０ｍｍ〜１３０ｍｍ、高さ２０ｍｍ〜１３０ｍｍ、及び奥行き５ｍｍ〜５０ｍｍである。
【００６６】
いくつかの実施形態において、ベース部分３１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分３１２は、幅２０ｍｍ〜２００ｍｍ、高さ１０ｍｍ〜１００ｍｍ、及び奥行き１０ｍｍ〜８０ｍｍである。いくつかの実施形態において、ベース部分３１２は、幅２０ｍｍ〜１３０ｍｍ、高さ１０ｍｍ〜５０ｍｍ、及び奥行き１０ｍｍ〜５０ｍｍである。
【００６７】
本明細書で示すように、開口部３２０は様々な形状及び／又は寸法であり得る。例えば、開口部３２０の形状は、円形、正方形、長方形、多角形、及び／又は楕円形であり得る。あるいは、開口部３２０は、直線、曲線、又はうねりの形状又はパターンを有するスロット形状であり得る。開口部３２０が円形の場合、開口部３２０の直径は約０．５ｍｍ〜３０ｍｍであり得る。いくつかの実施形態において、円形開口部３２０の直径は約０．５ｍｍ〜２０ｍｍである。いくつかの実施形態において、円形開口部３２０の直径は約０．５ｍｍ〜１５ｍｍである。開口部３２０がスロット形状の場合、開口部３２０はおよそ、幅２ｍｍ〜３０ｍｍ、長さ５ｍｍ〜５００ｍｍであり得る。いくつかの実施形態において、スロット形状開口部３２０はおよそ、幅２ｍｍ〜２０ｍｍ、長さ５ｍｍ〜２００ｍｍである。いくつかの実施形態において、スロット形状開口部３２０はおよそ、幅２ｍｍ〜１５ｍｍ、長さ５ｍｍ〜１００ｍｍである。
【００６８】
いくつかの実施形態において、開口部３２０は捕虫部分３１４の全部又は一部を占める。例えば、開口部３２０は、捕虫部分３１４の表面積の約１％〜７５％の範囲を占めることができる。いくつかの実施形態において、開口部３２０は、捕虫部分３１４の表面積の約５％〜５０％の範囲を占める。いくつかの実施形態において、開口部３２０は、捕虫部分３１４の表面積の約１０％〜３０％の範囲を占める。
【００６９】
図１〜９の実施形態には、捕虫部分はベース部分の上表面の上に取り付けられているが、他の構成も想到される。例えば、図１０及び１１は、捕虫装置の第４の実施形態を示し、捕虫部分はベース部分の前方に取り付けられている。
【００７０】
図１０は前側斜視図、図１１は後側斜視図であり、両方とも、全体的に４１０として示される捕虫装置の第４の実施形態を示す。捕虫装置４１０は、ベース部分４１２と取り外し可能な捕虫部分４２０とを含む。捕虫部分４２０は、いずれの図でも、ベース部分４１２から取り外された状態で示されている。ベース部分４１２の後側表面４３２から突出しているのは、複数の導電性プロング４３４であり、標準の家庭用壁面電気コンセントに差し込むことにより、捕虫装置４１０を壁面に取り付けて捕虫装置４１０に電源を供給するよう適合されている。あるいは、ベース部分４１２は、望ましいように静置又は吊り下げて、ベース部分４１２内に取り付けられた電池（図示せず）から電力を受け取るよう構成され得る。電気コンセントと電池は、捕虫装置４１０に電力を供給するものとして記述されるが、任意の好適な電源を使用することができる。１つ以上のＬＥＤ  ４１４などの発光エレメントが、ベース部分４１２の前側表面４１８から突出している十字形突起に取り付けられ得る。あるいは、ＬＥＤ  ４１４は、それ自体が突起を形成し得る。図には十字形突起として示されているが、ＬＥＤ  ４１４の取り付け表面及び／又は構成は、任意の望ましい形状であり得る。いくつかの実施形態において、ベース部分４１２は、コマンドを実行するためのプログラム可能プロセッサ又はチップ（図示せず）を有する回路基板（図示せず）を含み、これは導電性プロング４３４及びＬＥＤ  ４１４に電気的に接続されている。捕虫部分４２０は、１つ以上の接着剤コーティングされた内側表面４２２と、少なくとも１つの開口部４２４とを備えた、半透明又は透明の材料のハウジング４５０を含む。いくつかの実施形態において、ハウジング４５０の材料及び厚さと接着剤の材料及び厚さは、光のかなりの割合を透過するよう選択され、例えば、光の６０％超がハウジング４５０と接着剤コーティングを透過するよう選択される。開口部４２４は、広範な種類の虫を捕虫装置４１０に受け入れるよう構成することができ、あるいは、１種類以上の特定の種の虫を受け入れるよう構成することができる。開口部４２４は、捕虫部分４２０を取り外して交換するときに、ユーザーの指が開口部４２４に入ってしまい捕らえられた虫又は接着剤に誤って触れることを防ぐよう構成され得る。開口部４２４は好ましくは、直径２５ｍｍの球が少なくとも１つの開口部４２４を通過できないような寸法及び形状を有し得、かつ、開口部４２４は好ましくは、直径１ｍｍの球が開口部４２４のいかなる部分も通過できるような寸法及び形状を有し得る。開口部４２４の幅、形状及び向きは、均一であってよく又は変化してよく、また、捕虫部分４２０が複数の開口部４２４を有する場合は、それらの幅、形状及び向きは、同一であってよく又は異なってよい。捕虫部分４２０は、開口部４２４以外の外側表面４５２と、後側表面４２８の十字形の隠れた凹部４２６で、外側表面４５２から放射される光の量を低減するよう構成されたコーティング（図示せず）を含み得る。図示のように、隠れた凹部４２６は十字形４５４であるが、これは任意の望ましい形状であり得る。例えば、ベース部分４１２の前側表面４１８の十字形突起４１６は、捕虫���分４２０の後側表面４２８の十字形凹部４５４にある陥凹と係合することができ、これにより捕虫部分４２０をベース部分４１２に取り外し可能に取り付けることができる。よってこの構成において、捕虫部分４２０はベース部分４１２の前側に取り付けられる。
【００７１】
捕虫装置４１０の操作において、ベース部分４１２が壁面電気コンセントに差し込まれ、捕虫部分４２０がベース部分４１２の前側に取り付けられる。ＬＥＤ  ４１４からの光が、捕虫部分４２０の後側表面４２８にある十字形凹部４５４へと透過する。いくつかの実施形態において、光はベース部分４１２内では操作されず、捕虫部分４２０内へ直接発光される。光の一部が、捕虫部分４２０の半透明又は透明の壁の中にあり、光を散乱させ、捕虫部分４２０内に均等に拡散させ、内側表面４２２を透過させる。光の別の部分が、捕虫部分４２０の後壁を通り、捕虫部分４２０の内側４３０へと透過し、ここで内側表面４２２を照らす。捕虫部分４２０に入った光の一部が、開口部４２４を通過し、捕虫装置４１０が設置された室内へと向かう。この室内にいる虫が、開口部４２４を透過する光に誘引され、開口部４２４に飛び入り又は這い入って、内側表面４２２に至り、ここで虫は接着剤にぶつかり、捕らえられる。ユーザーは、開口部４２４を通して見ることにより、捕らわれた虫を観察できる。十分な数の虫が捕獲されると、ユーザーは、捕獲された虫、虫の屑又は接着剤（これらは捕虫部分４２０内の届かないところに留まる）に触れることなしに、使用済みの捕虫部分４２０全体を容易に取り外して捨て、新しい捕虫部分４２０に交換することができる。新しい捕虫部分４２０は、接着剤コーティングされた新しい内側表面４２２と、後側表面４２８のクリーンな十字形凹部４２６とを有しており、ここを通して光が捕虫部分４２０内へと透過し、捕虫部分４２０の透明又は半透明の材料は、ＬＥＤ  ４１４からのＵＶ光に長時間曝されることによる劣化を受けておらず、これによって、捕虫装置４１０が引き続き、虫を効率的かつ効果的に誘引し捕らえる。
【００７２】
捕虫装置４１０の利点は、捕虫部分４２０内の光の操作であることが理解されよう。いくつかの実施形態において、光の操作は捕虫部分４２０内でのみ起こる。光の操作には、反射、屈折、偏光、分散及び／又は散乱が含まれ得、これは操作可能なエレメント又は表面（例えば、捕虫部分４２０及び内側表面４２２）と係合することにより達成される。いくつかの実施形態において、光の操作は、接着表面又は接着剤コーティング上に光の均等な分布を生成する。いくつかの実施形態において、光は、接着剤コーティングの上又は捕虫部分４２０内に所定のパターンを生成するよう操作され、例えば、均一な分布、高強度のホットスポットを伴う均一な分布、ホットスポットパターン、及び／又はこれらの組み合わせを生成するよう操作される。
【００７３】
任意の好適な接着剤材料を、虫を捕獲するための接着表面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性接着剤を使用することができる。一般に、そのような接着剤の厚さは約０．０１ｍｍ〜１ｍｍの範囲である。いくつかの実施形態において、接着剤厚さは、約０．０５ｍｍ〜０．２ｍｍの範囲であり、厚さ約０．１ｍｍが最もよく使用される。
【００７４】
この構成の捕虫装置４１０は、ベース部分４１２に取り外し可能に取り付けることができる様々な異なる捕虫部分４２０に対応することができ、それぞれの捕虫部分４２０は、特定の種類又は複数の種類の虫を誘引して捕らえるよう独自に構成される。例えば、捕虫部分４２０の全体の寸法及び形状、並びに捕虫部分４２０の開口部４２４の寸法、形状、位置及び向きは、特定の種類又は複数の種類の虫を誘引して捕らえるよう独自に構成され得る。例えば、いくつかの実施形態において、捕虫部分４２０はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分４２０はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分４２０はおよそ、幅２０ｍｍ〜１３０ｍｍ、高さ２０ｍｍ〜１３０ｍｍ、及び奥行き５ｍｍ〜５０ｍｍである。
【００７５】
いくつかの実施形態において、ベース部分４１２はおよそ、幅１０ｍｍ〜６００ｍｍ、高さ１０ｍｍ〜１５０ｍｍ、及び奥行き１０ｍｍ〜１５０ｍｍである。いくつかの実施形態において、ベース部分４１２は、幅１０ｍｍ〜２００ｍｍ、高さ１０ｍｍ〜１００ｍｍ、及び奥行き１０ｍｍ〜８０ｍｍである。いくつかの実施形態において、ベース部分４１２は、幅１０ｍｍ〜１３０ｍｍ、高さ１０ｍｍ〜５０ｍｍ、及び奥行き１０ｍｍ〜５０ｍｍである。
【００７６】
本明細書で示すように、開口部４２４は様々な形状及び／又は寸法であり得る。例えば、開口部４２４の形状は、円形、正方形、長方形、多角形、及び／又は楕円形であり得る。あるいは、開口部４２４は、直線、曲線、又はうねりの形状又はパターンを有するスロット形状であり得る。開口部４２４が円形の場合、開口部４２４の直径は約０．５ｍｍ〜３０ｍｍであり得る。いくつかの実施形態において、円形開口部４２４の直径は約０．５ｍｍ〜２０ｍｍである。いくつかの実施形態において、円形開口部４２４の直径は約０．５ｍｍ〜１５ｍｍである。開口部４２４がスロット形状の場合、開口部４２４はおよそ、幅２ｍｍ〜３０ｍｍ、長さ５ｍｍ〜５００ｍｍであり得る。いくつかの実施形態において、スロット形状開口部４２４はおよそ、幅２ｍｍ〜２０ｍｍ、長さ５ｍｍ〜２００ｍｍである。いくつかの実施形態において、スロット形状開口部４２４はおよそ、幅２ｍｍ〜１５ｍｍ、長さ５ｍｍ〜１００ｍｍである。
【００７７】
いくつかの実施形態において、開口部４２４は捕虫部分４２０の全部又は一部を占める。例えば、開口部４２４は、捕虫部分４２０の表面積の約１％〜７５％の範囲を占めることができる。いくつかの実施形態において、開口部４２４は、捕虫部分４２０の表面積の約５％〜５０％の範囲を占める。いくつかの実施形態において、開口部４２４は、捕虫部分４２０の表面積の約１０％〜３０％の範囲を占める。
【００７８】
図１２は前側斜視図、図１３は後側斜視図であり、全体的に５１０として示される捕虫装置の第５の実施形態を示す。捕虫装置５１０は、ベース部分５１２と取り外し可能な捕虫部分５１４とを含む。ベース部分５１２は、捕虫部分５１４を受容するために上表面５６０に上開口部５１８を備えたハウジング５１６と、前側表面５６２に少なくとも１つの前側開口部５２０と、後側表面５６４に複数の導電性プロング５２２とを含み、これは、標準の家庭用壁面電気コンセントに差し込むことにより、捕虫装置５１０を壁面に取り付けて捕虫装置５１０に電源を供給するよう適合されている。あるいは、ベース部分５１２は、望ましいように静置又は吊り下げて、ベース部分５１２内に取り付けられた電池（図示せず）から電力を受け取るよう構成され得る。電気コンセントは、捕虫装置５１０に電力を供給するものとして記述されるが、任意の好適な電源を使用することができる。前側開口部５２０は、広範な種類の虫を捕虫装置５１０に受け入れるよう構成することができ、あるいは、１種類以上の特定の種の虫を受け入れるよう構成することができる。前側開口部５２０は、捕虫部分５１４を取り外して交換するときに、ユーザーの指が前側開口部５２０に入ってしまい捕らえられた虫又は接着剤に誤って触れることを防ぐよう構成され得る。前側開口部５２０は好ましくは、直径２５ｍｍの球が前側開口部５２０を通過できないような寸法及び形状を有し得、かつ、前側開口部５２０は好ましくは、直径１ｍｍの球が開口部５２０のいかなる部分も通過できるような寸法及び形状を有し得る。前側開口部５２０の幅、形状及び向きは、均一であってよく又は変化してよく、また、捕虫部分５１４が複数の前側開口部５２０を有する場合は、それらの幅、形状及び向きは、同一であってよく又は異なってよい。いくつかの実施形態において、ベース部分５１２は不透明のプラスチックを射出成型したものであるが、他の材料及び構築技法も使用することができる。
【００７９】
図１４は、捕虫装置５１０の前側斜視図である。捕虫部分５１４はこの図で、ベース部分５１２から部分的に取り外された状態で示されている。捕虫部分５１４には、少なくとも１つの開口部５２６を備えたハウジング５２４と、捕虫部分５１４を取り外して交換するよう適合されたタブ５２８とが含まれ得る。捕虫部分５１４は、タブ５２８をつかみ、捕虫部分５１４をベース部分５１２のハウジング５１６から持ち上げることによって、取り外すことができる。捕虫部分５１４の開口部５２６は、寸法、形状、方向及び位置に関してベース部分５１２の前側開口部５２０に対応していてよく、これによって、捕虫部分５１４をベース部分５１２に取り付けたときに、開口部が揃い得る。そのような実施形態において、捕虫部分５１４は、内側スリーブ又はポケットとして見なすことができ、ベース部分５１２は外側スリーブとして見なすことができ、ユーザーは、内側スリーブを外側スリーブ内に投入又は挿入することができる。
【００８０】
図１５は、捕虫部分５１４の前側斜視図である。捕虫部分５１４はこの図で部分的に切り取られて示されている。ハウジング５２４は、半透明又は透明の接着剤でコーティングされた内側表面５３０を含み得る。図示のように、ハウジング５２４は、畝５３２又はその他の形状を含み、これが、接着剤コーティング表面積を増加させ、一部の種の虫にとって誘引性となるような交互の明暗領域を形成し、かつ、捕虫部分５１４の内側への虫誘引性光の透過を増大させる。いくつかの実施形態において、捕虫部分５１４は、２つの別個のピースとして、又は「クラムシェル」形状で、半透明又は透明のプラスチックシートで熱成型され、２つの側面が一方で接合されて合わせて折りたたまれるが、ただし、捕虫部分５１４は、半透明又は透明のプラスチックで射出成型することもでき、又は半透明の紙又はその他の材料で構築することもできる。いくつかの実施形態において、捕虫部分５１４の材料及び厚さと接着剤の材料及び厚さは、光のかなりの割合を透過するよう選択され、例えば、光の６０％超が捕虫部分５１４と接着剤コーティングを透過するよう選択される。捕虫部分５１４の材料は更に、１つ以上の虫誘引性物質を含み得る。例えば、捕虫部分５１４は、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコール（trunc-call）を含む）、双翅類誘引剤（セラルア、キュールア（cue-lure）、ラチルア、メドルア、モグチュン、ムスカルア、及びトリメドルアを含む）、同翅類誘引剤（レスカルアを含む）、鱗翅類誘引剤（例えばディスパールア）、直鎖レピドプテランフェロモン（コドレルア、ゴシップルア、ヘキサルア、リトルア、ループルア、オルフラルア、及びオストラモンを含む）、及びその他の虫誘引性物質（例えばオイゲノール、メチルオイゲノール、及びシグルア）、又はその他の、捕虫装置５１０の虫誘引効率を向上させるにおいを供給する物質を、含浸させることができる。そのような実施形態において、虫誘引性物質は、捕虫部分５１４に一体化している。あるいは、虫誘引性物質は、ハウジング５２４の内側表面５３０に、又はハウジング５２４の開口部５２６を通して取り付けられる、別個のピース（図示せず）に埋め込むことができる。そのような誘引物質は、捕虫装置５１０から半径約２メートルにいる虫に感知可能となることが望ましい。
【００８１】
図１６は、捕虫装置５１０を通る断面図である。いくつかの実施形態において、ベース部分５１２は、コマンドを実行するためのプログラム可能プロセッサ又はチップ（図示せず）を有する回路基板５３４を含み、これは導電性プロング５２２（１つのみが図示されている）、及び１つ以上のＬＥＤ  ５３６などの発光エレメント（１つのみが図示されている）に電気的に接続されている。いくつかの実施形態において、ＬＥＤ  ５３６は、紫外（ＵＶ）光を発するＬＥＤ、及び可視光を発するＬＥＤを含む。いくつかの実施形態において、ＬＥＤ  ５３６は、広範な種の虫をよりよく誘引するために、ＵＶ光を発するＬＥＤを少なくとも１つ、及び青色光を発するＬＥＤを少なくとも１つ含む。いくつかの実施形態において、この発光エレメントは、日光を模した波長の組み合わせを放射する。いくつかの実施形態において、ＬＥＤ  ５３６は、蚊及びノミなどの特定の種の虫をよりよく誘引するために、赤外（ＩＲ）光を発するＬＥＤを少なくとも１つ含む。見やすくするため、電気的接続は一部しか表示されていない。回路基板５３４は、導電性プロング５２２から任意の家庭用電流を受け取り、ＬＥＤ  ５３６に電力を供給するための電子回路部品を含み得る。あるいは、回路基板５３４は、ベース部分５１２内に取り付けられた電池（図示せず）から電力を受け取るよう構成され得る。電気コンセントと電池は、捕虫装置５１０に電力を供給するものとして記述されるが、任意の好適な電源を使用することができる。回路基板５３４は、ＬＥＤ  ５３６に定電圧を供給する、全波整流回路又はその他の回路を含み得るが、ただし、一部の種の虫（蚊を含む）にとって誘引性となり得るような動きを模倣するちらつき光を提供するように、ＬＥＤ  ５３６に変動電圧を供給することもできる。例えば、およそ０．０５Ｈｚ（例えば、哺乳動物の呼吸数を模倣する）〜２７０Ｈｚ（例えば、オスのイエバエを誘引することが知られているちらつきの最高周波数）の範囲の光ちらつき周波数が望ましいことがあり、発光エレメントがこの範囲内でちらつくよう構成することができる。回路基板５３４は、ＵＶ光及び／又は可視光及び／又はＩＲ光を提供するために、ＬＥＤ  ５３６に電力を供給するが、ただし、ＵＶ光及び／又は可視光及び／又はＩＲ光のちらつきの組み合わせを生み出すために、ＵＶ  ＬＥＤ  ５３６のみ又は可視光ＬＥＤ  ５３６のみに電力を供給するか、あるいは変動電力を供給するよう、構成することもできる。いくつかの実施形態において、回路基板５３４はまた、圧電スピーカーなどの発信機又はトランシーバー、又はその他の装置を駆動させるよう構成することができ、これらはベース部分５１２に取り付けて、虫誘引性の音を発するようにすることができる。いくつかの実施形態において、この発信機又はトランシーバーは、虫（蚊、小昆虫、蛾、又は蠅など）をよりよく誘引するために、録音及び／又は生成された虫の音又は振動を発することができ、これには、虫の発信、応答、求愛、及び連結の歌のうち１つ以上が含まれ得る。いくつかの実施形態において、この発信機又はトランシーバーは、録音及び／又は生成された虫誘引性の音又は振動（例えば哺乳動物の心拍など）を発することができ��。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の単音又は複数の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置５１０から約２メートル以内の距離にいる虫に感知可能となることが望ましい。そのような虫誘引性の音は、捕虫装置５１０から約１メートル以内の距離にいる人間に感知できないものであることが望ましい。
【００８２】
捕虫装置５１０の操作において、導電性プロング５２２を壁面電気コンセントに差し込む。ＬＥＤ  ５３６は、矢印で示すように光（好ましくはＵＶ及び可視光）を放射し、これが捕虫部分５１４のハウジング５２４の後側表面５３８を透過する。いくつかの実施形態において、光はベース部分５１２内では操作されず、捕虫部分５１４内へ直接発光される。光の一部が、エンクロージャ内で、ハウジング５２４の１つ以上の側面５７２を上がり、内側表面５３０を通って外に出る。光の別の部分が、ハウジング５２４の壁を通ってエンクロージャに入り、ここで内側表面５３０を照らす。エンクロージャに入る光の一部が、捕虫部分５１４の開口部５２６及びベース部分の対応する前側開口部５２０を通って、捕虫装置５１０が設置されている領域に放射される。この領域にいる虫が、捕虫部分５１４の開口部５２６及びベース部分５１２の前側開口部５２０を透過する光に誘引され、前側開口部５２０に飛び入り又は這い入って、捕虫部分５１４の内側表面５３０に至り、ここで虫は接着剤にぶつかり、捕らえられる。ユーザーは、前側開口部５２０及び開口部５２６を通して見ることにより、捕らわれた虫を観察できる。十分な数の虫が捕獲されると、ユーザーは、捕獲された虫、虫の屑又は接着剤（これらは捕虫部分５１４内の届かないところに留まる）に触れることなしに、使用済みの捕虫部分５１４全体を容易に取り外して捨て、新しい捕虫部分５１４に交換することができる。新しい捕虫部分５１４は、接着剤コーティングされた新しい内側表面５３０を有しており、ハウジング５２４はクリーンな後側表面５３８を有し、ここを通して光が捕虫部分５１４内へと透過し、捕虫部分５１４の透明又は半透明の材料は、ＬＥＤ  ５３６からのＵＶ光に長時間曝されることによる劣化を受けておらず、これによって、捕虫装置５１０が引き続き、虫を効率的かつ効果的に誘引し捕らえる。
【００８３】
いくつかの実施形態において、捕虫部分５１４はベース部分５１２の前ではなく上に取り付けられているため、普通の家庭用壁面コンセントに差し込んだときに、捕虫装置５１０の壁面からの突出が最小限に抑えられ、これによって、家庭環境に対する邪魔を最小限に抑える。いくつかの実施形態において、捕虫装置５１０は、壁面に取り付けられたとき、捕虫装置５１０が壁から突出する合計距離によって画定される合計奥行きが、捕虫装置５１０の全体高さ及び全体の幅よりも小さくなるように構成される。
【００８４】
捕虫装置５１０の利点は、捕虫部分５１４内の光の操作であることが理解されよう。いくつかの実施形態において、光の操作は捕虫部分５１４内でのみ起こる。光の操作には、反射、屈折、偏光、分散及び／又は散乱が含まれ得、これは操作可能なエレメント又は表面（例えば、ハウジング５１６及び内側表面５３０）と係合することにより達成される。いくつかの実施形態において、光の操作は、接着表面又は接着剤コーティング上に光の均等な分布を生成する。いくつかの実施形態において、光は、接着剤コーティングの上又は捕虫部分５１４内に所定のパターンを生成するよう操作され、例えば、均一な分布、高強度のホットスポットを伴う均一な分布、ホットスポットパターン、及び／又はこれらの組み合わせを生成するよう操作される。
【００８５】
任意の好適な接着剤材料を、虫を捕獲するための接着表面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性接着剤が使用される。一般に、そのような接着剤の厚さは約０．０１ｍｍ〜１ｍｍの範囲である。いくつかの実施形態において、接着剤厚さは、約０．０５ｍｍ〜０．２ｍｍの範囲であり、厚さ約０．１ｍｍが最もよく使用される。
【００８６】
いくつかの実施形態において、捕虫部分５１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分５１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分５１４はおよそ、幅２０ｍｍ〜１３０ｍｍ、高さ２０ｍｍ〜１３０ｍｍ、及び奥行き５ｍｍ〜５０ｍｍである。
【００８７】
いくつかの実施形態において、ベース部分５１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分５１２は、幅２０ｍｍ〜２００ｍｍ、高さ１０ｍｍ〜１００ｍｍ、及び奥行き１０ｍｍ〜８０ｍｍである。いくつかの実施形態において、ベース部分５１２は、幅２０ｍｍ〜１３０ｍｍ、高さ１０ｍｍ〜５０ｍｍ、及び奥行き１０ｍｍ〜５０ｍｍである。
【００８８】
本明細書で示すように、開口部５２６及び前側開口部５２０は様々な形状及び／又は寸法であり得る。例えば、開口部５２６及び前側開口部５２０の形状は、円形、正方形、長方形、多角形、及び／又は楕円形であり得る。あるいは、開口部５２６及び前側開口部５２０は、直線、曲線、又はうねりの形状又はパターンを有するスロット形状であり得る。開口部５２６及び前側開口部５２０が円形の場合、開口部５２６及び前側開口部５２０の直径は約０．５ｍｍ〜３０ｍｍであり得る。いくつかの実施形態において、円形開口部５２６及び円形前側開口部５２０の直径は約０．５ｍｍ〜２０ｍｍである。いくつかの実施形態において、円形開口部５２６及び円形前側開口部５２０の直径は約０．５ｍｍ〜１５ｍｍである。開口部５２６及び前側開口部５２０がスロット形状の場合、開口部５２６及び前側開口部５２６はおよそ、幅２ｍｍ〜３０ｍｍ、長さ５ｍｍ〜５００ｍｍであり得る。いくつかの実施形態において、スロット形状開口部５２６及びスロット形状前側開口部５２０はおよそ、幅２ｍｍ〜２０ｍｍ、長さ５ｍｍ〜２００ｍｍである。いくつかの実施形態において、スロット形状開口部５２６及びスロット形状前側開口部５２０はおよそ、幅２ｍｍ〜１５ｍｍ、長さ５ｍｍ〜１００ｍｍである。
【００８９】
いくつかの実施形態において、開口部５２６はハウジング５１６の前側表面５６２の全部又は一部を占める。例えば、開口部５２６は、ハウジング５１６の前側表面５６２の約１％〜７５％の範囲を占めることができる。いくつかの実施形態において、開口部５２６は、ハウジング５１６の前側表面５６２の表面積の約５％〜５０％を占める。いくつかの実施形態において、開口部５２６は、ハウジング５１６の前側表面５６２の表面積の約１０％〜３０％を占める。
【００９０】
図１７は、捕虫装置の第６の実施形態の前側斜視図であり、この捕虫装置は全体的に６１０として示される。捕虫装置６１０は、ベース部分６１２と取り外し可能な捕虫部分６１４とを含む。捕虫部分６１４は、この図で、ベース部分６１２から取り外された状態で示されている。いくつかの実施形態において、ベース部分６１２は、スイッチ６１６を含み、これはユーザーが望むようにスイッチ６１６の開閉により捕虫装置６１０をオン又はオフにすることができるように構成可能である。あるいは、スイッチ６１６は他の機能を制御するよう構成可能であり、例えば光の強さ、光の波長の組み合わせ、光ちらつきの様々なモード又は周波数、部屋が暗くなったときにオンにする自動設定、あるいはリモートコントロール設定が挙げられる。いくつかの実施形態において、スイッチ６１６は手動で操作することができるが、ただし、スイッチ６１６は電気的、光学的、電子機械的、電子光学的、又は任意の他の方法により、スイッチ６１６の開閉を操作することができる。捕虫部分６１４は、前側表面６５２に少なくとも１つの開口部６２０を備えた前部ハウジング６１８を含む。開口部６２０は、広範な種類の虫を捕虫装置６１０に受け入れるよう構成することができ、あるいは、１種類以上の特定の種の虫を受け入れるよう構成することができる。開口部６２０は好ましくは、捕虫部分６１４を取り外して交換するときに、ユーザーの指が開口部６２０に入ってしまい捕らえられた虫又は接着剤に誤って触れることを防ぐよう構成され得る。開口部６２０は好ましくは、直径２５ｍｍの球が開口部６２０を通過できないような寸法及び形状を有し得、かつ、開口部６２０は好ましくは、直径１ｍｍの球が開口部６２０のいかなる部分も通過できるような寸法及び形状を有し得る。開口部６２０の幅、形状及び向きは、均一であってよく又は変化してよく、また、捕虫部分６１４が複数の開口部６２０を有する場合は、それらの幅、形状及び向きは、同一であってよく又は異なってよい。開口部６２０は、１種類以上の個々の虫又は様々な種類の虫を誘引するよう構成することができる。ベース部分６１２の後側表面６７０（図１８に図示）から突出しているのは、複数の導電性プロング６２２（１つのみが図示されている）であり、導電性プロング６２２を標準の家庭用壁面電気コンセントに差し込むことにより、捕虫装置６１０を壁面に取り付けて捕虫装置６１０に電源を供給するよう適合されている。あるいは、ベース部分６１２は、望ましいように静置又は吊り下げて、ベース部分６１２内に取り付けられた電池（図示せず）から電力を受け取るよう構成され得る。電気コンセントと電池は、捕虫装置６１０に電力を供給するものとして記述されるが、任意の好適な電源を使用することができる。ベース部分６１２は、１つ以上のＬＥＤ  ６２４などの発光エレメントと、後部ハウジング６２６とを含み、これは反射性コーティングされた内側表面６２８を含む。いくつかの実施形態において、ＬＥＤ  ６２４は、紫外（ＵＶ）光を発するＬＥＤ、及び可視光を発するＬＥＤを含む。いくつかの実施形態において、ＬＥＤ  ６２４は、広範な種の虫をよりよく誘引するために、ＵＶ光を発するＬＥＤを少なくとも１つ、及び青色光を発するＬＥＤを少なくとも１つ含む。いくつかの実施形態において、この発光エレメントは、日光を模した波長の組み合わせを放射する。いくつかの実施形態において、ＬＥＤ  ６２４は、蚊及びノミなどの特定の種の虫をよりよく誘引するために、赤外（ＩＲ）光を発するＬＥＤを少なくとも１つ含む。いくつかの実施形態において、後部ハウジング６２６の材料及び表面仕上げは、反射性コーティングなしに、ＵＶ光及び／又は可視光及び／又はＩＲ光を反射及び分散させるように構成され得る。図示のように、ベース部分６１２は、透明又は半透明のウィンドウ６３０を含み得、図ではＬＥＤ  ６２４を見えるようにするため部分的に切り取られている。ウィンドウ６３０は、後部ハウジング６２６の内側表面６２８とＬＥＤ  ６２４をダストと虫の屑から保護し、ベース部分６１２をクリーニングしやすくする。ウィンドウ６３０は、飛ぶ虫（広範な種類の飛ぶ虫が、偏光を感知することが知られている）を更に誘引するため、日光と同様に、ある向きで透過する光を偏光するよう構成することができる。ウィンドウ６３０は、接着又は超音波溶接などの任意の好適な製造技法により、その外周（図示せず）を後部ハウジング６２６に取り付けることができる。いくつかの実施形態において、ウィンドウ６３０は後部ハウジング６２６に取り外し可能に取り付けられる。ベース部分６１２は、少なくとも１つの開口部６３２を含む。いくつかの実施形態において、ベース部分６１２の上表面６３４の外周６７２には、上向きの縁又は突起６３６がある。
【００９１】
図１８は、捕虫装置６１０を通る断面図である。捕虫部分６１４は、開口部６２０を備えた前部ハウジング６１８と、バックプレート６３８とを含み、これは透明又は半透明の材料で構築されていてよく、かつ前側表面６４２を透明又は半透明の接着剤６４０でコーティングされていてよい。いくつかの実施形態において、バックプレート６３８の材料及び厚さと接着剤６４０の材料及び厚さは、ＵＶ光及び／又は可視光及び／又はＩＲ光のうちかなりの割合を透過するよう選択され、例えば、光の６０％超がバックプレート６３８と接着剤６４０を透過するよう選択される。いくつかの実施形態において、捕虫部分６１４の前部ハウジング６１８とベース部分６１２の後部ハウジング６２６は、不透明のプラスチックシートから熱成型されるが、他の不透明、透明又は半透明の材料（紙、板紙、厚紙又は紙パルプなど）も使用することができる。いくつかの実施形態において、前部ハウジング６１８及び後部ハウジング６２６は、射出成形又はその他の好適な製造技法により構築される。バックプレート６３８は、飛ぶ虫（広範な種類の飛ぶ虫が、偏光を感知することが知られている）を更に誘引するため、日光と同様に、ある向きで透過する光を偏光するよう構成することができる。バックプレート６３８は後側表面（図示せず）を有し得、実質的に平らであってよいが、光の均一な分布を最適化するよう、凸状、凹状、又はサドル形状、又は形状の組み合わせに形成され得る。あるいは、バックプレート６３８は、畝５３２又はその他の形状を含み、これが、接着剤コーティング表面積を増加させ、一部の種の虫にとって誘引性となるような交互の明暗領域を形成し、かつ、捕虫部分６１４への虫誘引性光の透過を増大させる。いくつかの実施形態において、前部ハウジング６１８は、内側表面が透明、半透明又は不透明の接着剤でコーティングされ、これにより付加的な捕虫効果及び能力が提供される。加えて、前部ハウジング６１８は更に内側表面の接着剤コーティングの下に反射性コーティング（図示せず）を有してよく、これにより、虫の誘引効果を強化し、捕虫効果及び効率を更に改善する。前部ハウジング６１８及びバックプレート６３８は、その係合部が接着剤で接合されていてよいが、これらは他の一般的に使用されているパッケージング組立技法により接合されてよく、例えば超音波溶接又はＲＦ密封、又はその他任意の好適な組立方法により接合され得る。捕虫部分６１４の材料は更に、１つ以上の虫誘引性物質を含み得る。例えば、捕虫部分６１４は、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコール（trunc-call）を含む）、双翅類誘引剤（セラルア、キュールア（cue-lure）、ラチルア、メドルア、モグチュン、ムスカルア、及びトリメドルアを含む）、同翅類誘引剤（レスカルアを含む）、鱗翅類誘引剤（例えばディスパールア）、直鎖レピドプテランフェロモン（コドレルア、ゴシップルア、ヘキサルア、リトルア、ループルア、オルフラルア、及びオストラモンを含む）、及びその他の虫誘引性物質（例えばオイゲノール、メチルオイゲノール、及びシグルア）、又はその他の、捕虫装置６１０の虫誘引効率を向上させるにおいを供給する物質を、含浸させることができる。そのような実施形態において、虫誘引性物質は、捕虫部分６１０に一体化している。あるいは、虫誘引性物質は、前部ハウジング６１８の内側表面に、又は前部ハウジング６１８の開口部６２０を通して、又はバックプレート６３８の前側表面６４２に取り付けられる、別個のピース（図示せず）に埋め込むことができる。そのような誘引物質は、捕虫装置６１０から半径約２メートルにいる虫に感知可能となることが望ましい。
【００９２】
図示のように、前部ハウジング６１８とバックプレート６３８とが、捕虫部分６１４の前部エンクロージャ６４４を形成し、後部ハウジング６２６とウィンドウ６３０とが、ベース部分６１２の後部エンクロージャ６４６を形成する。いくつかの実施形態において、ベース部分６１２は、コマンドを実行するためのプログラム可能プロセッサ又はチップ（図示せず）を有する回路基板６４８を含み、これは導電性プロング６２２、スイッチ６１６、及びＬＥＤ  ６２４（１つのみが図示されている）に電気的に接続されている。ただし、見やすくするため、電気的接続は一部しか示されていない。回路基板６４８は、導電性プロング６２２（１つのみが図示されている）から通常の家庭用電流を受け取り、スイッチ６１６の位置に対応し、ＬＥＤ  ６２４を点灯させる電力を供給するための電子回路部品を含み得る。回路基板６４８は、ＬＥＤ  ６２４に定電圧を供給する、全波整流回路又はその他の回路を含み得るが、ただし、一部の種の虫（蚊を含む）にとって誘引性となり得るような動きを模倣するちらつき光を提供するように、ＬＥＤ  ６２４に変動電圧を供給することもできる。例えば、およそ０．０５Ｈｚ（例えば、哺乳動物の呼吸数を模倣する）〜２７０Ｈｚ（例えば、オスのイエバエを誘引するちらつきの最高周波数）の範囲の光ちらつき周波数が望ましいことがあり、発光エレメントがこの範囲内でちらつくよう構成することができる。回路基板６４８は、ＵＶ光及び可視光の両方を提供するために、ＬＥＤ  ６２４に電力を供給するが、ただし、ＵＶ光及び／又は可視光及び／又はＩＲ光のちらつきの組み合わせを生み出すために、ＵＶ  ＬＥＤ  ６２４のみ又は可視光ＬＥＤ  ６２４のみ又はＩＲ光ＬＥＤ  ６２４のみに電力を供給するか、あるいは変動電力を供給するよう、構成することもできる。いくつかの実施形態において、回路基板６４８はまた、圧電スピーカーなどの発信機又はトランシーバー、又はその他の装置を駆動させるよう構成することができ、これらはベース部分６１２に取り付けて、虫誘引性の音を発するようにすることができる。いくつかの実施形態において、この発信機又はトランシーバーは、虫（蚊、小昆虫、蛾、又は蠅など）をよりよく誘引するために、録音及び／又は生成された虫の音又は振動を発することができ、これには、虫の発信、応答、求愛、及び連結の歌のうち１つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の単音又は複数の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置６１０から約２メートル以内の距離にいる虫に感知可能となることが望ましい。そのような虫誘引性の音は、捕虫装置６１０から約１メートル以内の距離にいる人間に感知できないものであることが望ましい。
【００９３】
図示のように、ベース部分６１２の上表面６３４の縁又は突起６３６が、捕虫部分６１４と係合して、使用中に定位置に固定させる。ただし、捕虫部分６１４をベース部分６１２に取り外し可能にしっかりと取り付けることができるような、他の任意の取り付けの形態に置き換えることができる。
【００９４】
捕虫装置６１０の操作において、導電性プロング６２２を壁面電気コンセントに差し込み、スイッチ６１６を閉位置に動かす。ＬＥＤ  ６２４は、矢印で表わされるように、光（好ましくはＵＶ及び可視光）を発し、これがベース部分６１２の開口部６３２を通り、後部エンクロージャ６４６内に入り、後部ハウジング６２６の内側表面６２８とウィンドウ６３０の後側表面６５０に当たる。いくつかの実施形態において、光はベース部分６１２内では操作されず、捕虫部分６１４内へ直接発光される。後部ハウジング６２６の内側表面６２８は凹状形状を含み得、ＬＥＤ  ６２４からの光を反射及び分散させて、光をウィンドウ６３０の後側表面６５０に均等に分配するよう構成することができるが、ただし、後部ハウジング６２６の内側表面６２８は凸状又はサドル形状又は形状の組み合わせを有していてよく、あるいは、光をより均一に分配するように、畝又はその他の特徴を有してもよい。あるいは、ウィンドウ６３０の後側表面６５０に光を分配するよう（例えば均等に、特定のパターンに従って、焦点を絞って、など）構成された、アナモルフィックレンズ（図示せず）又はその他のレンズ又はレンズの組み合わせなどの光学的エンハンサーを、ベース部分６１２の開口部６３２又はその近くでベース部分６１２に取り付けてよく、また、後部ハウジング６２６の内側表面６２８の役割を置換又は増強することができる。あるいは、ＬＥＤ  ６２４からの光は、ウィンドウ６３０の後側表面６５０に斜めの角度（例えば、約０°〜９０°の鋭角）で直接当たり、ベース部分６１２のウィンドウ６３０を通って捕虫部分６１４のバックプレート６３８に広がり、これは、後部ハウジング６２６の内側表面６２８の役割、又はベース部分６１２に取り付けられるレンズ（複数可）の役割を、置換又は増強することができる。光は、バックプレート６３８及び前側表面６４２の接着剤６４０を透過し、前部エンクロージャ６４４に入る。光は更に、ベース部分６１２のウィンドウ６３０、捕虫部分６１４のバックプレート６３８、バックプレート６３８の前側表面６４２の接着剤６４０、又はウィンドウ６３０、バックプレート６３８及び接着剤６４０の任意の組み合わせの光散乱特性により、均一に分配され得る。前部エンクロージャ６４４に入る光の一部が、前部ハウジング６１８の開口部６２０を通って、捕虫装置６１０が設置されている領域に放射される。虫は、接着剤６４０と前部ハウジング６１８の開口部６２０とを通って放射される光に誘引され、開口部６２０を通って飛び入り又は這い入って接着剤６４０の表面に当たり、ここで虫が捕らえられる。ユーザーは、前部ハウジング６１８の開口部６２０を通して見ることにより、捕らわれた虫を観察できる。十分な数の虫が捕獲されると、ユーザーは、捕獲された虫、虫の屑又は接着剤（これらは捕虫部分６１４内の届かないところに留まる）に触れることなしに、使用済みの捕虫部分６１４全体を容易に取り外して捨て、新しい捕虫部分６１４に交換することができる。新しい捕虫部分６１４は、接着剤コーティングされた新しい表面を有しており、捕虫装置６１０が引き続き効率的かつ効果的に虫を確実に誘引して捕らえることができるようになる。
【００９５】
いくつかの実施形態において、捕虫部分６１４はベース部分６１２の前ではなく上に取り付けられているため、普通の家庭用壁面コンセントに差し込んだときに、捕虫装置６１０の壁面からの突出が最小限に抑えられ、これによって、家庭環境に対する邪魔を最小限に抑える。いくつかの実施形態において、捕虫装置６１０は、壁面に取り付けられたとき、捕虫装置６１０が壁から突出する合計距離によって画定される合計奥行きが、捕虫装置６１０の全体高さ及び全体の幅よりも小さくなるように構成される。
【００９６】
捕虫装置６１０の利点は、捕虫部分６１４内の光の操作であることが理解されよう。いくつかの実施形態において、光の操作は捕虫部分６１４内でのみ起こる。光の操作には、反射、屈折、偏光、分散及び／又は散乱が含まれ得、これは操作可能なエレメント又は表面（例えば、内側表面６２８、ウィンドウ６３０、バックプレート６３８及び接着剤６４０）と係合することにより達成される。いくつかの実施形態において、光の操作は、接着剤６４０上に光の均等な分布を生成する。いくつかの実施形態において、光は、接着剤６４０の上又は捕虫部分６１４内に所定のパターンを生成するよう操作され、例えば、均一な分布、高強度のホットスポットを伴う均一な分布、ホットスポットパターン、及び／又はこれらの組み合わせを生成するよう操作される。
【００９７】
任意の好適な接着剤材料を、虫を捕獲するための接着表面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性接着剤を使用することができる。一般に、そのような接着剤の厚さは約０．０１ｍｍ〜１ｍｍの範囲である。いくつかの実施形態において、接着剤厚さは、約０．０５ｍｍ〜０．２ｍｍの範囲であり、厚さ約０．１ｍｍが最もよく使用される。
【００９８】
この構成の捕虫装置６１０は、ベース部分６１２に取り外し可能に取り付けることができる様々な異なる捕虫部分６１４に対応することができ、それぞれの捕虫部分６１４は、特定の種類又は複数の種類の虫を誘引して捕らえるよう独自に構成される。例えば、捕虫部分６１４の全体の寸法及び形状、並びに捕虫部分６１４の前部ハウジング６１８の開口部６２０の寸法、形状、位置及び向きは、特定の種類又は複数の種類の虫を誘引して捕らえるよう独自に構成され得る。例えば、いくつかの実施形態において、捕虫部分６１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分６１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分６１４はおよそ、幅２０ｍｍ〜１３０ｍｍ、高さ２０ｍｍ〜１３０ｍｍ、及び奥行き５ｍｍ〜５０ｍｍである。
【００９９】
いくつかの実施形態において、ベース部分６１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分６１２は、幅２０ｍｍ〜２００ｍｍ、高さ１０ｍｍ〜１００ｍｍ、及び奥行き１０ｍｍ〜８０ｍｍである。いくつかの実施形態において、ベース部分６１２は、幅２０ｍｍ〜１３０ｍｍ、高さ１０ｍｍ〜５０ｍｍ、及び奥行き１０ｍｍ〜５０ｍｍである。
【０１００】
本明細書で示すように、開口部６２０は様々な形状及び／又は寸法であり得る。例えば、開口部６２０の形状は、円形、正方形、長方形、多角形、及び／又は楕円形であり得る。あるいは、開口部６２０は、直線、曲線、又はうねりの形状又はパターンを有するスロットであり得る。開口部６２０が円形の場合、開口部６２０の直径は約０．５ｍｍ〜３０ｍｍであり得る。いくつかの実施形態において、円形開口部６２０の直径は約０．５ｍｍ〜２０ｍｍである。いくつかの実施形態において、円形開口部６２０の直径は約０．５ｍｍ〜１５ｍｍである。開口部６２０がスロット形状の場合、開口部６２０はおよそ、幅２ｍｍ〜３０ｍｍ、長さ５ｍｍ〜５００ｍｍであり得る。いくつかの実施形態において、スロット形状開口部６２０はおよそ、幅２ｍｍ〜２０ｍｍ、長さ５ｍｍ〜２００ｍｍである。いくつかの実施形態において、スロット形状開口部６２０はおよそ、幅２ｍｍ〜１５ｍｍ、長さ５ｍｍ〜１００ｍｍである。
【０１０１】
いくつかの実施形態において、開口部６２０は前部ハウジング６１８の全部又は一部を占める。例えば、開口部６２０は、前部ハウジング６１８の表面積の約１％〜７５％の範囲を占めることができる。いくつかの実施形態において、開口部６２０は、前部ハウジング６１８の表面積の約５％〜５０％を占める。いくつかの実施形態において、開口部６２０は、前部ハウジング６１８の表面積の約１０％〜３０％を占める。
【０１０２】
図１９は、捕虫装置の第７の実施形態の断面図であり、この捕虫装置は全体的に７１０として示され、図２０は図１９の一部の拡大図である。捕虫装置７１０は、ベース部分７１２と取り外し可能な捕虫部分７１４とを含む。図示のように、ベース部分７１２は、スイッチ７１６を含み、これはユーザーが望むようにスイッチ７１６の開閉により捕虫装置７１０をオン又はオフにすることができるように構成可能である。あるいは、スイッチ７１６は他の機能を制御するよう構成可能であり、例えば光の強さ、光の波長の組み合わせ、光ちらつきの様々なモード又は周波数、部屋が暗くなったときにオンにする自動設定、あるいはリモートコントロール設定が挙げられる。スイッチ７１６は手動で操作することができるが、ただし、スイッチ７１６は電気的、光学的、電子機械的、電子光学的、又は任意の他の方法により、スイッチ７１６の開閉を操作することができる。ベース部分７１２の後側表面７７０から突出しているのは、複数の導電性プロング７１８（この図では１つのみが図示されている）であり、導電性プロング７１８を標準の家庭用壁面電気コンセントに差し込むことにより、捕虫装置７１０を壁面に取り付けて捕虫装置７１０に電源を供給するよう適合されている。あるいは、ベース部分７１２は、望ましいように静置又は吊り下げて、ベース部分７１２内に取り付けられた電池（図示せず）から電力を受け取るよう構成され得る。電気コンセントと電池は、捕虫装置７１０に電力を供給するものとして記述されるが、任意の好適な電源を使用することができる。いくつかの実施形態において、スロット７２２はベース部分７１２の上表面７２０にあり、上向きの縁又は突起７２４は上表面７２０の外周上にある。
【０１０３】
捕虫部分７１４は、前側表面７５４に少なくとも１つの開口部７２８を備えた前部ハウジング７２６と、ディバイダ７３０と、後部ハウジング７３６と、１つ以上のＬＥＤ  ７４０（１つのみが図示されている）などの発光エレメントと、電気的捕虫接触７４２とを含む。前部ハウジング７２６の開口部７２８は、広範な種類の虫を捕虫装置７１０に受け入れるよう構成することができ、あるいは、１種類以上の特定の種の虫を受け入れるよう構成することができる。開口部７２８は好ましくは、捕虫部分７１４を取り外して交換するときに、ユーザーの指が開口部７２８に入ってしまい捕らえられた虫又は接着剤に誤って触れることを防ぐよう構成され得る。開口部７２８は好ましくは、直径２５ｍｍの球が開口部７２８を通過できないような寸法及び形状を有し得る。開口部７２８は好ましくは、直径１ｍｍの球が開口部７２８のいかなる部分も通過できるような寸法及び形状を有し得る。開口部７２８の幅、形状及び向きは、均一であってよく又は変化してよく、また、捕虫部分７１４が複数の開口部７２８を有する場合は、それらの幅、形状及び向きは、同一であってよく又は異なってよい。開口部７２８は、１種類以上の個々の種又は様々な種類の虫を誘引するよう構成することができる。いくつかの実施形態において、ディバイダ７３０は透明又は半透明の材料から構築されており、前側表面７３４が透明又は半透明の接着剤７３２でコーティングされている。いくつかの実施形態において、ディバイダ７３０の材料及び厚さと接着剤７３２の材料及び厚さは、光のかなりの割合を透過するよう選択され、例えば、光の６０％超がディバイダ７３０と接着剤７３２を透過するよう選択される。ディバイダ７３０は、飛ぶ虫（広範な種類の飛ぶ虫が、偏光を感知することが知られている）を更に誘引するため、日光と同様に、ある向きで透過する光を偏光するよう構成することができる。いくつかの実施形態において、ＬＥＤ  ７４０は、紫外（ＵＶ）光を発するＬＥＤ、及び可視光を発するＬＥＤを含む。いくつかの実施形態において、ＬＥＤ  ７４０は、広範な種の虫をよりよく誘引するために、ＵＶ光を発するＬＥＤを少なくとも１つ、及び青色光を発するＬＥＤを少なくとも１つ含む。いくつかの実施形態において、この発光エレメントは、日光を模した波長の組み合わせを放射する。いくつかの実施形態において、ＬＥＤ  ７４０は、蚊及びノミなどの特定の種の虫をよりよく誘引するために、赤外（ＩＲ）光を発するＬＥＤを少なくとも１つ含む。図示のように、ＬＥＤ  ７４０それぞれに、２つの捕虫接触７４２がある。よって、捕虫接触７４２は、それぞれのＬＥＤ  ７４０に電気的に接続されている。それぞれのＬＥＤ  ７４０に対して２つずつ捕虫接触７４２が示されているが、任意の好適な数の接触を使用することができる。
【０１０４】
いくつかの実施形態において、後部ハウジング７３６は、反射性コーティングされた内側表面７３８を含む。あるいは、後部ハウジング７３６の材料及び表面仕上げは、反射性コーティングなしに、ＵＶ光及び／又は可視光及び／又はＩＲ光を反射及び分散させるように構成され得る。いくつかの実施形態において、前部ハウジング７２６と後部ハウジング７３６は、不透明のプラスチックシートから熱成形されるが、他の不透明、透明又は半透明の材料（紙、板紙、厚紙又は紙パルプなど）も使用することができる。いくつかの実施形態において、前部ハウジング７２６及び後部ハウジング７３６は、射出成形又はその他の好適な製造技法により構築される。
【０１０５】
図示のように、ディバイダ７３０は実質的に平らであってよく、また、ＬＥＤ  ７４０により生成される光の主方向に対して平行又はある角度をなして構成されてもよいが、ただし、ディバイダ７３０は、光の均一な分布を最適化するよう、凸状、凹状、又はサドル形状、又は形状の組み合わせに形成され得る。あるいは、ディバイダ７３０は、畝５３２又はその他の形状を含み得、これが、接着剤コーティング表面積を増加させ、一部の種の虫にとって誘引性となるような交互の明暗領域を形成し、かつ、捕虫部分７１４の内側への虫誘引性光の透過を増大させる。いくつかの実施形態において、前部ハウジング７２６は、内側表面が透明、半透明又は不透明の接着剤でコーティングされ、これにより付加的な捕虫効果及び能力が提供される。加えて、前部ハウジング７２６は、内側表面の接着剤コーティングの下に反射性コーティングを含んでよく、これにより、虫の誘引効果を強化し、捕虫効果及び効率を更に改善する。前部ハウジング７２６、ディバイダ７３０、及び後部ハウジング７３６は、その交差部又は係合部が接着剤で接合されていてよいが、これらは他の一般的に使用されているパッケージング組立技法により接合されてよく、例えば超音波溶接又はＲＦ密封、又はその他任意の好適な組立方法により接合され得る。捕虫部分７１４の材料は更に、１つ以上の虫誘引性物質を含み得る。例えば、捕虫部分７１４は、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコール（trunc-call）を含む）、双翅類誘引剤（セラルア、キュールア（cue-lure）、ラチルア、メドルア、モグチュン、ムスカルア、及びトリメドルアを含む）、同翅類誘引剤（レスカルアを含む）、鱗翅類誘引剤（例えばディスパールア）、直鎖レピドプテランフェロモン（コドレルア、ゴシップルア、ヘキサルア、リトルア、ループルア、オルフラルア、及びオストラモンを含む）、及びその他の虫誘引性物質（例えばオイゲノール、メチルオイゲノール、及びシグルア）、又はその他の、捕虫装置７１０の虫誘引効率を向上させるにおいを供給する物質を、含浸させることができる。そのような実施形態において、虫誘引性物質は、捕虫部分７１４に一体化している。あるいは、虫誘引性物質は、前部ハウジング７２６の内側表面に、又は前部ハウジング７２６の開口部７２８を通して、又はディバイダ７３０の前側表面７３４に取り付けられる、別個のピース（図示せず）に埋め込むことができる。そのような誘引物質は、捕虫装置７１０から半径約２メートルにいる虫に感知可能となることが望ましい。図示のように、ディバイダ７３０は後側表面７５２を有し、捕虫部分７１４を前部エンクロージャ７４４と後部エンクロージャ７４６とに区分している。
【０１０６】
いくつかの実施形態において、ベース部分７１２は、電気的ベース接触７５０と、コマンドを実行するためのプログラム可能プロセッサ又はチップ（図示せず）を有する回路基板７５０と含み、これは導電性プロング７１８、スイッチ７１６、及びベース接触７５０に電気的に接続されている。ただし、見やすくするため、電気的接続は一部しか示されていない。捕虫部分７１４のそれぞれのＬＥＤ  ７４０に対して２つずつベース接触７４２が示されているが、任意の好適な数の接触を使用することができる。ベース接触７５０は、捕虫部分７１４がベース部分７１２に取り外し可能に取り付けられているときに、捕虫接触７４２との電気的接触を提供するよう構成することができる。回路基板７４８は、導電性プロング７１８から通常の家庭用電流を受け取り、スイッチ７１６の位置に対応し、ベース接触７５０に電力を供給する。これにより、捕虫部分７１４がベース部分７１２に取り付けられているときに、捕虫接触７４２に電力が供給され、捕虫部分７１４のＬＥＤ  ７４０を点灯させる。いくつかの実施形態において、回路基板７４８は、ＬＥＤ  ７４０に定電圧を供給する、全波整流回路又はその他の回路などのエネルギー安定器を含むが、ただし、一部の種の虫（蚊を含む）にとって誘引性となり得るような動きを模倣するちらつき光を提供するように、ＬＥＤ  ７４０に変動電圧を供給することもできる。例えば、およそ０．０５Ｈｚ（例えば、哺乳動物の呼吸数を模倣する）〜２７０Ｈｚ（例えば、オスのイエバエを誘引するちらつきの最高周波数）の範囲の光ちらつき周波数が望ましいことがあり、発光エレメントがこの範囲内でちらつくよう構成することができる。回路基板７４８は、ＵＶ光及び／又は可視光及び／又はＩＲ光を提供するために、ＬＥＤ  ７４０に電力を供給するが、ただし、ＵＶ光及び／又は可視光及び／又はＩＲ光のちらつきの組み合わせを生み出すために、ＵＶ  ＬＥＤ  ７４０のみ又は可視光ＬＥＤ  ７４０のみ又はＩＲ  ＬＥＤ  ７４０のみに電力を供給するか、あるいは変動電力を供給するよう、構成することもできる。いくつかの実施形態において、回路基板７４８はまた、圧電スピーカーなどの発信機又はトランシーバー、又はその他の装置を駆動させるよう構成することができ、これらはベース部分７１２に取り付けて、虫誘引性の音を発するようにすることができる。いくつかの実施形態において、この発信機又はトランシーバーは、虫（蚊、小昆虫、蛾、又は蠅など）をよりよく誘引するために、録音及び／又は生成された虫の音又は振動を発することができ、これには、虫の発信、応答、求愛、及び連結の歌のうち１つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の単音又は複数の音を発することができる。いくつかの実施形態において、この周波数は約５Ｈｚ〜１００ｋＨｚの範囲である。いくつかの実施形態において、この周波数は約���５Ｈｚ〜５０ｋＨｚの範囲である。そのような虫誘引性の音は、捕虫装置７１０から約２メートル以内の距離にいる虫に感知可能となることが望ましい。そのような虫誘引性の音は、捕虫装置７１０から約１メートル以内の距離にいる人間に感知できないものであることが望ましい。
【０１０７】
ベース部分７１２の上表面７２０のスロット７２２及び突起７２４が、捕虫部分７１４と係合して、使用中に定位置に固定させるよう構成される。ただし、捕虫部分７１４をベース部分７１２に取り外し可能にしっかりと取り付けることができるような、他の任意の取り付けの形態に置き換えることができる。
【０１０８】
捕虫装置７１０の操作において、導電性プロング７１８を壁面電気コンセントに差し込み、スイッチ７１６を閉位置に動かし、捕虫部分７１４をベース部分７１２に取り付ける。ＬＥＤ  ７４０は、矢印で表わされるように、光を発し、これが透過して後部エンクロージャ７４６内に入り、後部ハウジング７３６の内側表面７３８とディバイダ７３０の後側表面７５２に当たる。いくつかの実施形態において、光はベース部分７１２内では操作されず、捕虫部分７１４内へ直接発光される。後部ハウジング７３６の内側表面７３８は凹状形状であってよく、ＬＥＤ  ７４０からの光を反射及び分散させて、光をディバイダ７３０の後側表面７５２に均等に分配するよう構成することができるが、ただし、後部ハウジング７３６の内側表面７３８の形状は、凸状又はサドル形状又は形状の組み合わせを有していてよく、あるいは、光をより均一に分配するように、畝（図示せず）又はその他の特徴を有してもよい。あるいは、ディバイダ７３０の後側表面７５２に光を分配するよう（例えば均等に、特定のパターンに従って、焦点を絞って、など）構成された、アナモルフィックレンズ（図示せず）又はその他のレンズ又はレンズの組み合わせなどの光学的エンハンサーを、ＬＥＤ  ７４０に隣接して又はその上で後部ハウジング７３６に取り付けてよく、又は、後部ハウジング７３６の内側表面７３８の役割を置換又は増強することができる。あるいは、ＬＥＤ  ７４０からの光は、ディバイダ７３０の後側表面７５２に斜めの角度（例えば、約０°〜９０°の鋭角）で直接当たってよく、ディバイダ７３０全体にわたって広がり得、後部ハウジング７３６の内側表面７３８の役割、又は後部ハウジング７３６に取り付けられたレンズ（複数可）の役割を置換又は増強し得る。この光は、ディバイダ７３０及び前側表面７３４の接着剤７３２を透過し、前部エンクロージャ７４４に入ることができる。この光は更に、ディバイダ７３０、前側表面７３４の接着剤７３２、又はこれら両方の光散乱特性により、均一に分配され得る。前部エンクロージャ７４４に入る光の一部が、前部ハウジング７２６の開口部７２８を通って、捕虫装置７１０が設置されている領域に放射される。虫は、接着剤７３２と前部ハウジング７２６の開口部７２８とを通って放射される光に誘引され、開口部７２８に飛び入り又は這い入って接着剤７３２の表面に当たり、ここで虫が捕らえられる。ユーザーは、前部ハウジング７２６の開口部７２８を通して見ることにより、捕らわれた虫を観察できる。十分な数の虫が捕獲されると、ユーザーは、捕獲された虫、虫の屑又は接着剤（これらは捕虫部分７１４内の届かないところに留まる）に触れることなしに、使用済みの捕虫部分７１４全体を容易に取り外して捨て、新しい捕虫部分７１４に交換することができる。新しい捕虫部分７１４は、接着剤コーティングされた新しい表面と光誘導表面を有しており、捕虫装置７１０が引き続き効率的かつ効果的に虫を確実に誘引して捕らえることができるようになる。
【０１０９】
いくつかの実施形態において、捕虫部分７１４はベース部分７１２の前ではなく上に取り付けられているため、普通の家庭用壁面コンセントに差し込んだときに、捕虫装置７１０の壁面からの突出が最小限に抑えられ、これによって、家庭環境に対する邪魔を最小限に抑える。いくつかの実施形態において、捕虫装置７１０は、壁面に取り付けられたとき、捕虫装置７１０が壁から突出する合計距離によって画定される合計奥行きが、捕虫装置７１０の全体高さ及び全体の幅よりも小さくなるように構成される。
【０１１０】
捕虫装置７１０の利点は、捕虫部分７１４内の光の操作であることが理解されよう。いくつかの実施形態において、光の操作は捕虫部分７１４内でのみ起こる。光の操作には、反射、屈折、偏光、分散及び／又は散乱が含まれ得、これは操作可能なエレメント又は表面（例えば、内側表面７３８、ディバイダ７３０及び接着剤７３２）と係合することにより達成される。いくつかの実施形態において、光の操作は、接着表面又は接着剤コーティング上に光の均等な分布を生成する。いくつかの実施形態において、光は、接着剤コーティングの上又は捕虫部分７１４内に所定のパターンを生成するよう操作され、例えば、均一な分布、高強度のホットスポットを伴う均一な分布、ホットスポットパターン、及び／又はこれらの組み合わせを生成するよう操作される。
【０１１１】
任意の好適な接着剤材料を、虫を捕獲するための接着表面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性接着剤を使用することができる。一般に、そのような接着剤の厚さは約０．０１ｍｍ〜１ｍｍの範囲である。いくつかの実施形態において、接着剤厚さは、約０．０５ｍｍ〜０．２ｍｍの範囲であり、厚さ約０．１ｍｍが最もよく使用される。
【０１１２】
この構成の捕虫装置７１０は、ベース部分７１２に取り外し可能に取り付けることができる様々な異なる捕虫部分７１４に対応することができ、それぞれの捕虫部分７１４は、特定の種類又は複数の種類の虫を誘引して捕らえるよう独自に構成される。例えば、捕虫部分７１４の全体の寸法及び形状、捕虫部分７１４の前部ハウジング７２６の開口部７２８の寸法、形状、位置及び向き、並びにＬＥＤ  ７４０の波長と強度は、特定の種類又は複数の種類の虫を誘引して捕らえるよう独自に構成され得る。例えば、いくつかの実施形態において、捕虫部分７１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分７１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分７１４はおよそ、幅２０ｍｍ〜１３０ｍｍ、高さ２０ｍｍ〜１３０ｍｍ、及び奥行き５ｍｍ〜５０ｍｍである。
【０１１３】
いくつかの実施形態において、ベース部分７１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分７１２は、幅２０ｍｍ〜２００ｍｍ、高さ１０ｍｍ〜１００ｍｍ、及び奥行き１０ｍｍ〜８０ｍｍである。いくつかの実施形態において、ベース部分７１２は、幅２０ｍｍ〜１３０ｍｍ、高さ１０ｍｍ〜５０ｍｍ、及び奥行き１０ｍｍ〜５０ｍｍである。
【０１１４】
本明細書で示すように、開口部７２８は様々な形状及び／又は寸法であり得る。例えば、開口部７２８の形状は、円形、正方形、長方形、多角形、及び／又は楕円形であり得る。あるいは、開口部７２８は、直線、曲線、又はうねりの形状又はパターンを有するスロット形状であり得る。開口部７２８が円形の場合、開口部７２８の直径は約０．５ｍｍ〜３０ｍｍであり得る。いくつかの実施形態において、円形開口部７２８の直径は約０．５ｍｍ〜２０ｍｍである。いくつかの実施形態において、円形開口部７２８の直径は約０．５ｍｍ〜１５ｍｍである。開口部７２８がスロット形状の場合、開口部７２８はおよそ、幅２ｍｍ〜３０ｍｍ、長さ５ｍｍ〜５００ｍｍであり得る。いくつかの実施形態において、スロット形状開口部７２８はおよそ、幅２ｍｍ〜２０ｍｍ、長さ５ｍｍ〜２００ｍｍである。いくつかの実施形態において、スロット形状開口部７２８はおよそ、幅２ｍｍ〜１５ｍｍ、長さ５ｍｍ〜１００ｍｍである。
【０１１５】
いくつかの実施形態において、開口部７２８は前部ハウジング７２６の全部又は一部を占める。例えば、開口部７２８は、前部ハウジング７２６の表面積の約１％〜７５％の範囲を占めることができる。いくつかの実施形態において、開口部７２８は、前部ハウジング７２６の表面積の約５％〜５０％を占める。いくつかの実施形態において、開口部７２８は、前部ハウジング７２６の表面積の約１０％〜３０％を占める。
【０１１６】
図２１は、捕虫装置の第８の実施形態の前側斜視図であり、この捕虫装置は全体的に８１０として示される。捕虫装置８１０は、捕虫部分８１４及びベース部分８１２を含む。捕虫部分８１４は、この図で、ベース部分８１２から取り外された状態で示されている。いくつかの実施形態において、捕虫部分８１４は、下表面８５０から下向きに突出している係合可能部分８１８を含む。しかしながら、係合可能部分８１８は捕虫部分８１４から突出している必要はない。係合可能部分８１８は、ベース部分８１２と少なくとも部分的に係合する捕虫部分８１４の平らな下表面の非突出部分であり得る。ベース部分８１２は、捕虫部分８１４がベース部分８１２に取り付けられているときに、係合可能部分８１８を受け取るための対応する開口部８２４（図２３に図示）を有し得る。開口部８２４は好ましくは、ユーザーの指が開口部８２４を通り抜けないように構成され得る。開口部８２４は好ましくは、直径１０ｍｍの球が開口部８２４を通過できないように構成され得る。図示のように、ベース部分８１２はスイッチ８１６を含む。
【０１１７】
図２２は、捕虫装置８１０の断面図であり、図２３は図２２の一部の拡大図である。ベース部分８１２は、回路基板８２２と、ドッキングスイッチ８２０と、１つ以上のＬＥＤ  ８２６（１つのみが図示されている）とを含み得る。ドッキングスイッチ８２０は回路基板８２２に取り付けられた状態で示されているが、ドッキングスイッチ８２０は、ベース部分８１２に直接取り付けられていてもよい。いくつかの実施形態において、ＬＥＤ  ８２６は、広範な種の虫をよりよく誘引するために、紫外（ＵＶ）光を発するＬＥＤを少なくとも１つ、及び可視光を発するＬＥＤを少なくとも１つ含み得る。いくつかの実施形態において、この発光エレメントは、日光を模した波長の組み合わせを放射する。いくつかの実施形態において、１つ以上のＬＥＤ  ８２６は、蚊及びノミなどの特定の種の虫をよりよく誘引するために、赤外（ＩＲ）光を発し得る。いくつかの実施形態において、回路基板８２２は、コマンドを実行するためのプログラム可能プロセッサ又はチップ（図示せず）を有し、望ましいコンポーネント（例えば、スイッチ８１６、ＬＥＤ  ８２６など）に電力及び指示を供給するよう構成されている。ただし、見やすくするため、電気的接続は一部しか示されていない。いくつかの実施形態において、回路基板８２２は、それ自体に取り付けられたドッキングスイッチ８２０を含む。
【０１１８】
捕虫部分８１４がベース部分８１２に取り付けられると、捕虫部分８１４の係合可能部分８１８がドッキングスイッチ８２０に係合する。ドッキングスイッチ８２０は、捕虫部分８１４がベース部分８１２に取り付けられ、捕虫部分８１４の係合可能部分８１８が係合すると閉じるように構成することができ、また、捕虫部分８１４がベース部分８１２から取り外され、捕虫部分８１４の係合可能部分８１８がドッキングスイッチ８２０から外れると、開くように構成することができる。ドッキングスイッチ８２０は、捕虫部分８１４の係合可能部分８１８による力又は圧力に応答してオンになるよう構成することができる。あるいは、ドッキングスイッチ８２０は、捕虫部分８１４の係合可能部分８１８による変位に応答してオンになるよう構成することができる。あるいは、ドッキングスイッチ８２０は、捕虫部分８１４の係合可能部分８１８により光ビームが遮断されると閉じる光学スイッチとして構成することができ、あるいは、捕虫部分８１４の磁石に近づくと閉じるホール効果センサーとして構成することができ、あるいは、捕虫部分８１４のベース部分８１２への取り付け／取り外しに応じて開閉する任意の他のスイッチ又はセンサーとして構成することができる。ドッキングスイッチ８２０は、回路基板８２２及び／又はスイッチ８１６に電気的に接続されていてよく、捕虫部分８１４がベース部分８１２から取り外されると、ＵＶ及び／又は可視光及び／又はＩＲ  ＬＥＤ  ８２６をオフにすることができる。これによって、ユーザーがＵＶ光及び／又は可視光及び／又はＩＲ光を直接見てしまうのを防ぎ、またエネルギー消費を低減することができる。あるいは、ドッキングスイッチ８２０は、回路基板８２２及び／又はスイッチ８１６に電気的に接続されていてよく、捕虫部分８１４がベース部分８１２から取り外されると、特定のＵＶ  ＬＥＤ  ８２６のみ及び／又はＩＲ  ＬＥＤ  ８２６のみ及び／又は可視光ＬＥＤ  ８２６のみをオフにすることができる。
【０１１９】
図２４は、捕虫装置の第９の実施形態の前側斜視図であり、この捕虫装置は全体的に９１０として示される。捕虫装置９１０は、捕虫部分９１４及びベース部分９１２を含む。捕虫部分９１４は、この図で、ベース部分９１２から取り外された状態で示されている。いくつかの実施形態において、捕虫部分９１４は、下表面（図示せず）から下向きに突出している係合可能部分９１８を含む。しかしながら、係合可能部分９１８は捕虫部分９１４から突出している必要はない。係合可能部分９１８は、ベース部分９１２と少なくとも部分的に係合する捕虫部分９１４の平らな下表面の非突出部分であり得る。ベース部分９１２は、捕虫部分９１４がベース部分９１２に取り付けられているときに、係合可能部分９１８を受け取るための対応する開口部９２４（図２６に図示）を有し得る。開口部９２４は好ましくは、ユーザーの指が開口部９２４を通り抜けないように構成され得る。開口部９２４は好ましくは、直径１０ｍｍの球が開口部９２４を通過できないように構成され得る。図示のように、ベース部分９１２はスイッチ９１６も含み得る。
【０１２０】
図２５は、捕虫装置９１０の断面図であり、図２６は図２５の一部の拡大図である。ベース部分９１２は、回路基板９２２と、ドッキングスイッチ９２０と、１つ以上のＬＥＤ  ９２６（１つのみが図示されている）とを含み得る。ドッキングスイッチ９２０は回路基板９２２に取り付けられた状態で示されているが、ドッキングスイッチ９２０は、ベース部分９１２に直接取り付けられていてもよい。いくつかの実施形態において、ＬＥＤ  ９２６は、広範な種の虫をよりよく誘引するために、紫外（ＵＶ）光を発するＬＥＤを少なくとも１つ、及び可視光（好ましくは青色光）を発するＬＥＤを少なくとも１つ含み得る。いくつかの実施形態において、この発光エレメントは、日光を模した波長の組み合わせを放射する。いくつかの実施形態において、１つ以上のＬＥＤ  ９２６は、蚊及びノミなどの特定の種の虫をよりよく誘引するために、赤外（ＩＲ）光を発し得る。いくつかの実施形態において、回路基板９２２は、コマンドを実行するためのプログラム可能プロセッサ又はチップ（図示せず）を有し、望ましいコンポーネント（例えば、スイッチ９１６、ＬＥＤ  ９２６など）に電力及び指示を供給するよう構成されている。ただし、見やすくするため、電気的接続は一部しか示されていない。ベース部分９１２は、スクリーン９２８を含み得る。捕虫部分９１４がベース部分９１２に取り付けられると、捕虫部分９１４の係合可能部分９１８がドッキングスイッチ９２０に係合する。ドッキングスイッチ９２０は、捕虫部分９１４がベース部分９１２に取り付けられ、捕虫部分９１４の係合可能部分９１８が係合すると閉じるように構成することができ、また、捕虫部分９１４がベース部分９１２から取り外され、捕虫部分９１４の係合可能部分９１８がドッキングスイッチ９２０から外れると、開くように構成することができる。ドッキングスイッチ９２０は、捕虫部分９１４の係合可能部分９１８による力又は圧力に応答してオンになるよう構成することができる。あるいは、ドッキングスイッチ９２０は、捕虫部分９１４の係合可能部分９１８による変位に応答してオンになるよう構成することができる。あるいは、ドッキングスイッチ９２０は、捕虫部分９１４の係合可能部分９１８により光ビームが遮断されると閉じる光学スイッチとして構成することができ、あるいは、捕虫部分９１４の磁石に近づくと閉じるホール効果センサーとして構成することができ、あるいは、捕虫部分９１４のベース部分９１２への取り付け／取り外しに応じて開閉する任意の他のスイッチ又はセンサーとして構成することができる。ドッキングスイッチ９２０は、回路基板９２２及び／又はスイッチ９１６に電気的に接続されていてよい。回路基板９２２は、１つ以上のＵＶ及び／又は可視光及び／又はＩＲ  ＬＥＤ  ９２６（１つのみが図示されている）に電気的に接続されていてよく、また、スクリーン９２８にも電気的に接続されていてよく、ドッキングスイッチ９２０が閉じたときに、スクリーン９２８をオンにすることができる。いくつかの実施形態において、スクリーン９２８は液晶（ＬＣ）技術を使用し、スクリーン９２８がオンになっているときに、ＵＶ光及び／又は可視光及び／又はＩＲ光ＬＥＤ  ９２６から���光のすべて又は一部を遮断するよう構成することができ、これによって、ユーザーがＵＶ光及び／又は可視光及び／又はＩＲ光を直接見てしまうのを防ぎ、またエネルギー消費を低減することができる。いくつかの実施形態において、スクリーン９２８がオンになっているとき、ＵＶ  ＬＥＤ  ９２６からの光のみのすべて又は一部、又は可視光ＬＥＤ  ９２６からの光のみのすべて又は一部、又はＩＲ  ＬＥＤ  ９２６からの光のみのすべて又は一部、又はＵＶ、可視光、及びＩＲ  ＬＥＤ  ９２６の任意の組み合わせからの光のみのすべて又は一部を遮断するよう構成することができる。いくつかの実施形態において、スクリーン９２８は、電気モーター、又はソレノイド、又は磁歪アクチュエーター、又は圧電アクチュエーター、又は様々な電気機械式手法のうち１つ以上を利用して、シャッターを閉じ、ＵＶ  ＬＥＤ  ９２６からの光のすべて又は一部、可視光ＬＥＤ  ９２６からの光のすべて又は一部、ＩＲ  ＬＥＤ  ９２６からの光のすべて又は一部、又はＵＶ、可視光、及びＩＲ  ＬＥＤ  ９２６の任意の組み合わせからの光のすべて又は一部を遮断することができる。あるいは、スクリーン９２８は、捕虫部分９１４がベース部分９１２から取り外されたときに、捕虫部分９１４の係合可能部分９１８により機械的に作動して、スクリーン９２８のシャッターを閉じ、ＵＶ及び／又は可視光及び／又はＩＲ  ＬＥＤ  ９２６からの光のすべて又は一部を遮断するよう構成することができる。
【０１２１】
図２７は、捕虫装置の第１０の実施形態の前側斜視図であり、この捕虫装置は全体的に１０１０として示される。捕虫装置１０１０は、ベース部分１０１２と取り外し可能な捕虫部分１０１４とを含む。捕虫部分１０１４は、この図で、ベース部分１０１２から取り外された状態で示されている。捕虫部分１０１４は、前側表面１０５８に少なくとも１つの開口部１０２０を備えた前部ハウジング１０１８を含む。前部ハウジング１０１８の開口部１０２０は、広範な種類の虫を捕虫装置１０１０に受け入れるよう構成することができ、あるいは、１種類以上の特定の種の虫を受け入れるよう構成することができる。いくつかの実施形態において、開口部１０２０は、捕虫部分１０１４を取り外して交換するときに、ユーザーの指が開口部１０２０に入ってしまい捕らえられた虫又は接着剤に誤って触れることを防ぐよう構成される。いくつかの実施形態において、開口部１０２０は、直径２５ｍｍの球が開口部１０２０を通過できないような寸法及び形状を有し、かつ、直径１ｍｍの球が開口部１０２０のいかなる部分も通過できるような寸法及び形状を有する。開口部１０２０の幅、形状及び向きは、均一であってよく又は変化してよく、また、捕虫部分１０１４が複数の開口部１０２０を有する場合は、それらの幅、形状及び向きは、同一であってよく又は異なってよい。開口部１０２０は、１種類以上の個々の虫又は様々な種類の虫を誘引するよう構成することができる。
【０１２２】
ベース部分１０１２の後側表面１０６０（図２８に図示）から突出しているのは、複数の導電性プロング１０２２であり、導電性プロング１０２２を標準の家庭用壁面電気コンセントに差し込むことにより、捕虫装置１０１０を壁面に取り付けて捕虫装置１０１０に電源を供給するよう適合されている。あるいは、ベース部分１０１２は、望ましいように静置又は吊り下げて、ベース部分１０１２内に取り付けられた電池（図示せず）から電力を受け取るよう構成され得る。電気コンセントと電池は、捕虫装置１０１０に電力を供給するものとして記述されるが、任意の好適な電源を使用することができる。ベース部分１０１２は、１つ以上のＬＥＤ  １０２４などの発光エレメントを含む。いくつかの実施形態において、ベース部分１０１２はＬＥＤ  １０２４のアレイを含む。図示のように、ＬＥＤ  １０２４は青色及びＵＶ  ＬＥＤ  １０２４の２×３アレイで構成されているが、別の数及び配置のＬＥＤ  １０２４を有する別のアレイ構成（例えば、３×２アレイ、又は４×３アレイ、又は１×２アレイなど）、様々な波長の光を放射するＬＥＤ  １０２４、また様々な波長の光を放射するＬＥＤ  １０２４の様々な組み合わせを、使用することができる。いくつかの実施形態において、ＬＥＤ  １０２４は、ＵＶ光を発するＬＥＤを少なくとも１つ、及び可視光を発するＬＥＤを少なくとも１つ含む。いくつかの実施形態において、ＬＥＤ  １０２４は、広範な種の虫をよりよく誘引するために、ＵＶ光を発するＬＥＤを少なくとも１つ、及び青色光を発するＬＥＤを少なくとも１つ含む。いくつかの実施形態において、この発光エレメントは、日光を模した波長の組み合わせを放射する。いくつかの実施形態において、ＬＥＤ  １０２４は、蚊を含む特定の種の虫をよりよく誘引するために、赤外（ＩＲ）光を発するＬＥＤを少なくとも１つ含む。ベース部分１０１２の上表面１０２６に取り付けられているのは、透明又は半透明のウィンドウ１０２８であってよく、図ではＬＥＤ  １０２４を見えるようにするため部分的に切り取られている。ウィンドウ１０２８はＬＥＤ  １０２４をダストと虫の屑から保護し、ベース部分１０１２をクリーニングしやすくする。上表面１０２６にはスロット１０３０があってよく、上表面１０２６の外周には、縁又は上向きの突出部１０３２がある。
【０１２３】
図２８は、捕虫装置１０１０を通る断面図である。いくつかの実施形態において、各ＬＥＤ  １０２４から放射される光は、主方向１０５４を有する。捕虫部分１０１４は、前側表面１０３８を備えたディバイダ１０３４と、後部ハウジング１０４０とを含む。いくつかの実施形態において、ディバイダ１０３４は透明又は半透明の材料から構築されるか又はこれを含み、前側表面１０３８が透明又は半透明の接着剤１０３６でコーティングされ得る。いくつかの実施形態において、ディバイダ１０３４は、飛ぶ虫（広範な種類の飛ぶ虫が、偏光を感知することが知られている）を更に誘引するため、日光と同様に、ある向きで透過する光を偏光するよう構成される。いくつかの実施形態において、ディバイダ１０３４の材料及び厚さと接着剤１０３６の材料及び厚さは、ＵＶ光及び／又は可視光及び／又はＩＲ光のうちかなりの割合を透過するよう選択され、例えば、光の６０％超がディバイダ１０３４と接着剤１０３６を透過するよう選択される。いくつかの実施形態において、後部ハウジング１０４０は、反射性コーティングされた内側表面１０４２を含む。あるいは、後部ハウジング１０４０の材料及び表面仕上げは、反射性コーティングなしに、ＵＶ光及び／又は可視光及び／又はＩＲ光を反射及び分散させるように構成され得る。後部ハウジング１０４０は、その下表面に開口部１０４４を含んでよく、あるいは開口部１０４４は、透明又は半透明のウィンドウ（図示せず）に置き換えられてもよい。
【０１２４】
いくつかの実施形態において、前部ハウジング１０１８と後部ハウジング１０４０は、不透明のプラスチックシートから熱形成され、低価格と使い捨て性を維持しながら、クリーンで審美的に心地良い形状を形成する。あるいは、紙、板紙、厚紙又は紙パルプなどの不透明、透明又は半透明の材料も使用することができる。いくつかの実施形態において、前部ハウジング１０１８及び後部ハウジング１０４０は、射出成形、注型成形、又はその他の好適な製造技法により構築される。図示のように、ディバイダ１０３４は実質的に平らであり、１つ以上のＬＥＤ  １０２４により生成される光の主方向１０５４に対して平行又はある角度１０５２になるように構成することができる。角度１０５２は鋭角であってよく、好ましくは０°〜４５°であってよく、これにより、捕虫装置１０１０が壁に取り付けられたときに、ディバイダ１０３４の上端又は遠位端（例えば、ベース部分１０１２から最も遠い端）が、下側又は近位端側よりも壁に近づく。いくつかの実施形態において、ディバイダ１０３４は、光の均一な分布を最適化するよう、凸状、凹状、又はサドル形状、又は形状の組み合わせに形成され得る。いくつかの実施形態において、ディバイダ１０３４は、接着表面面積を増大させ、明暗コントラストの領域を形成するような、畝又はその他の特徴を有し得、これにより、広範な種類の虫に対して可視性が高く、虫をより誘引しやすくなり得る。
【０１２５】
いくつかの実施形態において、前部ハウジング１０１８は、その内側表面が透明、半透明又は不透明の接着剤でコーティングされてよく、これにより付加的な捕虫効果及び能力が提供される。加えて、前部ハウジング１０１８は更に内側表面の接着剤コーティングの下に反射性コーティング（図示せず）を有してよく、これにより、虫の誘引効果を強化し、捕虫効果及び効率を更に改善する。
【０１２６】
いくつかの実施形態において、前部ハウジング１０１８、ディバイダ１０３４及び後部ハウジング１０４０は、交差又は係合する場所で、超音波溶接又は高周波（ＨＦ）溶接で接合させることができるが、接着剤により、又は他の任意の好適な組立技法により、恒久的又は取り外し可能に接合することもできる。捕虫部分１０１４の材料は更に、１つ以上の虫誘引性物質を含み得る。例えば、捕虫部分１０１４は、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコール（trunc-call）を含む）、双翅類誘引剤（セラルア、キュールア（cue-lure）、ラチルア、メドルア、モグチュン、ムスカルア、及びトリメドルアを含む）、同翅類誘引剤（レスカルアを含む）、鱗翅類誘引剤（例えばディスパールア）、直鎖レピドプテランフェロモン（コドレルア、ゴシップルア、ヘキサルア、リトルア、ループルア、オルフラルア、及びオストラモンを含む）、及びその他の虫誘引性物質（例えばオイゲノール、メチルオイゲノール、及びシグルア）、又はその他の、捕虫装置１０１０の虫誘引効率を更に向上させるにおいを供給する物質を、含浸させることができる。そのような実施形態において、虫誘引性物質は、捕虫部分１０１４に一体化している。あるいは、虫誘引性物質は、前部ハウジング１０１８の内側表面に、又は前部ハウジング１０１８の開口部１０２０を通して、又はディバイダ１０３４の前側表面１０３８に取り付けられる、別個のピース（図示せず）に埋め込むことができる。そのような誘引物質は、捕虫装置１０１０から半径約２メートルにいる虫に感知可能となることが望ましい。ディバイダ１０３４は、捕虫部分１０１４を前部エンクロージャ１０４６と後部エンクロージャ１０４８とに区分している。いくつかの実施形態において、ベース部分１０１２は、コマンドを実行するためのプログラム可能プロセッサ又はチップ（図示せず）を有する回路基板１０５０を含み、これは導電性プロング１０２２（１つのみが図示されている）、及びＬＥＤ  １０２４（１つのみが図示されている）に電気的に接続されている。ただし、見やすくするため、電気的接続は一部しか示されていない。回路基板１０５０は、導電性プロング１０２２から通常の家庭用電流を受け取り、ＬＥＤ  １０２４を点灯させる電力を供給するための電子回路部品を含み得る。回路基板１０５０は、ＬＥＤ  １０２４に定電圧を供給する、全波整流回路又はその他の回路などのエネルギー安定器を含み得るが、ただし、一部の種の虫（蚊を含む）にとって誘引性となり得るような動きを模倣するちらつき光を提供するように、ＬＥＤ  １０２４に変動電圧を供給することもできる。例えば、およそ０．０５Ｈｚ（例えば、大型哺乳動物の呼吸数を模倣する）〜２５０Ｈｚ（例えば、オスのイエバエを誘引するちらつきの最高周波数）の範囲の光ちらつき周波数が望ましいことがあり、発光エレメントがこの範囲内でちらつくよう構成することができる。回路基板１０５０は、ＵＶ光及び／又は可視光及び／又はＩＲ光を提供するために、ＬＥＤ  １０２４に電��を供給するが、ただし、ＵＶ光及び／又は可視光及び／又はＩＲ光のちらつきの組み合わせを生み出すために、ＵＶ  ＬＥＤ  １０２４のみ又は可視光ＬＥＤ  １０２４のみ又はＩＲ  ＬＥＤ  １０２４のみに電力を供給するか、あるいは変動電力を供給するよう、構成することもできる。回路基板１０５０はまた、圧電スピーカー（図示せず）などの発信機又はトランシーバー、又はその他の装置を駆動させるよう構成することができ、これらはベース部分１０１２に取り付けて、虫誘引性の音を発するようにすることができる。いくつかの実施形態において、この発信機又はトランシーバーは、虫（蚊、小昆虫、蛾、又は蠅など）をよりよく誘引するために、録音及び／又は生成された虫の音又は振動を発することができ、これには、虫の発信、応答、求愛、及び連結の歌のうち１つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の単音又は複数の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置１０１０から約２メートル以内の距離にいる虫に感知可能となることが望ましい。そのような虫誘引性の音は、捕虫装置１０１０から約１メートル以内の距離にいる人間に感知できないものであることが望ましい。
【０１２７】
図示のように、ベース部分１０１２の上表面１０２６のスロット１０３０と、ベース部分１０１２の上表面１０２６の突出部１０３２とが、捕虫部分１０１４と係合して、使用中に定位置に固定させる。ただし、捕虫部分１０１４をベース部分１０１２に取り外し可能にしっかりと取り付けることができるような、他の任意の取り付けの形態に置き換えることができる。
【０１２８】
捕虫装置１０１０の操作において、導電性プロング１０２２を壁面電気コンセントに差し込む。ＬＥＤ  １０２４が、好ましくはＵＶ及び可視光の光を発し（矢印で表わされている）、これはベース部分１０１２のウィンドウ１０２８を透過して、捕虫部分１０１４の後部ハウジング１０４０の開口部１０４４を通り、後部エンクロージャ１０４８に入り、後部ハウジング１０４０の内側表面１０４２内に直接当たり、ディバイダ１０３４の後側表面１０５６に当たる。見やすくするため、光を表わす矢印は、１つのＬＥＤ  １０２４から放射される光のみを示す。いくつかの実施形態において、光はベース部分１０１２内では操作されず、捕虫部分１０１４内へ直接発光される。後部ハウジング１０４０の内側表面１０４２は凹状形状を含み得、ＬＥＤ  １０２４からの光を反射及び分散させて、光をディバイダ１０３４の後側表面１０５６に均等に分配するよう構成することができるが、ただし、後部ハウジング１０４０の内側表面１０４２は凸状又はサドル形状又は形状の組み合わせを有していてよく、あるいは、光をより均一に分配するように、畝又はその他の特徴を有してもよい。あるいは、ディバイダ１０３４の後側表面１０５６に光を分配するよう（例えば均等に、特定のパターンに従って、焦点を絞って、など）構成された、アナモルフィックレンズ（図示せず）又はその他のレンズ又はレンズの組み合わせなどの光学的エンハンサーを、後部ハウジング１０４０の開口部１０４４又はその近くで後部ハウジング１０４０に取り付けてよく、又はベース部分１０１２のウィンドウ１０２８又はその近くでベース部分１０１２に取り付けてよく、また、後部ハウジング１０４０の内側表面１０４２の役割を置換又は増強することができる。いくつかの実施形態において、ＬＥＤ  １０２４からの光は、ディバイダ１０３４の後側表面１０５６に斜めの角度（例えば、約０°〜９０°の鋭角）で直接当たり、ディバイダ１０３４全体にわたって広がり、後部ハウジング１０４０の内側表面１０４２の役割、又は後部ハウジング１０４０に取り付けられたレンズ（複数可）の役割を置換又は増強し得る。
【０１２９】
その後、光は、ディバイダ１０３４及び前側表面１０３８の接着剤１０３６を透過し、前部エンクロージャ１０４６に入る。光は更に、ディバイダ１０３４、前側表面１０３８の接着剤１０３６、又はこれら両方の光散乱特性により、均一に分配され得る。前部エンクロージャ１０４６に入る光の一部が、前部ハウジング１０１８の開口部１０２０を通って、捕虫装置１０１０が設置されている周辺領域に放射される。虫は、接着剤１０３６と前部ハウジング１０１８の開口部１０２０とを通って放射される光に誘引され、開口部１０２０に飛び入り又は這い入って接着剤１０３６の表面に当たり、ここで虫が捕らえられる。ユーザーは、前部ハウジング１０１８の開口部１０２０を通して見ることにより、捕らわれた虫を観察できる。十分な数の虫が捕獲されると、ユーザーは、捕獲された虫、虫の屑又は接着剤（これらは捕虫部分１０１４内の届かないところに留まる）に触れることなしに、使用済みの捕虫部分１０１４全体を容易に取り外して捨て、新しい捕虫部分１０１４に交換することができる。新しい捕虫部分１０１４は、接着剤コーティングされた新しい表面と光誘導表面を有しており、捕虫装置１０１０が引き続き効率的かつ効果的に虫を確実に誘引して捕らえることができるようになる。
【０１３０】
いくつかの実施形態において、捕虫部分１０１４はベース部分１０１２の前ではなく上に取り付けられているため、普通の家庭用壁面コンセントに差し込んだときに、捕虫装置１０１０の壁面からの突出が最小限に抑えられ、これによって、家庭環境に対する邪魔を最小限に抑える。いくつかの実施形態において、捕虫装置１０１０は、壁面に取り付けられたとき、捕虫装置１０１０が壁から突出する合計距離によって画定される合計奥行きが、捕虫装置１０１０の全体高さ及び全体の幅よりも小さくなるように構成される。
【０１３１】
捕虫装置１０１０の利点は、捕虫部分１０１４内の光の操作であることが理解されよう。いくつかの実施形態において、光の操作は捕虫部分１０１４内でのみ起こる。光の操作には、反射、屈折、偏光、分散及び／又は散乱が含まれ得、これは操作可能なエレメント又は表面（例えば、内側表面１０４２、ディバイダ１０３４及び接着剤１０３６）と係合することにより達成される。いくつかの実施形態において、光の操作は、接着剤１０３６上に光の均等な分布を生成する。いくつかの実施形態において、光は、接着剤１０３６の上又は捕虫部分１０１４内に所定のパターンを生成するよう操作され、例えば、均一な分布、高強度のホットスポットを伴う均一な分布、ホットスポットパターン、及び／又はこれらの組み合わせを生成するよう操作される。
【０１３２】
任意の好適な接着剤材料を、虫を捕獲するための接着表面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性接着剤を使用することができる。一般に、そのような接着剤の厚さは約０．０１ｍｍ〜１ｍｍの範囲である。いくつかの実施形態において、接着剤厚さは、約０．０５ｍｍ〜０．２ｍｍの範囲であり、厚さ約０．１ｍｍが最もよく使用される。
【０１３３】
この構成の捕虫装置１０１０は、ベース部分１０１２に取り外し可能に取り付けることができる様々な異なる捕虫部分１０１４に対応することができ、それぞれの捕虫部分１０１４は、特定の種類又は複数の種類の虫（飛ぶ虫も飛ばない虫も）を誘引して捕らえるよう独自に構成される。例えば、捕虫部分１０１４の全体の寸法及び形状、並びに捕虫部分１０１４の前部ハウジング１０１８の開口部１０２０の寸法、形状、位置及び向きは、特定の種類又は複数の種類の飛ぶ虫を誘引して捕らえるよう独自に構成され得る。
【０１３４】
例えば、いくつかの実施形態において、捕虫部分１０１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分１０１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分１０１４はおよそ、幅２０ｍｍ〜１３０ｍｍ、高さ２０ｍｍ〜１３０ｍｍ、及び奥行き５ｍｍ〜５０ｍｍである。
【０１３５】
いくつかの実施形態において、ベース部分１０１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分１０１２は、幅２０ｍｍ〜２００ｍｍ、高さ１０ｍｍ〜１００ｍｍ、及び奥行き１０ｍｍ〜８０ｍｍである。いくつかの実施形態において、ベース部分１０１２は、幅２０ｍｍ〜１３０ｍｍ、高さ１０ｍｍ〜５０ｍｍ、及び奥行き１０ｍｍ〜５０ｍｍである。
【０１３６】
本明細書で示すように、開口部１０２０は様々な形状及び／又は寸法であり得る。例えば、開口部１０２０の形状は、円形、正方形、長方形、多角形、及び／又は楕円形であり得る。あるいは、開口部１０２０は、直線、曲線、又はうねりの形状又はパターンを有するスロット形状であり得る。開口部１０２０が円形の場合、開口部１０２０の直径は約０．５ｍｍ〜３０ｍｍであり得る。いくつかの実施形態において、円形開口部１０２０の直径は約０．５ｍｍ〜２０ｍｍである。いくつかの実施形態において、円形開口部１０２０の直径は約０．５ｍｍ〜１５ｍｍである。開口部１０２０がスロット形状の場合、開口部１０２０はおよそ、幅２ｍｍ〜３０ｍｍ、長さ５ｍｍ〜５００ｍｍであり得る。いくつかの実施形態において、スロット形状開口部１０２０はおよそ、幅２ｍｍ〜２０ｍｍ、長さ５ｍｍ〜２００ｍｍである。いくつかの実施形態において、スロット形状開口部１０２０はおよそ、幅２ｍｍ〜１５ｍｍ、長さ５ｍｍ〜１００ｍｍである。
【０１３７】
いくつかの実施形態において、開口部１０２０は前部ハウジング１０１８の全部又は一部を占める。例えば、開口部１０２０は、前部ハウジング１０１８の表面積の約１％〜７５％の範囲を占めることができる。いくつかの実施形態において、開口部１０２０は、前部ハウジング１０１８の表面積の約５％〜５０％を占める。いくつかの実施形態において、開口部１０２０は、前部ハウジング１０１８の表面積の約１０％〜３０％を占める。
【０１３８】
図２９は、捕虫装置の第１１の実施形態の前側斜視図であり、この捕虫装置は全体的に１１１０として示される。捕虫装置１１１０は、ベース部分１１１２と取り外し可能な捕虫部分１１１４とを含む。捕虫部分１１１４は、この図で、ベース部分１１１２から取り外された状態で示されている。いくつかの実施形態において、ベース部分１１１２は、スイッチ１１１６を含み、これはユーザーが望むようにスイッチ１１１６の開閉により捕虫装置１１１０をオン又はオフにすることができるように構成可能である。あるいは、スイッチ１１１６は他の機能を制御するよう構成可能であり、例えば光の強さ、光の波長の組み合わせ、光ちらつきの様々なモード又は周波数、部屋が暗くなったときに捕虫装置１１１０をオンにする自動設定、あるいはリモートコントロール設定が挙げられる。いくつかの実施形態において、スイッチ１１１６は手動で操作することができるが、ただし、スイッチ１１１６は電気的、光学的、電子機械的、電子光学的、又は任意の他の方法により、スイッチ１１１６の開閉を操作することができる。捕虫部分１１１４は、前側表面１１３２に少なくとも１つの開口部１１２０を備えた前部ハウジング１１１８を含み得る。開口部１１２０は、広範な種類の虫を捕虫装置１１１０に受け入れるよう構成することができ、あるいは、１種類以上の特定の種の虫を受け入れるよう構成することができる。開口部１１２０は好ましくは、捕虫部分１１１４を取り外して交換するときに、ユーザーの指が開口部１１２０に入ってしまい捕らえられた虫又は接着剤に誤って触れることを防ぐよう構成され得る。開口部１１２０は好ましくは、直径２５ｍｍの球が開口部１１２０を通過できないような寸法及び形状を有し得、かつ、開口部１１２０は好ましくは、直径１ｍｍの球が開口部１１２０のいかなる部分も通過できるような寸法及び形状を有し得る。開口部１１２０の幅、形状及び向きは、均一であってよく又は変化してよく、また、捕虫部分１１１４が複数の開口部１１２０を有する場合は、それらの幅、形状及び向きは、同一であってよく又は異なってよい。開口部１１２０は、１種類以上の個々の虫又は様々な種類の虫を誘引するよう構成することができる。ベース部分１１１２の後側表面１１５２（図３０に図示）から突出しているのは、複数の導電性プロング１１２２（１つのみが図示されている）であり、導電性プロング１１２２を標準の家庭用壁面電気コンセントに差し込むことにより、捕虫装置１１１０を壁面に取り付けて捕虫装置１１１０に電源を供給するよう適合されている。あるいは、ベース部分１１１２は、望ましいように静置又は吊り下げて、ベース部分１１１２内に取り付けられた電池（図示せず）から電力を受け取るよう構成され得る。電気コンセントと電池は、捕虫装置１１１０に電力を供給するものとして記述されるが、任意の好適な電源を使用することができる。ベース部分１１１２は、上表面１１３４と、後部ハウジング１１２６とを含み、これは反射性コーティングされた内側表面１１２８を含む。いくつかの実施形態において、後部ハウジング１１２６の材料及び表面仕上げは、反射性コーティングなしに、ＵＶ光及び／又は可視光を反射及び分散させるように構成され得る。ベース部分１１１２の後部ハウジング１１２６には、１つ以上のＬＥＤ  １１２４などの発光エレメントが取り付けられている。いくつかの実施形態において、発光エレメントはＬＥＤ  １１２４のアレイを含み、これは、ＵＶ光を発するＬＥＤを少なくとも１つ、及び可視光を発するＬＥＤを少なくとも１つ含む。いくつかの実施形態において、ＬＥＤ  １１２４は、広範な種の虫をよりよく誘引するために、ＵＶ光を発するＬＥＤを少なくとも１つ、及び青色光を発するＬＥＤを少なくとも１つ含む。いくつかの実施形態において、この発光エレメントは、日光を模した波長の組み合わせを放射する。いくつかの実施形態において、ＬＥＤ  １１２４は、蚊及びノミなどの特定の種の虫をよりよく誘引するために、赤外（ＩＲ）光を発するＬＥＤを少なくとも１つ含む。
【０１３９】
図示のように、ベース部分１１１２は、透明又は半透明のウィンドウ１１３０を含み得、図ではＬＥＤ  １１２４を見えるようにするため部分的に切り取られている。ウィンドウ１１３０は、後側表面１１５０（図３０に図示）を有し、後部ハウジング１１２６の内側表面１１２８とＬＥＤ  １１２４をダストと虫の屑から保護し、ベース部分１１１２をクリーニングしやすくする。ウィンドウ１１３０は、飛ぶ虫（広範な種類の飛ぶ虫が、偏光を感知することが知られている）を更に誘引するため、日光と同様に、ある向きで透過する光を偏光するよう構成することができる。ウィンドウ１１３０は、接着又は超音波溶接などの任意の好適な製造技法により、その外周を後部ハウジング１１２６に取り付けることができる。いくつかの実施形態において、ウィンドウ１１３０は後部ハウジング１１２６に取り外し可能に取り付けられる。いくつかの実施形態において、ベース部分１１１２の上表面１１３４の外周１１５４には、上向きの縁又は突起１１３６がある。
【０１４０】
図３０は、捕虫装置１１１０を通る断面図である。捕虫部分１１１４は、前側表面１１４２を備えたバックプレート１１３８を含む。バックプレート１１３８は透明又は半透明の材料から構築されており、前側表面１１４２が透明又は半透明の接着剤１１４０でコーティングされている。バックプレート１１３８は、飛ぶ虫を更に誘引するため、日光と同様に、ある向きで透過する光を偏光するよう構成することができる。いくつかの実施形態において、バックプレート１１３８の材料及び厚さと接着剤１１４０の材料及び厚さは、ＵＶ光及び／又は可視光及び／又はＩＲ光のうちかなりの割合を透過するよう選択され、例えば、光の６０％超がバックプレート１１３８と接着剤１１４０を透過するよう選択される。いくつかの実施形態において、捕虫部分１１１４の前部ハウジング１１１８とベース部分１１１２の後部ハウジング１１２６は、不透明のプラスチックシートから熱成型されるが、他の不透明、透明又は半透明の材料（紙、板紙、厚紙又は紙パルプなど）も使用することができる。いくつかの実施形態において、前部ハウジング１１１８及び後部ハウジング１１２６は、射出成形又はその他の好適な製造技法により構築される。バックプレート１１３８は実質的に平らであるが、光の均一な分布を最適化するよう、凸状、凹状、又はサドル形状、又は形状の組み合わせに形成され得る。あるいは、バックプレート１１３８は、畝５３２又はその他の形状を含み、これが、接着剤コーティング表面積を増加させ、一部の種の虫にとって誘引性となるような交互の明暗領域を形成し、かつ、捕虫部分１１１４への虫誘引性光の透過を増大させる。いくつかの実施形態において、前部ハウジング１１１８は、内側表面が透明、半透明又は不透明の接着剤でコーティングされ、これにより付加的な捕虫効果及び能力が提供される。加えて、前部ハウジング１１１８は更に内側表面の接着剤コーティングの下に反射性コーティング（図示せず）を有してよく、これにより、虫の誘引効果を強化し、捕虫効果及び効率を更に改善する。前部ハウジング１１１８及びバックプレート１１３８は、その係合部が接着剤で接合されていてよいが、これらは他の一般的に使用されているパッケージング組立技法により接合されてよく、例えば超音波溶接又はＲＦ密封、又はその他任意の好適な組立方法により接合され得る。捕虫部分１１１４の材料は更に、１つ以上の虫誘引性物質を含み得る。例えば、捕虫部分１１１４は、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコール（trunc-call）を含む）、双翅類誘引剤（セラルア、キュールア（cue-lure）、ラチルア、メドルア、モグチュン、ムスカルア、及びトリメドルアを含む）、同翅類誘引剤（レスカルアを含む）、鱗翅類誘引剤（例えばディスパールア）、直鎖レピドプテランフェロモン（コドレルア、ゴシップルア、ヘキサルア、リトルア、ループルア、オルフラルア、及びオストラモンを含む）、及びその他の虫誘引性物質（例えばオイゲノール、メチルオイゲノール、及びシグルア）、又はその他の、捕虫装置１１１０の虫誘引効率を向上させるにおいを供給する物質を、含浸させることができる。そのような実施形態において、虫誘引性物質は、捕虫部分１１１４に一体化している。あるいは、虫誘引性物質は、前部ハウジング１１１８の内側表面に、又は前部ハウジング１１１８の開口部１１２０を通して、又はバックプレート１１３８の前側表面１１４２に取り付けられる、別個のピース（図示せず）に埋め込むことができる。そのような誘引物質は、捕虫装置１１１０から半径約２メートルにいる虫に感知可能となることが望ましい。
【０１４１】
図示のように、前部ハウジング１１１８とバックプレート１１３８とが、捕虫部分１１１４の前部エンクロージャ１１４４を形成し、後部ハウジング１１２６とウィンドウ１１３０とが、ベース部分１１１２の後部エンクロージャ１１４６を形成する。いくつかの実施形態において、ベース部分１１１２は、コマンドを実行するためのプログラム可能プロセッサ又はチップ（図示せず）を有する回路基板１１４８を含み、これは導電性プロング１１２２、スイッチ１１１６、及びＬＥＤ  １１２４（１つのみが図示されている）に電気的に接続されている。ただし、見やすくするため、電気的接続は一部しか示されていない。回路基板１１４８は、導電性プロング１１２２（１つのみが図示されている）から通常の家庭用電流を受け取り、スイッチ１１１６の位置に対応し、ＬＥＤ  １１２４を点灯させる電力を供給するための電子回路部品を含み得る。回路基板１１４８は、スイッチ１１１６が閉位置にあるときに、ＬＥＤ  １１２４に定電圧を供給する、全波整流回路又はその他の回路などのエネルギー安定器を含み得るが、ただし、一部の種の虫（蚊を含む）にとって誘引性となり得るような動きを模倣するちらつき光を提供するように、ＬＥＤ  １１２４に変動電圧を供給することもできる。例えば、およそ０．０５Ｈｚ（例えば、哺乳動物の呼吸数を模倣する）〜２７０Ｈｚ（例えば、オスのイエバエを誘引するちらつきの最高周波数）の範囲の光ちらつき周波数が望ましいことがあり、発光エレメントがこの範囲内でちらつくよう構成することができる。回路基板１１４８は、ＵＶ光及び可視光の両方を提供するために、ＬＥＤ  １１２４に電力を供給するが、ただし、ＵＶ光及び／又は可視光及び／又はＩＲ光のちらつきの組み合わせを生み出すために、ＵＶ  ＬＥＤ  １１２４のみ又は可視光ＬＥＤ  １１２４のみ又はＩＲ  ＬＥＤ  １１２４のみに電力を供給するか、あるいは変動電力を供給するよう、構成することもできる。いくつかの実施形態において、回路基板１１４８はまた、圧電スピーカーなどの発信機又はトランシーバー（図示せず）、又はその他の装置を駆動させるよう構成することができ、これらはベース部分１１１２に取り付けて、虫誘引性の音を発するようにすることができる。いくつかの実施形態において、この発信機又はトランシーバーは、虫（蚊、小昆虫、蛾、又は蠅のうち１種類以上を含み得る）をよりよく誘引するために、録音及び／又は生成された虫の音又は振動を発することができ、これには、虫の発信、応答、求愛、及び連結の歌のうち１つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の単音又は複数の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置１１１０から���２メートル以内の距離にいる虫に感知可能となることが望ましい。そのような虫誘引性の音は、捕虫装置１１１０から約１メートル以内の距離にいる人間に感知できないものであることが望ましい。
【０１４２】
ベース部分７１２の上表面１１３４のスロット７２２縁又は突起１１３６とウィンドウ１１３０が、捕虫部分１１１４と係合して、使用中に定位置に固定させるよう構成される。ただし、捕虫部分１１１４をベース部分１１１２に取り外し可能にしっかりと取り付けることができるような、他の任意の取り付けの形態に置き換えることができる。
【０１４３】
捕虫装置１１１０の操作において、導電性プロング１１２２を壁面電気コンセントに差し込み、スイッチ１１１６を閉位置に動かす。ＬＥＤ  １１２４は、矢印で表わされるように光を発し、ウィンドウ１１３０の後側表面１１５０に直接当たる。いくつかの実施形態において、光はベース部分１１１２内では操作されず、捕虫部分１１１４内へ直接発光される。後部ハウジング１１２６の内側表面１１２８は凹状形状を含み得、ＬＥＤ  １１２４からのＵＶ光及び可視光を反射及び分散させて、光をウィンドウ１１３０の後側表面１１５０に均等に分配するよう構成することができるが、ただし、後部ハウジング１１２６の内側表面１１２８は凸状又はサドル形状又は形状の組み合わせを有していてよく、あるいは、光をより均一に分配するように、畝又はその他の特徴を有してもよい。いくつかの実施形態において、ＬＥＤ  １１２４はウィンドウ１１３０に対して実質的に垂直である（例えば、ＬＥＤの光の主方向が実質的に垂直である）。光は、バックプレート１１３８及び前側表面１１４２の接着剤１１４０を透過し、前部エンクロージャ１１４４に入る。光は更に、ベース部分１１１２のウィンドウ１１３０、捕虫部分１１１４のバックプレート１１３８、バックプレート１１３８の前側表面１１４２の接着剤１１４０、又はウィンドウ１１３０、バックプレート１１３８及び接着剤１１４０の任意の組み合わせの光散乱特性により、均一に分配され得る。いくつかの実施形態において、前部エンクロージャ１１４４に入る光の一部が、前部ハウジング１１１８の開口部１１２０を通って、捕虫装置１１１０が設置されている領域に放射される。虫は、接着剤１１４０と前部ハウジング１１１８の開口部１１２０とを通って放射されるＵＶ及び／又は可視光に誘引され、開口部１１２０を通って飛び入り又は這い入って接着剤１１４０の表面に当たり、ここで虫が捕らえられる。ユーザーは、前部ハウジング１１１８の開口部１１２０を通して見ることにより、捕らわれた虫を観察できる。十分な数の虫が捕獲されると、ユーザーは、捕獲された虫、虫の屑又は接着剤（これらは捕虫部分１１１４内の届かないところに留まる）に触れることなしに、使用済みの捕虫部分１１１４全体を容易に取り外して捨て、新しい捕虫部分１１１４に交換することができる。新しい捕虫部分１１１４は、接着剤コーティングされた新しい表面を有しており、捕虫装置１１１０が引き続き効率的かつ効果的に虫を確実に誘引して捕らえることができるようになる。
【０１４４】
いくつかの実施形態において、捕虫部分１１１４はベース部分１１１２の前ではなく上に取り付けられているため、普通の家庭用壁面コンセントに差し込んだときに、捕虫装置１１１０の壁面からの突出が最小限に抑えられ、これによって、家庭環境に対する邪魔を最小限に抑える。いくつかの実施形態において、捕虫装置１１１０は、壁面に取り付けられたとき、捕虫装置１１１０が壁から突出する合計距離によって画定される合計奥行きが、捕虫装置１１１０の全体高さ及び全体の幅よりも小さくなるように構成される。
【０１４５】
捕虫装置１１１０の利点は、捕虫部分１１１４内の光の操作であることが理解されよう。いくつかの実施形態において、光の操作は捕虫部分１１１４内でのみ起こる。光の操作には、反射、屈折、偏光、分散及び／又は散乱が含まれ得、これは操作可能なエレメント又は表面（例えば、内側表面１１２８、ウィンドウ１１３０、バックプレート１１３８及び接着剤１１４０）と係合することにより達成される。いくつかの実施形態において、光の操作は、接着剤１１４０上に光の均等な分布を生成する。いくつかの実施形態において、光は、接着剤１１４０の上又は捕虫部分１１１４内に所定のパターンを生成するよう操作され、例えば、均一な分布、高強度のホットスポットを伴う均一な分布、ホットスポットパターン、及び／又はこれらの組み合わせを生成するよう操作される。
【０１４６】
任意の好適な接着剤材料を、虫を捕獲するための接着表面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性接着剤を使用することができる。一般に、そのような接着剤の厚さは約０．０１ｍｍ〜１ｍｍの範囲である。いくつかの実施形態において、接着剤厚さは、約０．０５ｍｍ〜０．２ｍｍの範囲であり、厚さ約０．１ｍｍが最もよく使用される。
【０１４７】
この構成の捕虫装置１１１０は、ベース部分１１１２に取り外し可能に取り付けることができる様々な異なる捕虫部分１１１４に対応することができ、それぞれの捕虫部分１１１４は、特定の種類又は複数の種類の虫を誘引して捕らえるよう独自に構成される。例えば、捕虫部分１１１４の全体の寸法及び形状、並びに捕虫部分１１１４の前部ハウジング１１１８の開口部１１２０の寸法、形状、位置及び向きは、特定の種類又は複数の種類の虫を誘引して捕らえるよう独自に構成され得る。例えば、いくつかの実施形態において、捕虫部分１１１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分１１１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分１１１４はおよそ、幅２０ｍｍ〜１３０ｍｍ、高さ２０ｍｍ〜１３０ｍｍ、及び奥行き５ｍｍ〜５０ｍｍである。
【０１４８】
いくつかの実施形態において、ベース部分１１１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分１１１２は、幅２０ｍｍ〜２００ｍｍ、高さ１０ｍｍ〜１００ｍｍ、及び奥行き１０ｍｍ〜８０ｍｍである。いくつかの実施形態において、ベース部分１１１２は、幅２０ｍｍ〜１３０ｍｍ、高さ１０ｍｍ〜５０ｍｍ、及び奥行き１０ｍｍ〜５０ｍｍである。
【０１４９】
本明細書で示すように、開口部１１２０は様々な形状及び／又は寸法であり得る。例えば、開口部１１２０の形状は、円形、正方形、長方形、多角形、及び／又は楕円形であり得る。あるいは、開口部１１２０は、直線、曲線、又はうねりの形状又はパターンを有するスロットであり得る。開口部１１２０が円形の場合、開口部１１２０の直径は約０．５ｍｍ〜３０ｍｍであり得る。いくつかの実施形態において、円形開口部１１２０の直径は約０．５ｍｍ〜２０ｍｍである。いくつかの実施形態において、円形開口部１１２０の直径は約０．５ｍｍ〜１５ｍｍである。開口部１１２０がスロット形状の場合、開口部１１２０はおよそ、幅２ｍｍ〜３０ｍｍ、長さ５ｍｍ〜５００ｍｍであり得る。いくつかの実施形態において、スロット形状開口部１１２０はおよそ、幅２ｍｍ〜２０ｍｍ、長さ５ｍｍ〜２００ｍｍである。いくつかの実施形態において、スロット形状開口部１１２０はおよそ、幅２ｍｍ〜１５ｍｍ、長さ５ｍｍ〜１００ｍｍである。
【０１５０】
いくつかの実施形態において、開口部１１２０は前部ハウジング１１１８の全部又は一部を占める。例えば、開口部１１２０は、前部ハウジング１１１８の表面積の約１％〜７５％の範囲を占めることができる。いくつかの実施形態において、開口部１１２０は、前部ハウジング１１１８の表面積の約５％〜５０％を占める。いくつかの実施形態において、開口部１１２０は、前部ハウジング１１１８の表面積の約１０％〜３０％を占める。
【０１５１】
図３１は、捕虫装置の第１２の実施形態の前側斜視図であり、この捕虫装置は全体的に１２１０として示される。捕虫装置１２１０は、ベース部分１２１２と取り外し可能な捕虫部分１２１４とを含む。捕虫部分１２１４は、この図で、部分的に切り取られ、ベース部分１２１２から取り外された状態で示されている。ベース部分１２１２の前側表面１２３８は、スイッチ１２１６を含み得、これはユーザーが望むようにスイッチ１２１６の開閉により捕虫装置１２１０をオン又はオフにすることができるように構成可能である。あるいは、スイッチ１２１６は他の機能を制御するよう構成可能であり、例えば光の強さ、光の波長の組み合わせ、光ちらつきの様々なモード又は周波数、部屋が暗くなったときに捕虫装置１２１０をオンにする自動設定、あるいはリモートコントロール設定が挙げられる。スイッチ１２１６は好ましくは手動で操作することができるが、ただし、スイッチ１２１６は電気的、光学的、電子機械的、電子光学的、又は任意の他の方法により、スイッチ１２１６の開閉を操作することができる。ベース部分１２１２の後側表面１２４２（図３２に図示）から突出しているのは、複数の導電性プロング１２２２であり、導電性プロング１２２２を標準の家庭用壁面電気コンセントに差し込むことにより、捕虫装置１２１０を壁面に取り付けて捕虫装置１２１０に電源を供給するよう適合されている。あるいは、ベース部分１２１２は、望ましいように静置又は吊り下げて、ベース部分１２１２内に取り付けられた電池（図示せず）から電力を受け取るよう構成され得る。電気コンセントと電池は、捕虫装置１２１０に電力を供給するものとして記述されるが、任意の好適な電源を使用することができる。ベース部分１２１２は、１つ以上のＬＥＤ  １２２４などの発光エレメントを含む。いくつかの実施形態において、ＬＥＤ  １２２４は、ＵＶ光を発するＬＥＤを少なくとも１つ、及び可視光を発するＬＥＤを少なくとも１つ含む。いくつかの実施形態において、ＬＥＤ  １２２４は、広範な種の虫をよりよく誘引するために、ＵＶ光を発するＬＥＤを少なくとも１つ、及び青色光を発するＬＥＤを少なくとも１つ含む。いくつかの実施形態において、この発光エレメントは、日光を模した波長の組み合わせを放射する。いくつかの実施形態において、ＬＥＤ  １２２４は、蚊及びノミなどの特定の種の虫をよりよく誘引するために、ＩＲ光を発するＬＥＤを少なくとも１つ含む。ベース部分１２１２の上表面１２３４には、少なくとも１つの開口部１２３２があってよく、開口部１２３２には、透明又は半透明のウィンドウ１２３０が取り付けられていてよく、これは、ＬＥＤ  １２２４を見えるようにするため部分的に切り取られている。ウィンドウ１２３０はＬＥＤ  １２２４をダストと虫の屑から保護し、ベース部分１２１２をクリーニングしやすくする。また、上表面１２３４にはスロット１２４６があってよく、上表面１２３４の外周には、下向きの縁又は突出部１２３６があってよい。捕虫部分１２１４は、前側表面１２５４に少なくとも１つの開口部１２２０を備えた前部ハウジング１２１８と、後部ハウジング１２２６とを含む。前部ハウジング１２１８の開口部１２２０は、広範な種類の虫を捕虫装置１２１０に受け入れるよう構成することができ、あるいは、１種類以上の特定の種の虫を受け入れるよう構成することができる。いくつかの実施形態において、開口部１２２０は、捕虫部分１２１４を取り外して交換するときに、ユーザーの指が開口部１２２０に入ってしまい捕らえられた虫又は接着剤に誤って触れることを防ぐよう構成される。いくつかの実施形態において、開口部１２２０は、直径２５ｍｍの球が開口部１２２０を通過できないような寸法及び形状を有し、かつ、直径１ｍｍの球が開口部１２２０のいかなる部分も通過できるような寸法及び形状を有する。開口部１２２０の幅、形状及び向きは、均一であってよく又は変化してよく、また、捕虫部分１２１４が複数の開口部１２２０を有する場合は、それらの幅、形状及び向きは、同一であってよく又は異なってよい。開口部１２２０は、１種類以上の個々の虫又は様々な種類の虫を誘引するよう構成することができる。捕虫部分１２１４の前部ハウジング１２１８及び後部ハウジング１２２６は、エンクロージャ１２４４を形成する。後部ハウジング１２２６は、透明、半透明又は不透明の接着剤１２４０でコーティングされ得る内側表面１２２８を含む。いくつかの実施形態において、後部ハウジング１２２６の内側表面１２２８も、接着剤１２４０の下に反射性コーティング（図示せず）を有する。あるいは、後部ハウジング１２２６の材料及び表面仕上げは、反射性コーティングなしに、ＵＶ光及び／又は可視光及び／又はＩＲ光を反射及び分散させるように構成され得る。あるいは、接着剤１２４０は更に、ＵＶ光及び／又は可視光及び／又はＩＲ光を反射するよう構成することができる。後部ハウジング１２２６の内側表面１２２８は、飛ぶ虫（広範な種類の飛ぶ虫が、偏光を感知することが知られている）を更に誘引するため、日光と同様に、ある向きで反射する光を偏光し得るよう構成することができる。後部ハウジング１２２６は、その下表面１２５２に開口部１２５０を含んでよく、あるいは開口部１２５０は、透明又は半透明のウィンドウ（図示せず）に置き換えられてもよい。いくつかの実施形態において、前部ハウジング１２１８は、その内側表面（図示せず）が透明、半透明又は不透明の接着剤でコーティングされてよく、これにより付加的な捕虫効果及び能力が提供される。前部ハウジング１２１８は更に内側表面の接着剤コーティングの下に反射性コーティング（図示せず）を有してよく、これにより、虫の誘引効果を強化し、捕虫効果及び効率を更に改善する。いくつかの実施形態において、前部ハウジング１２１８と後部ハウジング１２２６は、不透明なプラスチックシートから熱形成され、低価格と使い捨て性を維持しながら、クリーンで審美的に心地良い形状を形成する。あるいは、紙、板紙、厚紙又は紙パルプなどの不透明、透明又は半透明の材料も使用することができる。いくつかの実施形態において、前部ハウジング１２１８及び後部ハウジング１２２６は、射出成形又はその他の好適な製造技法により構築される。いくつかの実施形態において、前部ハウジング１２１８及び後部ハウジング１２２６は、その交差部又は係合部が接着剤で接合されているが、これらは他の一般的に使用されているパッケージング組立技法により接合されてよく、例えば超音波溶接又はＲＦ密封、又はその他任意の好適な組立方法により接合され得る。捕虫部分１２１４の材料は更に、１つ以上の虫誘引性物質を含み得る。例えば、捕虫部分１２１４は、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコール（trunc-call）を含む）、双翅類誘引剤（セラルア、キュールア（cue-lure）、ラチルア、メドルア、モグチュン、ムスカルア、及びトリメドルアを含む）、同翅類誘引剤（レスカルアを含む）、鱗翅類誘引剤（例えばディスパールア）、直鎖レピドプテランフェロモン（コドレルア、ゴシップルア、ヘキサルア、リトルア、ループルア、オルフラルア、及びオストラモンを含む）、及びその他の虫誘引性物質（例えばオイゲノール、メチルオイゲノール、及びシグルア）、又はその他の、捕虫装置１２１０の虫誘引効率を更に向上させるにおいを供給する物質を、含浸させることができる。そのような実施形態において、虫誘引性物質は、捕虫部分１２１４に一体化している。あるいは、虫誘引性物質は、エンクロージャ１２４４の内側表面に、又は前部ハウジング１２１８又は後部ハウジング１２２６の開口部を通して取り付けられ得る、別個のピース（図示せず）に埋め込むことができる。そのような誘引物質は、捕虫装置１２１０から半径約２メートルにいる虫に感知可能となることが望ましい。
【０１５２】
図３２は、捕虫装置１２１０を通る切り欠き断面図である。いくつかの実施形態において、ベース部分１２１２は、コマンドを実行するためのプログラム可能プロセッサ又はチップ（図示せず）を有する回路基板１２４８を含み、これは導電性プロング１２２２（１つのみが図示されている）、スイッチ１２１６、及びＬＥＤ  １２２４（１つのみが図示されている）に電気的に接続されている。ただし、見やすくするため、電気的接続は一部しか示されていない。回路基板１２４８は、導電性プロング１２２２から通常の家庭用電流を受け取り、スイッチ１２１６の位置に対応し、ＬＥＤ  １２２４を点灯させる電力を供給するための電子回路部品を含み得る。回路基板１２４８は、スイッチ１２１６が閉位置にあるときに、ＬＥＤ  １２２４に定電圧を供給し得る、全波整流回路又はその他の回路などのエネルギー安定器を含み得るが、ただし、一部の種の虫（蚊を含む）にとって誘引性となり得るような動きを模倣するちらつき光を提供するように、ＬＥＤ  １２２４に変動電圧を供給することもできる。例えば、およそ０．０５Ｈｚ（例えば、大型哺乳動物の呼吸数を模倣する）〜２５０Ｈｚ（例えば、オスのイエバエを誘引するちらつきの最高周波数）の範囲の光ちらつき周波数が望ましいことがあり、発光エレメントがこの範囲内でちらつくよう構成することができる。回路基板１２４８は、ＵＶ光及び／又は可視光及び／又はＩＲ光のすべてを提供するために、ＬＥＤ  １２２４に電力を供給するが、ただし、ＵＶ光及び／又は可視光及び／又はＩＲ光のちらつきの組み合わせを生み出すために、ＵＶ  ＬＥＤ  １２２４のみ又は可視光ＬＥＤ  １２２４のみ又はＩＲ  ＬＥＤ  １２２４のみに電力を供給するか、あるいは変動電力を供給するよう、構成することもできる。回路基板１２４８はまた、圧電スピーカー（図示せず）などの発信機又はトランシーバー、又はその他の装置を駆動させるよう構成することができ、これらはベース部分１２１２に取り付けて、虫誘引性の音を発するようにすることができる。いくつかの実施形態において、この発信機又はトランシーバーは、虫（蚊、小昆虫、蛾、又は蠅など）をよりよく誘引するために、録音及び／又は生成された虫の音又は振動を発することができ、これには、虫の発信、応答、求愛、及び連結の歌のうち１つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜２４０ｋＨｚ（例えば、虫が感知可能な最高周波数）の範囲の周波数を有する虫誘引性の単音又は複数の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置１２１０から約２メートル以内の距離にいる虫に感知可能となることが望ましい。そのような虫誘引性の音は、捕虫装置１２１０から約１メートル以内の距離にいる人間に感知できないものであることが望ましい。
【０１５３】
図示のように、ベース部分１２１２の上表面１２３４のスロット１２４６と、上表面１２３４の縁又は突出部１２３６とが、捕虫部分１２１４と係合して、使用中に定位置に固定させる。ただし、捕虫部分１２１４をベース部分１２１２に取り外し可能にしっかりと取り付けることができるような、他の任意の取り付けの形態に置き換えることができる。
【０１５４】
捕虫装置１２１０の操作において、導電性プロング１２２２を壁面電気コンセントに差し込み、スイッチ１２１６を閉位置に動かすことができる。ＬＥＤ  １２２４は、光を発し（矢印で表わされている）、これはベース部分１２１２の開口部１２３２を透過してエンクロージャ１２４４に入り、後部ハウジング１２２６の内側表面１２２８をコーティングしている接着剤１２４０に直接当たる。いくつかの実施形態において、光はベース部分１２１２内では操作されず、捕虫部分１２１４内へ直接発光される。
【０１５５】
後部ハウジング１２２６の内側表面１２２８は凹状形状を含み得、ＬＥＤ  １２２４からの光を反射させて、光をエンクロージャ１２４４に均等に分配するよう構成することができるが、ただし、後部ハウジング１２２６の内側表面１２２８は凸状又はサドル形状又は形状の組み合わせを有していてよく、あるいは、光をより均一に分配するように、畝又はその他の特徴を有してもよい。あるいは、後部ハウジング１２２６の内側表面１２２８に光を分配するよう（例えば均等に、特定のパターンに従って、焦点を絞って、など）構成された、アナモルフィックレンズ（図示せず）又はその他のレンズ又はレンズの組み合わせなどの光学的エンハンサーを、ベース部分１２１２の開口部１２３２又はその近くでベース部分１２１２に取り付けてよく、又は捕虫部分１２１４開口部１２５０又はその近くで捕虫部分１２１４に取り付けてよく、また、後部ハウジング１２２６の内側表面１２２８の光分配の役割を置換又は増強することができる。いくつかの実施形態において、ＬＥＤ  １２２４からの光は、後部ハウジング１２２６の内側表面１２２８に斜めの角度（例えば、約０°〜９０°の鋭角）で直接当たり、内側表面１２２８全体にわたって広がり、捕虫部分１２１４又はベース部分１２１２に取り付けられたレンズ（複数可）の、内側表面１２２８の光分配の役割を置換又は増強することができる。光は、ベース部分１２１２のウィンドウ１２３０の光拡散特性によって、後部ハウジング１２２６の内側表面１２２８の接着剤１２４０によって、又はこれら２つの組み合わせによって、更に均一に分配され得る。
【０１５６】
こうして、光の一部が依然として前部ハウジング１２１８の開口部１２２０を通って、捕虫装置が設置されている周辺領域に放射される。虫は、開口部１２２０とを通って放射されるＵＶ及び／又は可視光に誘引され、開口部１２２０を通って飛び入り又は這い入って接着剤１２４０の表面に当たり、ここで虫が捕らえられる。ユーザーは、前部ハウジング１２１８の開口部１２２０を通して見ることにより、捕らわれた虫を観察できる。十分な数の虫が捕獲されると、ユーザーは、捕獲された虫、虫の屑又は接着剤（これらは捕虫部分１２１４内の届かないところに留まる）に触れることなしに、使用済みの捕虫部分１２１４全体を容易に取り外して捨て、新しい捕虫部分１２１４に交換することができる。新しい捕虫部分１２１４は、接着剤コーティングされた新しい表面を有しており、捕虫装置１２１０が引き続き効率的かつ効果的に虫を確実に誘引して捕らえることができるようになる。
【０１５７】
いくつかの実施形態において、捕虫部分１２１４はベース部分１２１２の前ではなく上に取り付けられているため、普通の家庭用壁面コンセントに差し込んだときに、捕虫装置１２１０の壁面からの突出が最小限に抑えられ、これによって、家庭環境に対する邪魔を最小限に抑える。いくつかの実施形態において、捕虫装置１２１０は、壁面に取り付けられたとき、捕虫装置１２１０が壁から突出する合計距離によって画定される合計奥行きが、捕虫装置１２１０の全体高さ及び全体の幅よりも小さくなるように構成される。
【０１５８】
捕虫装置１２１０の利点は、捕虫部分１２１４内の光の操作であることが理解されよう。いくつかの実施形態において、光の操作は捕虫部分１２１４内でのみ起こる。光の操作には、反射、屈折、偏光、分散及び／又は散乱が含まれ得、これは操作可能なエレメント又は表面（例えば、内側表面１２２８及び接着剤１２４０）と係合することにより達成される。いくつかの実施形態において、光の操作は、接着剤１２４０上に光の均等な分布を生成する。いくつかの実施形態において、光は、接着剤１２４０の上又は捕虫部分１２１４内に所定のパターンを生成するよう操作され、例えば、均一な分布、高強度のホットスポットを伴う均一な分布、ホットスポットパターン、及び／又はこれらの組み合わせを生成するよう操作される。
【０１５９】
任意の好適な接着剤材料を、虫を捕獲するための接着表面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性接着剤を使用することができる。一般に、そのような接着剤の厚さは約０．０１ｍｍ〜１ｍｍの範囲である。いくつかの実施形態において、接着剤厚さは、約０．０５ｍｍ〜０．２ｍｍの範囲であり、厚さ約０．１ｍｍが最もよく使用される。
【０１６０】
この構成の捕虫装置１２１０は、ベース部分１２１２に取り外し可能に取り付けることができる様々な異なる捕虫部分１２１４に対応することができ、それぞれの捕虫部分１２１４は、特定の種類又は複数の種類の虫を誘引して捕らえるよう独自に構成される。例えば、捕虫部分１２１４の全体の寸法及び形状、並びに捕虫部分１２１４の前部ハウジング１２１８の開口部１２２０の寸法、形状、位置及び向きは、特定の種類又は複数の種類の飛ぶ虫を誘引して捕らえるよう独自に構成され得る。例えば、いくつかの実施形態において、捕虫部分１２１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分１２１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分１２１４はおよそ、幅２０ｍｍ〜１３０ｍｍ、高さ２０ｍｍ〜１３０ｍｍ、及び奥行き５ｍｍ〜５０ｍｍである。
【０１６１】
いくつかの実施形態において、ベース部分１２１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分１２１２は、幅２０ｍｍ〜２００ｍｍ、高さ１０ｍｍ〜１００ｍｍ、及び奥行き１０ｍｍ〜８０ｍｍである。いくつかの実施形態において、ベース部分１２１２は、幅２０ｍｍ〜１３０ｍｍ、高さ１０ｍｍ〜５０ｍｍ、及び奥行き１０ｍｍ〜５０ｍｍである。
【０１６２】
本明細書で示すように、開口部１２２０は様々な形状及び／又は寸法であり得る。例えば、開口部１２２０の形状は、円形、正方形、長方形、多角形、及び／又は楕円形であり得る。あるいは、開口部１２２０は、直線、曲線、又はうねりの形状又はパターンを有するスロット形状であり得る。開口部１２２０が円形の場合、開口部１２２０の直径は約０．５ｍｍ〜３０ｍｍであり得る。いくつかの実施形態において、円形開口部１２２０の直径は約０．５ｍｍ〜２０ｍｍである。いくつかの実施形態において、円形開口部１２２０の直径は約０．５ｍｍ〜１５ｍｍである。開口部１２２０がスロット形状の場合、開口部１２２０はおよそ、幅２ｍｍ〜３０ｍｍ、長さ５ｍｍ〜５００ｍｍであり得る。いくつかの実施形態において、スロット形状開口部１２２０はおよそ、幅２ｍｍ〜２０ｍｍ、長さ５ｍｍ〜２００ｍｍである。いくつかの実施形態において、スロット形状開口部１２２０はおよそ、幅２ｍｍ〜１５ｍｍ、長さ５ｍｍ〜１００ｍｍである。
【０１６３】
いくつかの実施形態において、開口部１２２０は前部ハウジング１２１８の全部又は一部を占める。例えば、開口部１２２０は、前部ハウジング１２１８の表面積の約１％〜７５％の範囲を占めることができる。いくつかの実施形態において、開口部１２２０は、前部ハウジング１２１８の表面積の約５％〜５０％を占める。いくつかの実施形態において、開口部１２２０は、前部ハウジング１２１８の表面積の約１０％〜３０％を占める。
【０１６４】
図３３は、捕虫装置の第１３の実施形態の前側斜視図であり、この捕虫装置は全体的に１３１０として示される。捕虫装置１３１０は、ベース部分１３１２と取り外し可能な捕虫部分１３１４とを含む。捕虫部分１３１４は、この図で、部分的に切り取られ、ベース部分１３１２から部分的に取り外された状態で示されている。ベース部分１３１２の前側表面１３４６は、スイッチ１３１６を含み得、これはユーザーが望むようにスイッチ１３１６の開閉により捕虫装置１３１０をオン又はオフにすることができるように構成可能である。あるいは、スイッチ１３１６は他の機能を制御するよう構成可能であり、例えば光の強さ、光の波長の組み合わせ、光ちらつきの様々なモード又は周波数、部屋が暗くなったときに捕虫装置１３１０をオンにする自動設定、あるいはリモートコントロール設定が挙げられる。スイッチ１３１６は手動で操作することができるが、ただし、スイッチ１３１６は電気的、光学的、電子機械的、電子光学的、又は任意の他の方法により、スイッチ１３１６の開閉を操作することができる。ベース部分１３１２の後側表面１３５０（図３４に図示）から突出しているのは、複数の導電性プロング１３２２であり、導電性プロング１３２２を標準の家庭用壁面電気コンセントに差し込むことにより、捕虫装置１３１０を壁面に取り付けて捕虫装置１３１０に電源を供給するよう適合されている。あるいは、ベース部分１３１２は、望ましいように静置又は吊り下げて、ベース部分１３１２内に取り付けられた電池（図示せず）から電力を受け取るよう構成され得る。電気コンセントと電池は、捕虫装置１３１０に電力を供給するものとして記述されるが、任意の好適な電源を使用することができる。ベース部分１３１２は、上表面１３３２と、１つ以上の光源１３２４とを含む。光源１３２４は、蛍光灯、白熱灯、ＬＥＤ、又は任意の他の照明技術、又は照明技術の組み合わせを使用することができる。いくつかの実施形態において、光源１３２４はＵＶと可視光の両方を発する。いくつかの実施形態において、広範な種の虫をよりよく誘引するために、１つ以上の光源１３２４がＵＶ光を発し、１つ以上の光源１３２４が青色光を発する。いくつかの実施形態において、光源１３２４は、日光を模した波長の組み合わせを放射する。いくつかの実施形態において、１つ以上の光源１３２４は、蚊及びノミなどの特定の種の虫をよりよく誘引するために、赤外（ＩＲ）光を発し得る。いくつかの実施形態において、光源１３２４は、ベース部分１３１２の上表面１３３２から少なくとも部分的に突出している。ベース部分１３１２の上表面１３３２には、少なくとも１つの開口部１３３０があってよく、これが光源１３２４を受容し得る。上表面１３３２の外周には、上向きの縁又は突起１３３４があってよい。捕虫部分１３１４は、前側表面１３５２に少なくとも１つの開口部１３２０を備えた前部ハウジング１３１８と、内側表面１３２８を備えた後部ハウジング１３２６とを含む。前部ハウジング１３１８の開口部１３２０は、広範な種類の虫を捕虫装置１３１０に受け入れるよう構成することができ、あるいは、１種類以上の特定の種の虫を受け入れるよう構成することができる。いくつかの実施形態において、開口部１３２０は、捕虫部分１３１４を取り外して交換するときに、ユーザーの指が開口部１３２０に入ってしまい捕らえられた虫又は接着剤に誤って触れることを防ぐよう構成される。いくつかの実施形態において、開口部１３２０は、直径２５ｍｍの球が開口部１３２０を通過できないような寸法及び形状を有し、かつ、直径１ｍｍの球が開口部１３２０のいかなる部分も通過できるような寸法及び形状を有する。開口部１３２０の幅、形状及び向きは、均一であってよく又は変化してよく、また、捕虫部分１３１４が複数の開口部１３２０を有する場合は、それらの幅、形状及び向きは、同一であってよく又は異なってよい。開口部１３２０は、１種類以上の個々の虫又は様々な種類の虫を誘引するよう構成することができる。捕虫部分１３１４の前部ハウジング１３１８及び後部ハウジング１３２６は、エンクロージャ１３４４を形成する。後部ハウジング１３２６の内側表面１３２８は、透明、半透明又は不透明の接着剤でコーティングされ得る。いくつかの実施形態において、後部ハウジング１３２６の内側表面１３２８も、接着剤１３４０の下に反射性コーティング（図示せず）を有する。あるいは、後部ハウジング１３２６の材料及び表面仕上げは、反射性コーティングなしに、ＵＶ光及び／又は可視光及び／又はＩＲ光を反射及び分散させるように構成され得る。あるいは、接着剤１３４０は更に、ＵＶ光及び／又は可視光及び／又はＩＲ光を反射及び分散させるよう構成することができる。後部ハウジング１３２６の内側表面１３２８は、飛ぶ虫（広範な種類の飛ぶ虫が、偏光を感知することが知られている）を更に誘引するため、日光と同様に、ある向きで反射する光を偏光し得るよう構成することができる。いくつかの実施形態において、前部ハウジング１３１８は、その内側表面（図示せず）が透明、半透明又は不透明の接着剤でコーティングされてよく、これにより付加的な捕虫効果及び能力が提供される。前部ハウジング１３１８は更に内側表面の接着剤コーティングの下に反射性コーティング（図示せず）を有してよく、これにより、虫の誘引効果を強化し、捕虫効果及び効率を更に改善し得る。いくつかの実施形態において、捕虫部分１３１４の前部ハウジング１３１８と後部ハウジング１３２６は、不透明なプラスチックシートから熱形成され、低価格と使い捨て性を維持しながら、クリーンで審美的に心地良い形状を形成する。あるいは、紙、板紙、厚紙又は紙パルプなどの不透明、透明又は半透明の材料も使用することができる。いくつかの実施形態において、前部ハウジング１３１８及び後部ハウジング１３２６は、射出成形又はその他の好適な製造技法により構築される。いくつかの実施形態において、前部ハウジング１３１８及び後部ハウジング１３２６は、その交差部又は係合部が接着剤で接合されているが、これらは他の一般的に使用されているパッケージング組立技法により接合されてよく、例えば超音波溶接又はＲＦ密封、又はその他任意の好適な組立方法により接合され得る。捕虫部分１３１４の材料は更に、１つ以上の虫誘引性物質を含み得る。例えば、捕虫部分１３１４は、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコール（trunc-call）を含む）、双翅類誘引剤（セラルア、キュールア（cue-lure）、ラチルア、メドルア、モグチュン、ムスカルア、及びトリメドルアを含む）、同翅類誘引剤（レスカルアを含む）、鱗翅類誘引剤（例えばディスパールア）、直鎖レピドプテランフェロモン（コドレルア、ゴシップルア、ヘキサルア、リトルア、ループルア、オルフラルア、及びオストラモンを含む）、及びその他の虫誘引性物質（例えばオイゲノール、メチルオイゲノール、及びシグルア）、又はその他の、捕虫装置１３１０の虫誘引効率を向上させるにおいを供給する物質を、含浸させることができる。そのような実施形態において、虫誘引性物質は、捕虫部分１３１４に一体化している。あるいは、虫誘引性物質は、エンクロージャ１３４４の内側表面に、又は前部ハウジング１３１８又は後部ハウジング１３２６の開口部を通して取り付けられる、別個のピース（図示せず）に埋め込むことができる。そのような誘引物質は、捕虫装置１３１０から半径約２メートルにいる虫に感知可能となることが望ましい。いくつかの実施形態において、捕虫部分１３１４は更に、少なくとも１つの透明又は半透明のスリーブ１３３６を含み、これは、捕虫部分１３１４がベース部分１３１２に取り付けられたときに、光源１３２４を受容して保護する。いくつかの実施形態において、スリーブ１３３６の材料及び厚さは、ＵＶ光及び／又は可視光及び／又はＩＲ光のうちかなりの割合を透過するよう選択され、例えば、光の６０％超がスリーブ１３３６を透過するよう選択される。
【０１６５】
図３４は、捕虫装置１３１０を通る断面図である。いくつかの実施形態において、ベース部分１３１２は、コマンドを実行するためのプログラム可能プロセッサ又はチップ（図示せず）を有する回路基板１３４８を含み、これは導電性プロング１３２２（１つのみが図示されている）、スイッチ１３１６、及び光源１３２４（１つのみが図示されている）に電気的に接続されている。ただし、見やすくするため、電気的接続は一部しか示されていない。回路基板１３４８は、導電性プロング１３２２から通常の家庭用電流を受け取り、スイッチ１３１６の位置に対応し、光源１３２４を点灯させる電力を供給するための電子回路部品を含み得る。回路基板１３４８は、スイッチ１３１６が閉位置にあるときに、光源１３２４に定電圧を供給する、全波整流回路又はその他の回路などのエネルギー安定器を含み得るが、ただし、一部の種の虫（蚊を含む）にとって誘引性となり得るような動きを模倣するちらつき光を提供するように、光源１３２４に変動電圧を供給することもできる。例えば、およそ０．０５Ｈｚ（例えば、大型哺乳動物の呼吸数を模倣する）〜２５０Ｈｚ（例えば、オスのイエバエを誘引するちらつきの最高周波数）の範囲の光ちらつき周波数が望ましいことがあり、発光エレメントがこの範囲内でちらつくよう構成することができる。回路基板１３４８は、ＵＶ光及び／又は可視光及び／又はＩＲ光を提供するために、光源１３２４に電力を供給するが、ただし、ＵＶ光及び／又は可視光及び／又はＩＲ光のちらつきの組み合わせを生み出すために、ＵＶ光を生成する光源１３２４のみ又は可視光を生成する光源１３２４のみ又はＩＲ光を生成する光源１３２４のみに電力を供給するか、あるいは変動電力を供給するよう、構成することもできる。回路基板１３４８はまた、圧電スピーカー（図示せず）などの発信機又はトランシーバー、又はその他の装置を駆動させるよう構成することができ、これらはベース部分１３１２に取り付けて、虫誘引性の音を発するようにすることができる。いくつかの実施形態において、この発信機又はトランシーバーは、虫（蚊、小昆虫、蛾、又は蠅など）をよりよく誘引するために、録音及び／又は生成された虫の音又は振動を発することができ、これには、虫の発信、応答、求愛、及び連結の歌のうち１つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の単音又は複数の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置１３１０から約２メートル以内の距離にいる虫に感知可能となることが望ましい。そのような虫誘引性の音は、捕虫装置１３１０から約１メートル以内の距離にいる人間に感知できないものであることが望ましい。
【０１６６】
捕虫部分１３１４は、少なくとも１つの開口部１３３８を含み得る。捕虫部分１３１４のスリーブ１３３６は、開口部１３３８に隣接する開口端に取り付けることができ、これは、捕虫部分１３１４がベース部分１３１２に取り付けられたときに、光源１３２４をスリーブ１３３６内へとガイドするよう構成された、開口部１３３８に隣接する先細セクション１３４２を含み得る。あるいは、捕虫部分１３１４のスリーブ１３３６は不透明な材料でできていてよく、光源１３２４からの光がエンクロージャ１３４４内へと透過できるよう、１つ以上の開口部（図示せず）を含み得る。あるいは、スリーブ１３３６は、捕虫部分１３１４の前部ハウジング１３１８に隣接する外側表面上に不透明コーティング（図示せず）を含み得、これにより、光源１３２４からエンクロージャ１３４４を通って前部ハウジング１３１８の開口部１３２０へと光が直接透過するのを防ぐよう構成されている。あるいは、スリーブ１３３６は、光源１３２４を捕虫部分１３１４内にガイドし、光源１３２４が接着剤１３４０に接触しないよう保護し、光源１３２４からの光がエンクロージャ１３４４に入ることができるよう、プラスチック又は金属ワイヤのメッシュ（図示せず）、又は任意の形状で構成されていてよい。
【０１６７】
図示のように、ベース部分１３１２の上表面１３３２の縁又は突起１３３４が、捕虫部分１３１４と係合して、使用中に定位置に固定させる。ただし、捕虫部分１３１４をベース部分１３１２に取り外し可能にしっかりと取り付けることができるような、他の任意の取り付けの形態に置き換えることができる。
【０１６８】
捕虫装置１３１０の操作において、導電性プロング１３２２を壁面電気コンセントに差し込み、スイッチ１３１６を閉位置に動かす。光源１３２４は、光を発し（矢印で表わされている）、これは捕虫部分１３１４のスリーブ１３３６を透過してエンクロージャ１３４４に入り、後部ハウジング１３２６の内側表面１３２８をコーティングしている接着剤１３４０に直接当たる。いくつかの実施形態において、光はベース部分１３１２内では操作されず、捕虫部分１３１４内へ直接発光される。
【０１６９】
後部ハウジング１３２６の内側表面１３２８は凹状形状を含み得、光源１３２４からの光を反射及び分散させて、光をエンクロージャ１３４４内及び前部ハウジング１３１８の開口部を通って均等に分配するよう構成することができるが、ただし、後部ハウジング１３２６の内側表面１３２８は凸状又はサドル形状又は形状の組み合わせを有していてよく、あるいは、光をより均一に分配するように、畝又はその他の特徴を有してもよい。光は、スリーブ１３３６の光拡散特性によって、後部ハウジング１３２６の内側表面１３２８の接着剤１３４０によって、又はこれら２つの組み合わせによって、更に均一に分配され得る。
【０１７０】
このように、エンクロージャ１３４４に入る光の一部が、前部ハウジング１３１８の開口部１３２０を通って、捕虫装置１３１０が設置されている周辺領域に放射される。虫は、前部ハウジング１３１８の開口部１３２０とを通って放射される光に誘引され、開口部１３２０に飛び入り又は這い入って接着剤１３４０の表面に当たり、ここで虫が捕らえられる。ユーザーは、前部ハウジング１３１８の開口部１３２０を通して見ることにより、捕らわれた虫を観察できる。十分な数の虫が捕獲されると、ユーザーは、捕獲された虫、虫の屑又は接着剤（これらは捕虫部分１３１４内の届かないところに留まる）に触れることなしに、捕虫部分１３１４全体を容易に取り外して捨て、新しい捕虫部分１３１４に交換することができる。新しい捕虫部分１３１４は、接着剤コーティングされた新しい表面を有しており、捕虫装置１３１０が引き続き効率的かつ効果的に虫を確実に誘引して捕らえることができるようになる。スリーブ１３３６は、光源１３２４が虫、虫の屑、及び接着剤１３４０に触れないよう保護するため、光源１３２４はクリーンなままであり、光生成効率を維持する。
【０１７１】
いくつかの実施形態において、捕虫部分１３１４はベース部分１３１２の前ではなく上に取り付けられているため、普通の家庭用壁面コンセントに差し込んだときに、捕虫装置１３１０の壁面からの突出が最小限に抑えられ、これによって、家庭環境に対する邪魔を最小限に抑える。いくつかの実施形態において、捕虫装置１３１０は、壁面に取り付けられたとき、捕虫装置１３１０が壁から突出する合計距離によって画定される合計奥行きが、捕虫装置１３１０の全体高さ及び全体の幅よりも小さくなるように構成される。
【０１７２】
捕虫装置１３１０の利点は、捕虫部分１３１４内の光の操作であることが理解されよう。いくつかの実施形態において、光の操作は捕虫部分１３１４内でのみ起こる。光の操作には、反射、屈折、偏光、分散及び／又は散乱が含まれ得、これは操作可能なエレメント又は表面（例えば、内側表面１３２８及び接着剤１３４０）と係合することにより達成される。いくつかの実施形態において、光の操作は、接着剤１３４０上に光の均等な分布を生成する。いくつかの実施形態において、光は、接着剤１３４０の上又は捕虫部分１３１４内に所定のパターンを生成するよう操作され、例えば、均一な分布、高強度のホットスポットを伴う均一な分布、ホットスポットパターン、及び／又はこれらの組み合わせを生成するよう操作される。
【０１７３】
任意の好適な接着剤材料を、虫を捕獲するための接着表面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性接着剤を使用することができる。一般に、そのような接着剤の厚さは約０．０１ｍｍ〜１ｍｍの範囲である。いくつかの実施形態において、接着剤厚さは、約０．０５ｍｍ〜０．２ｍｍの範囲であり、厚さ約０．１ｍｍが最もよく使用される。
【０１７４】
この構成の捕虫装置１３１０は、ベース部分１３１２に取り外し可能に取り付けることができる様々な異なる捕虫部分１３１４に対応することができ、それぞれの捕虫部分１３１４は、特定の種類又は複数の種類の虫を誘引して捕らえるよう独自に構成される。例えば、捕虫部分１３１４の全体の寸法及び形状、並びに捕虫部分１３１４の前部ハウジング１３１８の開口部１３２０の寸法、形状、位置及び向きは、特定の種類又は複数の種類の飛ぶ虫を誘引して捕らえるよう独自に構成され得る。例えば、いくつかの実施形態において、捕虫部分１３１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分１３１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分１３１４はおよそ、幅２０ｍｍ〜１３０ｍｍ、高さ２０ｍｍ〜１３０ｍｍ、及び奥行き５ｍｍ〜５０ｍｍである。
【０１７５】
いくつかの実施形態において、ベース部分１３１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分１３１２は、幅２０ｍｍ〜２００ｍｍ、高さ１０ｍｍ〜１００ｍｍ、及び奥行き１０ｍｍ〜８０ｍｍである。いくつかの実施形態において、ベース部分１３１２は、幅２０ｍｍ〜１３０ｍｍ、高さ１０ｍｍ〜５０ｍｍ、及び奥行き１０ｍｍ〜５０ｍｍである。
【０１７６】
本明細書で示すように、開口部１３２０は様々な形状及び／又は寸法であり得る。例えば、開口部１３２０の形状は、円形、正方形、長方形、多角形、及び／又は楕円形であり得る。あるいは、開口部１３２０は、直線、曲線、又はうねりの形状又はパターンを有するスロット形状であり得る。開口部１３２０が円形の場合、開口部１３２０の直径は約０．５ｍｍ〜３０ｍｍであり得る。いくつかの実施形態において、円形開口部１３２０の直径は約０．５ｍｍ〜２０ｍｍである。いくつかの実施形態において、円形開口部１３２０の直径は約０．５ｍｍ〜１５ｍｍである。開口部１３２０がスロット形状の場合、開口部１３２０はおよそ、幅２ｍｍ〜３０ｍｍ、長さ５ｍｍ〜５００ｍｍであり得る。いくつかの実施形態において、スロット形状開口部１３２０はおよそ、幅２ｍｍ〜２０ｍｍ、長さ５ｍｍ〜２００ｍｍである。いくつかの実施形態において、スロット形状開口部１３２０はおよそ、幅２ｍｍ〜１５ｍｍ、長さ５ｍｍ〜１００ｍｍである。
【０１７７】
いくつかの実施形態において、開口部１３２０は前部ハウジング１３１８の全部又は一部を占める。例えば、開口部１３２０は、前部ハウジング１３１８の表面積の約１％〜７５％の範囲を占めることができる。いくつかの実施形態において、開口部１３２０は、前部ハウジング１３１８の表面積の約５％〜５０％を占める。いくつかの実施形態において、開口部１３２０は、前部ハウジング１３１８の表面積の約１０％〜３０％を占める。
【０１７８】
図３５は、捕虫装置の第１４の実施形態の前側斜視図であり、この捕虫装置は全体的に１４１０として示される。捕虫装置１４１０は、ベース部分１４１２と取り外し可能な捕虫部分１４１４とを含む。捕虫部分１４１４は、この図で、部分的に切り取られ、ベース部分１４１２から取り外された状態で示されている。ベース部分１４１２は、上表面１４３２と、少なくとも１つの光源１４２４と、少なくとも１つの開口部１４３０とを含み、この開口部を通して光源１４２４が露出している。
【０１７９】
いくつかの実施形態において、光源１４２４はエレクトロルミネセント（ＥＬ）技術を使用しているが、他の照明技術又は照明技術の組み合わせを適合させて使用することもできる。いくつかの実施形態において、光源１４２４はＵＶと可視光の両方を発する。いくつかの実施形態において、光源１４２４は、広範な種の虫をよりよく誘引するために、ＵＶと青色光の両方を発する。いくつかの実施形態において、光源１４２４は、日光を模した波長の組み合わせを放射する。いくつかの実施形態において、光源１４２４は、蚊及びノミなどの特定の種の虫をよりよく誘引するために、赤外（ＩＲ）光を発する。上表面１４３２の外周には、上向きの縁又は突起１４３４があってよい。捕虫部分１４１４は、前側表面１４１６に少なくとも１つの開口部１４２０を備えた前部ハウジング１４１８と、透明又は半透明のバックプレート１４２６とを含む。前部ハウジング１４１８の開口部１４２０は、広範な種類の虫を捕虫装置１４１０に受け入れるよう構成することができ、あるいは、１種類以上の特定の種の虫を受け入れるよう構成することができる。いくつかの実施形態において、開口部１４２０は、捕虫部分１４１４を取り外して交換するときに、ユーザーの指が開口部１４２０に入ってしまい捕らえられた虫又は接着剤に誤って触れることを防ぐよう構成される。いくつかの実施形態において、開口部１４２０は、直径２５ｍｍの球が開口部１４２０を通過できないような寸法及び形状を有し、かつ、直径１ｍｍの球が開口部１４２０のいかなる部分も通過できるような寸法及び形状を有する。開口部１４２０の幅、形状及び向きは、均一であってよく又は変化してよく、また、捕虫部分１４１４が複数の開口部１４２０を有する場合は、それらの幅、形状及び向きは、同一であってよく又は異なってよい。開口部１４２０は、１種類以上の個々の虫又は様々な種類の虫を誘引するよう構成することができる。前部ハウジング１４１８とバックプレート１４２６とが、エンクロージャ１４４４を形成する。図示のように、バックプレート１４２６は実質的に平らであるが、ただし、接着表面面積を増大させ、明暗コントラストの領域を形成するような、畝又はその他の特徴（図示せず）を有し得、これにより、広範な種類の虫に対して可視性が高く、虫をより誘引しやすくなり得る。
【０１８０】
バックプレート１４２６は前側表面１４４２を含み、これは透明又は半透明の接着剤１４４０でコーティングされ得る。バックプレート１４２６は、飛ぶ虫（広範な種類の飛ぶ虫が、偏光を感知することが知られている）を更に誘引するため、日光と同様に、ある向きで透過する光を偏光するよう構成することができる。いくつかの実施形態において、前部ハウジング１４１８は、その内側表面（図示せず）が透明、半透明又は不透明の接着剤（図示せず）でコーティングされており、これにより付加的な捕虫効果及び能力が提供される。いくつかの実施形態において、前部ハウジング１４１８は更に内側表面の接着剤コーティングの下に反射性コーティング（図示せず）を有してよく、これにより、虫の誘引効果を強化し、捕虫効果及び効率を更に改善する。いくつかの実施形態において、前部ハウジング１４１８とバックプレート１４２６は、不透明なプラスチックシートから熱形成され、低価格と使い捨て性を維持しながら、クリーンで審美的に心地良い形状を形成する。あるいは、紙、板紙、厚紙又は紙パルプなどの不透明、透明又は半透明の材料も使用することができる。いくつかの実施形態において、前部ハウジング１４１８及びバックプレート１４２６は、射出成形又はその他の好適な製造技法により構築される。
【０１８１】
いくつかの実施形態において、前部ハウジング１４１８及びバックプレート１４２６は、その交差部又は係合部が接着剤で接合されているが、これらは他の一般的に使用されているパッケージング組立技法により接合されてよく、例えば超音波溶接又はＲＦ密封、又はその他任意の好適な組立方法により接合され得る。捕虫部分１４１４の材料は更に、１つ以上の虫誘引性物質を含浸させることができる。例えば、捕虫部分１４１４は、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコール（trunc-call）を含む）、双翅類誘引剤（セラルア、キュールア（cue-lure）、ラチルア、メドルア、モグチュン、ムスカルア、及びトリメドルアを含む）、同翅類誘引剤（レスカルアを含む）、鱗翅類誘引剤（例えばディスパールア）、直鎖レピドプテランフェロモン（コドレルア、ゴシップルア、ヘキサルア、リトルア、ループルア、オルフラルア、及びオストラモンを含む）、及びその他の虫誘引性物質（例えばオイゲノール、メチルオイゲノール、及びシグルア）、又はその他の、捕虫装置１４１０の虫誘引効率を向上させるにおいを供給する物質を、含浸させることができる。あるいは、虫誘引性物質は、エンクロージャ１４４４の内側表面に、又は前部ハウジング１４１８又はバックプレート１４２６の開口部を通して取り付けられ得る、別個のピース（図示せず）に埋め込むことができる。そのような誘引物質は、捕虫装置１４１０から半径約２メートルにいる虫に感知可能となることが望ましい。
【０１８２】
図３６は、捕虫装置１４１０を通る断面図である。ベース部分１４１２の後側表面１４２８から突出しているのは、複数の導電性プロング１４２２（１つのみが図示されている）であり、導電性プロング１４２２を標準の家庭用壁面電気コンセントに差し込むことにより、捕虫装置１４１０を壁面に取り付けて捕虫装置１４１０に電源を供給するよう適合されている。あるいは、ベース部分１４１２は、望ましいように静置又は吊り下げて、ベース部分１４１２内に取り付けられた電池（図示せず）から電力を受け取るよう構成され得る。電気コンセントと電池は、捕虫装置１４１０に電力を供給するものとして記述されるが、任意の好適な電源を使用することができる。いくつかの実施形態において、ベース部分１４１２は、コマンドを実行するためのプログラム可能プロセッサ又はチップ（図示せず）を有する回路基板１４４８を含み、これは導電性プロング１４２２（１つのみが図示されている）、及び光源１４２４に電気的に接続されている。ただし、見やすくするため、電気的接続は一部しか示されていない。回路基板１４４８は、導電性プロング１４２２から通常の家庭用電流を受け取り、光源１４２４を点灯させる電力を供給するための電子回路部品を含み得る。回路基板１４４８は、光源１４２４に定電圧を供給する、全波整流回路又はその他の回路などのエネルギー安定器を含み得るが、ただし、一部の種の虫（蚊を含む）にとって誘引性となり得るような動きを模倣するちらつき光を提供するように、光源１４２４に変動電圧を供給することもできる。例えば、およそ０．０５Ｈｚ（例えば、大型哺乳動物の呼吸数を模倣する）〜２５０Ｈｚ（例えば、オスのイエバエを誘引するちらつきの最高周波数）の範囲の光ちらつき周波数が望ましいことがあり、発光エレメントがこの範囲内でちらつくよう構成することができる。回路基板１４４８は、ＵＶ光及び／又は可視光及び／又はＩＲ光のすべてを提供するために、光源１４２４に電力を供給するが、ただし、ＵＶ光及び／又は可視光及び／又はＩＲ光のちらつきの組み合わせを生み出すために、ＵＶ光源１４２４のみ又は可視光光源１４２４のみ又はＩＲ光源のみに電力を供給するか、あるいは変動電力を供給するよう、構成することもできる。回路基板１４４８はまた、圧電スピーカー（図示せず）などの発信機又はトランシーバー、又はその他の装置を駆動させるよう構成することができ、これらはベース部分１４１２に取り付けて、虫誘引性の音を発するようにすることができる。いくつかの実施形態において、このトランシーバーの発信機は、虫（蚊、小昆虫、蛾、又は蠅など）をよりよく誘引するために、録音及び／又は生成された虫の音又は振動を発することができ、これには、虫の発信、応答、求愛、及び連結の歌のうち１つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の単音又は複数の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置１４１０から約２メートル以内の距離にいる虫に感知可能となることが望ましい。そのような虫誘引性の音は、捕虫装置１４１０から約１メートル以内の距離にいる人間に感知できないものであることが望ましい。
【０１８３】
図示のように、ベース部分１４１２の上表面１４３２の縁又は突起１４３４が、捕虫部分１４１４と係合して、使用中に定位置に固定させる。ただし、捕虫部分１４１４をベース部分１４１２に取り外し可能にしっかりと取り付けることができるような、他の任意の取り付けの形態に置き換えることができる。
【０１８４】
捕虫装置１４１０の操作において、導電性プロング１４２２を壁面電気コンセントに差し込み、回路基板１４４８が光源１４２４に電流を提供することができ、光源１４２４が光を発し（矢印で示す）、これが、バックプレート１４２６に直接当たり、透過して、前側表面１４４２の接着剤１４４０を通り、エンクロージャ１４４４に入る。いくつかの実施形態において、光はベース部分１４１２内では操作されず、捕虫部分１４１４内へ直接発光される。いくつかの実施形態において、この光は、バックプレート１４２６、接着剤１４４０、又はこれら２つの組み合わせによって、更に均一に分配される。
【０１８５】
このように、エンクロージャ１４４４に入る光の一部が、前部ハウジング１４１８の開口部１４２０を通って、捕虫装置１４１０が設置されている周辺領域に放射される。虫は、接着剤１４４０との開口部１４２０とを通って放射される光に誘引され、開口部１４２０に飛び入り又は這い入って接着剤１４４０の表面に当たり、ここで虫が捕らえられる。ユーザーは、前部ハウジング１４１８の開口部１４２０を通して見ることにより、捕らわれた虫を観察できる。十分な数の虫が捕獲されると、ユーザーは、捕獲された虫、虫の屑又は接着剤（これらは捕虫部分１４１４内の届かないところに留まる）に触れることなしに、捕虫部分１４１４全体を容易に取り外して捨て、新しい捕虫部分１４１４に交換することができる。新しい捕虫部分１４１４は、接着剤コーティングされた新しい表面を有しており、捕虫装置１４１０が引き続き効率的かつ効果的に虫を確実に誘引して捕らえることができるようになる。
【０１８６】
いくつかの実施形態において、捕虫装置１４１０は、壁面に取り付けられたとき、捕虫装置１４１０が壁から突出する合計距離によって画定される合計奥行きが、捕虫装置１４１０の全体高さ及び全体の幅よりも小さくなるように構成される。
【０１８７】
任意の好適な接着剤材料を、虫を捕獲するための接着表面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性接着剤を使用することができる。一般に、そのような接着剤の厚さは約０．０１ｍｍ〜１ｍｍの範囲である。いくつかの実施形態において、接着剤厚さは、約０．０５ｍｍ〜０．２ｍｍの範囲であり、厚さ約０．１ｍｍが最もよく使用される。
【０１８８】
この構成の捕虫装置１４１０は、ベース部分１４１２に取り外し可能に取り付けることができる様々な異なる捕虫部分１４１４に対応することができ、それぞれの捕虫部分１４１４は、特定の種類又は複数の種類の虫を誘引して捕らえるよう独自に構成される。例えば、捕虫部分１４１４の全体の寸法及び形状、並びに捕虫部分１４１４の前部ハウジング１４１８の開口部１４２０の寸法、形状、位置及び向きは、特定の種類又は複数の種類の飛ぶ虫を誘引して捕らえるよう独自に構成され得る。例えば、いくつかの実施形態において、捕虫部分１４１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分１４１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分１４１４はおよそ、幅２０ｍｍ〜１３０ｍｍ、高さ２０ｍｍ〜１３０ｍｍ、及び奥行き５ｍｍ〜５０ｍｍである。
【０１８９】
いくつかの実施形態において、ベース部分１４１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分１４１２は、幅２０ｍｍ〜２００ｍｍ、高さ１０ｍｍ〜１００ｍｍ、及び奥行き１０ｍｍ〜８０ｍｍである。いくつかの実施形態において、ベース部分１４１２は、幅２０ｍｍ〜１３０ｍｍ、高さ１０ｍｍ〜５０ｍｍ、及び奥行き１０ｍｍ〜５０ｍｍである。
【０１９０】
本明細書で示すように、開口部１４２０は様々な形状及び／又は寸法であり得る。例えば、開口部１４２０の形状は、円形、正方形、長方形、多角形、及び／又は楕円形であり得る。あるいは、開口部１４２０は、直線、曲線、又はうねりの形状又はパターンを有するスロット形状であり得る。開口部１４２０が円形の場合、開口部１４２０の直径は約０．５ｍｍ〜３０ｍｍであり得る。いくつかの実施形態において、円形開口部１４２０の直径は約０．５ｍｍ〜２０ｍｍである。いくつかの実施形態において、円形開口部１４２０の直径は約０．５ｍｍ〜１５ｍｍである。開口部１４２０がスロット形状の場合、開口部１４２０はおよそ、幅２ｍｍ〜３０ｍｍ、長さ５ｍｍ〜５００ｍｍであり得る。いくつかの実施形態において、スロット形状開口部１４２０はおよそ、幅２ｍｍ〜２０ｍｍ、長さ５ｍｍ〜２００ｍｍである。いくつかの実施形態において、スロット形状開口部１４２０はおよそ、幅２ｍｍ〜１５ｍｍ、長さ５ｍｍ〜１００ｍｍである。
【０１９１】
いくつかの実施形態において、開口部１４２０は前部ハウジング１４１８の全部又は一部を占める。例えば、開口部１４２０は、前部ハウジング１４１８の表面積の約１％〜７５％の範囲を占めることができる。いくつかの実施形態において、開口部１４２０は、前部ハウジング１４１８の表面積の約５％〜５０％を占める。いくつかの実施形態において、開口部１４２０は、前部ハウジング１４１８の表面積の約１０％〜３０％を占める。
【０１９２】
図３７は、捕虫装置の第１５の実施形態の前側斜視図であり、この捕虫装置は全体的に１５１０として示される。捕虫装置１５１０は、ベース部分１５１２と取り外し可能な捕虫部分１５１４とを含む。捕虫部分は、この図で、ベース部分１５１２から取り外された状態で示されている。捕虫部分１５１４は、前側表面１５１６にタブスロット１５６８と少なくとも１つの開口部１５２０を備えた前部ハウジング１５１８を含む。前部ハウジング１５１８の開口部１５２０は、広範な種類の虫を捕虫装置１５１０に受け入れるよう構成することができ、あるいは、１種類以上の特定の種の虫を受け入れるよう構成することができる。いくつかの実施形態において、開口部１５２０は、捕虫部分１５１４を取り外して交換するときに、ユーザーの指が開口部１５２０に入ってしまい捕らえられた虫又は接着剤に誤って触れることを防ぐよう構成される。いくつかの実施形態において、開口部１５２０は、直径２５ｍｍの球が開口部１５２０を通過できないような寸法及び形状を有し、かつ、直径１ｍｍの球が開口部１５２０のいかなる部分も通過できるような寸法及び形状を有する。開口部１５２０の幅、形状及び向きは、均一であてよく又は変化してよく、また、捕虫部分１５１４が複数の開口部１５２０を有する場合は、それらの幅、形状及び向きは、同一であってよく又は異なってよい。開口部１５２０は、１種類以上の個々の虫又は様々な種類の虫を誘引するよう構成することができる。図示のように、捕虫部分１５１４の前部ハウジング１５１８のタブスロット１５６８から突出しているのは、取り外し可能なタブ１５５４の把持末端１５６２である。ベース部分１５１２の後側表面１５７２（図４０に図示）から突出しているのは、複数の導電性プロング１５２２であり、導電性プロング１５２２を標準の家庭用壁面電気コンセントに差し込むことにより、捕虫装置１５１０を壁面に取り付けて捕虫装置１５１０に電源を供給するよう適合されている。あるいは、ベース部分１５１２は、望ましいように静置又は吊り下げて、ベース部分１５１２内に取り付けられた電池（図示せず）から電力を受け取るよう構成され得る。電気コンセントと電池は、捕虫装置１５１０に電力を供給するものとして記述されるが、任意の好適な電源を使用することができる。ベース部分１５１２は、上表面１５２６と、少なくとも１つのＬＥＤ  １５２４とを含む。いくつかの実施形態において、ＬＥＤ  １５２４は、紫外（ＵＶ）光を発するＬＥＤを少なくとも１つ、及び可視光を発するＬＥＤを少なくとも１つ含む。いくつかの実施形態において、ＬＥＤ  １５２４は、広範な種の虫をよりよく誘引するために、ＵＶ光を発するＬＥＤを少なくとも１つ、及び青色光を発するＬＥＤを少なくとも１つ含む。いくつかの実施形態において、この発光エレメントは、日光を模した波長の組み合わせを放射する。いくつかの実施形態において、ＬＥＤ  １５２４は、蚊及びノミなどの特定の種の虫をよりよく誘引するために、ＩＲ光を発するＬＥＤを少なくとも１つ含む。ベース部分１５１２の上表面１５２６に取り付けられているのは、透明又は半透明のウィンドウ１５２８であってよく、図ではＬＥＤ  １５２４を見えるようにするため部分��に切り取られている。ウィンドウ１５２８はＬＥＤ  １５２４をダストと虫の屑から保護し、ベース部分１５１２をクリーニングしやすくする。上表面１５２６にはスロット１５３０があってよく、上表面１５２６の外周には、縁又は上向きの突出部１５３２がある。
【０１９３】
図３８は、捕虫装置１５１０の前側斜視図である。捕虫装置１５１０はこの図で部分的に切り取られて示されている。図示のように、上向きのカップ１５５６は、前部ハウジング１５１８の下内側表面１５７０に取り付けられている。カップ１５５６は、その開放端の外周から突出しているリップ１５５８を有し得る。カップ１５５６は、本明細書に記述される任意の虫誘引性物質に対するバリヤとして作用する、任意の材料又はその組み合わせで構築され得る。取り外し可能なタブ１５５４は、密封端１５６０、及び、把持末端１５６２と密封端１５６０との間にウェブ１５６４を有してよく、これは、本明細書に記述される任意の虫誘引性物質に対するバリヤとして作用する、任意の可撓性かつ丈夫な材料又はその組み合わせで構築され得る。図示のように、密封端１５６０はカップ１５５６の開放端を覆うよう構築され、接着剤でリップ１５５８に付着させて気密封止を形成することができ、これにより、カップ１５５６内の任意の虫誘引性物質（図示せず）の新鮮さを維持し、同時に、ユーザーが取り除くまでの間、取り外し可能なタブ１５５４を定位置に保持する。ウェブ１５６４は、取り外し可能なタブ１５５４の密封端１５６０の上に折り重ね、前部ハウジング１５１８のタブスロット１５６８まで延在させることができる。取り外し可能なタブ１５５４の把持末端１５６２は、タブスロット１５６８を通って突出し、前部ハウジング１５１８の外側部分に被さるよう下向きに折り曲げることができる。
【０１９４】
図３９は、捕虫装置１５１０の前側斜視図である。捕虫部分１５１４はこの図で部分的に切り取られて示されており、取り外し可能なタブ１５５４は部分的に引き出された状態で示されている。ユーザーは、取り外し可能なタブ１５５４の把持末端１５６２を掴み、取り外し可能なタブ１５５４を捕虫部分１５１４から引き出すことができ、これにより、カップ１５５６のリップ１５５８と取り外し可能なタブ１５５４の密封端１５６０との間の封止を破ることができる。カップ１５５６の内側には、１つ以上の虫誘引性物質を含浸させた担体材料１５６６がある。例えば、担体材料１５６６は、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコール（trunc-call）を含む）、双翅類誘引剤（セラルア、キュールア（cue-lure）、ラチルア、メドルア、モグチュン、ムスカルア、及びトリメドルアを含む）、同翅類誘引剤（レスカルアを含む）、鱗翅類誘引剤（例えばディスパールア）、直鎖レピドプテランフェロモン（コドレルア、ゴシップルア、ヘキサルア、リトルア、ループルア、オルフラルア、及びオストラモンを含む）、及びその他の虫誘引性物質（例えばオイゲノール、メチルオイゲノール、及びシグルア）、又はその他の、捕虫装置１３１０の虫誘引効率を向上させるにおいを供給する物質を、含浸させることができる。カップ１５５６と取り外し可能なタブ１５５４の密封端１５６０との間の封止を破ることにより、虫誘引性のにおい（複数可）が、前部ハウジング１５１８の開口部１５２０を通って、捕虫装置１５１０が設置されている周辺領域に放出される。そのような誘引物質は、捕虫装置１５１０から半径約２メートルにいる虫に感知可能となることが望ましい。
【０１９５】
図４０は、捕虫装置を通る断面図である。この図では、取り外し可能なタブ１５５４（図示せず）が完全に取り外されている。捕虫部分１５１４は、前側表面１５３８を備えた１５３４と、内側表面１５４２を備えた後部ハウジングディバイダとを含む。いくつかの実施形態において、ディバイダ１５３４は透明又は半透明の材料から構築されるか又はこれを含み、前側表面１５３８が透明又は半透明の接着剤１５３６でコーティングされ得る。いくつかの実施形態において、ディバイダ１５３４は、飛ぶ虫（広範な種類の飛ぶ虫が、偏光を感知することが知られている）を更に誘引するため、日光と同様に、ある向きで透過する光を偏光するよう構成され得る。いくつかの実施形態において、ディバイダ１５３４の材料及び厚さと接着剤１５３６の材料及び厚さは、ＵＶ光及び／又は可視光及び／又はＩＲ光のうちかなりの割合を透過するよう選択され、例えば、光の６０％超がディバイダ１５３４と接着剤１５３６を透過するよう選択される。いくつかの実施形態において、後部ハウジング１５４０の内側表面１５４２は反射性コーティングを有する。あるいは、後部ハウジング１５４０の材料及び表面仕上げは、反射性コーティングなしに、ＵＶ光及び／又は可視光を反射及び分散させるように構成され得る。後部ハウジング１５４０は、その下表面に開口部１５４４を含んでよく、あるいは開口部１５４４は、透明又は半透明のウィンドウ（図示せず）に置き換えられてもよい。
【０１９６】
いくつかの実施形態において、前部ハウジング１５１８と後部ハウジング１５４０は、不透明なプラスチックシートから熱形成され、低価格と使い捨て性を維持しながら、クリーンで審美的に心地良い形状を形成する。あるいは、紙、板紙、厚紙又は紙パルプなどの不透明、透明又は半透明の材料も使用することができる。いくつかの実施形態において、前部ハウジング１５１８及び後部ハウジング１５４０は、射出成形又はその他の好適な製造技法により構築される。図示のように、ディバイダ１５３４は後側表面１５５２を有し、これは実質的に平らであってよく、ＬＥＤ  １５２４により生成される光の主方向（図示せず）に対して平行又はある角度になるように構成することができる。いくつかの実施形態において、ディバイダ１５３４は、光の均一な分布を最適化するよう、凸状、凹状、又はサドル形状（図示せず）、又は形状の組み合わせに形成され得る。いくつかの実施形態において、ディバイダ１５３４は、接着表面面積を増大させ、明暗コントラストの領域を形成するような、畝又はその他の特徴（図示せず）を有し得、これにより、広範な種類の虫に対して可視性が高く、虫をより誘引しやすくなり得る。
【０１９７】
いくつかの実施形態において、前部ハウジング１５１８は、その内側表面が透明、半透明又は不透明の接着剤（図示せず）でコーティングされており、これにより付加的な捕虫効果及び能力が提供される。加えて、前部ハウジング１５１８は更に内側表面の接着剤コーティングの下に反射性コーティング（図示せず）を有してよく、これにより、虫の誘引効果を強化し、捕虫効果及び効率を更に改善する。いくつかの実施形態において、前部ハウジング１５１８、ディバイダ１５３４及び後部ハウジング１５４０は、交差又は係合する場所で、超音波溶接又は高周波（ＨＦ）溶接で接合させることができるが、接着剤により、又は他の任意の好適な組立技法により、恒久的又は取り外し可能に接合することもできる。捕虫部分１５１４（例えば、前部ハウジング１５１８、後部ハウジング１５４０、ディバイダ１５３４及び接着剤１５３６）の材料も、１つ以上の虫誘引性物質を含浸させることができる。ディバイダ１５３４は、捕虫部分１５１４を前部エンクロージャ１５４６と後部エンクロージャ１５４８とに区分している。
【０１９８】
いくつかの実施形態において、ベース部分１５１２は、コマンドを実行するためのプログラム可能プロセッサ又はチップ（図示せず）を有する回路基板１５５０を含み、これは導電性プロング１５２２（１つのみが図示されている）、及びＬＥＤ  １５２４に電気的に接続されている。ただし、見やすくするため、電気的接続は一部しか示されていない。回路基板１５５０は、導電性プロング１５２２から通常の家庭用電流を受け取り、ＬＥＤ  １５２４を点灯させる電力を供給するための電子回路部品を含み得る。回路基板１５５０は、ＬＥＤ  １５２４に定電圧を供給する、全波整流回路又はその他の回路などのエネルギー安定器を含み得るが、ただし、一部の種の虫（蚊を含む）にとって誘引性となり得るような動きを模倣するちらつき光を提供するように、ＬＥＤ  １５２４に変動電圧を供給することもできる。例えば、およそ０．０５Ｈｚ（例えば、大型哺乳動物の呼吸数を模倣する）〜２５０Ｈｚ（例えば、オスのイエバエを誘引するちらつきの最高周波数）の範囲の光ちらつき周波数が望ましいことがあり、発光エレメントがこの範囲内でちらつくよう構成することができる。回路基板１５５０は、ＵＶ光及び／又は可視光及び／又はＩＲ光を提供するために、ＬＥＤ  １５２４に電力を供給するが、ただし、ＵＶ光及び／又は可視光及び／又はＩＲ光のちらつきの組み合わせを生み出すために、ＵＶ  ＬＥＤ  １５２４のみ又は可視光ＬＥＤ  １５２４のみ又はＩＲ  ＬＥＤ  １５２４のみに電力を供給するか、あるいは変動電力を供給するよう、構成することもできる。回路基板１５５０はまた、圧電スピーカー（図示せず）などの発信機又はトランシーバー、又はその他の装置を駆動させるよう構成することができ、これらはベース部分１５１２に取り付けて、虫誘引性の音を発するようにすることができる。いくつかの実施形態において、この発信機又はトランシーバーは、虫（蚊、小昆虫、蛾、又は蠅など）をよりよく誘引するために、録音及び／又は生成された虫の音又は振動を発することができ、これには、虫の発信、応答、求愛、及び連結の歌のうち１つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の単音又は複数の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置１５１０から約２メートル以内の距離にいる虫に感知可能となることが望ましい。そのような虫誘引性の音は、捕虫装置１５１０から約１メートル以内の距離にいる人間に感知できないものであることが望ましい。
【０１９９】
図示のように、ベース部分１５１２の上表面１５２６のスロット１５３０と、ベース部分１５１２の上表面１５２６の突出部１５３２とが、捕虫部分１５１４と係合して、使用中に定位置に固定させる。ただし、捕虫部分１５１４をベース部分１５１２に取り外し可能にしっかりと取り付けることができるような、他の任意の取り付けの形態に置き換えることができる。
【０２００】
捕虫装置１５１０の操作において、導電性プロング１５２２（１つのみが図示されている）を壁面電気コンセントに差し込み、取り外し可能なタブ１５５４（図示せず）を捕虫部分１５１４から引き抜き、これによってカップ１５５６と取り外し可能なタブ１５５４との間の封止が破られ、担体材料１５６６及び虫誘引性物質（複数可）が空気に曝されて、虫誘引性のにおい（複数可）を捕虫部分１５１４に放出し、これが更に、捕虫装置１５１０が設置されている周辺領域に放出される。カップ１５５６、担体材料１５６６及び虫誘引性物質（複数可）は、捕虫部分１５１４の見込み耐用期間に対応する所定期間の間、虫誘引性のにおい（複数可）を放出するよう構成することができ、この期間は例えば１週間、１ヶ月、又は３ヶ月であり得る。あるいは、カップ１５５６、担体材料１５６６及び虫誘引性物質（複数可）は、捕虫部分１５１４の耐用期間の初期に、ある種類の虫誘引性のにおい（複数可）を優先的に放出し、捕虫部分１５１４の耐用期間の後期に、別の種類の虫誘引性のにおい（複数可）を放出して、変化するにおいを用いてより多くの虫又はより広範な種類の虫を誘引するか、捕虫部分１５１４の耐用期間の後期に、より強いにおいを供給するよう構成することができ、これによって、接着剤１５３６に多くの虫が捕らわれたときに、捕虫部分１５１４から放射される光が低減するのを補償することができる。あるいは、カップ１５５６及び担体材料１５６６は、虫に対する誘引性を実質的に低減することなしに、虫誘引性のにおい（複数可）をマスキングし得る、あるいは人間が不快だと感じ得るか又は子供若しくは対象外の動物（ペットなど）を誘引し得るような虫誘引性のにおい（複数可）の成分をマスキング又は除去し得るような、追加のにおいを放出するよう構成することができる。ＬＥＤ  １５２４が光を発し（矢印で表わされている）、これはベース部分１５１２のウィンドウ１５２８を透過して、捕虫部分１５１４の後部ハウジング１５４０の開口部１５４４を通り、後部エンクロージャ１５４８に入り、後部ハウジング１５４０の内側表面１５４２内に直接当たり、ディバイダ１５３４の後側表面１５５２に当たる。いくつかの実施形態において、光はベース部分１５１２内では操作されず、捕虫部分１５１４内へ直接発光される。後部ハウジング１５４０の内側表面１５４２は凹状形状を含み得、ＬＥＤ  １５２４からのＵＶ光及び可視光を反射及び分散させて、光をディバイダ１５３４の後側表面１５５２に均等に分配するよう構成することができるが、ただし、後部ハウジング１５４０の内側表面１５４２は凸状又はサドル形状又は形状の組み合わせを有していてよく、あるいは、光をより均一に分配するように、畝又はその他の特徴（図示せず）を有してもよい。あるいは、ディバイダ１５３４の後側表面１５５２に光を分配するよう（例えば均等に、特定のパターンに従って、焦点を絞って、など）構成された、アナモルフィックレンズ（図示せず）又はその他のレンズ又はレンズの組み合わせなどの光学的エンハンサーを、後部ハウジング１５４０の開口部１５４４又はその近くで後部ハウジング１５４０に取り付けてよく、又はベース部分１５１２のウィンドウ１５２８又はそ��近くでベース部分１５１２に取り付けてよく、また、後部ハウジング１５４０の内側表面１５４２の役割を置換又は増強することができる。いくつかの実施形態において、ＬＥＤ  １５２４からの光は、ディバイダ１５３４の後側表面１５５２に斜めの角度（例えば、約０°〜９０°の鋭角）で直接当たり、ディバイダ１５３４全体にわたって広がり、後部ハウジング１５４０の内側表面１５４２の役割、又は後部ハウジング１５４０に取り付けられたレンズ（複数可）の役割を置換又は増強し得る。
【０２０１】
その後、光は、ディバイダ１５３４及び前側表面１５３８の接着剤１５３６を透過し、前部エンクロージャ１５４６に入る。光は更に、ディバイダ１５３４、前側表面１５３８の接着剤１５３６、又はこれら両方の光散乱特性により、均一に分配され得る。前部エンクロージャ１５４６に入る光の一部が、前部ハウジング１５１８の開口部１５２０を通って、捕虫装置１５１０が設置されている周辺領域に放射される。接着剤１５３６と、前部ハウジング１５１８の開口部１５２０とを通って放射される光に、虫が誘引される。虫は更に、カップ１５５６内の担体材料１５６６から放出されるにおい及び／又はフェロモンに誘引される。加えて、回路基板１５５０によって生じる熱が担体材料１５６６を温めることがあり、これによって、虫誘引性のにおい及び／又はフェロモンの放出が増加し得る。虫が、開口部１５２０に飛び入り又は這い入って接着剤１５３６の表面に当たり、ここで虫が捕らえられる。ユーザーは、前部ハウジング１５１８の開口部１５２０を通して見ることにより、捕らわれた虫を観察できる。十分な数の虫が捕獲されると、ユーザーは、捕獲された虫、虫の屑又は接着剤（これらは捕虫部分１５１４内の届かないところに留まる）に触れることなしに、使用済みの捕虫部分１５１４全体を容易に取り外して捨て、新しい捕虫部分１５１４に交換することができる。新しい捕虫部分１５１４は、接着剤コーティングされた新しい表面と光誘導表面を有しており、捕虫装置１５１０が引き続き効率的かつ効果的に虫を確実に誘引して捕らえることができるようになる。
【０２０２】
いくつかの実施形態において、捕虫部分１５１４はベース部分１５１２の前ではなく上に取り付けられているため、普通の家庭用壁面コンセントに差し込んだときに、捕虫装置１５１０の壁面からの突出が最小限に抑えられ、これによって、家庭環境に対する邪魔を最小限に抑える。いくつかの実施形態において、捕虫装置１５１０は、壁面に取り付けられたとき、捕虫装置１５１０が壁から突出する合計距離によって画定される合計奥行きが、捕虫装置１５１０の全体高さ及び全体の幅よりも小さくなるように構成される。
【０２０３】
捕虫装置１５１０の利点は、捕虫部分１５１４内の光の操作であることが理解されよう。いくつかの実施形態において、光の操作は捕虫部分１５１４内でのみ起こる。光の操作には、反射、屈折、偏光、分散及び／又は散乱が含まれ得、これは操作可能なエレメント又は表面（例えば、内側表面１５４２、ディバイダ１５３４及び接着剤１５３６）と係合することにより達成される。いくつかの実施形態において、光の操作は、接着剤１５３６上に光の均等な分布を生成する。いくつかの実施形態において、光は、接着剤１５３６の上又は捕虫部分１５１４内に所定のパターンを生成するよう操作され、例えば、均一な分布、高強度のホットスポットを伴う均一な分布、ホットスポットパターン、及び／又はこれらの組み合わせを生成するよう操作される。
【０２０４】
任意の好適な接着剤材料を、虫を捕獲するための接着表面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性接着剤を使用することができる。一般に、そのような接着剤の厚さは約０．０１ｍｍ〜１ｍｍの範囲である。いくつかの実施形態において、接着剤厚さは、約０．０５ｍｍ〜０．２ｍｍの範囲であり、厚さ約０．１ｍｍが最もよく使用される。
【０２０５】
この構成の捕虫装置１５１０は、ベース部分１５１２に取り外し可能に取り付けることができる様々な異なる捕虫部分１５１４に対応することができ、それぞれの捕虫部分１５１４は、特定の種類又は複数の種類の虫（飛ぶ虫も飛ばない虫も）を誘引して捕らえるよう独自に構成される。例えば、捕虫部分１５１４の全体の寸法及び形状、捕虫部分１５１４の前部ハウジング１５１８の開口部１５２０の寸法、形状、位置及び向き、並びに担体材料１５６６、前部ハウジング１５１８、ディバイダ１５３４、接着剤１５３６又は後部ハウジング１５４０に含浸させたにおい（複数可）は、特定の種類又は複数の種類の虫を誘引して捕らえるよう独自に構成され得る。
【０２０６】
例えば、いくつかの実施形態において、捕虫部分１５１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分１５１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分１５１４はおよそ、幅２０ｍｍ〜１３０ｍｍ、高さ２０ｍｍ〜１３０ｍｍ、及び奥行き５ｍｍ〜５０ｍｍである。
【０２０７】
いくつかの実施形態において、ベース部分１５１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分１５１２は、幅２０ｍｍ〜２００ｍｍ、高さ１０ｍｍ〜１００ｍｍ、及び奥行き１０ｍｍ〜８０ｍｍである。いくつかの実施形態において、ベース部分１５１２は、幅２０ｍｍ〜１３０ｍｍ、高さ１０ｍｍ〜５０ｍｍ、及び奥行き１０ｍｍ〜５０ｍｍである。
【０２０８】
本明細書で示すように、開口部１５２０は様々な形状及び／又は寸法であり得る。例えば、開口部１５２０の形状は、円形、正方形、長方形、多角形、及び／又は楕円形であり得る。あるいは、開口部１５２０は、直線、曲線、又はうねりの形状又はパターンを有するスロット形状であり得る。開口部１５２０が円形の場合、開口部１５２０の直径は約０．５ｍｍ〜３０ｍｍであり得る。いくつかの実施形態において、円形開口部１５２０の直径は約０．５ｍｍ〜２０ｍｍである。いくつかの実施形態において、円形開口部１５２０の直径は約０．５ｍｍ〜１５ｍｍである。開口部１５２０がスロット形状の場合、開口部１５２０はおよそ、幅２ｍｍ〜３０ｍｍ、長さ５ｍｍ〜５００ｍｍであり得る。いくつかの実施形態において、スロット形状開口部１５２０はおよそ、幅２ｍｍ〜２０ｍｍ、長さ５ｍｍ〜２００ｍｍである。いくつかの実施形態において、スロット形状開口部１５２０はおよそ、幅２ｍｍ〜１５ｍｍ、長さ５ｍｍ〜１００ｍｍである。
【０２０９】
いくつかの実施形態において、開口部１５２０は前部ハウジング１５１８の全部又は一部を占める。例えば、開口部１５２０は、前部ハウジング１５１８の表面積の約１％〜７５％の範囲を占めることができる。いくつかの実施形態において、開口部１５２０は、前部ハウジング１５１８の表面積の約５％〜５０％の範囲を占める。いくつかの実施形態において、開口部１５２０は、前部ハウジング１５１８の表面積の約１０％〜３０％を占める。
【０２１０】
図４１は、捕虫装置の第１６の実施形態の前側斜視図であり、この捕虫装置は全体的に１６１０として示される。捕虫装置１６１０は、ベース部分１６１２と取り外し可能な捕虫部分１６１４とを含む。捕虫部分１６１４は、この図で、ベース部分１６１２から取り外された状態で示されている。捕虫部分１６１４は、前側表面１６６０に少なくとも１つの開口部１６２０を備えた前部ハウジング１６１８を含む。前部ハウジング１６１８の開口部１６２０は、広範な種類の虫を捕虫装置１６１０に受け入れるよう構成することができ、あるいは、１種類以上の特定の種の虫を受け入れるよう構成することができる。いくつかの実施形態において、開口部１６２０は、捕虫部分１６１４を取り外して交換するときに、ユーザーの指が開口部１６２０に入ってしまい捕らえられた虫又は接着剤に誤って触れることを防ぐよう構成される。いくつかの実施形態において、開口部１６２０は、直径２５ｍｍの球が開口部１６２０を通過できないような寸法及び形状を有し、かつ、直径１ｍｍの球が開口部１６２０のいかなる部分も通過できるような寸法及び形状を有する。開口部１６２０の幅、形状及び向きは、均一であってよく又は変化してよく、また、捕虫部分１６１４が複数の開口部１６２０を有する場合は、それらの幅、形状及び向きは、同一であってよく又は異なってよい。開口部１６２０は、１種類以上の個々の虫又は様々な種類の虫を誘引するよう構成することができる。ベース部分１６１２の後側表面１６６２（図４２に図示）から突出しているのは、複数の導電性プロング１６２２であってよく、導電性プロング１６２２を標準の家庭用壁面電気コンセントに差し込むことにより、捕虫装置１６１０を壁面に取り付けて捕虫装置１６１０に電源を供給するよう適合されている。あるいは、ベース部分１６１２は、望ましいように静置又は吊り下げて、ベース部分１６１２内に取り付けられた電池（図示せず）から電力を受け取るよう構成され得る。電気コンセントと電池は、捕虫装置１６１０に電力を供給するものとして記述されるが、任意の好適な電源を使用することができる。ベース部分１６１２は、１つ以上のＬＥＤ  １６２４などの発光エレメントを含む。いくつかの実施形態において、ＬＥＤ  １６２４は、ＵＶ光を発するＬＥＤを少なくとも１つ、及び可視光を発するＬＥＤを少なくとも１つ含む。いくつかの実施形態において、ＬＥＤ  １６２４は、広範な種の虫をよりよく誘引するために、ＵＶ光を発するＬＥＤを少なくとも１つ、及び青色光を発するＬＥＤを少なくとも１つ含む。いくつかの実施形態において、この発光エレメントは、日光を模した波長の組み合わせを放射する。いくつかの実施形態において、ＬＥＤ  １６２４は、蚊及びノミなどの特定の種の虫をよりよく誘引するために、ＩＲ光を発するＬＥＤを少なくとも１つ含む。ベース部分１６１２の上表面１６２６には開口部１６５２があり、これは透明又は半透明のウィンドウ１６２８で覆われていてよく、図ではＬＥＤ  １６２４を見えるようにするため部分的に切り取られている。ウィンドウ１６２８はＬＥＤ  １６２４をダストと虫の屑から保護し、ベース部分１６１２をクリーニングしやすくする。上表面１６２６の第２開口部１６５４には、電気機械式アクチュエーター１６５６（好ましくは圧電スピーカーなどの発信機又はトランシーバー）が取り付けられている。上表面１６２６には更にスロット１６３０があってよく、上表面１６２６の外周には、縁又は上向きの突出部１６３２がある。
【０２１１】
図４２は、捕虫装置１６１０を通る断面図である。捕虫部分１６１４は、前側表面１６３８を備えたディバイダ１６３４と、内側表面１６４２を備えた後部ハウジング１６４０とを含む。いくつかの実施形態において、ディバイダ１６３４は透明又は半透明の材料から構築されるか又はこれを含み、前側表面１６３８が透明又は半透明の接着剤１６３６でコーティングされ得る。いくつかの実施形態において、ディバイダ１６３４は、飛ぶ虫（広範な種類の飛ぶ虫が、偏光を感知することが知られている）を更に誘引するため、日光と同様に、ある向きで透過する光を偏光するよう構成される。いくつかの実施形態において、後部ハウジング１６４０の内側表面１６４２は反射性材料でコーティングされている。いくつかの実施形態において、後部ハウジング１６４０の材料及び表面仕上げは、反射性コーティングなしに、ＵＶ光及び／又は可視光を反射及び分散させるように構成され得る。いくつかの実施形態において、ディバイダ１６３４の材料及び厚さと接着剤１６３６の材料及び厚さは、ＵＶ光及び／又は可視光及び／又はＩＲ光のうちかなりの割合を透過するよう選択され、例えば、光の６０％超がディバイダ１６３４と接着剤１６３６を透過するよう選択される。後部ハウジング１６４０は、その下表面に開口部１６４４を含んでよく、あるいは開口部１６４４は、透明又は半透明のウィンドウに置き換えられてもよい。
【０２１２】
いくつかの実施形態において、前部ハウジング１６１８と後部ハウジング１６４０は、不透明なプラスチックシートから熱形成され、低価格と使い捨て性を維持しながら、クリーンで審美的に心地良い形状を形成する。あるいは、紙、板紙、厚紙又は紙パルプなどの不透明、透明又は半透明の材料も使用することができる。いくつかの実施形態において、前部ハウジング１６１８及び後部ハウジング１６４０は、射出成形又はその他の好適な製造技法により構築される。図示のように、ディバイダ１６３４は実質的に平らであってよく、ＬＥＤ  １６２４により生成される光の主方向（図示せず）に対して平行又はある角度になるように構成することができる。あるいは、ディバイダ１６３４は、光の均一な分布を最適化するよう、凸状、凹状、又はサドル形状（図示せず）、又は形状の組み合わせに形成され得る。いくつかの実施形態において、ディバイダ１６３４は、接着表面面積を増大させ、明暗コントラストの領域を形成するような、畝又はその他の特徴（図示せず）を有し、これにより、広範な種類の虫に対して可視性が高く、虫をより誘引しやすくなり得る。
【０２１３】
いくつかの実施形態において、前部ハウジング１６１８は、内側表面が透明、半透明又は不透明の接着剤（図示せず）でコーティングされており、これにより付加的な捕虫効果及び能力が提供される。加えて、前部ハウジング１６１８は更に内側表面の接着剤コーティングの下に反射性コーティング（図示せず）を有してよく、これにより、虫の誘引効果を強化し、捕虫効果及び効率を更に改善する。
【０２１４】
いくつかの実施形態において、前部ハウジング１６１８、ディバイダ１６３４及び後部ハウジング１６４０は、その交差部又は係合部が接着剤で接合されているが、これらは他の一般的に使用されているパッケージング組立技法により接合されてよく、例えば超音波溶接又はＲＦ密封、又はその他任意の好適な組立方法により接合され得る。図示のように、ディバイダ１６３４は、捕虫部分１６１４を前部エンクロージャ１６４６と後部エンクロージャ１６４８とに区分している。
【０２１５】
いくつかの実施形態において、ベース部分１６１２は、コマンドを実行するためのプログラム可能プロセッサ又はチップ（図示せず）を有する回路基板１６５０を含み、これは導電性プロング１６２２（１つのみが図示されている）、及びＬＥＤ  １６２４に電気的に接続されている。ただし、見やすくするため、電気的接続は一部しか示されていない。回路基板１６５０は、導電性プロング１６２２から通常の家庭用電流を受け取り、ＬＥＤ  １６２４を点灯させる電力を供給するための電子回路部品を含み得る。回路基板１６５０は、ＬＥＤ  １６２４に定電圧を供給する、全波整流回路又はその他の回路などのエネルギー安定器を含み得るが、ただし、一部の種の虫（蚊を含む）にとって誘引性となり得るような動きを模倣するちらつき光を提供するように、ＬＥＤ  １６２４に変動電圧を供給することもできる。例えば、およそ０．０５Ｈｚ（例えば、大型哺乳動物の呼吸数を模倣する）〜２５０Ｈｚ（例えば、オスのイエバエを誘引するちらつきの最高周波数）の範囲の光ちらつき周波数が望ましいことがあり、発光エレメントがこの範囲内でちらつくよう構成することができる。回路基板１６５０は、ＵＶ光及び／又は可視光及び／又はＩＲ光を提供するために、ＬＥＤ  １６２４に電力を供給するが、ただし、ＵＶ光及び／又は可視光及び／又はＩＲ光のちらつきの組み合わせを生み出すために、ＵＶ  ＬＥＤ  １６２４のみ又は可視光ＬＥＤ  １６２４のみ又はＩＲ光ＬＥＤ  １６２４のみに電力を供給するか、あるいは変動電力を供給するよう、構成することもできる。回路基板１６５０は更に、虫誘引性の音を発するために、ベース部分１６１２の開口部１６５４に取り付けられたアクチュエーター１６５６を駆動するよう構成され得る。いくつかの実施形態において、アクチュエーター１６５６は、虫（蚊、小昆虫、蛾、又は蠅など）をよりよく誘引するために、録音及び／又は生成された虫の音又は振動を発することができ、これには、虫の発信、応答、求愛、及び連結の歌のうち１つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜２４０ｋＨｚ（例えば、虫が感知可能な最高周波数）の範囲の周波数を有する虫誘引性の単音又は複数の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置１６１０から約２メートル以内の距離にいる虫に感知可能となることが望ましい。そのような虫誘引性の音は、捕虫装置１６１０から約１メートル以内の距離にいる人間に感知できないものであることが望ましい。
【０２１６】
図示のように、ベース部分１６１２の上表面１６２６のスロット１６３０と、ベース部分１６１２の上表面１６２６の突出部１６３２とが、捕虫部分１６１４と係合して、使用中に定位置に固定させる。ただし、捕虫部分１６１４をベース部分１６１２に取り外し可能にしっかりと取り付けることができるような、他の任意の取り付けの形態に置き換えることができる。
【０２１７】
捕虫装置１６１０の操作において、導電性プロング１６２２（１つのみが図示されている）を壁面電気コンセントに差し込む。回路基板１６５０が、ＬＥＤ  １６２４とアクチュエーター１６５６に電力を供給する。ＬＥＤ  １６２４が光を発し（矢印で表わされている）、これはベース部分１６１２のウィンドウ１６２８を透過して、捕虫部分１６１４の後部ハウジング１６４０の開口部１６４４を通り、後部エンクロージャ１６４８に入り、後部ハウジング１６４０の内側表面１６４２内に直接当たり、ディバイダ１６３４の後側表面１６５８に当たる。いくつかの実施形態において、光はベース部分１６１２内では操作されず、捕虫部分１６１４内へ直接発光される。後部ハウジング１６４０の内側表面１６４２は凹状形状を含み得、ＬＥＤ  １６２４からの光を反射及び分散させて、光をディバイダ１６３４の後側表面１６５８に均等に分配するよう構成することができるが、ただし、後部ハウジング１６４０の内側表面１６４２は凸状又はサドル形状又は形状の組み合わせを有していてよく、あるいは、光をより均一に分配するように、畝又はその他の特徴（図示せず）を有してもよい。あるいは、ディバイダ１６３４の後側表面１６５８にＵＶ及び可視光を分配するよう（例えば均等に、特定のパターンに従って、焦点を絞って、など）構成された、アナモルフィックレンズ（図示せず）又はその他のレンズ又はレンズの組み合わせなどの光学的エンハンサーを、後部ハウジング１６４０の開口部１６４４又はその近くで後部ハウジング１６４０に取り付けてよく、又はベース部分１６１２のウィンドウ１６２８又はその近くでベース部分１６１２に取り付けてよく、また、後部ハウジング１６４０の内側表面１６４２の役割を置換又は増強することができる。いくつかの実施形態において、ＬＥＤ  １６２４からの光は、ディバイダ１６３４の後側表面１６５８に斜めの角度（例えば、約０°〜９０°の鋭角）で直接当たり、ディバイダ１６３４全体にわたって広がり、後部ハウジング１６４０の内側表面１６４２の役割、又は後部ハウジング１６４０に取り付けられたレンズ（複数可）の役割を置換又は増強し得る。
【０２１８】
その後、光は、ディバイダ１６３４及び前側表面１６３８の接着剤１６３６を透過し、前部エンクロージャ１６４６に入る。光は更に、ディバイダ１６３４、接着剤１６３６、又はこれら両方の光散乱特性により、均一に分配され得る。前部エンクロージャ１６４６に入る光の一部が、前部ハウジング１６１８の開口部１６２０を通って、捕虫装置１６１０が設置されている周辺領域に放射される。アクチュエーター１６５６は虫誘引性の振動を生成し、これが捕虫部分１６１４の前部ハウジング１６１８を通って捕虫部分１６１４の前部エンクロージャ１６４６に入り、捕虫部分１６１４の開口部１６２０を通って外に出る。加えて、アクチュエーター１６５６は、捕虫部分１６１４の前部ハウジング１６１８を振動させて、虫誘引性の音又は振動を室内に放出させることができる。接着剤１６３６と、前部ハウジング１６１８の開口部１６２０とを通って放射される光に、虫が誘引される。虫は更に、ベース部分１６１２のアクチュエーター１６５６によって生成され捕虫部分１６１４の前部ハウジング１６１８を通過する音又は振動にも誘引される。虫が、開口部１６２０に飛び入り又は這い入って接着剤１６３６の表面に当たり、ここで虫が捕らえられる。ユーザーは、前部ハウジング１６１８の開口部１６２０を通して見ることにより、捕らわれた虫を観察できる。十分な数の虫が捕獲されると、ユーザーは、捕獲された虫、虫の屑又は接着剤（これらは捕虫部分１６１４内の届かないところに留まる）に触れることなしに、使用済みの捕虫部分１６１４全体を容易に取り外して捨て、新しい捕虫部分１６１４に交換することができる。新しい捕虫部分１６１４は、接着剤コーティングされた新しい表面と光誘導表面を有しており、捕虫装置１６１０が引き続き効率的かつ効果的に虫を確実に誘引して捕らえることができるようになる。
【０２１９】
いくつかの実施形態において、捕虫部分１６１４はベース部分１６１２の前ではなく上に取り付けられているため、普通の家庭用壁面コンセントに差し込んだときに、捕虫装置１６１０の壁面からの突出が最小限に抑えられ、これによって、家庭環境に対する邪魔を最小限に抑える。いくつかの実施形態において、捕虫装置１６１０は、壁面に取り付けられたとき、捕虫装置１６１０が壁から突出する合計距離によって画定される合計奥行きが、捕虫装置１６１０の全体高さ及び全体の幅よりも小さくなるように構成される。
【０２２０】
捕虫装置１６１０の利点は、捕虫部分１６１４内の光の操作であることが理解されよう。いくつかの実施形態において、光の操作は捕虫部分１６１４内でのみ起こる。光の操作には、反射、屈折、偏光、分散及び／又は散乱が含まれ得、これは操作可能なエレメント又は表面（例えば、内側表面１６４２、ディバイダ１６３４及び接着剤１６３６）と係合することにより達成される。いくつかの実施形態において、光の操作は、接着剤１６３６上に光の均等な分布を生成する。いくつかの実施形態において、光は、接着剤１６３６の上又は捕虫部分１６１４内に所定のパターンを生成するよう操作され、例えば、均一な分布、高強度のホットスポットを伴う均一な分布、ホットスポットパターン、及び／又はこれらの組み合わせを生成するよう操作される。
【０２２１】
任意の好適な接着剤材料を、虫を捕獲するための接着表面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性接着剤を使用することができる。一般に、そのような接着剤の厚さは約０．０１ｍｍ〜１ｍｍの範囲である。いくつかの実施形態において、接着剤厚さは、約０．０５ｍｍ〜０．２ｍｍの範囲であり、厚さ約０．１ｍｍが最もよく使用される。
【０２２２】
この構成の捕虫装置１６１０は、ベース部分１６１２に取り外し可能に取り付けることができる様々な異なる捕虫部分１６１４に対応することができ、それぞれの捕虫部分１６１４は、特定の種類又は複数の種類の虫（飛ぶ虫も飛ばない虫も）を誘引して捕らえるよう独自に構成される。例えば、捕虫部分１６１４の全体の寸法及び形状、捕虫部分１６１４の前部ハウジング１６１８の開口部１６２０の寸法、形状、位置及び向き、並びに捕虫部分１６１４の固有周波数及び音増幅特性は、特定の種類又は複数の種類の虫（飛ぶ虫も飛ばない虫も）を誘引して捕らえるよう独自に構成される。例えば、いくつかの実施形態において、捕虫部分１６１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分１６１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分１６１４はおよそ、幅２０ｍｍ〜１３０ｍｍ、高さ２０ｍｍ〜１３０ｍｍ、及び奥行き５ｍｍ〜５０ｍｍである。
【０２２３】
いくつかの実施形態において、ベース部分１６１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分１６１２は、幅２０ｍｍ〜２００ｍｍ、高さ１０ｍｍ〜１００ｍｍ、及び奥行き１０ｍｍ〜８０ｍｍである。いくつかの実施形態において、ベース部分１６１２は、幅２０ｍｍ〜１３０ｍｍ、高さ１０ｍｍ〜５０ｍｍ、及び奥行き１０ｍｍ〜５０ｍｍである。
【０２２４】
本明細書で示すように、開口部１６２０は様々な形状及び／又は寸法であり得る。例えば、開口部１２０の形状は、円形、正方形、長方形、多角形、及び／又は楕円形であり得る。あるいは、開口部１６２０は、直線、曲線、又はうねりの形状又はパターンを有するスロット形状であり得る。開口部１６２０が円形の場合、開口部１６２０の直径は約０．５ｍｍ〜３０ｍｍであり得る。いくつかの実施形態において、円形開口部１６２０の直径は約０．５ｍｍ〜２０ｍｍである。いくつかの実施形態において、円形開口部１６２０の直径は約０．５ｍｍ〜１５ｍｍである。開口部１６２０がスロット形状の場合、開口部１６２０はおよそ、幅２ｍｍ〜３０ｍｍ、長さ５ｍｍ〜５００ｍｍであり得る。いくつかの実施形態において、スロット形状開口部１６２０はおよそ、幅２ｍｍ〜２０ｍｍ、長さ５ｍｍ〜２００ｍｍである。いくつかの実施形態において、スロット形状開口部１６２０はおよそ、幅２ｍｍ〜１５ｍｍ、長さ５ｍｍ〜１００ｍｍである。
【０２２５】
いくつかの実施形態において、開口部１６２０は前部ハウジング１６１８の全部又は一部を占める。例えば、開口部１６２０は、前部ハウジング１６１８の表面積の約１％〜７５％の範囲を占めることができる。いくつかの実施形態において、開口部１６２０は、前部ハウジング１６１８の表面積の約５％〜５０％を占める。いくつかの実施形態において、開口部１６２０は、前部ハウジング１６１８の表面積の約１０％〜３０％を占める。
【０２２６】
図４３は、捕虫装置の第１７の実施形態の後側斜視図であり、この捕虫装置は全体的に１７１０として示される。捕虫装置１７１０は、ベース部分１７１２と取り外し可能な捕虫部分１７１４とを含む。捕虫部分１７１４は、この図で、部分的に切り取られ、ベース部分１７１２から取り外された状態で示されている。捕虫部分１７１４は、前側表面１７１６に少なくとも１つの開口部１７２０を備えた前部ハウジング１７１８と、後部ハウジング１７４０と、後側表面１７５２を備えたディバイダ１７３４を含む。前部ハウジング１７１８の開口部１７２０は、広範な種類の虫を捕虫装置１７１０に受け入れるよう構成することができ、あるいは、１種類以上の特定の種の虫を受け入れるよう構成することができる。いくつかの実施形態において、開口部１７２０は、捕虫部分１７１４を取り外して交換するときに、ユーザーの指が開口部１７２０に入ってしまい捕らえられた虫又は接着剤に誤って触れることを防ぐよう構成される。いくつかの実施形態において、開口部１７２０は、直径２５ｍｍの球が開口部１７２０を通過できないような寸法及び形状を有し、かつ、直径１ｍｍの球が開口部１７２０のいかなる部分も通過できるような寸法及び形状を有する。開口部１７２０の幅、形状及び向きは、均一であってよく又は変化してよく、また、捕虫部分１７１４が複数の開口部１７２０を有する場合は、それらの幅、形状及び向きは、同一であってよく又は異なってよい。開口部１７２０は、１種類以上の個々の虫又は様々な種類の虫を誘引するよう構成することができる。ディバイダ１７３４の後側表面１７５２には、電気機械式アクチュエーター１７５４（好ましくは圧電アクチュエーターなどの発信機又はトランシーバー）が取り付けられている。アクチュエーター１７５４には、捕虫電気ワイヤ１７５６が取り付けられている。２本の捕虫ワイヤ１７５６がアクチュエーター１７５４に取り付けられて示されているが、任意の好適な数のワイヤを使用することができる。後部ハウジング１７４０は、その下表面に開口部１７４４を含んでよく、あるいは開口部１７４４は、透明又は半透明のウィンドウ（図示せず）に置き換えられてもよい。
【０２２７】
ベース部分１７１２の後側表面１７６８から突出しているのは、複数の導電性プロング１７２２であり、導電性プロング１７２２を標準の家庭用壁面電気コンセントに差し込むことにより、捕虫装置１７１０を壁面に取り付けて捕虫装置１７１０に電源を供給するよう適合されている。あるいは、ベース部分１７１２は、望ましいように静置又は吊り下げて、ベース部分１７１２内に取り付けられた電池（図示せず）から電力を受け取るよう構成され得る。電気コンセントと電池は、捕虫装置１７１０に電力を供給するものとして記述されるが、任意の好適な電源を使用することができる。ベース部分１７１２は、１つ以上のＬＥＤ  １７２４などの発光エレメントを含む。いくつかの実施形態において、ＬＥＤ  １７２４は、ＵＶ光を発するＬＥＤを少なくとも１つ、及び可視光を発するＬＥＤを少なくとも１つ含む。いくつかの実施形態において、ＬＥＤ  １７２４は、広範な種の虫をよりよく誘引するために、ＵＶ光を発するＬＥＤを少なくとも１つ、及び青色光を発するＬＥＤを少なくとも１つ含む。いくつかの実施形態において、この発光エレメントは、日光を模した波長の組み合わせを放射する。いくつかの実施形態において、ＬＥＤ  １７２４は、蚊を含む特定の種の虫をよりよく誘引するために、赤外（ＩＲ）を発するＬＥＤを少なくとも１つ含む。ベース部分１７１２の上表面１７２６には開口部１７６６が含まれ、これは透明又は半透明のウィンドウ１７２８で覆われていてよく、図ではＬＥＤ  １７２４を見えるようにするため部分的に切り取られている。ウィンドウ１７２８はＬＥＤ  １７２４をダストと虫の屑から保護し、ベース部分１７１２をクリーニングしやすくする。ベース部分１７１２の上表面１７２６にある１つ以上の追加開口部１７５８には、複数のベース電気接触１７６０が取り付けられている。２つのベース接触１７６０が示されているが、任意の好適な数の接触を使用することができる。上表面１７２６にはスロット１７３０があってよく、上表面１７２６の外周には、縁又は上向きの突出部１７３２がある。
【０２２８】
図４４は捕虫装置１７１０を通る切り欠き断面図であり、ベース部分１７１２と捕虫部分１７１４の内部が示されている。図４５は図４４の一部の拡大図である。いくつかの実施形態において、後部ハウジング１７４０は、反射性コーティングされた内側表面１７４２を含む。あるいは、後部ハウジング１７４０の材料及び表面仕上げは、反射性コーティングなしに、ＵＶ光及び／又は可視光及び／又はＩＲ光を反射するように構成され得る。いくつかの実施形態において、ディバイダ１７３４は透明又は半透明の材料から構築されるか又はこれを含み、前側表面１７３８が透明又は半透明の接着剤１７３６でコーティングされ得る。いくつかの実施形態において、ディバイダ１７３４は、飛ぶ虫（広範な種類の飛ぶ虫が、偏光を感知することが知られている）を更に誘引するため、日光と同様に、ある向きで透過する光を偏光するよう構成される。いくつかの実施形態において、ディバイダ１７３４の材料及び厚さと接着剤１７３６の材料及び厚さは、ＵＶ光及び／又は可視光及び／又はＩＲ光のうちかなりの割合を透過するよう選択され、例えば、光の６０％超がディバイダ１７３４と接着剤１７３６を透過するよう選択される。
【０２２９】
いくつかの実施形態において、前部ハウジング１７１８と後部ハウジング１７４０は、不透明なプラスチックシートから熱形成され、低価格と使い捨て性を維持しながら、クリーンで審美的に心地良い形状を形成する。あるいは、紙、板紙、厚紙又は紙パルプなどの不透明、透明又は半透明の材料も使用することができる。いくつかの実施形態において、前部ハウジング１７１８及び後部ハウジング１７４０は、射出成形又はその他の好適な製造技法により構築される。図示のように、ディバイダ１７３４は実質的に平らであり、ＬＥＤ  １７２４により生成される光の主方向に対して平行又はある角度になるように構成することができる。いくつかの実施形態において、ディバイダ１７３４は、光の均一な分布を最適化するよう、凸状、凹状、又はサドル形状、又は形状の組み合わせに形成され得る。いくつかの実施形態において、ディバイダ１７３４は、接着表面面積を増大させ、明暗コントラストの領域を形成するような、畝又はその他の特徴（図示せず）を有し得、これにより、広範な種類の虫に対して可視性が高く、虫をより誘引しやすくなり得る。
【０２３０】
いくつかの実施形態において、前部ハウジング１７１８は更に、その内側表面が透明、半透明又は不透明の接着剤でコーティングされてよく、これにより付加的な捕虫効果及び能力が提供される。加えて、前部ハウジング１７１８は更に内側表面の接着剤コーティングの下に反射性コーティング（図示せず）を有してよく、これにより、虫の誘引効果を強化し、捕虫効果及び効率を更に改善する。
【０２３１】
いくつかの実施形態において、前部ハウジング１７１８、ディバイダ１７３４及び後部ハウジング１７４０は、交差又は係合する場所で、超音波溶接又は高周波（ＨＦ）溶接で接合させることができるが、接着剤により、又は他の任意の好適な組立技法により、恒久的又は取り外し可能に接合することもできる。捕虫部分１７１４の材料は更に、１つ以上の虫誘引性物質を含み得る。例えば、捕虫部分１７１４は、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコール（trunc-call）を含む）、双翅類誘引剤（セラルア、キュールア（cue-lure）、ラチルア、メドルア、モグチュン、ムスカルア、及びトリメドルアを含む）、同翅類誘引剤（レスカルアを含む）、鱗翅類誘引剤（例えばディスパールア）、直鎖レピドプテランフェロモン（コドレルア、ゴシップルア、ヘキサルア、リトルア、ループルア、オルフラルア、及びオストラモンを含む）、及びその他の虫誘引性物質（例えばオイゲノール、メチルオイゲノール、及びシグルア）、又はその他の、捕虫装置１７１０の虫誘引効率を更に向上させるにおいを供給する物質を、含浸させることができる。そのような実施形態において、虫誘引性物質は、捕虫部分１７１４に一体化している。あるいは、虫誘引性物質は、前部ハウジング１７１８の内側表面に、又は前部ハウジング１７１８の開口部１７２０を通して、又はディバイダ１７３４の前側表面１７３８に取り付けられる、別個のピース（図示せず）に埋め込むことができる。そのような誘引物質は、捕虫装置１７１０から半径約２メートルにいる虫に感知可能となることが望ましい。ディバイダ１７３４は、捕虫部分１７１４を前部エンクロージャ１７４６と後部エンクロージャ１７４８とに区分している。後部ハウジング１７４０には、ベース部分１７１２のベース接触１７６０に対応する複数の捕虫電気接触１７６２（１つのみが図示されている）が含まれる。捕虫接触１７６２は捕虫ワイヤ１７５６に電気的に接続され、捕虫部分１７１４がベース部分１７１２に取り付けられたときに、ベース接触１７６０（１つのみが図示されている）と電気的接触を形成するよう構成されている。いくつかの実施形態において、ベース部分１７１２は、コマンドを実行するためのプログラム可能プロセッサ又はチップ（図示せず）を有する回路基板１７５０を含み、これは導電性プロング１７２２（１つのみが図示されている）、ＬＥＤ  １７２４（１つのみが図示されている）、及び、ベース接触１７６０に対応する複数のベース電気ワイヤ１７６４（１本のみが図示されている）に、電気的に接続されている。回路基板１７５０は、導電性プロング１７２２（１つのみが図示されている）、ＬＥＤ  １７２４（１つのみが図示されている）、及びベースワイヤ１７６４に電気的に接続されていてよく、これらが更に、それぞれ対応するベース接触１７６０に電気的に接続されていてよい。したがって、ディバイダ１７３４の後側表面１７５２に取り付けられているアクチュエーター１７５４は、捕虫部分１７１４がベース部分１７１２��取り付けられているときに、回路基板１７５０に電気的に接続され得る。ただし、見やすくするため、電気的接続は一部しか示されていない。回路基板１７５０は、導電性プロング１７２２から通常の家庭用電流を受け取り、ＬＥＤ  １７２４を点灯させる電力を供給するための電子回路部品を含み得る。回路基板１７５０は、ＬＥＤ  １７２４に定電圧を供給する、全波整流回路又はその他の回路などのエネルギー安定器を含み得るが、ただし、一部の種の虫（蚊を含む）にとって誘引性となり得るような動きを模倣するちらつき光を提供するように、ＬＥＤ  １７２４に変動電圧を供給することもできる。例えば、およそ０．０５Ｈｚ（例えば、大型哺乳動物の呼吸数を模倣する）〜２５０Ｈｚ（例えば、オスのイエバエを誘引するちらつきの最高周波数）の範囲の光ちらつき周波数が望ましいことがあり、発光エレメントがこの範囲内でちらつくよう構成することができる。回路基板１７５０は、ＵＶ光及び可視光の両方を提供するために、ＬＥＤ  １７２４に電力を供給するが、ただし、ＵＶ光及び／又は可視光及び／又はＩＲ光のちらつきの組み合わせを生み出すために、ＵＶ  ＬＥＤ  １７２４のみ又は可視光ＬＥＤ  １７２４のみ又はＩＲ  ＬＥＤ  １７２４のみに電力を供給するか、あるいは変動電力を供給するよう、構成することもできる。回路基板１７５０は更に、虫誘引性の音を発するよう、アクチュエーター１７５４に電力を供給するよう構成することができる。いくつかの実施形態において、この発信機又はトランシーバーは、虫（蚊、小昆虫、蛾、又は蠅など）をよりよく誘引するために、録音及び／又は生成された虫の音又は振動を発することができ、これには、虫の発信、応答、求愛、及び連結の歌のうち１つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の単音又は複数の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置１７１０から約２メートル以内の距離にいる虫に感知可能となることが望ましい。そのような虫誘引性の音は、捕虫装置１７１０から約１メートル以内の距離にいる人間に感知できないものであることが望ましい。
【０２３２】
図示のように、ベース部分１７１２の上表面１７２６のスロット１７３０と、ベース部分１７１２の上表面１７２６の突出部１７３２とが、捕虫部分１７１４と係合して、使用中に定位置に固定させる。ただし、捕虫部分１７１４をベース部分１７１２に取り外し可能にしっかりと取り付けることができるような、他の任意の取り付けの形態に置き換えることができる。
【０２３３】
捕虫装置１７１０の操作において、導電性プロング１７２２を壁面電気コンセントに差し込むと、回路基板１７５０がＬＥＤ  １７２４及びアクチュエーター１７５４に電力を供給する。ＬＥＤ  １７２４が光を発し（矢印で表わされている）、これはベース部分１７１２のウィンドウ１７２８を透過して、捕虫部分１７１４の後部ハウジング１７４０の開口部１７４４を通り、後部エンクロージャ１７４８に入り、後部ハウジング１７４０の内側表面１７４２内に直接当たり、ディバイダ１７３４の後側表面１７５２に当たる。いくつかの実施形態において、光はベース部分１７１２内では操作されず、捕虫部分１７１４内へ直接発光される。後部ハウジング１７４０の内側表面１７４２は凹状形状を含み得、ＬＥＤ  １７２４からの光を発して、光をディバイダ１７３４の後側表面１７５２に均等に分配するよう構成することができるが、ただし、後部ハウジング１７４０の内側表面１７４２の形状は凸状又はサドル形状又は形状の組み合わせを有していてよく、あるいは、光をより均一に分配するように、畝又はその他の特徴（図示せず）を有してもよい。あるいは、ディバイダ１７３４の後側表面１７５２に光を分配するよう（例えば均等に、特定のパターンに従って、焦点を絞って、など）構成された、アナモルフィックレンズ（図示せず）又はその他のレンズ又はレンズの組み合わせなどの光学的エンハンサーを、後部ハウジング１７４０の開口部１７４４又はその近くで後部ハウジング１７４０に取り付けてよく、又はベース部分１７１２の開口部１７６６又はその近くでベース部分１７１２に取り付けてよく、また、後部ハウジング１７４０の内側表面１７４２の役割を置換又は増強することができる。いくつかの実施形態において、ＬＥＤ  １７２４からの光は、ディバイダ１７３４の後側表面１７５２に斜めの角度（例えば、約０°〜９０°の鋭角）で直接当たり、ディバイダ１７３４全体にわたって広がり、後部ハウジング１７４０の内側表面１７４２の役割、又は後部ハウジング１７４０に取り付けられたレンズ（複数可）の役割を置換又は増強し得る。
【０２３４】
その後、光は、ディバイダ１７３４及び前側表面１７３８の接着剤１７３６を透過し、前部エンクロージャ１７４６に入る。この光は更に、ディバイダ１７３４、前側表面１７３８の接着剤１７３６、又はこれら両方の光散乱特性により、均一に分配され得る。前部エンクロージャ１７４６に入る光の一部が、前部ハウジング１７１８の開口部１７２０を通って、捕虫装置が設置されている周辺領域に放射される。アクチュエーター１７５４は虫誘引性の振動を生成し、これがディバイダ１７３４により増幅され、捕虫部分１７１４の前部エンクロージャ１７４６を通り、捕虫部分１７１４の開口部１７２０を通って外に出る。接着剤１７３６と、前部ハウジング１７１８の開口部１７２０とを通って放射される光に、虫が誘引される。虫は更に、アクチュエーター１７５４により生成された虫誘引性の振動に誘引される。虫が、開口部１７２０に飛び入り又は這い入って接着剤１７３６の表面に当たり、ここで虫が捕らえられる。ユーザーは、前部ハウジング１７１８の開口部１７２０を通して見ることにより、捕らわれた虫を観察できる。十分な数の虫が捕獲されると、ユーザーは、捕獲された虫、虫の屑又は接着剤（これらは捕虫部分１７１４内の届かないところに留まる）に触れることなしに、使用済みの捕虫部分１７１４全体を容易に取り外して捨て、新しい捕虫部分１７１４に交換することができる。新しい捕虫部分１７１４は、接着剤コーティングされた新しい表面と光誘導表面を有しており、捕虫装置１７１０が引き続き効率的かつ効果的に虫を確実に誘引して捕らえることができるようになる。
【０２３５】
いくつかの実施形態において、捕虫部分１７１４はベース部分１７１２の前ではなく上に取り付けられているため、普通の家庭用壁面コンセントに差し込んだときに、捕虫装置１７１０の壁面からの突出が最小限に抑えられ、これによって、家庭環境に対する邪魔を最小限に抑える。いくつかの実施形態において、捕虫装置１７１０は、壁面に取り付けられたとき、捕虫装置１７１０が壁から突出する合計距離によって画定される合計奥行きが、捕虫装置１７１０の全体高さ及び全体の幅よりも小さくなるように構成される。
【０２３６】
捕虫装置１７１０の利点は、捕虫部分１７１４内の光の操作であることが理解されよう。いくつかの実施形態において、光の操作は捕虫部分１７１４内でのみ起こる。光の操作には、反射、屈折、偏光、分散及び／又は散乱が含まれ得、これは操作可能なエレメント又は表面（例えば、内側表面１７４２、ディバイダ１７３４及び接着剤１７３６）と係合することにより達成される。いくつかの実施形態において、光の操作は、接着剤１７３６上に光の均等な分布を生成する。いくつかの実施形態において、光は、接着剤１７３６の上又は捕虫部分１７１４内に所定のパターンを生成するよう操作され、例えば、均一な分布、高強度のホットスポットを伴う均一な分布、ホットスポットパターン、及び／又はこれらの組み合わせを生成するよう操作される。
【０２３７】
任意の好適な接着剤材料を、虫を捕獲するための接着表面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性接着剤を使用することができる。一般に、そのような接着剤の厚さは約０．０１ｍｍ〜１ｍｍの範囲である。いくつかの実施形態において、接着剤厚さは、約０．０５ｍｍ〜０．２ｍｍの範囲であり、厚さ約０．１ｍｍが最もよく使用される。
【０２３８】
この構成の捕虫装置１７１０は、ベース部分１７１２に取り外し可能に取り付けることができる様々な異なる捕虫部分１７１４に対応することができ、それぞれの捕虫部分１７１４は、特定の種類又は複数の種類の飛ぶ虫を誘引して捕らえるよう独自に構成される。例えば、捕虫部分１７１４の全体の寸法及び形状、捕虫部分１７１４の前部ハウジング１７１８の開口部１７２０の寸法、形状、位置及び向き、アクチュエーター１７５４の振動性性特性、並びに捕虫部分１７１４の固有周波数及び音増幅特性は、特定の種類又は複数の種類の飛ぶ虫を誘引して捕らえるよう独自に構成される。
【０２３９】
例えば、いくつかの実施形態において、捕虫部分１７１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分１７１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分１７１４はおよそ、幅２０ｍｍ〜１３０ｍｍ、高さ２０ｍｍ〜１３０ｍｍ、及び奥行き５ｍｍ〜５０ｍｍである。
【０２４０】
いくつかの実施形態において、ベース部分１７１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分１７１２は、幅２０ｍｍ〜２００ｍｍ、高さ１０ｍｍ〜１００ｍｍ、及び奥行き１０ｍｍ〜８０ｍｍである。いくつかの実施形態において、ベース部分１７１２は、幅２０ｍｍ〜１３０ｍｍ、高さ１０ｍｍ〜５０ｍｍ、及び奥行き１０ｍｍ〜５０ｍｍである。
【０２４１】
本明細書で示すように、開口部１７２０は様々な形状及び／又は寸法であり得る。例えば、開口部１７２０の形状は、円形、正方形、長方形、多角形、及び／又は楕円形であり得る。あるいは、開口部１７２０は、直線、曲線、又はうねりの形状又はパターンを有するスロット形状であり得る。開口部１７２０が円形の場合、開口部１７２０の直径は約０．５ｍｍ〜３０ｍｍであり得る。いくつかの実施形態において、円形開口部１７２０の直径は約０．５ｍｍ〜２０ｍｍである。いくつかの実施形態において、円形開口部１７２０の直径は約０．５ｍｍ〜１５ｍｍである。開口部１７２０がスロット形状の場合、開口部１７２０はおよそ、幅２ｍｍ〜３０ｍｍ、長さ５ｍｍ〜５００ｍｍであり得る。いくつかの実施形態において、スロット形状開口部１７２０はおよそ、幅２ｍｍ〜２０ｍｍ、長さ５ｍｍ〜２００ｍｍである。いくつかの実施形態において、スロット形状開口部１７２０はおよそ、幅２ｍｍ〜１５ｍｍ、長さ５ｍｍ〜１００ｍｍである。
【０２４２】
いくつかの実施形態において、開口部１７２０は前部ハウジング１７１８の全部又は一部を占める。例えば、開口部１７２０は、前部ハウジング１７１８の表面積の約１％〜７５％の範囲を占めることができる。いくつかの実施形態において、開口部１７２０は、前部ハウジング１７１８の表面積の約５％〜５０％を占める。いくつかの実施形態において、開口部１７２０は、前部ハウジング１７１８の表面積の約１０％〜３０％を占める。
【０２４３】
図４６は、捕虫装置の第１８の実施形態の前側斜視図であり、この捕虫装置は全体的に１８１０として示される。捕虫部分１８１４はこの図で部分的に切り取られて示されている。捕虫装置１８１０は、ベース部分１８１２と取り外し可能な捕虫部分１８１４とを含む。ベース部分１８１２は、前述の他の実施形態のベース部分と同一又は同様であってよい。捕虫部分１８１４は、前側表面１８３０に少なくとも１つの開口部１８１８を備えた前部ハウジング１８１６と、後部ハウジング１８２０と、前側表面１８２４を備えた透明又は半透明のディバイダ１８２２とを含む。前部ハウジング１８１６の開口部１８１８は、広範な種類の虫を捕虫装置１８１０に受け入れるよう構成することができ、あるいは、１種類以上の特定の種の虫を受け入れるよう構成することができる。いくつかの実施形態において、開口部１８１８は、捕虫部分１８１４を取り外して交換するときに、ユーザーの指が開口部１８２０に入ってしまい捕らえられた虫又は接着剤に誤って触れることを防ぐよう構成される。いくつかの実施形態において、開口部１８１８は、直径２５ｍｍの球が開口部１８１８を通過できないような寸法及び形状を有し、かつ、直径１ｍｍの球が開口部１８２０のいかなる部分も通過できるような寸法及び形状を有する。開口部１８１８の幅、形状及び向きは、均一であってよく又は変化してよく、また、捕虫部分１８１４が複数の開口部１８１８を有する場合は、それらの幅、形状及び向きは、同一であってよく又は異なってよい。開口部１８１８は、１種類以上の個々の虫又は様々な種類の虫を誘引するよう構成することができる。いくつかの実施形態において、ディバイダ１８２２は、飛ぶ虫（広範な種類の飛ぶ虫が、偏光を感知することが知られている）を更に誘引するため、日光と同様に、ある向きで透過する光を偏光するよう構成される。いくつかの実施形態において、テキスト又は図形１８２６がディバイダ１８２２の前側表面１８２４に適用されるが、テキスト又は図形１８２６は代わりに、ディバイダ１８２２の後側表面（図示せず）に適用されてもよく、またディバイダ１８２２の両面に適用されてもよい。テキスト又は図形１８２６は、従来の印刷、ホットスタンプ、シルクスクリーン、インクジェット印刷、又は、ディバイダ１８２２の前側表面１８２４及び／又は後側表面（図示せず）にテキスト又は図形１８２６を適用するための、任意の方法又はプロセスで適用され得る。あるいは、前側又は後側表面又は両面にテキスト又は図形が適用された透明又は半透明の薄いフィルムを、ディバイダ１８２２の前側表面１８２４に適用することができる。あるいは、テキスト又は図形１８２６は、エンボス加工、刻印、又は成形により、ディバイダ１８２２の前側表面１８２４又は後側表面（図示せず）にエンボス加工又は隆起させたものであってよく、これにより、光がディバイダ１８２２を透過したときに、テキスト又は図形１８２６が周辺領域より暗く又は明るく見えるようにすることができる。透明又は半透明の接着剤１８２８のコーティングが、ディバイダ１８２２の前側表面１８２４及びテキスト又は図形１８２６の上に適用される。テキスト又は図形１８２６は、通常の周辺光で、又は裏から照らされたときに、又はその両方で、接着剤１８２８を通して見ることができる。あるいは、テキスト又は図形１８２６は蛍光顔料で適用されてよく、これは、紫外光で照らされると光って見える。テキスト又は図形１８２６は、繰り返しのメッセージ又はブランド名又は会社ロゴの形態であってよく、これによりテキスト又は図形１８２６がディバイダ１８２２の前側表面１８２４に繰り返し表示され、これによって、製造中の位置揃え及び印刷見当合わせの問題が排除される。テキスト又は図形１８２６は、前部ハウジング１８１６の開口部１８１８を通して見えるため、テキスト又は図形１８２６は、短距離から見る場合以外、必ずしも完全に可視又は可読でなくともよい。例えばユーザーは、接着剤１８２８に捕らわれた虫を観察するために開口部１８１８から覗くことがあり、また、廃棄と交換のためにベース部分１８１２から捕虫部分１８１４を取り外すことがあり、このいずれの機会も、捕虫装置のブランド名及び／又はロゴ、使用又は廃棄の指示説明、あるいはその他のメッセージ（複数可）をユーザーにリマインドする機会となり得る。テキスト又は図形１８２６は、遠くから見たときに必ずしも完全に可視又は可読ではないため、テキスト又は図形１８２６は、捕虫装置１８１０が設置される部屋の外観に影響を及ぼさないと見られる。捕虫装置１８１０の使用中に、ディバイダ１８２２及びテキスト又は図形１８２６が裏から照らされると、テキスト又は図形１８２６は明瞭な明暗コントラスト領域として見えるようになっていてよく、これは、広範な種類の虫に対して可視性が高く、虫をより誘引しやすくなり得る。ディバイダ１８２２の前側表面１８２４に適用されたテキスト又は図形１８２６は、裏から照らされたときも照らされていないときも可視であってよく、一方、ディバイダ１８２２の後側表面に適用されたテキスト又は図形１８２６は、裏から照らされたときだけ可視であり得る。したがって、テキスト又は図形１８２６がディバイダ１８２２の両面に適用された場合、捕虫装置１８１０が使用中でディバイダ１８２２が照らされているときと、捕虫装置１８１０が使用中でないときとで、異なるメッセージ又は図形又はその組み合わせを表示させることができる。
【０２４４】
図４７は前側斜視図、図４８は後側斜視図であり、全体的に１９１０として示される捕虫装置の第１９の実施形態を示す。捕虫装置１９１０は、ベース部分１９１２と取り外し可能な捕虫部分１９１４とを含む。捕虫部分１９１４は、いずれの図でも、ベース部分１９１２から取り外された状態で示されている。捕虫部分１９１４とベース部分１９１２は、捕虫部分１９１４がベース部分１９１２に取り付けられたときに、捕虫部分１９１４がベース部分１９１２の上表面１９２６と係合するように構成されている。捕虫部分１９１４は、前側表面１９１６に少なくとも１つの開口部１９２０を備えた前部ハウジング１９１８と、後部ハウジング１９４０とを含む。前部ハウジング１９１８の開口部１９２０は、広範な種類の虫を捕虫装置１９１０に受け入れるよう構成することができ、あるいは、１種類以上の特定の種の虫を受け入れるよう構成することができる。いくつかの実施形態において、開口部１９２０は、捕虫部分１９１４を取り外して交換するときに、ユーザーの指が開口部１９２０に入ってしまい捕らえられた虫又は接着剤に誤って触れることを防ぐよう構成される。いくつかの実施形態において、開口部１９２０は、直径２５ｍｍの球が開口部１９２０を通過できないような寸法及び形状を有し、かつ、直径１ｍｍの球が開口部１９２０のいかなる部分も通過できるような寸法及び形状を有する。開口部１９２０の幅、形状及び向きは、均一であってよく又は変化してよく、また、捕虫部分１９１４が複数の開口部１９２０を有する場合は、それらの幅、形状及び向きは、同一であってよく又は異なってよい。開口部１９２０は、１種類以上の個々の虫又は様々な種類の虫を誘引するよう構成することができる。いくつかの実施形態において、前部ハウジング１９１８は、特に開口部１９２０の周辺の剛性及び強度を高めるため、１つ以上の畝又はその他の立体形状（図示せず）を有する。
【０２４５】
いくつかの実施形態において、ベース部分１９１２は、下表面に平らな表面（図示せず）又は１つ以上の突起（図示せず）を有し得、これにより、捕虫装置１９１０が平らな水平面（例えば床、あるいは保管用の棚）に置かれたときに、捕虫装置１９１０を直立状態に維持することができる。ベース部分１９１２の後側表面１９６２（図４８に図示）から突出しているのは、複数の導電性プロング１９２２であり、導電性プロング１９２２を標準の家庭用壁面電気コンセントに差し込むことにより、捕虫装置１９１０を壁面に取り付けて捕虫装置１９１０に電源を供給するよう適合されている。あるいは、ベース部分１９１２は、望ましいように静置又は吊り下げて、ベース部分１９１２内に取り付けられた電池（図示せず）から電力を受け取るよう構成され得る。電気コンセントと電池は、捕虫装置１９１０に電力を供給するものとして記述されるが、任意の好適な電源を使用することができる。ベース部分１９１２は、上表面１９２６と、１つ以上のＬＥＤ  １９２４などの発光エレメントとを含む。いくつかの実施形態において、ベース部分１９１２はＬＥＤ  １９２４のアレイを含む。図示のように、ＬＥＤ  １９２４は青色及びＵＶ  ＬＥＤ  １９２４の２×３アレイで構成されているが、別の数及び配置のＬＥＤ  １９２４を有する別のアレイ構成（例えば、３×２アレイ、又は４×３アレイ、又は１×２アレイなど）、様々な波長の光を放射するＬＥＤ  １９２４、また様々な波長の光を放射するＬＥＤ  １９２４の様々な組み合わせを、使用することができる。いくつかの実施形態において、ＬＥＤ  １９２４は、ＵＶ光を発するＬＥＤを少なくとも１つ、及び可視光を発するＬＥＤを少なくとも１つ含む。いくつかの実施形態において、ＬＥＤ  １９２４は、広範な種の虫をよりよく誘引するために、ＵＶ光を発するＬＥＤを少なくとも１つ、及び青色光を発するＬＥＤを少なくとも１つ含む。いくつかの実施形態において、この発光エレメントは、日光を模した波長の組み合わせを放射する。いくつかの実施形態において、ＬＥＤ  １９２４は、蚊を含む特定の種の虫をよりよく誘引するために、ＩＲ光を発するＬＥＤを少なくとも１つ含む。ベース部分１９１２の上表面１９２６に取り付けられているのは、透明又は半透明のウィンドウ１９２８であってよく、図ではＬＥＤ  １９２４を見えるようにするため部分的に切り取られている。ウィンドウ１９２８はＬＥＤ  １９２４をダストと虫の屑から保護し、ベース部分１９１２をクリーニングしやすくする。いくつかの実施形態において、上表面１９２６は、好ましくは上表面１９２６の前部及び後部に、１つ以上のスナップ突起１９５６を有するが、スナップ突起１９５６は上表面１９２６の任意の場所に配置することができる。いくつかの実施形態において、スナップ突起１９５６は、その遠位部分の少なくとも一部の幅及び／又は奥行きが、その近位部分の少なくとも一部の幅及び／又は奥行きよりも大きくなるように構成され、これにより、アンダーカットと呼ばれる形状が形成される。捕虫部分１９１４の前部ハウジング１９１８及び／又は後部ハウジング１９４０は、ベース部分１９１２のスナップ突起１９５６に寸法、形状及び位置が対応する１つ以上��スナップ陥凹１９５８を有してよく、ただし、スナップ陥凹１９５８のアンダーカットは、その近位部分の少なくとも一部が、その遠位部分の少なくとも一部の幅及び／又は奥行きよりも大きくなるように構成され得る。捕虫部分１９１４がベース部分１９１２に取り付けられたときに、スナップ突起１９５６のアンダーカットとスナップ陥凹１９５８のアンダーカットが係合して、スナップ嵌めと呼ばれる、確実でありながら取り外し可能な取り付けが形成される。ベース部分１９１２と捕虫部分１９１４の間のスナップ嵌めは、捕虫部分１９１４がベース部分１９１２と適切に係合していることをユーザーが確認できるよう、明確な可触及び可聴合図を提供することができる。ベース部分１９１２と捕虫部分１９１４の間のスナップ嵌めにより、捕虫装置１９１０の使用中に、捕虫部分１９１４をベース部分１９１２に、取り外し可能にしっかりと取り付けることができ、また、捕虫部分１９１４又はベース部分１９１２を損傷することなく、かつユーザーが捕らわれた虫に接触することなく、捕虫部分１９１４をベース部分１９１２から容易に取り外すことが可能になる。いくつかの実施形態において、ベース部分１９１２と捕虫部分１９１４の間のスナップ嵌めは、ユーザーが片手で捕虫部分１９１４をベース部分１９１２から簡単に取り外して交換でき、同時に、ベース部分１９１２は取り外し可能にしっかりと壁面電気コンセントに差し込まれたままになっているよう、構成される。いくつかの実施形態において、ベース部分１９１２と捕虫部分１９１４の間のスナップ嵌めは、例えば、５０ニュートン以下の下向きの力で、捕虫部分１９１４をベース部分１９１２に取り付けることができるように、また、例えば、５０ニュートン以下の上向きの力で、捕虫部分１９１４をベース部分１９１２から取り外すことができるように、構成される。捕虫部分１９１４をベース部分１９１２に、取り外し可能にしっかりと取り付けるには、スナップ嵌めが好ましいと考えられるが、他の機構及び機構の組み合わせも想到される。
【０２４６】
図４９は、捕虫装置１９１０を通る断面図である。いくつかの実施形態において、各ＬＥＤ  １９２４から放射される光は、主方向１９５４を有する。捕虫部分１９１４は、前側表面１９３８を備えたディバイダ１９３４を含む。いくつかの実施形態において、ディバイダ１９３４は透明又は半透明の材料から構築されるか又はこれを含み、前側表面１９３８が透明又は半透明の接着剤１９３６でコーティングされ得る。いくつかの実施形態において、ディバイダ１９３４は、飛ぶ虫（広範な種類の飛ぶ虫が、偏光を感知することが知られている）を更に誘引するため、日光と同様に、ある向きで透過する光を偏光するよう構成される。いくつかの実施形態において、ディバイダ１９３４の材料及び厚さと接着剤１９３６の材料及び厚さは、ＵＶ光及び／又は可視光及び／又はＩＲ光のうちかなりの割合を透過するよう選択され、例えば、光の６０％超がディバイダ１９３４と接着剤１９３６を透過するよう選択される。いくつかの実施形態において、後部ハウジング１９４０は、反射性コーティングされた内側表面１９４２を含む。あるいは、後部ハウジング１９４０の材料及び表面仕上げは、反射性コーティングなしに、ＵＶ光及び／又は可視光及び／又はＩＲ光を反射及び分散させるように構成され得る。後部ハウジング１９４０は、その下表面に開口部１９４４を含んでよく、あるいは開口部１９４４は、透明又は半透明のウィンドウ（図示せず）に置き換えられてもよい。
【０２４７】
いくつかの実施形態において、前部ハウジング１９１８と後部ハウジング１９４０は、不透明なプラスチックシートから熱形成され、低価格と使い捨て性を維持しながら、クリーンで審美的に心地良い形状を形成する。あるいは、紙、板紙、厚紙又は紙パルプなどの不透明、透明又は半透明の材料も使用することができる。いくつかの実施形態において、前部ハウジング１９１８及び後部ハウジング１９４０は、射出成形又はその他の好適な製造技法により構築される。図示のように、ディバイダ１９３４は実質的に平らであり、ＬＥＤ  １９２４により生成される光の主方向１９５４に対して平行又はある角度１９５２になるように構成することができる。角度１９５２は、好ましくは、ディバイダ１９３４に光を均一に分布させるのに役立つよう、鋭角であってよく、好ましくは０°〜４５°であってよい。いくつかの実施形態において、ディバイダ１９３４は、光の均一な分布を最適化するよう、凸状、凹状、又はサドル形状、又は形状の組み合わせに形成され得る。いくつかの実施形態において、ディバイダ１９３４は、接着表面面積を増大させ、明暗コントラストの領域を形成するような、畝又はその他の特徴（図示せず）を有し得、これにより、広範な種類の虫に対して可視性が高く、虫をより誘引しやすくなり得る。
【０２４８】
いくつかの実施形態において、前部ハウジング１９１８は更に、その内側表面が透明、半透明又は不透明の接着剤（図示せず）でコーティングされてよく、これにより付加的な捕虫効果及び能力が提供される。加えて、前部ハウジング１９１８は更に内側表面の接着剤コーティングの下に反射性コーティング（図示せず）を有してよく、これにより、虫の誘引効果を強化し、捕虫効果及び効率を更に改善する。
【０２４９】
いくつかの実施形態において、前部ハウジング１９１８、ディバイダ１９３４及び後部ハウジング１９４０は、交差又は係合する場所で、超音波溶接又は高周波（ＨＦ）溶接で接合させることができるが、接着剤により、又は他の任意の好適な組立技法により、恒久的又は取り外し可能に接合することもできる。捕虫部分１９１４の材料は更に、１つ以上の虫誘引性物質を含み得る。例えば、捕虫部分１９１４は、当該技術分野で周知の１つ以上の虫誘引性物質、例えば、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコール（trunc-call）を含む）、双翅類誘引剤（セラルア、キュールア（cue-lure）、ラチルア、メドルア、モグチュン、ムスカルア、及びトリメドルアを含む）、同翅類誘引剤（レスカルアを含む）、鱗翅類誘引剤（例えばディスパールア）、直鎖レピドプテランフェロモン（コドレルア、ゴシップルア、ヘキサルア、リトルア、ループルア、オルフラルア、及びオストラモンを含む）、及びその他の虫誘引性物質（例えばオイゲノール、メチルオイゲノール、及びシグルア）、又はその他の、捕虫装置１９１０の虫誘引効率を向上させるにおいを供給する物質を、含浸させることができる。そのような実施形態において、虫誘引性物質は、捕虫部分１０１４に一体化している。あるいは、虫誘引性物質は、前部ハウジング１９１８の内側表面に、又は前部ハウジング１９１８の開口部を通して、又はディバイダ１９３４の前側表面１９３８に取り付けられる、別個のピース（図示せず）に埋め込むことができる。そのような誘引物質は、捕虫装置１９１０から半径約２メートルにいる虫に感知可能となることが望ましい。ディバイダ１９３４は、捕虫部分１９１４を前部エンクロージャ１９４６と後部エンクロージャ１９４８とに区分している。いくつかの実施形態において、ベース部分１９１２は、コマンドを実行するためのプログラム可能プロセッサ又はチップ（図示せず）を有する回路基板１９５０を含み、これは導電性プロング１９２２（１つのみが図示されている）、及びＬＥＤ  １９２４（１つのみが図示されている）に電気的に接続されている。ただし、見やすくするため、電気的接続は一部しか示されていない。回路基板１９５０は、導電性プロング１９２２から通常の家庭用電流を受け取り、ＬＥＤ  １９２４を点灯させる電力を供給するための電子回路部品を含み得る。回路基板１９５０は、ＬＥＤ  １９２４に定電圧を供給する、全波整流回路又はその他の回路などのエネルギー安定器を含み得るが、ただし、一部の種の虫（蚊を含む）にとって誘引性となり得るような動きを模倣するちらつき光を提供するように、ＬＥＤ  １９２４に変動電圧を供給することもできる。例えば、およそ０．０５Ｈｚ（例えば、大型哺乳動物の呼吸数を模倣する）〜２５０Ｈｚ（例えば、オスのイエバエを誘引するちらつきの最高周波数）の範囲の光ちらつき周波数が望ましいことがあり、発光エレメントがこの範囲内でちらつくよう構成することができる。回路基板１９５０は、ＵＶ光及び／又は可視光及び／又はＩＲ���を提供するために、ＬＥＤ  １９２４に電力を供給するが、ただし、ＵＶ光及び／又は可視光及び／又はＩＲ光のちらつきの組み合わせを生み出すために、ＵＶ  ＬＥＤ  １９２４のみ又は可視光ＬＥＤ  １９２４のみ又はＩＲ  ＬＥＤ  １９２４のみに電力を供給するか、あるいは変動電力を供給するよう、構成することもできる。回路基板１９５０はまた、圧電スピーカー（図示せず）などの発信機又はトランシーバー、又はその他の装置を駆動させるよう構成することができ、これらはベース部分１９１２に取り付けて、虫誘引性の音を発するようにすることができる。いくつかの実施形態において、この発信機又はトランシーバーは、虫（蚊、小昆虫、蛾、又は蠅など）をよりよく誘引するために、録音及び／又は生成された虫の音又は振動を発することができ、これには、虫の発信、応答、求愛、及び連結の歌のうち１つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の単音又は複数の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置１９１０から約２メートル以内の距離にいる虫に感知可能となることが望ましい。そのような虫誘引性の音は、捕虫装置１９１０から約１メートル以内の距離にいる人間に感知できないものであることが望ましい。
【０２５０】
捕虫装置１９１０の操作において、導電性プロング１９２２を壁面電気コンセントに差し込み、捕虫部分１９１４のスナップ陥凹１９５８（図示せず）を、ベース部分１９１２の対応するスナップ突起１９５６（図示せず）に係合させることにより、捕虫部分１９１４をベース部分１９１２に取り付ける。ＬＥＤ  １９２４が光を発し（矢印で表わされている）、これはベース部分１９１２のウィンドウ１９２８を透過して、捕虫部分１９１４の後部ハウジング１９４０の開口部１９４４を通り、後部エンクロージャ１９４８に入り、後部ハウジング１９４０の内側表面１９４２内に直接当たり、ディバイダ１９３４の後側表面１９６０に当たる。見やすくするため、光を表わす矢印は、１つのＬＥＤ  １９２４から放射される光のみを示す。いくつかの実施形態において、光はベース部分１９１２内では操作されず、捕虫部分１９１４内へ直接発光される。後部ハウジング１９４０の内側表面１９４２は凹状形状を含み得、ＬＥＤ  １９２４からのＵＶ光及び可視光を反射及び分散させて、光をディバイダ１９３４の後側表面１９６０に均等に分配するよう構成することができるが、ただし、後部ハウジング１９４０の内側表面１９４２の形状は凸状又はサドル形状又は形状の組み合わせ（図示せず）を有していてよく、あるいは、光をより均一に分配するように、畝又はその他の特徴を有してもよい。あるいは、ディバイダ１９３４の後側表面１９６０にＵＶ及び可視光を分配するよう（例えば均等に、特定のパターンに従って、焦点を絞って、など）構成された、アナモルフィックレンズ（図示せず）又はその他のレンズ又はレンズの組み合わせなどの光学的エンハンサーを、後部ハウジング１９４０の開口部１９４４又はその近くで後部ハウジング１９４０に取り付けてよく、又はベース部分１９１２のウィンドウ１９２８又はその近くでベース部分１９１２に取り付けてよく、また、後部ハウジング１９４０の内側表面１９４２の役割を置換又は増強することができる。いくつかの実施形態において、ＬＥＤ  １９２４からの光は、ディバイダ１９３４の後側表面１９６０に斜めの角度（例えば、約０°〜９０°の鋭角）で直接当たり、ディバイダ１９３４全体にわたって広がってよく、後部ハウジング１９４０の内側表面１９４２の役割、又は後部ハウジング１９４０に取り付けられたレンズ（複数可）の役割を置換又は増強し得る。
【０２５１】
その後、光は、ディバイダ１９３４及び前側表面１９３８の接着剤１９３６を透過し、前部エンクロージャ１９４６に入る。この光は更に、ディバイダ１９３４、前側表面１９３８の接着剤１９３６、又はこれら両方の光散乱特性により、均一に分配され得る。前部エンクロージャ１９４６に入る光の一部が、前部ハウジング１９１８の開口部１９２０を通って、捕虫装置が設置されている領域に放射される。虫は、接着剤１９３６と前部ハウジング１９１８の開口部１９２０とを通って放射されるＵＶ及び／又は可視光に誘引され、開口部１９２０内に飛び入り又は這い入って接着剤１９３６の表面に当たり、ここで虫が捕らえられる。ユーザーは、前部ハウジング１９１８の開口部１９２０を通して見ることにより、捕らわれた虫を観察できる。十分な数の虫が捕獲されると、ユーザーは、捕獲された虫、虫の屑又は接着剤（これらは捕虫部分１９１４内の届かないところに留まる）に触れることなしに、使用済みの捕虫部分１９１４全体を容易に取り外して捨て、新しい捕虫部分１９１４に交換することができる。新しい捕虫部分１９１４は、接着剤コーティングされた新しい表面と光誘導表面を有しており、捕虫装置１９１０が引き続き効率的かつ効果的に虫を確実に誘引して捕らえることができるようになる。
【０２５２】
いくつかの実施形態において、捕虫部分１９１４はベース部分１９１２の前ではなく上に取り付けられているため、普通の家庭用壁面コンセントに差し込んだときに、捕虫装置１９１０の壁面からの突出が最小限に抑えられ、これによって、家庭環境に対する邪魔を最小限に抑える。いくつかの実施形態において、捕虫装置１９１０は、壁面に取り付けられたとき、捕虫装置１９１０が壁から突出する合計距離によって画定される合計奥行きが、捕虫装置１９１０の全体高さ及び全体の幅よりも小さくなるように構成される。
【０２５３】
捕虫装置１９１０の利点は、捕虫部分１９１４内の光の操作であることが理解されよう。いくつかの実施形態において、光の操作は捕虫部分１９１４内でのみ起こる。光の操作には、反射、屈折、偏光、分散及び／又は散乱が含まれ得、これは操作可能なエレメント又は表面（例えば、内側表面１９４２、ディバイダ１９３４及び接着剤１９３６）と係合することにより達成される。いくつかの実施形態において、光の操作は、接着剤１９３６上に光の均等な分布を生成する。いくつかの実施形態において、光は、接着剤１９３６の上又は捕虫部分１９１４内に所定のパターンを生成するよう操作され、例えば、均一な分布、高強度のホットスポットを伴う均一な分布、ホットスポットパターン、及び／又はこれらの組み合わせを生成するよう操作される。
【０２５４】
任意の好適な接着剤材料を、虫を捕獲するための接着表面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性接着剤を使用することができる。一般に、そのような接着剤の厚さは約０．０１ｍｍ〜１ｍｍの範囲である。いくつかの実施形態において、接着剤厚さは、約０．０５ｍｍ〜０．２ｍｍの範囲であり、厚さ約０．１ｍｍが最もよく使用される。
【０２５５】
この構成の捕虫装置１９１０は、ベース部分１９１２に取り外し可能に取り付けることができる様々な異なる捕虫部分１９１４に対応することができ、それぞれの捕虫部分１９１４は、特定の種類又は複数の種類の虫（飛ぶ虫も飛ばない虫も）を誘引して捕らえるよう独自に構成される。例えば、捕虫部分１９１４の全体の寸法及び形状、並びに捕虫部分１９１４の前部ハウジング１９１８の開口部１９２０の寸法、形状、位置及び向きは、特定の種類又は複数の種類の飛ぶ虫を誘引して捕らえるよう独自に構成され得る。
【０２５６】
例えば、いくつかの実施形態において、捕虫部分１９１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分１９１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分１９１４はおよそ、幅２０ｍｍ〜１３０ｍｍ、高さ２０ｍｍ〜１３０ｍｍ、及び奥行き５ｍｍ〜５０ｍｍである。
【０２５７】
いくつかの実施形態において、ベース部分１９１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分１９１２は、幅２０ｍｍ〜２００ｍｍ、高さ１０ｍｍ〜１００ｍｍ、及び奥行き１０ｍｍ〜８０ｍｍである。いくつかの実施形態において、ベース部分１９１２は、幅２０ｍｍ〜１３０ｍｍ、高さ１０ｍｍ〜５０ｍｍ、及び奥行き１０ｍｍ〜５０ｍｍである。
【０２５８】
本明細書で示すように、開口部１９２０は様々な形状及び／又は寸法であり得る。例えば、開口部１９２０の形状は、円形、正方形、長方形、多角形、及び／又は楕円形であり得る。あるいは、開口部１９２０は、直線、曲線、又はうねりの形状又はパターンを有するスロット形状であり得る。開口部１９２０が円形の場合、開口部１９２０の直径は約０．５ｍｍ〜３０ｍｍであり得る。いくつかの実施形態において、円形開口部１９２０の直径は約０．５ｍｍ〜２０ｍｍである。いくつかの実施形態において、円形開口部１９２０の直径は約０．５ｍｍ〜１５ｍｍである。開口部１９２０がスロット形状の場合、開口部１９２０はおよそ、幅２ｍｍ〜３０ｍｍ、長さ５ｍｍ〜５００ｍｍであり得る。いくつかの実施形態において、スロット形状開口部１９２０はおよそ、幅２ｍｍ〜２０ｍｍ、長さ５ｍｍ〜２００ｍｍである。いくつかの実施形態において、スロット形状開口部１９２０はおよそ、幅２ｍｍ〜１５ｍｍ、長さ５ｍｍ〜１００ｍｍである。
【０２５９】
いくつかの実施形態において、開口部１９２０は前部ハウジング１９１８の全部又は一部を占める。例えば、開口部１９２０は、前部ハウジング１９１８の表面積の約１％〜７５％の範囲を占めることができる。いくつかの実施形態において、開口部１９２０は、前部ハウジング１９１８の表面積の約５％〜５０％を占める。いくつかの実施形態において、開口部１９２０は、前部ハウジング１９１８の表面積の約１０％〜３０％を占める。
【０２６０】
図５０は、捕虫装置の第２０の実施形態の前側斜視図であり、この捕虫装置は全体的に２０１０として示される。捕虫装置２０１０は、ベース部分２０１２と取り外し可能な捕虫部分２０１４とを含み得る。捕虫部分２０１４は、この図で、部分的に切り取られ、ベース部分２０１２から取り外された状態で示されている。捕虫部分２０１４は、ディバイダ２０３４と、前側表面２０１６に少なくとも１つの開口部２０２０を備えた前部ハウジング２０１８とを含む。前部ハウジング２０１８の開口部２０２０は、広範な種類の虫を捕虫装置２０１０に受け入れるよう構成することができ、あるいは、１種類以上の特定の種の虫を受け入れるよう構成することができる。いくつかの実施形態において、開口部２０２０は、捕虫部分２０１４を取り外して交換するときに、ユーザーの指が開口部２０２０に入ってしまい捕らえられた虫又は接着剤に誤って触れることを防ぐよう構成される。いくつかの実施形態において、開口部２０２０は好ましくは、直径２５ｍｍの球が開口部２０２０を通過できないような寸法及び形状を有し得、かつ、直径１ｍｍの球が開口部２０２０のいかなる部分も通過できるような寸法及び形状を有する。開口部２０２０の幅、形状及び向きは、均一であってよく又は変化してよく、また、捕虫部分２０１４が複数の開口部２０２０を有する場合は、それらの幅、形状及び向きは、同一であってよく又は異なってよい。開口部２０２０は、１種類以上の個々の虫又は様々な種類の虫を誘引するよう構成することができる。前部ハウジング２０１８は更にウィンドウ２０６０を含み得るが、ウィンドウ２０６０の代わりに開口部であってもよい。いくつかの実施形態において、ディバイダ２０３４は透明又は半透明の材料から構築されるか又はこれを含み、前側表面２０３８が透明又は半透明の接着剤２０３６でコーティングされ得る。使用中、捕らわれた１匹以上の虫２０５８が、ディバイダ２０３４の前側表面２０３８の接着剤２０３６に付着し得る。いくつかの実施形態において、ディバイダ２０３４は、飛ぶ虫（広範な種類の飛ぶ虫が、偏光を感知することが知られている）を更に誘引するため、日光と同様に、ある向きで透過する光を偏光するよう構成され得る。ベース部分２０１２の後側表面２０６４（図５１に図示）から突出しているのは、複数の導電性プロング２０２２であってよく、導電性プロング２０２２を標準の家庭用壁面電気コンセントに差し込むことにより、捕虫装置２０１０を壁面に取り付けて捕虫装置２０１０に電源を供給するよう適合されている。あるいは、ベース部分２０１２は、望ましいように静置又は吊り下げて、ベース部分２０１２内に取り付けられた電池（図示せず）から電力を受け取るよう構成され得る。電気コンセントと電池は、捕虫装置２０１０に電力を供給するものとして記述されるが、任意の好適な電源を使用することができる。ベース部分２０１２は、１つ以上のＬＥＤ  ２０２４などの発光エレメントを含む。いくつかの実施形態において、ＬＥＤ  ２０２４は、ＵＶ光を発するＬＥＤを少なくとも１つ、及び可視光を発するＬＥＤを少なくとも１つ含む。いくつかの実施形態において、ＬＥＤ  ２０２４は、広範な種の虫をよりよく誘引するために、ＵＶ光を発するＬＥＤを少なくとも１つ、及び青色光を発するＬＥＤを少なくとも１つ含む。いくつかの実施形態において、この発光エレメントは、日光を模した波長の組み合わせを放射する。いくつかの実施形態において、ＬＥＤ  ２０２４は、蚊及びノミなどの特定の種の虫をよりよく誘引するために、ＩＲ光を発するＬＥＤを少なくとも１つ含む。ベース部分２０１２の上表面２０２６には開口部２０５２があり、これは透明又は半透明のウィンドウ２０２８で覆われていてよく、図ではＬＥＤ  ２０２４を見えるようにするため部分的に切り取られている。当業者には、本明細書に記述されるか又は添付図に示されるような開口部及びウィンドウ（例えば２０５２及び２０２８）は、本開示の範囲から逸脱することなく、様々な寸法及び／又は位置であり得ることが理解されよう。ウィンドウ２０２８はＬＥＤ  ２０２４をダストと虫の屑から保護し、ベース部分２０１２をクリーニングしやすくすることができる。いくつかの実施形態において、捕虫部分２０１４がベース部分２０１２に取り付けられたときに、ウィンドウ２０２８の少なくとも一部と、ＬＥＤ  ２０２４の少なくとも一部とが、ベース部分２０１２の上表面２０２６から突出して捕虫部分２０１４内に入る。いくつかの実施形態において、ベース部分はウィンドウ２０２８を含まず、捕虫部分２０１４がベース部分２０１２に取り付けられたときに、ＬＥＤ  ２０２４の少なくとも一部が、ベース部分２０１２の上表面２０２６から突出して捕虫部分２０１４内に入る。いくつかの実施形態において、上表面２０２６の開口部２０５４には、光センサー２０５６が取り付けられており、これは好ましくはフォトレジスタであるが、ただし、光電池、フォトダイオード、フォトトランジスタ、又は、光を検出し、その電気的特性を変化させることで応答する任意のセンサーを、使用することができる。上表面２０２６には更にスロット２０３０があってよく、上表面２０２６の外周には、縁又は上向きの突出部２０３２がある。
【０２６１】
図５１は、捕虫装置２０１０を通る断面図である。捕虫部分２０１４は、内側表面２０４２を備えた後部ハウジング２０４０を含む。いくつかの実施形態において、内側表面２０４２は反射性コーティングを有する。いくつかの実施形態において、後部ハウジング２０４０の材料及び表面仕上げは、反射性コーティングなしに、ＵＶ光及び／又は可視光及び／又はＩＲ光を反射及び分散させるように構成され得る。いくつかの実施形態において、ディバイダ２０３４の材料及び厚さと接着剤２０３６の材料及び厚さは、ＵＶ光及び／又は可視光及び／又はＩＲ光のうちかなりの割合を透過するよう選択され、例えば、光の６０％超がディバイダ２０３４と接着剤２０３６を透過するよう選択される。後部ハウジング２０４０は、その下面に開口部２０４４を含んでよく、あるいは開口部２０４４は、透明又は半透明のウィンドウ（図示せず）に置き換えられてもよい。
【０２６２】
いくつかの実施形態において、前部ハウジング２０１８と後部ハウジング２０４０は、不透明なプラスチックシートから熱形成され、低価格と使い捨て性を維持しながら、クリーンで審美的に心地良い形状を形成する。あるいは、紙、板紙、厚紙又は紙パルプなどの不透明、透明又は半透明の材料も使用することができる。いくつかの実施形態において、前部ハウジング２０１８及び後部ハウジング２０４０は、射出成形又はその他の好適な製造技法により構築される。図示のように、ディバイダ２０３４は実質的に平らであり、ＬＥＤ  ２０２４により生成される光の主方向（図示せず）に対して平行又はある角度になるように構成することができる。あるいは、ディバイダ２０３４は、光の均一な分布を最適化するよう、凸状、凹状、又はサドル形状（図示せず）、又は形状の組み合わせに形成され得る。いくつかの実施形態において、ディバイダ２０３４は、接着表面面積を増大させ、明暗コントラストの領域を形成するような、畝又はその他の特徴（図示せず）を有し、これにより、広範な種類の虫に対して可視性が高く、虫をより誘引しやすくなり得る。
【０２６３】
いくつかの実施形態において、前部ハウジング２０１８は、その内側表面が透明、半透明又は不透明の接着剤（図示せず）でコーティングされており、これにより付加的な捕虫効果及び能力が提供される。加えて、前部ハウジング２０１８は更に内側表面の接着剤コーティングの下に反射性コーティング（図示せず）を有してよく、これにより、虫の誘引効果を強化し、捕虫効果及び効率を更に改善する。
【０２６４】
いくつかの実施形態において、前部ハウジング２０１８、ディバイダ２０３４及び後部ハウジング２０４０は、その交差部又は係合部が接着剤で接合されているが、これらは他の一般的に使用されているパッケージング組立技法により接合されてよく、例えば超音波溶接又はＲＦ密封、又はその他任意の好適な組立方法により接合され得る。図示のように、ディバイダ２０３４は、捕虫部分２０１４を前部エンクロージャ２０４６と後部エンクロージャ２０４８とに区分していてよい。いくつかの実施形態において、ベース部分２０１２は、コマンドを実行するためのプログラム可能プロセッサ又はチップ（図示せず）を有する回路基板２０５０を含み、これは導電性プロング２０２２（１つのみが図示されている）、及びＬＥＤ  ２０２４に電気的に接続されている。ただし、見やすくするため、電気的接続は一部しか示されていない。回路基板２０５０は、例えば導電性プロング２０２２から通常の家庭用電流を受け取り、ＬＥＤ  ２０２４を点灯させる電力を供給するための電子回路部品を含み得る。回路基板２０５０は、ＬＥＤ  ２０２４に定電圧を供給する、全波整流回路又はその他の回路などのエネルギー安定器を含み得るが、ただし、一部の種の虫（蚊を含む）にとって誘引性となり得るような動きを模倣するちらつき光を提供するように、ＬＥＤ  ２０２４に変動電圧を供給することもできる。例えば、およそ０．０５Ｈｚ（例えば、大型哺乳動物の呼吸数を模倣する）〜２５０Ｈｚ（例えば、オスのイエバエを誘引するちらつきの最高周波数）の範囲の光ちらつき周波数が望ましいことがあり、発光エレメントがこの範囲内でちらつくよう構成することができる。回路基板２０５０は、ＵＶ光及び／又は可視光及び／又はＩＲ光を提供するために、ＬＥＤ  ２０２４に電力を供給するが、ただし、ＵＶ光及び／又は可視光及び／又はＩＲ光のちらつきの組み合わせを生み出すために、ＵＶ  ＬＥＤ  ２０２４のみ又は可視光ＬＥＤ  ２０２４のみ又はＩＲ  ＬＥＤ  ２０２４のみに電力を供給するか、あるいは変動電力を供給するよう、構成することもできる。回路基板２０５０はまた、圧電スピーカー（図示せず）などの発信機又はトランシーバー、又はその他の装置を駆動させるよう構成することができ、これらはベース部分２０１２に取り付けて、虫誘引性の音を発するようにすることができる。いくつかの実施形態において、この発信機又はトランシーバーは、虫（蚊、小昆虫、蛾、又は蠅など）をよりよく誘引するために、録音及び／又は生成された虫の音又は振動を発することができ、これには、虫の発信、応答、求愛、及び連結の歌のうち１つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の単音又は複数の音を発することができる。いくつかの実施形態において、この周波数は約５Ｈｚ〜１００ｋＨｚの範囲である。いくつかの実施形態において、この周波数は約３５Ｈｚ〜���０ｋＨｚの範囲である。そのような虫誘引性の音は、捕虫装置２０１０から約２メートル以内の距離にいる虫に感知可能となることが望ましい。そのような虫誘引性の音は、捕虫装置２０１０から約１メートル以内の距離にいる人間に感知できないものであることが望ましい。
【０２６５】
図示のように、ベース部分２０１２の上表面２０２６のスロット２０３０と、ベース部分２０１２の上表面２０２６の突出部２０３２とが、捕虫部分２０１４と係合して、使用中に定位置に固定させる。ただし、捕虫部分２０１４をベース部分２０１２に取り外し可能にしっかりと取り付けることができるような、他の任意の取り付けの形態に置き換えることができる。
【０２６６】
捕虫装置２０１０の操作において、導電性プロング２０２２（１つのみが図示されている）を壁面電気コンセントに差し込む。回路基板２０５０が、ＬＥＤ  ２０２４と光センサー２０５６に電力を供給する。ＬＥＤ  ２０２４が光を発し（矢印で表わされている）、これはベース部分２０１２のウィンドウ２０２８を透過して、捕虫部分２０１４の後部ハウジング２０４０の開口部２０４４を通り、後部エンクロージャ２０４８に入り、後部ハウジング２０４０の内側表面２０４２内に直接当たり、ディバイダ２０３４の後側表面２０６２に当たる。いくつかの実施形態において、光はベース部分２０１２内では操作されず、捕虫部分２０１４内へ直接発光される。後部ハウジング２０４０の内側表面２０４２は凹状形状を含み得、ＬＥＤ  ２０２４からのＵＶ光及び可視光を反射及び分散させて、光をディバイダ２０３４の後側表面２０６２に均等に分配するよう構成することができるが、ただし、後部ハウジング２０４０の内側表面２０４２の形状は凸状又はサドル形状又は形状の組み合わせを有していてよく、あるいは、光をより均一に分配するように、畝又はその他の特徴（図示せず）を有してもよい。あるいは、ディバイダ２０３４の後側表面２０６２にＵＶ及び可視光を分配するよう（例えば均等に、特定のパターンに従って、焦点を絞って、など）構成された、アナモルフィックレンズ（図示せず）又はその他のレンズ又はレンズの組み合わせなどの光学的エンハンサーを、後部ハウジング２０４０の開口部２０４４又はその近くで後部ハウジング２０４０に取り付けてよく、又はベース部分２０１２の開口部２０５２又はその近くでベース部分２０１２に取り付けてよく、また、後部ハウジング２０４０の内側表面２０４２の役割を置換又は増強することができる。いくつかの実施形態において、ＬＥＤ  ２０２４からの光は、ディバイダ２０３４の後側表面２０６２に斜めの角度（例えば、約０°〜９０°の鋭角）で直接当たり、ディバイダ２０３４全体にわたって広がってよく、後部ハウジング２０４０の内側表面２０４２の役割、又は後部ハウジング２０４０に取り付けられたレンズ（複数可）の役割を置換又は増強し得る。
【０２６７】
その後、光は、ディバイダ２０３４及び前側表面２０３８の接着剤２０３６を透過し、前部エンクロージャ２０４６に入る。ディバイダ２０３４、接着剤２０３６、又はこれら両方の光散乱特性により、光は更に均一に分配され得る。前部エンクロージャ２０４６に入る光の一部が、前部ハウジング２０１８の開口部２０２０を通って、捕虫装置２０１０が設置されている周辺領域に放射される。虫は、接着剤２０３６と前部ハウジング２０１８の開口部２０２０とを通って放射されるＵＶ及び／又は可視光に誘引され、開口部２０２０内に飛び入り又は這い入って接着剤２０３６の表面に当たり、ここで虫が捕らえられる。捉えられた虫２０５８により、前部エンクロージャ２０４６内へ透過する光の量が低減される。光センサー２０５６は光の低減を検知し、電気的特性を変化させることにより応答する。回路基板２０５０は、所定の閾値を超えた電気的特性の変化に応答して、ＬＥＤ  ２０２４を点滅させ、これにより、捕虫部分２０１４の交換が必要な可能性があることを知らせるインジケーター機能を提供する。あるいは、他の視覚的インジケーター機能（例えば光の色の変化（例えば黄色、橙色又は赤色））、あるいは聴覚的インジケーター機能（例えばトーン又は音声）を、点滅光インジケーター機能の強化又は代替に使用することができる。いくつかの実施形態において、回路基板２０５０は、周辺光レベルの変化に対して誤って応答するのを防ぐよう構成され、これは、ＬＥＤ  ２０２４から発する光を、好ましくは人間の目で判別できない速度で周期的にパルス発光させるか又は変えることにより、光の周期的パルスで光センサー２０５６の電気的特性の変化を検出し、所定の閾値を超える変化に応答して、ＬＥＤ  ２０２４を点滅させる。ユーザーは、捕虫装置２０１０から発せられる点滅光に気付き、前部ハウジング２０１８の開口部２０２０から覗くことにより、捕らわれた虫２０５８を観察することができる。ユーザーは、捕獲された虫、虫の屑又は接着剤（これらは捕虫部分２０１４内の届かないところに留まる）に触れることなしに、使用済みの捕虫部分２０１４全体を容易に取り外して捨て、新しい捕虫部分２０１４に交換することができる。新しい捕虫部分２０１４は、接着剤コーティングされた新しい表面と光誘導表面を有しており、捕虫装置２０１０が引き続き効率的かつ効果的に虫を確実に誘引して捕らえることができるようになる。
【０２６８】
いくつかの実施形態において、捕虫部分２０１４はベース部分２０１２の前ではなく上に取り付けられているため、普通の家庭用壁面コンセントに差し込んだときに、捕虫装置２０１０の壁面からの突出が最小限に抑えられ、これによって、家庭環境に対する邪魔を最小限に抑える。いくつかの実施形態において、捕虫装置２０１０は、壁面に取り付けられたとき、捕虫装置２０１０が壁から突出する合計距離によって画定される合計奥行きが、捕虫装置２０１０の全体高さ及び全体の幅よりも小さくなるように構成される。
【０２６９】
捕虫装置２０１０の利点は、捕虫部分２０１４内の光の操作であることが理解されよう。いくつかの実施形態において、光の操作は捕虫部分２０１４内でのみ起こる。光の操作には、反射、屈折、偏光、分散及び／又は散乱が含まれ得、これは操作可能なエレメント又は表面（例えば、内側表面２０４２、ディバイダ２０３４及び接着剤２０３６）と係合することにより達成される。いくつかの実施形態において、光の操作は、接着剤２０３６上に光の均等な分布を生成する。いくつかの実施形態において、光は、接着剤２０３６の上又は捕虫部分２０１４内に所定のパターンを生成するよう操作され、例えば、均一な分布、高強度のホットスポットを伴う均一な分布、ホットスポットパターン、及び／又はこれらの組み合わせを生成するよう操作される。
【０２７０】
任意の好適な接着剤材料を、虫を捕獲するための接着表面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性接着剤を使用することができる。一般に、そのような接着剤の厚さは約０．０１ｍｍ〜１ｍｍの範囲である。いくつかの実施形態において、接着剤厚さは、約０．０５ｍｍ〜０．２ｍｍの範囲であり、厚さ約０．１ｍｍが最もよく使用される。
【０２７１】
この構成の捕虫装置２０１０は、ベース部分２０１２に取り外し可能に取り付けることができる様々な異なる捕虫部分２０１４に対応することができ、それぞれの捕虫部分２０１４は、特定の種類又は複数の種類の虫（飛ぶ虫も飛ばない虫も）を誘引して捕らえるよう独自に構成される。例えば、捕虫部分２０１４の全体の寸法及び形状、捕虫部分２０１４の前部ハウジング２０１８の開口部２０２０の寸法、形状、位置及び向き、並びに捕虫部分２０１４の固有周波数及び音増幅特性は、特定の種類又は複数の種類の飛ぶ虫を誘引して捕らえるよう独自に構成される。例えば、いくつかの実施形態において、捕虫部分２０１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分２０１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分２０１４はおよそ、幅２０ｍｍ〜１３０ｍｍ、高さ２０ｍｍ〜１３０ｍｍ、及び奥行き５ｍｍ〜５０ｍｍである。
【０２７２】
いくつかの実施形態において、ベース部分２０１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分２０１２は、幅２０ｍｍ〜２００ｍｍ、高さ１０ｍｍ〜１００ｍｍ、及び奥行き１０ｍｍ〜８０ｍｍである。いくつかの実施形態において、ベース部分２０１２は、幅２０ｍｍ〜１３０ｍｍ、高さ１０ｍｍ〜５０ｍｍ、及び奥行き１０ｍｍ〜５０ｍｍである。
【０２７３】
本明細書で示すように、開口部２０２０は様々な形状及び／又は寸法であり得る。例えば、開口部２０２０の形状は、円形、正方形、長方形、多角形、及び／又は楕円形であり得る。あるいは、開口部２０２０は、直線、曲線、又はうねりの形状又はパターンを有するスロット形状であり得る。開口部２０２０が円形の場合、開口部２０２０の直径は約０．５ｍｍ〜３０ｍｍであり得る。いくつかの実施形態において、円形開口部２０２０の直径は約０．５ｍｍ〜２０ｍｍである。いくつかの実施形態において、円形開口部２０２０の直径は約０．５ｍｍ〜１５ｍｍである。開口部２０２０がスロット形状の場合、開口部２０２０はおよそ、幅２ｍｍ〜３０ｍｍ、長さ５ｍｍ〜５００ｍｍであり得る。いくつかの実施形態において、スロット形状開口部２０２０はおよそ、幅２ｍｍ〜２０ｍｍ、長さ５ｍｍ〜２００ｍｍである。いくつかの実施形態において、スロット形状開口部２０２０はおよそ、幅２ｍｍ〜１５ｍｍ、長さ５ｍｍ〜１００ｍｍである。
【０２７４】
いくつかの実施形態において、開口部２０２０は前部ハウジング２０１８の全部又は一部を占める。例えば、開口部２０２０は、前部ハウジング２０１８の表面積の約１％〜７５％の範囲を占めることができる。いくつかの実施形態において、開口部２０２０は、前部ハウジング２０１８の表面積の約５％〜５０％を占める。いくつかの実施形態において、開口部２０２０は、前部ハウジング２０１８の表面積の約１０％〜３０％を占める。
【０２７５】
図５２は、捕虫装置の第２１の実施形態の後側斜視図であり、この捕虫装置は全体的に２１１０として示される。捕虫装置２１１０は、ベース部分２１１２と取り外し可能な捕虫部分２１１４とを含む。捕虫部分２１１４は、この図で、部分的に切り取られ、ベース部分２１１２から取り外された状態で示されている。捕虫部分２１１４は、前側表面２１１６（図５３に示す）に少なくとも１つの開口部２１２０を備えた前部ハウジング２１１８と、後部ハウジング２１４０と、後側表面２１５２を備えたディバイダ２１３４を含む。ディバイダ２１３４の後側表面２１５２には、電気機械式アクチュエーター２１５４（好ましくは圧電アクチュエーターなどの発信機又はトランシーバー）が取り付けられている。アクチュエーター２１５４には、捕虫電気ワイヤ２１５６が取り付けられている。２本の捕虫ワイヤ２１５６がアクチュエーター２１５４に取り付けられて示されているが、任意の好適な数のワイヤを使用することができる。後部ハウジング２１４０は、その下表面に開口部２１４４を含んでよく、あるいは開口部２１４４は、透明又は半透明のウィンドウ（図示せず）に置き換えられてもよい。
【０２７６】
ベース部分２１１２の後側表面２１７２から突出しているのは、複数の導電性プロング２１２２であり、導電性プロング２１２２を標準の家庭用壁面電気コンセントに差し込むことにより、捕虫装置２１１０を壁面に取り付けて捕虫装置２１１０に電源を供給するよう適合されている。あるいは、ベース部分２１１２は、望ましいように静置又は吊り下げて、ベース部分２１１２内に取り付けられた電池（図示せず）から電力を受け取るよう構成され得る。電気コンセントと電池は、捕虫装置２１１０に電力を供給するものとして記述されるが、任意の好適な電源を使用することができる。ベース部分２１１２は、１つ以上のＬＥＤ  ２１２４などの発光エレメントを含む。いくつかの実施形態において、ＬＥＤ  ２１２４は、ＵＶ光を発するＬＥＤを少なくとも１つ、及び可視光を発するＬＥＤを少なくとも１つ含む。いくつかの実施形態において、ＬＥＤ  ２１２４は、広範な種の虫をよりよく誘引するために、ＵＶ光を発するＬＥＤを少なくとも１つ、及び青色光を発するＬＥＤを少なくとも１つ含む。いくつかの実施形態において、この発光エレメントは、日光を模した波長の組み合わせを放射する。いくつかの実施形態において、ＬＥＤ  ２１２４は、蚊及びノミなどの特定の種の虫をよりよく誘引するために、ＩＲ光を発するＬＥＤを少なくとも１つ含む。ベース部分２１１２の上表面２１２６には開口部２１６６が含まれ、これは透明又は半透明のウィンドウ２１２８で覆われていてよく、図ではＬＥＤ  ２１２４を見えるようにするため部分的に切り取られている。ウィンドウ２１２８はＬＥＤ  ２１２４をダストと虫の屑から保護し、ベース部分２１１２をクリーニングしやすくする。いくつかの実施形態において、捕虫部分２１１４がベース部分２１１２に取り付けられたときに、ウィンドウ２１２８の少なくとも一部と、ＬＥＤ  ２１２４の少なくとも一部とが、ベース部分２１１２の上表面２１２６から突出して捕虫部分２１１４内に入る。いくつかの実施形態において、ベース部分２１１２はウィンドウ２１２８を含まず、捕虫部分２１１４がベース部分２１１２に取り付けられたときに、ＬＥＤ  ２１２４の少なくとも一部が、ベース部分２１１２の上表面２１２６から突出して捕虫部分２１１４内に入る。ベース部分２１１２の上表面２１２６にある１つ以上の追加開口部２１５８には、複数のベース電気接触２１６０が取り付けられている。２つのベース接触２１６０が示されているが、任意の好適な数の接触を使用することができる。上表面２１２６にはスロット２１３０があってよく、上表面２１２６の外周には、縁又は上向きの突出部２１３２がある。
【０２７７】
図５３は、捕虫装置２１１０の前側斜視図である。捕虫部分２１１４は、この図で、部分的に切り取られ、ベース部分２１１２から取り外された状態で示されている。前部ハウジング２１１８の開口部２１２０は、広範な種類の虫を捕虫装置２１１０に受け入れるよう構成することができ、あるいは、１種類以上の特定の種の虫を受け入れるよう構成することができる。いくつかの実施形態において、開口部２１２０は、捕虫部分２１１４を取り外して交換するときに、ユーザーの指が開口部２１２０に入ってしまい捕らえられた虫又は接着剤に誤って触れることを防ぐよう構成される。いくつかの実施形態において、開口部２１２０は、直径２５ｍｍの球が開口部２１２０を通過できないような寸法及び形状を有し、かつ、直径１ｍｍの球が開口部２１２０のいかなる部分も通過できるような寸法及び形状を有する。開口部２１２０の幅、形状及び向きは、均一であってよく又は変化してよく、また、捕虫部分２１１４が複数の開口部２１２０を有する場合は、それらの幅、形状及び向きは、同一であってよく又は異なってよい。開口部２１２０は、１種類以上の個々の虫又は様々な種類の虫を誘引するよう構成することができる。いくつかの実施形態において、ディバイダ２１３４は透明又は半透明の材料から構築されるか又はこれを含み、前側表面２１３８が透明又は半透明の接着剤２１３６でコーティングされ得る。使用中、捕らわれた虫２１７０が、ディバイダ２１３４の前側表面２１３８の接着剤２１３６に付着し得る。いくつかの実施形態において、ディバイダ２１３４の材料及び厚さと接着剤２１３６の材料及び厚さは、ＵＶ光及び／又は可視光及び／又はＩＲ光のうちかなりの割合を透過するよう選択され、例えば、光の６０％超がディバイダ２１３４と接着剤２１３６を透過するよう選択される。
【０２７８】
いくつかの実施形態において、ディバイダ２１３４は、飛ぶ虫（広範な種類の飛ぶ虫が、偏光を感知することが知られている）を更に誘引するため、日光と同様に、ある向きで透過する光を偏光するよう構成され得る。いくつかの実施形態において、前部ハウジング２１１８の内側下には、水の表面で反射する光と同様の向きで反射及び偏光するよう構成されたインサート２１６８が取り付けられており、これにより、様々な種類の虫、特に水の近くで繁殖する虫をより良く誘引する。インサート２１６８は、光を反射及び偏光する材料で構成されてよく、反射及び／又は偏光特性を強化するよう畝又は他の表面若しくは表面下形状を有していてよく、これにより虫を更に誘引することができる。
【０２７９】
図５４は、捕虫装置を通る断面図であり、図５５は図５４の一部の拡大図である。いくつかの実施形態において、後部ハウジング２１４０は、反射性コーティングされた内側表面２１４２を有し得る。あるいは、後部ハウジング２１４０の材料及び表面仕上げは、反射性コーティングなしに、ＵＶ光及び／又は可視光及び／又はＩＲ光を反射及び分散させるように構成され得る。
【０２８０】
いくつかの実施形態において、前部ハウジング２１１８と後部ハウジング２１４０は、不透明なプラスチックシートから熱形成され、低価格と使い捨て性を維持しながら、クリーンで審美的に心地良い形状を形成する。あるいは、紙、板紙、厚紙又は紙パルプなどの不透明、透明又は半透明の材料を使用することができる。いくつかの実施形態において、前部ハウジング２１１８及び後部ハウジング２１４０は、射出成形又はその他の好適な製造技法により構築される。図示のように、ディバイダ２１３４は実質的に平らであり、ＬＥＤ  ２１２４により生成される光の主方向に対して平行又はある角度になるように構成することができる。いくつかの実施形態において、ディバイダ２１３４は、光の均一な分布を最適化するよう、凸状、凹状、又はサドル形状、又は形状の組み合わせに形成され得る。いくつかの実施形態において、ディバイダ２１３４は、接着表面面積を増大させ、明暗コントラストの領域を形成するような、畝又はその他の特徴（図示せず）を有し得、これにより、広範な種類の虫に対して可視性が高く、虫をより誘引しやすくなり得る。
【０２８１】
いくつかの実施形態において、前部ハウジング２１１８は更に、その内側表面が透明、半透明又は不透明の接着剤でコーティングされてよく、これにより付加的な捕虫効果及び能力が提供される。加えて、前部ハウジング２１１８は更に内側表面の接着剤コーティングの下に反射性コーティング（図示せず）を有してよく、これにより、虫の誘引効果を強化し、捕虫効果及び効率を更に改善する。いくつかの実施形態において、前部ハウジング２１１８、ディバイダ２１３４及び後部ハウジング２１４０は、交差又は係合する場所で、超音波溶接又は高周波（ＨＦ）溶接で接合させることができるが、接着剤により、又は他の任意の好適な組立技法により、恒久的又は取り外し可能に接合することもできる。ディバイダ２１３４は、捕虫部分２１１４を前部エンクロージャ２１４６と後部エンクロージャ２１４８とに区分している。後部ハウジング２１４０には、ベース部分２１１２のベース接触２１６０に対応する複数の捕虫電気接触２１６２（１つのみが図示されている）が含まれる。捕虫接触２１６２は、対応する捕虫ワイヤ２１５６に電気的に接続され、捕虫部分２１１４がベース部分２１１２に取り付けられたときに、ベース接触２１６０（１つのみが図示されている）と電気的接触を形成するよう構成されている。いくつかの実施形態において、ベース部分２１１２は、コマンドを実行するためのプログラム可能プロセッサ又はチップ（図示せず）を有する回路基板２１５０を含み、これは導電性プロング２１２２（１つのみが図示されている）、ＬＥＤ  ２１２４（１つのみが図示されている）、及び、ベース接触２１６０に対応してこれに電気的に接触している複数のベース電気ワイヤ２１６４に、電気的に接続されている。したがって、ディバイダ２１３４の後側表面２１５２に取り付けられているアクチュエーター２１５４は、捕虫部分２１１４がベース部分２１１２に取り付けられているときに、回路基板２１５０に電気的に接続され得る。ただし、見やすくするため、電気的接続は一部しか示されていない。回路基板２１５０は、導電性プロング２１２２から通常の家庭用電流を受け取り、ＬＥＤ  ２１２４を点灯させる電力を供給するための電子回路部品を含み得る。回路基板２１５０は、ＬＥＤ  ２１２４に定電圧を供給する、全波整流回路又はその他の回路などのエネルギー安定器を含み得るが、ただし、一部の種の虫（蚊を含む）にとって誘引性となり得るような動きを模倣するちらつき光を提供するように、ＬＥＤ  ２１２４に変動電圧を供給することもできる。例えば、およそ０．０５Ｈｚ（例えば、大型哺乳動物の呼吸数を模倣する）〜２５０Ｈｚ（例えば、オスのイエバエを誘引するちらつきの最高周波数）の範囲の光ちらつき周波数が望ましいことがあり、発光エレメントがこの範囲内でちらつくよう構成することができる。回路基板２１５０は、ＵＶ光及び／又は可視光及び／又はＩＲ光を提供するために、ＬＥＤ  ２１２４に電力を供給するが、ただし、ＵＶ光及び／又は可視光及び／又はＩＲ光のちらつきの組み合わせを生み出すために、ＵＶ  ＬＥＤ  ２１２４のみ又は可視光ＬＥＤ  ２１２４のみ又はＩＲ  ＬＥＤ  ２１２４のみに電力を供給するか、あるいは変動電力を供給するよ���、構成することもできる。回路基板２１５０は更に、虫誘引性の音を発するために、ディバイダ２１３４の後側表面２１５２に取り付けられたアクチュエーター２１５４に電力を供給するよう構成され得る。いくつかの実施形態において、この発信機又はトランシーバーは、虫（蚊、小昆虫、蛾、又は蠅など）をよりよく誘引するために、録音及び／又は生成された虫の音又は振動を発することができ、これには、虫の発信、応答、求愛、及び連結の歌のうち１つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の単音又は複数の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置２１１０から約２メートル以内の距離にいる虫に感知可能となることが望ましい。そのような虫誘引性の音は、捕虫装置２１１０から約１メートル以内の距離にいる人間に感知できないものであることが望ましい。
【０２８２】
図示のように、ベース部分２１１２の上表面２１２６のスロット２１３０と、ベース部分２１１２の上表面２１２６の突出部２１３２とが、捕虫部分２１１４と係合して、使用中に定位置に固定させる。ただし、捕虫部分２１１４をベース部分２１１２に取り外し可能にしっかりと取り付けることができるような、他の任意の取り付けの形態に置き換えることができる。
【０２８３】
捕虫装置２１１０の操作において、導電性プロング２１２２を壁面電気コンセントに差し込む。回路基板２１５０が、ＬＥＤ  ２１２４とアクチュエーター２１５４に電力を供給する。ＬＥＤ  ２１２４が光を発し（矢印で表わされている）、これはベース部分２１１２のウィンドウ２１２８を透過して、捕虫部分２１１４の後部ハウジング２１４０の開口部２１４４を通り、後部エンクロージャ２１４８に入り、後部ハウジング２１４０の内側表面２１４２内に直接当たり、ディバイダ２１３４の後側表面２１５２に当たる。いくつかの実施形態において、光はベース部分２１１２内では操作されず、捕虫部分２１１４内へ直接発光される。後部ハウジング２１４０の内側表面２１４２は凹状形状を含み得、ＬＥＤ  ２１２４からのＵＶ光及び可視光を反射及び分散させて、光をディバイダ２１３４の後側表面２１５２に均等に分配するよう構成することができるが、ただし、後部ハウジング２１４０の内側表面２１４２の形状は凸状又はサドル形状又は形状の組み合わせを有していてよく、あるいは、光をより均一に分配するように、畝又はその他の特徴（図示せず）を有してもよい。あるいは、ディバイダ２１３４の後側表面２１５２にＵＶ及び可視光を分配するよう（例えば均等に、特定のパターンに従って、焦点を絞って、など）構成された、アナモルフィックレンズ（図示せず）又はその他のレンズ又はレンズの組み合わせなどの光学的エンハンサーを、後部ハウジング２１４０の開口部２１４４又はその近くで後部ハウジング２１４０に取り付けてよく、又はベース部分２１１２の開口部２１６６又はその近くでベース部分２１１２に取り付けてよく、また、後部ハウジング２１４０の内側表面２１４２の役割を置換又は増強することができる。いくつかの実施形態において、ＬＥＤ  ２１２４からの光は、ディバイダ２１３４の後側表面２１５２に斜めの角度（例えば、約０°〜９０°の鋭角）で直接当たり、ディバイダ２１３４全体にわたって広がり、後部ハウジング２１４０の内側表面２１４２の役割、又は後部ハウジング２１４０若しくはベース部分２１１２に取り付けられたレンズ（複数可）の役割を置換又は増強し得る。
【０２８４】
その後、光は、ディバイダ２１３４及び前側表面２１３８の接着剤２１３６を透過し、前部エンクロージャ２１４６に入る。この光は更に、ディバイダ２１３４、前側表面２１３８の接着剤２１３６、又はこれら両方の光散乱特性により、均一に分配され得る。前部エンクロージャ２１４６に入る光の一部が、前部ハウジング２１１８の開口部２１２０を通って、捕虫装置が設置されている領域に放射される。アクチュエーター２１５４は虫誘引性の振動を生成し、これがディバイダ２１３４により増幅され、開口部２１２０を通って外に出る。接着剤２１３６と、前部ハウジング２１１８の開口部２１２０とを通って放射されるＵＶ及び／又は可視光に、虫が誘引される。虫は更に、アクチュエーター２１５４により生成された虫誘引性の振動に誘引される。虫が、開口部２１２０に飛び入り又は這い入って接着剤２１３６の表面に当たり、ここで虫が捕らえられる。ユーザーは、前部ハウジング２１１８の開口部２１２０を通して見ることにより、捕らわれた虫を観察できる。いくつかの実施形態において、回路基板２１５０は周期的に電気パルスをアクチュエーター２１５４に送信し、ディバイダ２１３４を振動させる。ディバイダ２１３４の振動により、アクチュエーター２１５４が電気的応答（例えば電圧、抵抗又は電荷の変化など）を生成する。捕らわれた虫２１７０が接着剤２１３６に付着すると、ディバイダ２１３４の振動特性が変化し、よって、アクチュエーター２１５４からの電気的応答信号が変化する。回路基板２１５０は、捕らわれた虫２１７０が十分な数、接着剤２１３６に付着したときに、所定の閾値を超えるアクチュエーター２１５４からの電気的応答信号の変化に対して回路基板２１５０が応答し、ＬＥＤ  ２１２４を点滅させ、これにより、捕虫部分２１１４の交換が必要な可能性があることを知らせるよう、構成される。あるいは、他の視覚的インジケーター機能（例えば光の色の変化（例えば黄色、橙色又は赤色））、あるいは聴覚的インジケーター機能（例えばトーン又は音声）を、点滅光インジケーター機能の強化又は代替に使用することができる。ユーザーは、捕獲された虫、虫の屑又は接着剤（これらは捕虫部分２１１４内の届かないところに留まる）に触れることなしに、使用済みの捕虫部分２１１４全体を容易に取り外して捨て、新しい捕虫部分２１１４に交換することができる。新しい捕虫部分２１１４は、接着剤コーティングされた新しい表面と光誘導表面を有しており、捕虫装置２１１０が引き続き効率的かつ効果的に虫を確実に誘引して捕らえることができるようになる。
【０２８５】
いくつかの実施形態において、捕虫部分２１１４はベース部分２１１２の前ではなく上に取り付けられているため、普通の家庭用壁面コンセントに差し込んだときに、捕虫装置２１１０の壁面からの突出が最小限に抑えられ、これによって、家庭環境に対する邪魔を最小限に抑える。いくつかの実施形態において、捕虫装置２１１０は、壁面に取り付けられたとき、捕虫装置２１１０が壁から突出する合計距離によって画定される合計奥行きが、捕虫装置２１１０の全体高さ及び全体の幅よりも小さくなるように構成される。
【０２８６】
捕虫装置２１１０の利点は、捕虫部分２１１４内の光の操作であることが理解されよう。いくつかの実施形態において、光の操作は捕虫部分２１１４内でのみ起こる。光の操作には、反射、屈折、偏光、分散及び／又は散乱が含まれ得、これは操作可能なエレメント又は表面（例えば、内側表面２１４２、ディバイダ２１３４及び接着剤２１３６）と係合することにより達成される。いくつかの実施形態において、光の操作は、接着剤２１３６上に光の均等な分布を生成する。いくつかの実施形態において、光は、接着剤２１３６の上又は捕虫部分２１１４内に所定のパターンを生成するよう操作され、例えば、均一な分布、高強度のホットスポットを伴う均一な分布、ホットスポットパターン、及び／又はこれらの組み合わせを生成するよう操作される。
【０２８７】
任意の好適な接着剤材料を、虫を捕獲するための接着表面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性接着剤を使用することができる。一般に、そのような接着剤の厚さは約０．０１ｍｍ〜１ｍｍの範囲である。いくつかの実施形態において、接着剤厚さは、約０．０５ｍｍ〜０．２ｍｍの範囲であり、厚さ約０．１ｍｍが最もよく使用される。
【０２８８】
この構成の捕虫装置２１１０は、ベース部分２１１２に取り外し可能に取り付けることができる様々な異なる捕虫部分２１１４に対応することができ、それぞれの捕虫部分２１１４は、特定の種類又は複数の種類の虫（飛ぶ虫も飛ばない虫も）を誘引して捕らえるよう独自に構成される。例えば、捕虫部分２１１４の全体の寸法及び形状、捕虫部分２１１４の前部ハウジング２１１８の開口部２１２０の寸法、形状、位置及び向き、アクチュエーター２１５４の振動性性特性、捕虫部分２１１４の固有周波数及び音増幅特性、並びに、アクチュエーター２１５４からの電気的応答信号は、特定の種類又は複数の種類の虫（飛ぶ虫も飛ばない虫も）を誘引して捕らえるよう独自に構成される。例えば、いくつかの実施形態において、捕虫部分２１１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分２１１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分２１１４はおよそ、幅２０ｍｍ〜１３０ｍｍ、高さ２０ｍｍ〜１３０ｍｍ、及び奥行き５ｍｍ〜５０ｍｍである。
【０２８９】
いくつかの実施形態において、ベース部分２１１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分２１１２は、幅２０ｍｍ〜２００ｍｍ、高さ１０ｍｍ〜１００ｍｍ、及び奥行き１０ｍｍ〜８０ｍｍである。いくつかの実施形態において、ベース部分２１１２は、幅２０ｍｍ〜１３０ｍｍ、高さ１０ｍｍ〜５０ｍｍ、及び奥行き１０ｍｍ〜５０ｍｍである。
【０２９０】
本明細書で示すように、開口部２１２０は様々な形状及び／又は寸法であり得る。例えば、開口部２１２０の形状は、円形、正方形、長方形、多角形、及び／又は楕円形であり得る。あるいは、開口部２１２０は、直線、曲線、又はうねりの形状又はパターンを有するスロット形状であり得る。開口部２１２０が円形の場合、開口部２１２０の直径は約０．５ｍｍ〜３０ｍｍであり得る。いくつかの実施形態において、円形開口部２１２０の直径は約０．５ｍｍ〜２０ｍｍである。いくつかの実施形態において、円形開口部２１２０の直径は約０．５ｍｍ〜１５ｍｍである。開口部２１２０がスロット形状の場合、開口部２１２０はおよそ、幅２ｍｍ〜３０ｍｍ、長さ５ｍｍ〜５００ｍｍであり得る。いくつかの実施形態において、スロット形状開口部２１２０はおよそ、幅２ｍｍ〜２０ｍｍ、長さ５ｍｍ〜２００ｍｍである。いくつかの実施形態において、スロット形状開口部２１２０はおよそ、幅２ｍｍ〜１５ｍｍ、長さ５ｍｍ〜１００ｍｍである。
【０２９１】
いくつかの実施形態において、開口部２１２０は前部ハウジング２１１８の全部又は一部を占める。例えば、開口部２１２０は、前部ハウジング２１１８の表面積の約１％〜７５％の範囲を占めることができる。いくつかの実施形態において、開口部２１２０は、前部ハウジング２１１８の表面積の約５％〜５０％を占める。いくつかの実施形態において、開口部２１２０は、前部ハウジング２１１８の表面積の約１０％〜３０％を占める。
【０２９２】
図５６は、捕虫装置の第２２の実施形態の前側斜視図であり、この捕虫装置は全体的に２２１０として示される。捕虫装置２２１０は、ベース部分２２１２と取り外し可能な捕虫部分２２１４とを含む。捕虫部分２２１４は、この図で、ベース部分２２１２から取り外された状態で示されている。捕虫部分２２１４は、前側表面２２１６にタブスロット２２６８と少なくとも１つの開口部２２２０を備えた前部ハウジング２２１８を含む。前部ハウジング２２１８の開口部２２２０は、広範な種類の虫を捕虫装置２２１０に受け入れるよう構成することができ、あるいは、１種類以上の特定の種の虫を受け入れるよう構成することができる。いくつかの実施形態において、開口部２２２０は、捕虫部分２２１４を取り外して交換するときに、ユーザーの指が開口部２２２０に入ってしまい死んだ虫又は接着剤に誤って触れることを防ぐよう構成される。いくつかの実施形態において、開口部２２２０は、直径２５ｍｍの球が開口部２２２０を通過できないような寸法及び形状を有し、かつ、直径１ｍｍの球が開口部２２２０のいかなる部分も通過できるような寸法及び形状を有する。開口部２２２０の幅、形状及び向きは、均一であってよく又は変化してよく、また、捕虫部分２２１４が複数の開口部２２２０を有する場合は、それらの幅、形状及び向きは、同一であってよく又は異なってよい。開口部２２２０は、１種類以上の個々の虫又は様々な種類の虫を誘引するよう構成することができる。いくつかの実施形態において、前部ハウジング２２１８は、開口部２２２０を取り囲む畝又は立体形状２２７０を備えて構成され、これにより捕虫部分２２１０に剛性と強度を付与し、前部ハウジング２２１８がより薄い材料で製造できるようになる。図示のように、捕虫部分２２１４の前部ハウジング２２１８のタブスロット２２６８から突出しているのは、取り外し可能なタブ２２５４である。ベース部分２２１２の後側表面２２７８（図５９に図示）から突出しているのは、複数の導電性プロング２２２２であり、導電性プロング２２２２を標準の家庭用壁面電気コンセントに差し込むことにより、捕虫装置２２１０を壁面に取り付けて捕虫装置２２１０に電源を供給するよう適合されている。あるいは、ベース部分２２１２は、望ましいように静置又は吊り下げて、ベース部分２２１２内に取り付けられた電池（図示せず）から電力を受け取るよう構成され得る。電気コンセントと電池は、捕虫装置２２１０に電力を供給するものとして記述されるが、任意の好適な電源を使用することができる。ベース部分２２１２は、上表面２２２６と、１つ以上のＬＥＤ  ２２２４などの発光エレメントとを含む。いくつかの実施形態において、ＬＥＤ  ２２２４は、ＵＶ光を発するＬＥＤを少なくとも１つ、及び可視光を発するＬＥＤを少なくとも１つ含む。いくつかの実施形態において、ＬＥＤ  ２２２４は、広範な種の虫をよりよく誘引するために、ＵＶ光を発するＬＥＤを少なくとも１つ、及び青色光を発するＬＥＤを少なくとも１つ含む。いくつかの実施形態において、この発光エレメントは、日光を模した波長の組み合わせを放射する。いくつかの実施形態において、ＬＥＤ  ２２２４は、蚊及びノミなどの特定の種の虫をより���く誘引するために、赤外（ＩＲ）光を発するＬＥＤを少なくとも１つ含む。ベース部分２２１２の上表面２２２６に取り付けられているのは、透明又は半透明のウィンドウ２２２８であってよく、図ではＬＥＤ  ２２２４を見えるようにするため部分的に切り取られている。ウィンドウ２２２８はＬＥＤをダストと虫の屑から保護し、ベース部分２２１２をクリーニングしやすくする。いくつかの実施形態において、捕虫部分２２１４がベース部分２２１２に取り付けられたときに、ウィンドウ２２２８の少なくとも一部と、ＬＥＤ  ２２２４の少なくとも一部とが、ベース部分２２１２の上表面２２２６から突出して捕虫部分２２１４内に入る。あるいは、ベース部分２２１２はウィンドウ２２２８を含まなくともよく、捕虫部分２２１４がベース部分２２１２に取り付けられたときに、ＬＥＤ  ２２２４の少なくとも一部が、ベース部分２２１２の上表面２２２６から突出して捕虫部分２２１４内に入る。上表面２２２６にはスロット２２３０があってよく、上表面２２２６の外周には、縁又は上向きの突出部２２３２がある。
【０２９３】
図５７は、捕虫装置２２１０の前側斜視図である。捕虫部分２２１４はこの図で部分的に切り取られて示されている。いくつかの実施形態において、捕虫部分２２１４はディバイダ２２３４を含み、これは透明又は半透明の材料で構築されるか又はこれを含み、前側表面２２３８が透明又は半透明の接着剤２２３６でコーティングされている。いくつかの実施形態において、ディバイダ２２３４は、飛ぶ虫（広範な種類の飛ぶ虫が、偏光を感知することが知られている）を更に誘引するため、日光と同様に、ある向きで透過する光を偏光するよう構成される。いくつかの実施形態において、ディバイダ２２３４の材料及び厚さと接着剤２２３６の材料及び厚さは、ＵＶ光及び／又は可視光及び／又はＩＲ光のうちかなりの割合を透過するよう選択され、例えば、光の６０％超がディバイダ２２３４と接着剤２２３６を透過するよう選択される。ディバイダ２２３４は、ディバイダのスロット２２７２と、１つ以上の穿孔２２７４とを含み得る。いくつかの実施形態において、ディバイダ２２３４の前側表面２２３８の、ディバイダのスロット２２７２及び穿孔２２７４のすぐ近くの領域は、接着剤２２３６でコーティングされていない。捕虫部分２２１４は、内側表面２２４２と下内側表面２２７６とを備えた後部ハウジング２２４０を含む。図示のように、上向きのカップ２２５６は、後部ハウジング２２４０の下内側表面２２７６に取り付けられている。カップ２２５６は、その開放端の外周から突出しているリップ２２５８を有し得る。カップ２２５６は、本明細書に記述される任意の虫誘引性物質に対するバリヤとして作用する、任意の材料又はその組み合わせで構築され得る。取り外し可能なタブ２２５４は、密封端２２６０、及び、密封端２２６０と把持末端２２６２との間にウェブ２２６４を含み、これは、本明細書に記述される任意の虫誘引性物質に対するバリヤとして作用する、任意の可撓性かつ丈夫な材料又はその組み合わせで製造され得る。図示のように、密封端２２６０はカップ２２５６の開放端を覆うよう構築され、接着剤でカップ２２５６のリップ２２５８に付着させて気密封止を形成し、これにより、カップ２２５６内の任意の虫誘引性物質（図示せず）の新鮮さを維持し、同時に、ユーザーが取り除くまでの間、取り外し可能なタブ２２５４を定位置に保持する。ウェブ２２６４は、取り外し可能なタブ２２５４の密封端２２６０の上に折り重ね、ディバイダ２２３４のディバイダのスロット２２７２を通り、前部ハウジング２２１８のタブスロット２２６８まで延在させることができる。取り外し可能なタブ２２５４の把持末端２２６２は、タブスロット２２６８を通って突出し、前部ハウジング２２１８の外側部分に被さるよう下向きに折り曲げることができる。
【０２９４】
図５８は、捕虫装置２２１０の前側斜視図である。捕虫部分２２１４はこの図で部分的に切り取られて示されており、取り外し可能なタブ２２５４は部分的に引き出された状態で示されている。ユーザーは、取り外し可能なタブ２２５４の把持末端２２６２を掴み、取り外し可能なタブ２２５４を捕虫部分２２１４から引き出すことができ、これにより、カップ２２５６のリップ２２５８と取り外し可能なタブ２２５４の密封端２２６０との間の封止を破ることができる。カップ２２５６の内側には、１つ以上の虫誘引性物質を含浸させた担体材料２２６６がある。例えば、担体材料２２６６は、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコール（trunc-call）を含む）、双翅類誘引剤（セラルア、キュールア（cue-lure）、ラチルア、メドルア、モグチュン、ムスカルア、及びトリメドルアを含む）、同翅類誘引剤（レスカルアを含む）、鱗翅類誘引剤（例えばディスパールア）、直鎖レピドプテランフェロモン（コドレルア、ゴシップルア、ヘキサルア、リトルア、ループルア、オルフラルア、及びオストラモンを含む）、及びその他の虫誘引性物質（例えばオイゲノール、メチルオイゲノール、及びシグルア）、又はその他の、捕虫装置２２１０の虫誘引効率を向上させるにおいを供給する物質を、含浸させることができる。カップ２２５６と取り外し可能なタブ２２５４との間の封止を破ることにより、担体材料２２６６から虫誘引性のにおい（複数可）が放出される。捕虫部分２２１４（例えば、前部ハウジング２２１８、後部ハウジング２２４０、ディバイダ２２３４及び接着剤２２３６）の材料も、１つ以上の虫誘引性物質を含浸させることができる。そのような誘引物質は、捕虫装置２２１０から半径約２メートルにいる虫に感知可能となることが望ましい。
【０２９５】
図５９は、捕虫装置２２１０を通る断面図である。この図では、取り外し可能なタブ２２５４が完全に取り外されている。いくつかの実施形態において、後部ハウジング２２４０の内側表面２２４２は反射性コーティングを有する。あるいは、後部ハウジング２２４０の材料及び表面仕上げは、反射性コーティングなしに、ＵＶ光及び／又は可視光を反射及び分散させるように構成され得る。後部ハウジング２２４０は、その下面に開口部２２４４を含んでよく、あるいは開口部２２４４は、透明又は半透明のウィンドウ（図示せず）に置き換えられてもよい。
【０２９６】
いくつかの実施形態において、前部ハウジング２２１８と後部ハウジング２２４０は、不透明なプラスチックシートから熱形成され、低価格と使い捨て性を維持しながら、クリーンで審美的に心地良い形状を形成する。あるいは、紙、板紙、厚紙又は紙パルプなどの不透明、透明又は半透明の材料を使用することができる。いくつかの実施形態において、前部ハウジング２２１８及び後部ハウジング２２４０は、射出成形又はその他の好適な製造技法により製造される。図示のように、ディバイダ２２３４は後側表面２２５２を有し、これは実質的に平らであり、ＬＥＤ  ２２２４により生成される光の主方向（図示せず）に対して平行又はある角度になるように構成することができる。いくつかの実施形態において、ディバイダ２２３４は、光の均一な分布を最適化するよう、凸状、凹状、又はサドル形状（図示せず）、又は形状の組み合わせに形成され得る。いくつかの実施形態において、ディバイダ２２３４は、接着表面面積を増大させ、明暗コントラストの領域を形成するような、畝又はその他の特徴（図示せず）を有し得、これにより、広範な種類の虫に対して可視性が高く、虫をより誘引しやすくなり得る。
【０２９７】
いくつかの実施形態において、前部ハウジング２２１８は、その内側表面が透明、半透明又は不透明の接着剤（図示せず）でコーティングされており、これにより付加的な捕虫効果及び能力が提供される。加えて、前部ハウジング２２１８は更に内側表面の接着剤コーティングの下に反射性コーティング（図示せず）を有してよく、これにより、虫の誘引効果を強化し、捕虫効果及び効率を更に改善する。いくつかの実施形態において、前部ハウジング２２１８、ディバイダ２２３４及び後部ハウジング２２４０は、交差又は係合する場所で、超音波溶接又は高周波溶接で接合させることができるが、接着剤により、又は他の任意の好適な組立技法により、恒久的又は取り外し可能に接合することもできる。ディバイダ２２３４は、捕虫部分２２１４を前部エンクロージャ２２４６と後部エンクロージャ２２４８とに区分している。
【０２９８】
いくつかの実施形態において、ベース部分２２１２は、コマンドを実行するためのプログラム可能プロセッサ又はチップ（図示せず）を有する回路基板２２５０を含み、これは導電性プロング２２２２（１つのみが図示されている）、及びＬＥＤ  ２２２４（１つのみが図示されている）に電気的に接続されている。見やすくするため、電気的接続は一部しか示されていない。回路基板２２５０は、導電性プロング２２２２から通常の家庭用電流を受け取り、ＬＥＤ  ２２２４を点灯させる電力を供給するための電子回路部品を含み得る。回路基板２２５０は、ＬＥＤ  ２２２４に定電圧を供給する、全波整流回路又はその他の回路などのエネルギー安定器を含み得るが、ただし、一部の種の虫（蚊を含む）にとって誘引性となり得るような動きを模倣するちらつき光を提供するように、ＬＥＤ  ２２２４に変動電圧を供給することもできる。例えば、およそ０．０５Ｈｚ（例えば、大型哺乳動物の呼吸数を模倣する）〜２５０Ｈｚ（例えば、オスのイエバエを誘引するちらつきの最高周波数）の範囲の光ちらつき周波数が望ましいことがあり、発光エレメントがこの範囲内でちらつくよう構成することができる。回路基板２２５０は、ＵＶ光及び／又は可視光及び／又はＩＲ光を提供するために、ＬＥＤ  ２２２４に電力を供給するが、ただし、ＵＶ光及び／又は可視光及び／又はＩＲ光のちらつきの組み合わせを生み出すために、ＵＶ  ＬＥＤ  ２２２４のみ又は可視光ＬＥＤ  ２２２４のみ又はＩＲ  ＬＥＤ  ２２２４のみに電力を供給するか、あるいは変動電力を供給するよう、構成することもできる。回路基板２２５０はまた、圧電スピーカー（図示せず）などの発信機又はトランシーバー、又はその他の装置を駆動させるよう構成することができ、これらはベース部分２２１２に取り付けて、虫誘引性の音を発するようにすることができる。いくつかの実施形態において、この発信機又はトランシーバーは、虫（蚊、小昆虫、蛾、又は蠅など）をよりよく誘引するために、録音及び／又は生成された虫の音又は振動を発することができ、これには、虫の発信、応答、求愛、及び連結の歌のうち１つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の単音又は複数の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置２２１０から約２メートル以内の距離にいる虫に感知可能となることが望ましい。そのような虫誘引性の音は、捕虫装置２２１０から約１メートル以内の距離にいる人間に感知できないものであることが望ましい。
【０２９９】
図示のように、ベース部分２２１２の上表面２２２６のスロット２２３０と、ベース部分２２１２の上表面２２２６の突出部２２３２とが、捕虫部分２２１４と係合して、使用中に定位置に固定させる。ただし、捕虫部分２２１４をベース部分２２１２に取り外し可能にしっかりと取り付けることができるような、他の任意の取り付けの形態に置き換えることができる。
【０３００】
捕虫装置２２１０の操作において、導電性プロング２２２２（１つのみが図示されている）を壁面電気コンセントに差し込み、取り外し可能なタブ２２５４（図示せず）を捕虫部分２２１４から引き抜き、これによってカップ２２５６と取り外し可能なタブ２２５４との間の封止が破られ、担体材料２２６６及び虫誘引性物質（複数可）が空気に曝されて、虫誘引性のにおい（複数可）が、ディバイダ２２３４の穿孔２２７４（この図には示されていない）を通り、前部ハウジング２２１８の開口部２２２０を通って、捕虫装置２２１０が設置されている周辺領域に放出される。カップ２２５６、担体材料２２６６及び虫誘引性物質（複数可）は、捕虫部分２２１４の見込み耐用期間に対応する所定期間の間、虫誘引性のにおい（複数可）を放出するよう構成することができ、この期間は例えば１週間、１ヶ月、又は３ヶ月、又は他の長さの期間であり得る。あるいは、カップ２２５６、担体材料２２６６及び虫誘引性物質（複数可）は、捕虫部分２２１４の耐用期間の初期に、ある種類の虫誘引性のにおい（複数可）を優先的に放出し、捕虫部分２２１４の耐用期間の後期に、別の種類の虫誘引性のにおい（複数可）を放出して、変化するにおいを用いてより多くの虫又はより広範な種類の虫を誘引するか、捕虫部分２２１４の耐用期間の後期に、より強いにおいを供給するよう構成することができ、これによって、接着剤２２３６に多くの虫が捕らわれたときに、捕虫部分２２１４から放射される光が低減するのを補償することができる。あるいは、カップ２２５６及び担体材料２２６６は、虫に対する誘引性を実質的に低減することなしに、虫誘引性のにおい（複数可）をマスキングし得る、あるいは人間が不快だと感じ得るか又は子供若しくは対象外の動物（ペットなど）を誘引し得るような虫誘引性のにおい（複数可）の成分をマスキング又は除去し得るような、追加のにおいを放出するよう構成することができる。ＬＥＤ  ２２２４が光を発し（矢印で表わされている）、これはベース部分２２１２のウィンドウ２２２８を透過して、捕虫部分２２１４の後部ハウジング２２４０の開口部２２４４を通り、後部エンクロージャ２２４８に入り、後部ハウジング２２４０の内側表面２２４２内に直接当たり、ディバイダ２２３４の後側表面２２５２に当たる。いくつかの実施形態において、光はベース部分２２１２内では操作されず、捕虫部分２２１４内へ直接発光される。後部ハウジング２２４０の内側表面２２４２は凹状形状を含み得、ＬＥＤ  ２２２４からのＵＶ光及び可視光を反射及び分散させて、光をディバイダ２２３４の後側表面２２５２に均等に分配するよう構成することができるが、ただし、後部ハウジング２２４０の内側表面２２４２は凸状又はサドル形状又は形状の組み合わせを有していてよく、あるいは、光をより均一に分配するように、畝又はその他の特徴（図示せず）を有してもよい。あるいは、ディバイダ２２３４の後側表面２２５２にＵＶ及び可視光を分配するよう（例えば均等に、特定のパターンに従って、焦点を絞って、など）構成された、アナモルフィックレンズ（図示せず）又はその他のレンズ又はレンズの組み合わせなどの光学的エンハンサーを、後部ハウジング２２４０の開口��２２４４又はその近くで後部ハウジング２２４０に取り付けてよく、又はベース部分２２１２のウィンドウ２２２８又はその近くでベース部分２２１２に取り付けてよく、また、後部ハウジング２２４０の内側表面２２４２の役割を置換又は増強することができる。あるいは、１つ以上のＬＥＤ  ２２２４からのＵＶ及び可視光は、ディバイダ２２３４の後側表面２２５２に斜めの角度（例えば、約０°〜９０°の鋭角）で直接当たり、ディバイダ２２３４全体にわたって広がってよく、後部ハウジング２２４０の内側表面２２４２の役割、又は後部ハウジング２２４０に取り付けられたレンズ（複数可）の役割を置換又は増強し得る。
【０３０１】
その後、光は、ディバイダ２２３４及び前側表面２２３８の接着剤２２３６を透過し、前部エンクロージャ２２４６に入る。光は更に、ディバイダ２２３４、接着剤２２３６、又はこれら両方の光散乱特性により、均一に分配され得る。前部エンクロージャ２２４６に入る光の一部が、前部ハウジング２２１８の開口部２２２０を通って、捕虫装置２２１０が設置されている周辺領域に放射される。接着剤２２３６と、前部ハウジング２２１８の開口部２２２０とを通って放射される光に、虫が誘引される。虫は更に、カップ２２５６内の担体材料２２６６から放出されるにおい及び／又はフェロモンに誘引される。加えて、回路基板２２５０によって生じる熱が担体材料２２６６を温めることがあり、これによって、虫誘引性のにおい及び／又はフェロモンの放出が増加し得る。虫が、開口部２２２０に飛び入り又は這い入って接着剤２２３６の表面に当たり、ここで虫が捕らえられる。ユーザーは、前部ハウジング２２１８の開口部２２２０を通して見ることにより、捕らわれた虫を観察できる。十分な数の虫が捕獲されると、ユーザーは、捕獲された虫、虫の屑又は接着剤（これらは捕虫部分２２１４内の届かないところに留まる）に触れることなしに、使用済みの捕虫部分２２１４全体を容易に取り外して捨て、新しい捕虫部分２２１４に交換することができる。新しい捕虫部分２２１４は、接着剤コーティングされた新しい表面と光誘導表面を有しており、捕虫装置２２１０が引き続き効率的かつ効果的に虫を確実に誘引して捕らえることができるようになる。
【０３０２】
いくつかの実施形態において、捕虫部分２２１４はベース部分２２１２の前ではなく上に取り付けられているため、普通の家庭用壁面コンセントに差し込んだときに、捕虫装置２２１０の壁面からの突出が最小限に抑えられ、これによって、家庭環境に対する邪魔を最小限に抑える。いくつかの実施形態において、捕虫装置２２１０は、壁面に取り付けられたとき、捕虫装置２２１０が壁から突出する合計距離によって画定される合計奥行きが、捕虫装置２２１０の全体高さ及び全体の幅よりも小さくなるように構成される。
【０３０３】
捕虫装置２２１０の利点は、捕虫部分２２１４内の光の操作であることが理解されよう。いくつかの実施形態において、光の操作は捕虫部分２２１４内でのみ起こる。光の操作には、反射、屈折、偏光、分散及び／又は散乱が含まれ得、これは操作可能なエレメント又は表面（例えば、内側表面２２４２、ディバイダ２２３４及び接着剤２２３６）と係合することにより達成される。いくつかの実施形態において、光の操作は、接着剤２２３６上に光の均等な分布を生成する。いくつかの実施形態において、光は、接着剤２２３６の上又は捕虫部分２２１４内に所定のパターンを生成するよう操作され、例えば、均一な分布、高強度のホットスポットを伴う均一な分布、ホットスポットパターン、及び／又はこれらの組み合わせを生成するよう操作される。
【０３０４】
任意の好適な接着剤材料を、虫を捕獲するための接着表面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性接着剤を使用することができる。一般に、そのような接着剤の厚さは約０．０１ｍｍ〜１ｍｍの範囲である。いくつかの実施形態において、接着剤厚さは、約０．０５ｍｍ〜０．２ｍｍの範囲であり、厚さ約０．１ｍｍが最もよく使用される。
【０３０５】
この構成の捕虫装置２２１０は、ベース部分２２１２に取り外し可能に取り付けることができる様々な異なる捕虫部分２２１４に対応することができ、それぞれの捕虫部分２２１４は、特定の種類又は複数の種類の飛ぶ虫を誘引して捕らえるよう独自に構成される。例えば、捕虫部分２２１４の全体の寸法及び形状、前部ハウジング２２１８の開口部２２２０の寸法、形状、位置及び向き、並びに担体材料２２６６、前部ハウジング２２１８、ディバイダ２２３４、接着剤２２３６又は後部ハウジング２２４０に含浸させたにおい（複数可）は、特定の種類又は複数の種類の虫を誘引して捕らえるよう独自に構成され得る。
【０３０６】
例えば、いくつかの実施形態において、捕虫部分２２１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分２２１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分２２１４はおよそ、幅２０ｍｍ〜１３０ｍｍ、高さ２０ｍｍ〜１３０ｍｍ、及び奥行き５ｍｍ〜５０ｍｍである。
【０３０７】
いくつかの実施形態において、ベース部分２２１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分２２１２は、幅２０ｍｍ〜２００ｍｍ、高さ１０ｍｍ〜１００ｍｍ、及び奥行き１０ｍｍ〜８０ｍｍである。いくつかの実施形態において、ベース部分２２１２は、幅２０ｍｍ〜１３０ｍｍ、高さ１０ｍｍ〜５０ｍｍ、及び奥行き１０ｍｍ〜５０ｍｍである。
【０３０８】
本明細書で示すように、開口部２２２０は様々な形状及び／又は寸法であり得る。例えば、開口部２２２０の形状は、円形、正方形、長方形、多角形、及び／又は楕円形であり得る。あるいは、開口部２２２０は、直線、曲線、又はうねりの形状又はパターンを有するスロット形状であり得る。開口部２２２０が円形の場合、開口部２２２０の直径は約０．５ｍｍ〜３０ｍｍであり得る。いくつかの実施形態において、円形開口部２２２０の直径は約０．５ｍｍ〜２０ｍｍである。いくつかの実施形態において、円形開口部２２２０の直径は約０．５ｍｍ〜１５ｍｍである。開口部２２２０がスロット形状の場合、開口部２２２０はおよそ、幅２ｍｍ〜３０ｍｍ、長さ５ｍｍ〜５００ｍｍであり得る。いくつかの実施形態において、スロット形状開口部２２２０はおよそ、幅２ｍｍ〜２０ｍｍ、長さ５ｍｍ〜２００ｍｍである。いくつかの実施形態において、スロット形状開口部２２２０はおよそ、幅２ｍｍ〜１５ｍｍ、長さ５ｍｍ〜１００ｍｍである。
【０３０９】
いくつかの実施形態において、開口部２２２０は前部ハウジング２２１８の全部又は一部を占める。例えば、開口部２２２０は、前部ハウジング２２１８の表面積の約１％〜７５％の範囲を占めることができる。いくつかの実施形態において、開口部２２２０は、前部ハウジング２２１８の表面積の約５％〜５０％の範囲を占める。いくつかの実施形態において、開口部２２２０は、前部ハウジング２２１８の表面積の約１０％〜３０％を占める。
【０３１０】
図６０は、捕虫装置の第２３の実施形態の前側斜視図であり、この捕虫装置は全体的に２３１０として示され、図６１は図６０の一部の拡大図である。捕虫装置２３１０は、ベース部分２３１２と取り外し可能な捕虫部分２３１４とを含む。捕虫部分２３１４は、図６０で、部分的に切り取られ、ベース部分２３１２から取り外された状態で示されている。捕虫部分２３１４は、前側表面２３１６に少なくとも１つの開口部２３２０を備えた前部ハウジング２３１８を含む。前部ハウジング２３１８の開口部２３２０は、広範な種類の虫を捕虫装置２３１０に受け入れるよう構成することができ、あるいは、１種類以上の特定の種の虫を受け入れるよう構成することができる。いくつかの実施形態において、開口部２３２０は、捕虫部分２３１４を取り外して交換するときに、ユーザーの指が開口部２３２０に入ってしまい捕らえられた虫又は接着剤に誤って触れることを防ぐよう構成される。いくつかの実施形態において、開口部２３２０は、直径２５ｍｍの球が開口部２３２０を通過できないような寸法及び形状を有し、かつ、直径１ｍｍの球が開口部２３２０のいかなる部分も通過できるような寸法及び形状を有する。開口部２３２０の幅、形状及び向きは、均一であってよく又は変化してよく、また、捕虫部分２３１４が複数の開口部２３２０を有する場合は、それらの幅、形状及び向きは、同一であってよく又は異なってよい。開口部２３２０は、１種類以上の個々の虫又は様々な種類の虫を誘引するよう構成することができる。いくつかの実施形態において、前部ハウジング２３１８は、開口部２３２０を取り囲む畝又は立体形状２３７０を備えて構成され、これにより捕虫部分２３１４に剛性と強度を付与し、前部ハウジング２３１８がより薄い材料で製造できるようになる。捕虫部分２３１４はディバイダ２３３４を含み、これは透明又は半透明の材料で構築されるか又はこれを含み、前側表面２３３８（図６２に示す）が透明又は半透明の接着剤２３３６でコーティングされている。いくつかの実施形態において、ディバイダ２３３４は、飛ぶ虫（広範な種類の飛ぶ虫が、偏光を感知することが知られている）を更に誘引するため、日光と同様に、ある向きで透過する光を偏光するよう構成される。いくつかの実施形態において、ディバイダ２３３４の材料及び厚さと接着剤２３３６の材料及び厚さは、光のかなりの割合を透過するよう選択され、例えば、光の６０％超がディバイダ２３３４と接着剤２２３６を透過するよう選択される。ディバイダ２３３４は、１つ以上の穿孔２３７４を含む。いくつかの実施形態において、ディバイダ２３３４の前側表面２３３８の、穿孔２２７４のすぐ近くの領域は、接着剤２３３６でコーティングされていない。捕虫部分２３１４は、内側表面２３４２と下内側表面２３７６とを備えた後部ハウジング２３４０と、下向きカップ２３５６とを含む。カップ２３５６は、その開放端の外周から突出しているリップ２３５８を有し得、これは、本明細書に記述される任意の虫誘引性物質に対するバリヤとして作用する、任意の材料又はその組み合わせで製造され得る。
【０３１１】
ベース部分２３１２の後側表面２３５４（図６２に図示）から突出しているのは、複数の導電性プロング２３２２であってよく、導電性プロング２３２２を標準の家庭用壁面電気コンセントに差し込むことにより、捕虫装置２３１０を壁面に取り付けて捕虫装置２３１０に電源を供給するよう適合されている。あるいは、ベース部分２３１２は、望ましいように静置又は吊り下げて、ベース部分２３１２内に取り付けられた電池（図示せず）から電力を受け取るよう構成され得る。電気コンセントと電池は、捕虫装置２３１０に電力を供給するものとして記述されるが、任意の好適な電源を使用することができる。ベース部分２３１２は、上表面２３２６と、１つ以上のＬＥＤ  ２３２４などの発光エレメントとを含む。いくつかの実施形態において、ＬＥＤ  ２３２４は、ＵＶ光を発するＬＥＤを少なくとも１つ、及び可視光を発するＬＥＤを少なくとも１つ含む。いくつかの実施形態において、ＬＥＤ  ２３２４は、広範な種の虫をよりよく誘引するために、ＵＶ光を発するＬＥＤを少なくとも１つ、及び青色光を発するＬＥＤを少なくとも１つ含む。いくつかの実施形態において、この発光エレメントは、日光を模した波長の組み合わせを放射する。いくつかの実施形態において、ＬＥＤ  ２３２４は、蚊及びノミなどの特定の種の虫をよりよく誘引するために、ＩＲ光を発するＬＥＤを少なくとも１つ含む。ベース部分２３１２の上表面２３２６に取り付けられているのは、透明又は半透明のウィンドウ２３２８であってよく、図ではＬＥＤ  ２３２４を見えるようにするため部分的に切り取られている。ウィンドウ２３２８はＬＥＤ  ２３２４をダストと虫の屑から保護し、ベース部分２３１２をクリーニングしやすくする。いくつかの実施形態において、捕虫部分２３１４がベース部分２３１２に取り付けられたときに、ウィンドウ２３２８の少なくとも一部と、ＬＥＤ  ２３２４の少なくとも一部とが、ベース部分２３１２の上表面２３２６から突出して捕虫部分２３１４内に入る。あるいは、ベース部分２３１２はウィンドウ２３２８を含まなくともよく、捕虫部分２３１４がベース部分２３１２に取り付けられたときに、ＬＥＤ  ２３２４の少なくとも一部が、ベース部分２３１２の上表面２３２６から突出して捕虫部分２３１４内に入る。上表面２３２６にはスロット２３３０があってよく、上表面２３２６の外周には、縁又は上向きの突出部２３３２がある。図示のように、ベース部分２３１２の上表面２３２６にはパンチ２３７８が突出しており、これは、傾斜した上表面２３８０と、傾斜した上表面２３８０を通って延在するがパンチ２３７８の底面には達しない１本以上の軸方向溝２３８２を備えている。パンチ２３７８の傾斜した上表面２３８０は、パンチ２３７８の遠位端で尖頭を形成する。いくつかの実施形態において、パンチ２３７８の側面は先細になっており、これによってパンチ２３７８は、遠位端側よりも近位端側のほうが大きな断面積を有する。
【０３１２】
図６２は、捕虫装置２３１０を通る断面図であり、図６３は図６２の一部の拡大図である。捕虫部分２３１４は、この図で、ベース部分２３１２の上に持ち上げられている。カップ２３５６の開放端とリップ２３５８とを覆うよう構成された蓋２３６０は、カップ２３５６のリップ２３５８に接着剤で付着されて、気密封止を形成し、これにより、密封されたカップ２３５６内の任意の物質（図示せず）の新鮮さを維持する。蓋２３６０は、本明細書に記述される任意の虫誘引性物質に対するバリヤとして作用し得る、薄く丈夫だが穿孔可能な任意の材料又はその組み合わせで製造され得る。カップ２３５６は、少なくとも１本の支持ポスト２３６２の上に取り付けられ、これは、後部ハウジング２３４０の下内側表面２３７６の上にカップ２３５６及び蓋２３６０を取り付けるよう構成されている。いくつかの実施形態において、支持ポスト２３６２は、後部ハウジング２３４０の下内側表面２３７６にある、少なくとも１つの突起（図示せず）に置き換えられる。カップ２３５６の内側には、１つ以上の虫誘引性物質を含浸させた担体材料２３６６がある。例えば、担体材料２３６６は、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコール（trunc-call）を含む）、双翅類誘引剤（セラルア、キュールア（cue-lure）、ラチルア、メドルア、モグチュン、ムスカルア、及びトリメドルアを含む）、同翅類誘引剤（レスカルアを含む）、鱗翅類誘引剤（例えばディスパールア）、直鎖レピドプテランフェロモン（コドレルア、ゴシップルア、ヘキサルア、リトルア、ループルア、オルフラルア、及びオストラモンを含む）、及びその他の虫誘引性物質（例えばオイゲノール、メチルオイゲノール、及びシグルア）、又はその他の、捕虫装置２３１０の虫誘引効率を向上させるにおいを供給する物質を、含浸させることができる。捕虫部分２３１４（例えば、前部ハウジング２３１８、後部ハウジング２３４０、ディバイダ２３３４及び接着剤２３３６）の材料も、１つ以上の虫誘引性物質を含浸させることができる。そのような誘引物質は、捕虫装置２３１０から半径約２メートルにいる虫に感知可能となることが望ましい。
【０３１３】
いくつかの実施形態において、後部ハウジング２３４０の内側表面２３４２は反射性コーティングを有する。あるいは、後部ハウジング２３４０の材料及び表面仕上げは、反射性コーティングなしに、ＵＶ光及び／又は可視光を反射及び分散させるように構成され得る。後部ハウジング２３４０は、その下面に開口部２３４４を含んでよく、あるいは開口部２３４４は、透明又は半透明のウィンドウ（図示せず）に置き換えられてもよい。いくつかの実施形態において、前部ハウジング２３１８と後部ハウジング２３４０は、プラスチックシートから熱形成され、低価格と使い捨て性を維持しながら、クリーンで審美的に心地良い形状を形成する。あるいは、紙、板紙、厚紙又は紙パルプなどの不透明、透明又は半透明の材料を使用することができる。いくつかの実施形態において、前部ハウジング２３１８及び後部ハウジング２３４０は、射出成形又はその他の好適な製造技法により製造される。図示のように、ディバイダ２３３４は後側表面２３５２を有し、これは実質的に平らであり、ＬＥＤ  ２３２４により生成される光の主方向（図示せず）に対して平行又はある角度になるように構成することができる。いくつかの実施形態において、ディバイダ２３３４は、光の均一な分布を最適化するよう、凸状、凹状、又はサドル形状（図示せず）、又は形状の組み合わせに形成される。いくつかの実施形態において、ディバイダ２３３４は、接着表面面積を増大させ、明暗コントラストの領域を形成するような、畝又はその他の特徴（図示せず）を有し、これにより、広範な種類の虫に対して可視性が高く、虫をより誘引しやすくなり得る。
【０３１４】
いくつかの実施形態において、前部ハウジング２３１８は、その内側表面が透明、半透明又は不透明の接着剤（図示せず）でコーティングされており、これにより付加的な捕虫効果及び能力が提供される。加えて、前部ハウジング２３１８は更に内側表面の接着剤コーティングの下に反射性コーティング（図示せず）を有してよく、これにより、虫の誘引効果を強化し、捕虫効果及び効率を更に改善する。いくつかの実施形態において、前部ハウジング２３１８、ディバイダ２３３４及び後部ハウジング２３４０は、交差又は係合する場所で、超音波溶接又は高周波（ＨＦ）溶接で接合させることができるが、接着剤により、又は他の任意の好適な組立技法により、恒久的又は取り外し可能に接合することもできる。ディバイダ２３３４は、捕虫部分２３１４を前部エンクロージャ２３４６と後部エンクロージャ２３４８とに区分している。
【０３１５】
いくつかの実施形態において、ベース部分２３１２は、コマンドを実行するためのプログラム可能プロセッサ又はチップ（図示せず）を有する回路基板２３５０を含み、これは導電性プロング２３２２（１つのみが図示されている）、及びＬＥＤ  ２３２４（１つのみが図示されている）に電気的に接続されている。見やすくするため、電気的接続は一部しか示されていない。回路基板２３５０は、導電性プロング２３２２から通常の家庭用電流を受け取り、ＬＥＤ  ２３２４を点灯させる電力を供給するための電子回路部品を含み得る。回路基板２３５０は、ＬＥＤ  ２３２４に定電圧を供給する、全波整流回路又はその他の回路などのエネルギー安定器を含み得るが、ただし、一部の種の虫（蚊を含む）にとって誘引性となり得るような動きを模倣するちらつき光を提供するように、ＬＥＤ  ２３２４に変動電圧を供給することもできる。例えば、およそ０．０５Ｈｚ（例えば、大型哺乳動物の呼吸数を模倣する）〜２５０Ｈｚ（例えば、オスのイエバエを誘引するちらつきの最高周波数）の範囲の光ちらつき周波数が望ましいことがあり、発光エレメントがこの範囲内でちらつくよう構成することができる。回路基板２３５０は、ＵＶ光及び／又は可視光及び／又はＩＲ光を提供するために、ＬＥＤ  ２３２４に電力を供給するが、ただし、ＵＶ光及び／又は可視光及び／又はＩＲ光のちらつきの組み合わせを生み出すために、ＵＶ  ＬＥＤ  ２３２４のみ又は可視光ＬＥＤ  ２３２４のみ又はＩＲ  ＬＥＤ  ２３２４のみに電力を供給するか、あるいは変動電力を供給するよう、構成することもできる。回路基板２３５０はまた、圧電スピーカー（図示せず）などの発信機又はトランシーバー、又はその他の装置を駆動させるよう構成することができ、これらはベース部分２３１２に取り付けて、虫誘引性の音を発するようにすることができる。いくつかの実施形態において、この発信機又はトランシーバーは、虫（蚊、小昆虫、蛾、又は蠅など）をよりよく誘引するために、録音及び／又は生成された虫の音又は振動を発することができ、これには、虫の発信、応答、求愛、及び連結の歌のうち１つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の単音又は複数の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置２３１０から約２メートル以内の距離にいる虫に感知可能となることが望ましい。そのような虫誘引性の音は、捕虫装置２３１０から約１メートル以内の距離にいる人間に感知できないものであることが望ましい。
【０３１６】
図６４は、捕虫装置２３１０を通る断面図であり、図６５は図６４の一部の拡大図である。捕虫部分２３１４は、この図で、ベース部分２３１２に取り付けられた状態で示されている。図示のように、ベース部分２３１２の上表面２３２６のスロット２３３０と、ベース部分２３１２の上表面２３２６の突出部２３３２とが、捕虫部分２３１４と係合して、使用中に定位置に固定させる。ただし、捕虫部分２３１４をベース部分２３１２に取り外し可能にしっかりと取り付けることができるような、他の任意の取り付けの形態に置き換えることができる。捕虫部分２３１４をベース部分２３１２に取り付けることにより、パンチ２３７８の尖った遠位端が後部ハウジング２３４０の下表面及び蓋２３６０を突き破る。パンチ２３７８の軸方向溝２３８２に対応する蓋２３６０の一部が変形して、蓋２３６０とパンチ２３７８との間に隙間を形成し、軸方向溝２３８２を通って虫誘引性のにおい（複数可）が放出され、これが矢印で示すように捕虫部分２３１４の後部エンクロージャに入り、ディバイダ２３３４の穿孔２３７４及び前部ハウジング２３１８の開口部２３２０を通って、捕虫装置２３１０が設置されている周辺領域に放出される。軸方向溝ｗはパンチ２３７８の近位端まで届いていないため、パンチ２３７８が破った後部ハウジング２３４０の底の開口部をパンチ２３７８自体が塞ぎ、これによって、虫誘引性のにおい（複数可）が、ディバイダ２３３４の１つ以上の穿孔２３７４のみを通って放出される。
【０３１７】
捕虫装置２３１０の操作において、導電性プロング２３２２（１つのみが図示されている）を壁面電気コンセントに差し込み、捕虫部分２３１４をベース部分２３１２に取り付け、これによって密封蓋２３６０を破り、これによって虫誘引性のにおい（複数可）がディバイダ２３３４の穿孔２３７４を通り、前部ハウジング２３１８の開口部２３２０を通って、捕虫装置２３１０が設置されている周辺領域に放出される。カップ２３５６、担体材料２３６６及び虫誘引性物質（複数可）は、捕虫部分２３１４の見込み耐用期間に対応する所定期間の間、虫誘引性のにおい（複数可）を放出するよう構成することができ、この期間は例えば１週間、１ヶ月、又は３ヶ月、又は他の長さの期間であり得る。あるいは、カップ２３５６、担体材料２３６６及び虫誘引性物質（複数可）は、捕虫部分２３１４の耐用期間の初期に、ある種類の虫誘引性のにおい（複数可）を優先的に放出し、捕虫部分２３１４の耐用期間の後期に、別の種類の虫誘引性のにおい（複数可）を放出して、変化するにおいを用いてより多くの虫又はより広範な種類の虫を誘引するか、捕虫部分２３１４の耐用期間の後期に、より強いにおいを供給するよう構成することができ、これによって、接着剤２３３６に多くの虫が捕らわれたときに、捕虫部分２３１４から放射される光が低減するのを補償することができる。あるいは、カップ２３５６及び担体材料２３６６は、虫に対する誘引性を実質的に低減することなしに、虫誘引性のにおい（複数可）をマスキングし得る、あるいは人間が不快だと感じ得るか又は子供若しくは対象外の動物（ペットなど）を誘引し得るような虫誘引性のにおい（複数可）の成分をマスキング又は除去し得るような、追加のにおいを放出するよう構成することができる。ＬＥＤ  ２３２４が光を発し（矢印で表わされている）、これはベース部分２３１２のウィンドウ２３２８を透過して、捕虫部分２３１４の後部ハウジング２３４０の開口部２３４４を通り、後部エンクロージャ２３４８に入り、後部ハウジング２３４０の内側表面２３４２内に直接当たり、ディバイダ２３３４の後側表面２３５２に当たる。いくつかの実施形態において、光はベース部分２３１２内では操作されず、捕虫部分２３１４内へ直接発光される。後部ハウジング２３４０の内側表面２３４２は凹状形状を含み得、ＬＥＤ  ２３２４からのＵＶ光及び可視光を反射及び分散させて、光をディバイダ２３３４の後側表面２３５２に均等に分配するよう構成することができるが、ただし、後部ハウジング２３４０の内側表面ｗの形状は凸状又はサドル形状又は形状の組み合わせを有していてよく、あるいは、光をより均一に分配するように、畝又はその他の特徴（図示せず）を有してもよい。あるいは、ディバイダ２３３４の後側表面２３５２にＵＶ及び可視光を分配するよう（例えば均等に、特定のパターンに従って、焦点を絞って、など）構成された、アナモルフィックレンズ（図示せず）又はその他のレンズ又はレンズの組み合わせなどの光学的エンハンサーを、後部ハウジング２３４０の開口部２３４４又はその近くで後部ハウジング２３４０に取り付けてよく、又はベース部分２３１２のウィンドウ２３２８又はその近くでベース部分２３１２に取��付けてよく、また、後部ハウジング２３４０の内側表面２３４２の役割を置換又は増強することができる。あるいは、ＬＥＤ  ２３２４からの光は、ディバイダ２３３４の後側表面２３５２に斜めの角度（例えば、約０°〜９０°の鋭角）で直接当たり、ディバイダ２３３４全体にわたって広がってよく、後部ハウジング２３４０の内側表面２３４２の役割、又は後部ハウジング２３４０に取り付けられたレンズ（複数可）の役割を置換又は増強し得る。
【０３１８】
その後、光は、ディバイダ２３３４及び前側表面２３３８の接着剤２３３６を透過し、前部エンクロージャ２３４６に入る。光は更に、ディバイダ２３３４、接着剤２３３６、又はこれら両方の光散乱特性により、均一に分配され得る。前部エンクロージャ２３４６に入る光の一部が、前部ハウジング２３１８の開口部２３２０を通って、捕虫装置２３１０が設置されている周辺領域に放射される。接着剤２３３６と、前部ハウジング２３１８の開口部２３２０とを通って放射される光に、虫が誘引される。虫は更に、カップ２３５６内の担体材料２３６６から放出されるにおい及び／又はフェロモンに誘引される。加えて、回路基板２３５０によって生じる熱が担体材料２３６６を温めることがあり、これによって、虫誘引性のにおい及び／又はフェロモンの放出が増加し得る。虫が、開口部２３２０に飛び入り又は這い入って接着剤２３３６の表面に当たり、ここで虫が捕らえられる。ユーザーは、前部ハウジング２３１８の開口部２３２０を通して見ることにより、捕らわれた虫を観察できる。十分な数の虫が捕獲されると、ユーザーは、捕獲された虫、虫の屑又は接着剤（これらは捕虫部分２３１４内の届かないところに留まる）に触れることなしに、使用済みの捕虫部分２３１４全体を容易に取り外して捨て、新しい捕虫部分２３１４に交換することができる。新しい捕虫部分２３１４は、接着剤コーティングされた新しい表面と光誘導表面を有しており、捕虫装置２３１０が引き続き効率的かつ効果的に虫を確実に誘引して捕らえることができるようになる。
【０３１９】
いくつかの実施形態において、捕虫部分２３１４はベース部分２３１２の前ではなく上に取り付けられているため、普通の家庭用壁面コンセントに差し込んだときに、捕虫装置２３１０の壁面からの突出が最小限に抑えられ、これによって、家庭環境に対する邪魔を最小限に抑える。いくつかの実施形態において、捕虫装置２３１０は、壁面に取り付けられたとき、捕虫装置２３１０が壁から突出する合計距離によって画定される合計奥行きが、捕虫装置２３１０の全体高さ及び全体の幅よりも小さくなるように構成される。
【０３２０】
捕虫装置２３１０の利点は、捕虫部分２３１４内の光の操作であることが理解されよう。いくつかの実施形態において、光の操作は捕虫部分２３１４内でのみ起こる。光の操作には、反射、屈折、偏光、分散及び／又は散乱が含まれ得、これは操作可能なエレメント又は表面（例えば、内側表面２３４２、ディバイダ２３３４及び接着剤２３３６）と係合することにより達成される。いくつかの実施形態において、光の操作は、接着剤２３３６上に光の均等な分布を生成する。いくつかの実施形態において、光は、接着剤２３３６の上又は捕虫部分２３１４内に所定のパターンを生成するよう操作され、例えば、均一な分布、高強度のホットスポットを伴う均一な分布、ホットスポットパターン、及び／又はこれらの組み合わせを生成するよう操作される。
【０３２１】
任意の好適な接着剤材料を、虫を捕獲するための接着表面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性接着剤を使用することができる。一般に、そのような接着剤の厚さは約０．０１ｍｍ〜１ｍｍの範囲である。いくつかの実施形態において、接着剤厚さは、約０．０５ｍｍ〜０．２ｍｍの範囲であり、厚さ約０．１ｍｍが最もよく使用される。
【０３２２】
この構成の捕虫装置２３１０は、ベース部分２３１２に取り外し可能に取り付けることができる様々な異なる捕虫部分２３１４に対応することができ、それぞれの捕虫部分２３１４は、特定の種類又は複数の種類の飛ぶ虫を誘引して捕らえるよう独自に構成される。例えば、捕虫部分２３１４の全体の寸法及び形状、捕虫部分２３１４の前部ハウジング２３１８の開口部２３２０の寸法、形状、位置及び向き、並びに担体材料２３６６、前部ハウジング２３１８、ディバイダ２３３４、接着剤２３３６又は後部ハウジング２３４０に含浸させたにおい（複数可）は、特定の種類又は複数の種類の虫を誘引して捕らえるよう独自に構成され得る。
【０３２３】
例えば、いくつかの実施形態において、捕虫部分２３１４はおよそ、幅２０ｍｍ〜６００ｍｍ、高さ２０ｍｍ〜６００ｍｍ、及び奥行き５ｍｍ〜１５０ｍｍである。いくつかの実施形態において、捕虫部分２３１４はおよそ、幅２０ｍｍ〜２００ｍｍ、高さ２０ｍｍ〜２００ｍｍ、及び奥行き５ｍｍ〜８０ｍｍである。いくつかの実施形態において、捕虫部分２３１４はおよそ、幅２０ｍｍ〜１３０ｍｍ、高さ２０ｍｍ〜１３０ｍｍ、及び奥行き５ｍｍ〜５０ｍｍである。
【０３２４】
いくつかの実施形態において、ベース部分２３１２はおよそ、幅２０ｍｍ〜６００ｍｍ、高さ１０ｍｍ〜１５０ｍｍ、及び奥行き１０ｍｍ〜１５０ｍｍである。いくつかの実施形態において、ベース部分２３１２は、幅２０ｍｍ〜２００ｍｍ、高さ１０ｍｍ〜１００ｍｍ、及び奥行き１０ｍｍ〜８０ｍｍである。いくつかの実施形態において、ベース部分２３１２は、幅２０ｍｍ〜１３０ｍｍ、高さ１０ｍｍ〜５０ｍｍ、及び奥行き１０ｍｍ〜５０ｍｍである。
【０３２５】
本明細書で示すように、開口部２３２０は様々な形状及び／又は寸法であり得る。例えば、開口部２３２０の形状は、円形、正方形、長方形、多角形、及び／又は楕円形であり得る。あるいは、開口部２３２０は、直線、曲線、又はうねりの形状又はパターンを有するスロット形状であり得る。開口部２３２０が円形の場合、開口部２３２０の直径は約０．５ｍｍ〜３０ｍｍであり得る。いくつかの実施形態において、円形開口部２３２０の直径は約０．５ｍｍ〜２０ｍｍである。いくつかの実施形態において、円形開口部２３２０の直径は約０．５ｍｍ〜１５ｍｍである。開口部２３２０がスロット形状の場合、開口部２３２０はおよそ、幅２ｍｍ〜３０ｍｍ、長さ５ｍｍ〜５００ｍｍであり得る。いくつかの実施形態において、スロット形状開口部２３２０はおよそ、幅２ｍｍ〜２０ｍｍ、長さ５ｍｍ〜２００ｍｍである。いくつかの実施形態において、スロット形状開口部２３２０はおよそ、幅２ｍｍ〜１５ｍｍ、長さ５ｍｍ〜１００ｍｍである。
【０３２６】
いくつかの実施形態において、開口部２３２０は前部ハウジング２３１８の全部又は一部を占める。例えば、開口部２３２０は、前部ハウジング２３１８の表面積の約１％〜７５％の範囲を占めることができる。いくつかの実施形態において、開口部２３２０は、前部ハウジング２３１８の表面積の約５％〜５０％を占める。いくつかの実施形態において、開口部２３２０は、前部ハウジング２３１８の表面積の約１０％〜３０％を占める。
【０３２７】
室内を飛ぶ害虫を誘引して捕らえるための、本開示に記述されている原理は、室内を這う又は跳ぶ有害節足動物を誘引して捕らえるのにも利点があることが、理解されよう。例えば、本開示の捕虫装置に誘引されるものとして蚊及び蠅が記述されているが、ゴキブリなどの這う虫又は翼のない虫、及び、クモなどの這う有害節足動物も、本開示の捕虫装置により誘引され、捕捉され得る。図６６は、捕虫装置の第２４の実施形態の前側斜視図であり、この捕虫装置は全体的に２４１０として示される。捕虫装置２４１０は、ベース部分２４１２と、取り外し可能な捕虫部分２４１４と、電気コード２４１６と、複数の導電性プロング２４２２を備えた電気プラグ２４３０とを含み、これは、導電性プロング２４２２を標準の家庭用壁面電気コンセントに差し込むことにより、捕虫装置２４１０に電力を供給するよう適合されている。あるいは、ベース部分２４１２は、ベース部分２４１２内に取り付けられた電池（図示せず）から電力を受け取るよう構成され得る。電気コンセントと電池は、捕虫装置２４１０に電力を供給するものとして記述されるが、任意の好適な電源を使用することができる。図示のように、捕虫装置２４１０は、使用時に床に置くよう構成され、這う虫及び跳ねる虫、並びにその他の有害節足動物を誘引して捕捉する。捕虫部分２４１４は、その外周に少なくとも１つの開口部２４２０を備えたハウジング２４１８を含む。開口部２４２０は、広範な種類の虫を捕虫装置２４１０に受け入れるよう構成することができ、あるいは、１種類以上の特定の種の虫を受け入れるよう構成することができる。いくつかの実施形態において、開口部２４２０は、捕虫部分２４１４を取り外して交換するときに、ユーザーの指が開口部２４２０に入ってしまい捕らえられた虫又は接着剤に誤って触れることを防ぐよう構成される。いくつかの実施形態において、開口部２４２０は、直径２５ｍｍの球が開口部２４２０を通過できないような寸法及び形状を有し、かつ、直径１ｍｍの球が開口部２４２０のいかなる部分も通過できるような寸法及び形状を有する。開口部２４２０の幅、形状及び向きは、均一であってよく又は変化してよく、また、捕虫部分２４１４が複数の開口部２４２０を有する場合は、それらの幅、形状及び向きは、同一であってよく又は異なってよい。開口部２４２０は、１種類以上の個々の虫又は様々な種類の虫を誘引するよう構成することができる。
【０３２８】
図６７は、捕虫装置２４１０の前側斜視図である。捕虫部分２４１４は、この図で、部分的に切り取られ、ベース部分２４１２から取り外された状態で示されている。ベース部分２４１２は、１つ以上のＬＥＤ  ２４２４などの発光エレメントを含む。いくつかの実施形態において、ＬＥＤ  ２４２４は、ＵＶ光を発するＬＥＤを少なくとも１つ、及び可視光を発するＬＥＤを少なくとも１つ含む。いくつかの実施形態において、ＬＥＤ  ２４２４は、広範な種の虫をよりよく誘引するために、ＵＶ光を発するＬＥＤを少なくとも１つ、及び青色光を発するＬＥＤを少なくとも１つ含む。いくつかの実施形態において、この発光エレメントは、日光を模した波長の組み合わせを放射する。いくつかの実施形態において、ＬＥＤ  ２４２４は、ノミを含む特定の種の虫をよりよく誘引するために、ＩＲ光を発するＬＥＤを少なくとも１つ含む。ベース部分２４１２の前表面２４２６には、少なくとも１つの開口部２４４４があり、開口部ｗには、透明又は半透明のウィンドウ（図示せず）が取り付けられていてよい。このウィンドウはＬＥＤ  ２４２４をダストと虫の屑から保護し、ベース部分２４１２をクリーニングしやすくする。いくつかの実施形態において、捕虫部分２４１４がベース部分２４１２に取り付けられたときに、ＬＥＤ  ２４２４の少なくとも一部が、ベース部分２４１２の前表面２４２６から突出して捕虫部分２４１４内に入る。前表面２４２６の外周には、前向きの縁２４３２があってよい。捕虫部分２４１４は、上表面２４３８を備えた底プレート２４３４を含み、この少なくとも一部が接着剤２４３６でコーティングされている。いくつかの実施形態において、底プレート２４３４の下表面（図示せず）は、平らであるか、又は外周部が平らであり、捕虫装置２４１０を床に置いたときに、虫が捕虫装置２４１０の下に這い入ることができないように構成されている。図示のように、ハウジング２４１８は、ベース部分２４１２の開口部２４４４に対応する少なくとも１つの開口部２４４２を有する。いくつかの実施形態において、ハウジング２４１８の開口部２４４２は、透明又は半透明のウィンドウ２４４０を有する。いくつかの実施形態において、ハウジング２４１８は、その内側表面（図示せず）に反射性コーティング（図示せず）を有する。あるいは、ハウジング２４１８の材料及び表面仕上げは、内側表面の反射性コーティングなしに、ＵＶ光及び／又は可視光及び／又はＩＲ光を反射及び分散させるように構成され得る。ハウジング２４１８はまた、その内側表面（図示せず）が透明、半透明又は不透明の接着剤でコーティングされてよく、これにより付加的な捕虫効果及び能力が提供される。いくつかの実施形態において、接着剤２４３６は、ＵＶ及び／又は可視光及び／又はＩＲ光を反射及び分散させるよう構成される。ハウジング２４１８と底プレート２４３４とが、エンクロージャ２４４８を形成する。いくつかの実施形態において、ハウジング２４１８は、不透明なプラスチックシートから熱形成され、低価格と使い捨て性を維持しながら、クリーンで審美的に心地良い形状を形成する。あるいは、ハウジング２４１８は、紙、板紙、厚紙又は紙パルプなどの不透明、透明又は半透明の材料で構築することができる。いくつかの実施形態において、ハウジング２４１８は、射出成形、又はその他の好適な製造技法により構築される。いくつかの実施形態において、ハウジング２４１８及び底プレート２４３４は、その交差部又は係合部が接着剤で接合されているが、これらは他の一般的に使用されているパッケージング組立技法により接合されてよく、例えば超音波溶接又は高周波（ＨＦ）溶接、又はその他任意の好適な組立方法により接合され得る。捕虫部分２４１４の材料は更に、１つ以上の虫誘引性物質を含み得る。例えば、ハウジング２４１８及び／又は底プレート２４３４及び／又は接着剤２４３６は、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコール（trunc-call）を含む）、双翅類誘引剤（セラルア、キュールア（cue-lure）、ラチルア、メドルア、モグチュン、ムスカルア、及びトリメドルアを含む）、同翅類誘引剤（レスカルアを含む）、鱗翅類誘引剤（例えばディスパールア）、直鎖レピドプテランフェロモン（コドレルア、ゴシップルア、ヘキサルア、リトルア、ループルア、オルフラルア、及びオストラモンを含む）、及びその他の虫誘引性物質（例えばオイゲノール、メチルオイゲノール、及びシグルア）、又はその他の、捕虫装置２４１０の虫誘引効率を向上させるにおいを供給する物質を、含浸させることができる。そのような実施形態において、虫誘引性物質は、捕虫部分２４１４に一体化している。あるいは、虫誘引性物質は、エンクロージャ２４４８の内側表面に、又はハウジング２４１８の開口部を通して取り付けられ得る、別個のピース（図示せず）に埋め込むことができる。そのような誘引物質は、捕虫装置２４１０から半径約２メートルにいる虫に感知可能となることが望ましい。
【０３２９】
図６８は、捕虫装置２４１０を通る断面図である。見やすくするため、コード２４１６、プラグ２４３０及び導電性プロング２４２２はこの図には示されていない。いくつかの実施形態において、ベース部分２４１２は、コマンドを実行するためのプログラム可能プロセッサ又はチップ（図示せず）を有する回路基板２４５０を含み、これはコード２４１６、導電性プロング２４２２、及びＬＥＤ  ２４２４（１つのみが図示されている）に電気的に接続されている。ただし、見やすくするため、電気的接続は一部しか示されていない。回路基板２４５０は、導電性プロング２４２２から通常の家庭用電流を受け取り、ＬＥＤ  ２４２４を点灯させる電力を供給するための電子回路部品を含み得る。回路基板２４５０は、ＬＥＤ  ２４２４に定電圧を供給する、全波整流回路又はその他の回路などのエネルギー安定器を含み得るが、ただし、一部の種の虫にとって誘引性となり得るような動きを模倣するちらつき光を提供するように、ＬＥＤ  ２４２４に変動電圧を供給することもできる。回路基板２４５０は、ＵＶ光及び／又は可視光及び／又はＩＲ光を提供するために、ＬＥＤ  ２４２４に電力を供給するが、ただし、ＵＶ光及び／又は可視光及び／又はＩＲ光のちらつきの組み合わせを生み出すために、１つ以上のＵＶ  ＬＥＤ  ２４２４のみ又は可視光ＬＥＤ  ２４２４のみ又はＩＲ  ＬＥＤ  ２４２４のみに電力を供給するか、あるいは変動電力を供給するよう、構成することもできる。回路基板２４５０はまた、圧電スピーカー（図示せず）などの発信機又はトランシーバー、又はその他の装置を駆動させるよう構成することができ、これらはベース部分２４１２に取り付けて、虫誘引性の音を発するようにすることができる。いくつかの実施形態において、この発信機又はトランシーバーは、虫をよりよく誘引するために、録音及び／又は生成された虫の音又は振動を発することができ、これには、虫の発信、応答、求愛、及び連結の歌のうち１つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の単音又は複数の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置２４１０から約２メートル以内の距離にいる虫に感知可能となることが望ましい。そのような虫誘引性の音は、捕虫装置２４１０から約１メートル以内の距離にいる人間に感知できないものであることが望ましい。
【０３３０】
図示のように、ベース部分２４１２の上表面２４２６の縁２４３２が、捕虫部分２４１４と係合して、使用中に定位置に固定させる。ただし、捕虫部分２４１４をベース部分２４１２に取り外し可能にしっかりと取り付けることができるような、他の任意の取り付けの形態に置き換えることができる。
【０３３１】
捕虫装置２４１０の操作において、導電性プロング２４２２（図示せず）を壁面電気コンセントに差し込むと、ＬＥＤ  ２４２４が矢印で示すように光を発し、これがベース部分２４１２の開口部２４４４を通ってエンクロージャ２４４８に入り、ハウジング２４１８の内側表面と、底プレート２４３４の上表面２４３８の接着剤２４３６とに直接当たる。いくつかの実施形態において、光はベース部分２４１２内では操作されず、捕虫部分２４１４内へ直接発光される。
【０３３２】
ハウジング２４１８の内側表面は凹状形状を含んでよく、ＬＥＤ  ２４２４からのＵＶ光及び／又は可視光及び／又はＩＲ光を反射及び分散させて、底プレート２４３４の上表面２４３８の接着剤２４３６に光を均等に分配し、エンクロージャ２４４８を通ってハウジング２４１８の開口部２４２０から外に放射されるよう、構成することができるが、ただし、ハウジング２４１８の内側表面は凸状又はサドル形状又は形状の組み合わせを有していてよく、あるいは、光をより均一に分配するように、畝又はその他の特徴を有していてもよく、あるいは、光をより均一に分配するように、畝又はその他の特徴を有してもよい。あるいは、ハウジング２４１８の内側表面にＵＶ及び可視光を分配するよう（例えば均等に、特定のパターンに従って、焦点を絞って、など）構成された、アナモルフィックレンズ（図示せず）又はその他のレンズ又はレンズの組み合わせなどの光学的エンハンサーを、捕虫部分２４１４の開口部２４４２又はその近くで捕虫部分２４１４に取り付けてよく、又はベース部分２４１２の開口部２４４４又はその近くでベース部分２４１２に取り付けてよく、また、ハウジング２４１８の反射性コーティングされた内側表面の役割を置換又は増強することができる。いくつかの実施形態において、ＬＥＤ  ２４２４からの光は、底プレート２４３４の上表面２４３８の接着剤２４３６に斜めの角度（例えば、約０°〜９０°の鋭角）で直接当たり、接着剤２４３６全体にわたって広がり、捕虫部分２４１４又はベース部分２４１２に取り付けられたレンズ（複数可）の、ハウジング２４１８の内側表面の光分配の役割を置換又は増強することができる。光は、捕虫部分２４１４のウィンドウ２４４０の光拡散特性によって、底プレートｗの上表面２４３８の接着剤２４３６によって、又はこれら２つの組み合わせによって、更に均一に分配され得る。
【０３３３】
このように、エンクロージャ２４４８に入る光の一部が、ハウジング２４１８の開口部２４２０を通って、捕虫装置２４１０が設置されている周辺領域に放射される。虫は、開口部２４２０とを通って放射される光に誘引され、開口部２４２０を通って跳び入り又は這い入って接着剤２４３６の表面に当たり、ここで虫が捕らえられる。ユーザーは、ハウジング２４１８の開口部２４２０を通して見ることにより、捕らわれた虫を観察できる。十分な数の虫が捕獲されると、ユーザーは、捕獲された虫、虫の屑又は接着剤（これらは捕虫部分２４１４内の届かないところに留まる）に触れることなしに、使用済みの捕虫部分２４１４全体を容易に取り外して捨て、新しい捕虫部分２４１４に交換することができる。新しい捕虫部分２４１４は、接着剤コーティングされた新しい表面を有しており、捕虫装置２４１０が引き続き効率的かつ効果的に虫を確実に誘引して捕らえることができるようになる。
【０３３４】
いくつかの実施形態において、捕虫部分２４１４はベース部分２４１２の上でも下でもなく側面に取り付けられているため、捕虫装置２４１０の床からの突出が最小限に抑えられ、これによって、家庭環境に対する邪魔を最小限に抑える。いくつかの実施形態において、捕虫装置２４１０は、床に置かれたとき、捕虫装置２４１０が床から突出する合計距離によって画定される合計高さが、その全体長さ及び全体の幅よりも小さくなるように構成される。
【０３３５】
捕虫装置２４１０の利点は、捕虫部分２４１４内の光の操作であることが理解されよう。いくつかの実施形態において、光の操作は捕虫部分２４１４内でのみ起こる。光の操作には、反射、屈折、偏光及び／又は散乱が含まれ得、これは操作可能なエレメント又は表面（例えば、ハウジング２４１８の内側表面及び接着剤２４３６）と係合することにより達成される。いくつかの実施形態において、光の操作は、接着剤２４３６上に光の均等な分布を生成する。いくつかの実施形態において、光は、接着剤２４３６の上又は捕虫部分２４１４内に所定のパターンを生成するよう操作され、例えば、均一な分布、高強度のホットスポットを伴う均一な分布、ホットスポットパターン、及び／又はこれらの組み合わせを生成するよう操作される。
【０３３６】
任意の好適な接着剤材料を、虫を捕獲するための接着表面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性接着剤を使用することができる。一般に、そのような接着剤の厚さは約０．０１ｍｍ〜１ｍｍの範囲である。いくつかの実施形態において、接着剤厚さは、約０．０５ｍｍ〜０．２ｍｍの範囲であり、厚さ約０．１ｍｍが最もよく使用される。
【０３３７】
この構成の捕虫装置２４１０は、ベース部分２４１２に取り外し可能に取り付けることができる様々な異なる捕虫部分２４１４に対応することができ、それぞれの捕虫部分２４１４は、特定の種類又は複数の種類の虫を誘引して捕らえるよう独自に構成される。例えば、捕虫部分２４１４の全体の寸法及び形状、ハウジング２４１８の開口部２４２０の寸法、形状、位置及び向き、並びにハウジング２４１８、底プレートｗ、又は接着剤２４３６に含浸させたにおい（複数可）は、特定の種類又は複数の種類の虫を誘引して捕らえるよう独自に構成され得る。
【０３３８】
例えば、いくつかの実施形態において、捕虫部分２４１４はおよそ、幅２０ｍｍ〜６００ｍｍ、長さ２０ｍｍ〜６００ｍｍ、及び高さ５ｍｍ〜１５０ｍｍである。いくつかの実施形態において、捕虫部分２４１４はおよそ、幅２０ｍｍ〜２００ｍｍ、長さ２０ｍｍ〜２００ｍｍ、及び高さ５ｍｍ〜８０ｍｍである。いくつかの実施形態において、捕虫部分２４１４はおよそ、幅２０ｍｍ〜１３０ｍｍ、長さ２０ｍｍ〜１３０ｍｍ、及び高さ５ｍｍ〜５０ｍｍである。
【０３３９】
いくつかの実施形態において、ベース部分２４１２はおよそ、幅２０ｍｍ〜６００ｍｍ、長さ１０ｍｍ〜１５０ｍｍ、及び高さ１０ｍｍ〜１５０ｍｍである。いくつかの実施形態において、ベース部分２４１２は、幅２０ｍｍ〜２００ｍｍ、長さ１０ｍｍ〜１００ｍｍ、及び高さ１０ｍｍ〜８０ｍｍである。いくつかの実施形態において、ベース部分２４１２は、幅２０ｍｍ〜１３０ｍｍ、長さ１０ｍｍ〜５０ｍｍ、及び高さ１０ｍｍ〜５０ｍｍである。
【０３４０】
図６９は、捕虫装置の第２５の実施形態の前側斜視図であり、この捕虫装置は全体的に２５１０として示される。捕虫装置２５１０は、ベース部分２５１２と取り外し可能な捕虫部分２５１４とを含む。捕虫部分２５１４は、この図で、部分的に切り取られ、ベース部分２５１２から取り外された状態で示されている。図示のように、ベース部分２５１２は、電気コード２５１６と、複数の導電性プロング２５２２を備えた電気プラグ２５３０とを含み、これは、導電性プロング２５２２を標準の家庭用壁面電気コンセントに差し込むことにより、捕虫装置２５１０に電力を供給するよう適合されている。あるいは、ベース部分２５１２は、ベース部分２５１２内に取り付けられた電池（図示せず）から電力を受け取るよう構成され得る。電気コンセントと電池は、捕虫装置２５１０に電力を供給するものとして記述されるが、任意の好適な電源を使用することができる。図示のように、捕虫装置２５１０は、使用時に床に置くよう構成され、這う虫及び跳ねる虫又は害虫を誘引して捕捉する。捕虫部分２５１４は、その外周に少なくとも１つの開口部２５２０を備えたハウジング２５１８を含む。ハウジング２５１８の開口部２５２０は、様々な種類の虫を捕虫装置２５１０に受け入れるよう構成することができ、あるいは、１種類以上の特定の種の虫を受け入れるよう構成することができる。いくつかの実施形態において、開口部２５２０は、捕虫部分２５１４を取り外して交換するときに、ユーザーの指が開口部２５２０に入ってしまい捕らえられた虫又は接着剤に誤って触れることを防ぐよう構成される。いくつかの実施形態において、開口部２５２０は、直径２５ｍｍの球が開口部２５２０を通過できないような寸法及び形状を有し、かつ、直径１ｍｍの球が開口部２５２０のいかなる部分も通過できるような寸法及び形状を有する。開口部２５２０の幅、形状及び向きは、均一であってよく又は変化してよく、また、捕虫部分２５１４が複数の開口部２５２０を有する場合は、それらの幅、形状及び向きは、同一であってよく又は異なってよい。開口部２５２０は、１種類以上の個々の虫又は様々な種類の虫を誘引するよう構成することができる。ベース部分２５１２は、１つ以上のＬＥＤ  ２５２４などの発光エレメントを含む。いくつかの実施形態において、ＬＥＤ  ２５２４は、ＵＶ光を発するＬＥＤを少なくとも１つ、及び可視光を発するＬＥＤを少なくとも１つ含む。いくつかの実施形態において、ＬＥＤ  ２５２４は、広範な種の虫をよりよく誘引するために、ＵＶ光を発するＬＥＤを少なくとも１つ、及び青色光を発するＬＥＤを少なくとも１つ含む。いくつかの実施形態において、この発光エレメントは、日光を模した波長の組み合わせを放射する。いくつかの実施形態において、ＬＥＤ  ２５２４は、ノミを含む特定の種の虫をよりよく誘引するために、ＩＲ光を発するＬＥＤを少なくとも１つ含む。ベース部分２５１２の前側表面ｗには少なくとも１つの開口部２５４４があり、開口部２５４４には透明又は半透明のウィンドウ（図示せず）が取り付けられ、これは、ＬＥＤ  ２５２４をダストと虫の屑から保護し、ベース部分２５１２をクリーニングしやすくする。しかしながら、このウィンドウは��須ではない。いくつかの実施形態において、捕虫部分２５１４がベース部分２５１２に取り付けられたときに、ＬＥＤ  ２５２４の少なくとも一部が、ベース部分２５１２の前表面２５２６から突出して捕虫部分２５１４内に入る。前表面２５２６の外周には、前向きの縁２５３２があってよい。捕虫部分２５１４は、上表面２５３８を備えた底プレート２５３４を含む。いくつかの実施形態において、底プレート２５３４の下表面（図示せず）は、平らであるか、又は外周部が平らであり、装置を床に置いたときに、虫が捕虫装置２４１０の下に這い入ることができないように構成されている。いくつかの実施形態において、底プレート２５３４の上表面２５３８は反射性コーティング（図示せず）を有する。あるいは、底プレート２５３４の材料と、底プレート２５３４の上表面２５３８の表面仕上げは、その内側表面の反射性コーティングなしに、ＵＶ光及び／又は可視光及び／又はＩＲ光を反射させるように構成され得る。捕虫部分２５１４は更に、透明又は半透明の材料からなり、凸状形状を有し得るディバイダ２５４６を含む。ディバイダ２５４６は、少なくとも一部分が透明又は半透明の接着剤２５３６でコーティングされている上表面と、下表面（図示せず）とを有する。いくつかの実施形態において、ハウジング２５１８は、その内側表面（図示せず）が接着剤でコーティングされており、これにより付加的な捕虫効果及び能力が提供される。いくつかの実施形態において、ハウジング２５１８の内側表面は、ＵＶ及び／又は可視光及び／又はＩＲ光を反射及び分散させるよう構成される。いくつかの実施形態において、ハウジング２５１８の内側表面の接着剤コーティングは、ＵＶ及び／又は可視光及び／又はＩＲ光を反射及び分散させるよう構成され得る。図示のように、ハウジング２５１８とディバイダ２５４６は上部エンクロージャ２５４８を形成し、ディバイダ２５４６と底プレート２５３４は下部エンクロージャ２５２８を形成する。図示のように、ハウジングｗとディバイダ２５４６はそれぞれ、ベース部分２５１２の前側表面２５２６の開口部２５４４に対応した、少なくとも１つの開口部２５４２を有する。いくつかの実施形態において、開口部２５４２は、透明又は半透明のウィンドウ（図示せず）を有し得る。いくつかの実施形態において、ハウジング２５１８は、不透明なプラスチックシートから熱形成され、低価格と使い捨て性を維持しながら、クリーンで審美的に心地良い形状を形成する。あるいは、紙、板紙、厚紙又は紙パルプなどの不透明、透明又は半透明の材料で構築することができる。いくつかの実施形態において、ハウジング２５１８は、射出成形、又はその他の好適な製造技法により構築される。いくつかの実施形態において、ハウジング２５１８、ディバイダ２５３４及び底プレート２５３４は、その交差部又は係合部が接着剤で接合されているが、これらは他の一般的に使用されているパッケージング組立技法により接合されてよく、例えば超音波溶接又は高周波（ＨＦ）溶接、又はその他任意の好適な組立方法により接合され得る。捕虫部分２５１４の材料は更に、１つ以上の虫誘引性物質を含み得る。例えば、ハウジング２５１８及び／又はディバイダ２５４６及び／又は底プレート２５３４及び／又は接着剤２５３６は、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコール（trunc-call）を含む）、双翅類誘引剤（セラルア、キュールア（cue-lure）、ラチルア、メドルア、モグチュン、ムスカルア、及びトリメドルアを含む）、同翅類誘引剤（レスカルアを含む）、鱗翅類誘引剤（例えばディスパールア）、直鎖レピドプテランフェロモン（コドレルア、ゴシップルア、ヘキサルア、リトルア、ループルア、オルフラルア、及びオストラモンを含む）、及びその他の虫誘引性物質（例えばオイゲノール、メチルオイゲノール、及びシグルア）、又はその他の、捕虫装置２５１０の虫誘引効率を向上させるにおいを供給する物質を、含浸させることができる。そのような実施形態において、虫誘引性物質は、捕虫部分２４１４に一体化している。あるいは、虫誘引性物質は、上部エンクロージャ２５４８の内側表面に、又はハウジング２５１８の開口部を通して取り付けられ得る、別個のピース（図示せず）に埋め込むことができる。そのような誘引物質は、捕虫装置２５１０から半径約２メートルにいる虫に感知可能となることが望ましい。
【０３４１】
図７０は、捕虫装置２５１０を通る断面図である。見やすくするため、コード２５１６、プラグ２５３０及び導電性プロング２５２２はこの図には示されていない。いくつかの実施形態において、ベース部分２５１２は、コマンドを実行するためのプログラム可能プロセッサ又はチップ（図示せず）を有する回路基板２５５０を含み、これはコード２５１６、導電性プロング２５２２、及びＬＥＤ  ２５２４に電気的に接続されている。ただし、見やすくするため、電気的接続は一部しか示されていない。回路基板２５５０は、導電性プロング２５２２から通常の家庭用電流を受け取り、ＬＥＤ  ２５２４を点灯させる電力を供給するための電子回路部品を含み得る。回路基板２５５０は、ＬＥＤ  ２５２４に定電圧を供給する、全波整流回路又はその他の回路などのエネルギー安定器を含み得るが、ただし、一部の種の虫にとって誘引性となり得るような動きを模倣するちらつき光を提供するように、ＬＥＤ  ２５２４に変動電圧を供給することもできる。回路基板２５５０は、ＵＶ光及び／又は可視光及び／又はＩＲ光を提供するために、ＬＥＤ  ２５２４に電力を供給するが、ただし、ＵＶ光及び／又は可視光及び／又はＩＲ光のちらつきの組み合わせを生み出すために、ＵＶ  ＬＥＤ  ２５２４のみ又は可視光ＬＥＤ  ２５２４のみ又はＩＲ  ＬＥＤ  ２５２４のみに電力を供給するか、あるいは変動電力を供給するよう、構成することもできる。回路基板２５５０はまた、圧電スピーカー（図示せず）などの発信機又はトランシーバー、又はその他の装置を駆動させるよう構成することができ、これらはベース部分２５１２に取り付けて、虫誘引性の音又は振動を発するようにすることができる。いくつかの実施形態において、この発信機又はトランシーバーは、虫をよりよく誘引するために、録音及び／又は生成された虫の音又は振動を発することができ、これには、虫の発信、応答、求愛、及び連結の歌のうち１つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の単音又は複数の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置２５１０から約２メートル以内の距離にいる虫に感知可能となることが望ましい。そのような虫誘引性の音は、捕虫装置２５１０から約１メートル以内の距離にいる人間に感知できないものであることが望ましい。
【０３４２】
図示のように、ベース部分２５１２の上表面２５２６の縁２５３２が、捕虫部分２５１４と係合して、使用中に定位置に固定させる。ただし、捕虫部分２５１４をベース部分２５１２に取り外し可能にしっかりと取り付けることができるような、他の任意の取り付けの形態に置き換えることができる。
【０３４３】
捕虫装置２５１０の操作において、導電性プロング２５２２を壁面電気コンセントに差し込むと、ＬＥＤ  ２５２４が矢印で示すように光を発し、これがベース部分２５１２の開口部２５４４と捕虫部分２５１４の開口部２５４２とを通って下部エンクロージャ２５２８に入り、ディバイダ２５４６の下表面と、底プレート２５３４の上表面２５３８とに直接当たる。いくつかの実施形態において、光はベース部分２５１２内では操作されず、捕虫部分２５１４内へ直接発光される。底プレート２５３４の上表面２５３８は、ＬＥＤ  ２５２４からの光を反射及び分散させて、光をディバイダ２５４６に均等に照射するよう構成することができるが、ただし、底プレート２５３４の上表面２５３８は、凸状又はサドル形状又は形状の組み合わせを有していてよく、あるいは、光をより均一に分配するように、畝又はその他の特徴を有してもよい。あるいは、ディバイダ２５４６の下表面に光を分配するよう（例えば均等に、特定のパターンに従って、焦点を絞って、など）構成された、アナモルフィックレンズ（図示せず）又はその他のレンズ又はレンズの組み合わせなどの光学的エンハンサーを、捕虫部分２５１４の開口部２５４２又はその近くで捕虫部分２５１４に取り付けてよく、又はベース部分２５１２の開口部２５４４又はその近くでベース部分２５１２に取り付けてよく、底プレート２５３４の上表面２５３８の役割を置換又は増強することができる。いくつかの実施形態において、ＬＥＤ  ２５２４からの光は、底プレート２５３４の上表面２５３８に斜めの角度（例えば、約０°〜９０°の鋭角）で直接当たり、上表面２５３８全体にわたって広がり、捕虫部分２５１４又はベース部分２５１２に取り付けられたレンズ（複数可）の、ディバイダ２５４６の下表面の光分配の役割を置換又は増強することができる。
【０３４４】
その後、光は、ディバイダ２５４６及び接着剤２５３６を透過し、前部エンクロージャ２５４８に入る。光は更に、ディバイダ２５４６の光散乱特性、接着剤２５３６の光散乱特性、又はこれら２つの組み合わせにより、均一に分配され得る。上部エンクロージャ２５４８に入った光の一部が、開口部２５２０を通過し、捕虫装置２５１０が設置された室内へと向かう。虫及びその他の有害節足動物は、開口部２５２０とを通って放射される光に誘引され、開口部２５２０を通って跳び入り又は這い入って接着剤２５３６の表面に当たり、ここで虫が捕らえられる。ユーザーは、開口部２５２０を通して見ることにより、捕らわれた虫を観察できる。十分な数の虫が捕獲されると、ユーザーは、捕獲された虫、虫の屑又は接着剤（これらは捕虫部分２５１４内の届かないところに留まる）に触れることなしに、使用済みの捕虫部分２５１４全体を容易に取り外して捨て、新しい捕虫部分２５１４に交換することができる。新しい捕虫部分２５１４は、接着剤コーティングされた新しい表面を有しており、捕虫装置２５１０が引き続き効率的かつ効果的に虫を確実に誘引して捕らえることができるようになる。
【０３４５】
いくつかの実施形態において、捕虫部分２５１４はベース部分２５１２の上でも下でもなく側面に取り付けられているため、捕虫装置２５１０の床からの突出が最小限に抑えられ、これによって、家庭環境に対する邪魔を最小限に抑える。いくつかの実施形態において、捕虫装置２５１０は、床に置かれたとき、捕虫装置２５１０が床から突出する合計距離によって画定される合計高さが、その全体長さ及び全体の幅よりも小さくなるように構成され得る。
【０３４６】
捕虫装置２５１０の利点は、捕虫部分２５１４内の光の操作であることが理解されよう。いくつかの実施形態において、光の操作は捕虫部分２５１４内でのみ起こる。光の操作には、反射、屈折、偏光、分散及び／又は散乱が含まれ得、これは操作可能なエレメント又は表面（例えば、ハウジング２５１８の内側表面及び接着剤２５３６）と係合することにより達成される。いくつかの実施形態において、光の操作は、接着剤２５３６上に光の均等な分布を生成する。いくつかの実施形態において、光は、接着剤２５３６の上又は捕虫部分２５１４内に所定のパターンを生成するよう操作され、例えば、均一な分布、高強度のホットスポットを伴う均一な分布、ホットスポットパターン、及び／又はこれらの組み合わせを生成するよう操作される。
【０３４７】
任意の好適な接着剤材料を、虫を捕獲するための接着表面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性接着剤を使用することができる。一般に、そのような接着剤の厚さは約０．０１ｍｍ〜１ｍｍの範囲である。いくつかの実施形態において、接着剤厚さは、約０．０５ｍｍ〜０．２ｍｍの範囲であり、厚さ約０．１ｍｍが最もよく使用される。
【０３４８】
この構成の捕虫装置２５１０は、ベース部分２５１２に取り外し可能に取り付けることができる様々な異なる捕虫部分２５１４に対応することができ、それぞれの捕虫部分２５１４は、特定の種類又は複数の種類の虫を誘引して捕らえるよう独自に構成される。例えば、捕虫部分２５１４の全体の寸法及び形状、捕虫部分２５１４のハウジング２５１８の開口部２５２０の寸法、形状、位置及び向き、並びにハウジングｗ、底プレート２５３４、ディバイダ２５４６又は接着剤２５３６に含浸させたにおい（複数可）は、特定の種類又は複数の種類の虫を誘引して捕らえるよう独自に構成され得る。
【０３４９】
例えば、いくつかの実施形態において、捕虫部分２５１４はおよそ、幅２０ｍｍ〜６００ｍｍ、長さ２０ｍｍ〜６００ｍｍ、及び高さ５ｍｍ〜１５０ｍｍである。いくつかの実施形態において、捕虫部分２５１４はおよそ、幅２０ｍｍ〜２００ｍｍ、長さ２０ｍｍ〜２００ｍｍ、及び高さ５ｍｍ〜８０ｍｍである。いくつかの実施形態において、捕虫部分２５１４はおよそ、幅２０ｍｍ〜１３０ｍｍ、長さ２０ｍｍ〜１３０ｍｍ、及び高さ５ｍｍ〜５０ｍｍである。
【０３５０】
いくつかの実施形態において、ベース部分２５１２はおよそ、幅２０ｍｍ〜６００ｍｍ、長さ１０ｍｍ〜１５０ｍｍ、及び高さ１０ｍｍ〜１５０ｍｍである。いくつかの実施形態において、ベース部分２５１２は、幅２０ｍｍ〜２００ｍｍ、長さ１０ｍｍ〜１００ｍｍ、及び高さ１０ｍｍ〜８０ｍｍである。いくつかの実施形態において、ベース部分２５１２は、幅２０ｍｍ〜１３０ｍｍ、長さ１０ｍｍ〜５０ｍｍ、及び高さ１０ｍｍ〜５０ｍｍである。
【０３５１】
図７１は、捕虫装置の第２６の実施形態の前側斜視図であり、この捕虫装置は全体的に２６１０として示される。捕虫装置２６１０は、ベース部分２６１２と取り外し可能な捕虫部分２６１４とを含む。捕虫部分２６１４は、この図で、部分的に切り取られ、ベース部分２６１２から取り外された状態で示されている。図示のように、ベース部分２６１２は、電気コード２６１６と、複数の導電性プロング２６２２を備えた電気プラグ２６３０とを含み、これは、導電性プロング２６２２を標準の家庭用壁面電気コンセントに差し込むことにより、捕虫装置２６１０に電力を供給するよう適合されている。あるいは、ベース部分２６１２は、ベース部分２６１２内に取り付けられた電池（図示せず）から電力を受け取るよう構成され得る。電気コンセントと電池は、捕虫装置２６１０に電力を供給するものとして記述されるが、任意の好適な電源を使用することができる。図示のように、捕虫装置２６１０は、使用時に床に置くよう構成され、這う虫及び跳ねる虫、並びにその他の有害節足動物を誘引して捕捉する。捕虫部分２６１４は、その外周に少なくとも１つの開口部２６２０を備えたハウジング２６１８を含む。ハウジング２６１８の開口部２６２０は、広範な種類の虫を捕虫装置２６１０に受け入れるよう構成することができ、あるいは、１種類以上の特定の種の虫を受け入れるよう構成することができる。いくつかの実施形態において、開口部２６２０は、捕虫部分２６１４を取り外して交換するときに、ユーザーの指が開口部２６２０に入ってしまい捕らえられた虫又は接着剤に誤って触れることを防ぐよう構成される。いくつかの実施形態において、開口部２６２０は、直径２５ｍｍの球が開口部２６２０を通過できないような寸法及び形状を有し、かつ、直径１ｍｍの球が開口部２６２０のいかなる部分も通過できるような寸法及び形状を有する。開口部２６２０の幅、形状及び向きは、均一であってよく又は変化してよく、また、捕虫部分２６１４が複数の開口部２６２０を有する場合は、それらの幅、形状及び向きは、同一であってよく又は異なってよい。開口部２６２０は、１種類以上の個々の虫又は様々な種類の虫を誘引するよう構成することができる。いくつかの実施形態において、ハウジング２６１８の内側表面（図示せず）は反射性コーティングを有し得る。あるいは、ハウジング２６１８の材料と、ハウジング２６１８の内側表面の表面仕上げは、その内側表面の反射性コーティングなしに、光を反射させるように構成され得る。ベース部分２６１２は、１つ以上のＬＥＤ  ２６２４などの発光エレメントを含む。いくつかの実施形態において、ＬＥＤ  ２６２４は、ＵＶ光を発するＬＥＤを少なくとも１つ、及び可視光を発するＬＥＤを少なくとも１つ含む。いくつかの実施形態において、ＬＥＤ  ２６２４は、広範な種の虫をよりよく誘引するために、ＵＶ光を発するＬＥＤを少なくとも１つ、及び青色光を発するＬＥＤを少なくとも１つ含む。いくつかの実施形態において、この発光エレメントは、日光を模した波長の組み合わせを放射する。いくつかの実施形態において、ＬＥＤ  ２６２４は、ノミを含む特定の種の虫をよりよく誘引するために、ＩＲ光を発するＬＥＤを少なくとも１つ含���。ベース部分２６１２の前側表面２６４４には少なくとも１つの開口部２６２０があり、開口部２６２０には透明又は半透明のウィンドウ（図示せず）が取り付けられ、これは、ＬＥＤ  ２６２４をダストと虫の屑から保護し、ベース部分２６１２をクリーニングしやすくする。しかしながら、このウィンドウは必須ではない。いくつかの実施形態において、捕虫部分２６１４がベース部分２６１２に取り付けられたときに、ＬＥＤ  ２６２４の少なくとも一部が、ベース部分２６１２の前表面２６２６から突出して捕虫部分２６１４内に入る。前表面２６２６の外周には、前向きの縁２６３２があってよい。捕虫部分２６１４は、上表面２６３８を備えた底プレート２６３４を含み、この少なくとも一部が接着剤２６３６でコーティングされている。いくつかの実施形態において、底プレート２６３４の下表面（図示せず）は、平らであるか、又は外周部が平らであり、装置を床に置いたときに、虫が捕虫装置２６１０の下に這い入ることができないように構成されている。捕虫部分２６１４は、透明又は半透明の材料からなり、上表面２６４０を含む、ディバイダ２６４６を含む。いくつかの実施形態において、ディバイダ２６４６はその内側表面が透明又は半透明の接着剤でコーティングされており、これにより付加的な捕虫効果及び能力が提供される。ディバイダ２６４６は、ハウジング２６１８の開口部２６２０に対応する少なくとも１つの開口部２６５２を有する。図示のように、ハウジング２６１８とディバイダ２６４６は上部エンクロージャ２６４８を形成し、ディバイダ２６４６と底プレート２６３４は下部エンクロージャ２６２８を形成する。図示のように、ハウジング２６１８は、ベース部分２６１４の前側表面２６２６の開口部２６４４に対応する少なくとも１つの開口部２６４２を有する。いくつかの実施形態において、開口部２６４２は、透明又は半透明のウィンドウ（図示せず）を有する。いくつかの実施形態において、ハウジング２６１８は、不透明なプラスチックシートから熱形成され、低価格と使い捨て性を維持しながら、クリーンで審美的に心地良い形状を形成する。あるいは、紙、板紙、厚紙又は紙パルプなどの不透明、透明又は半透明の材料で構築することができる。いくつかの実施形態において、ハウジング２６１８は、射出成形、又はその他の好適な製造技法により構築される。いくつかの実施形態において、ハウジング２６１８、ディバイダ２６４６及び底プレートｗは、その交差部又は係合部が接着剤で接合されているが、これらは他の一般的に使用されているパッケージング組立技法により接合されてよく、例えば超音波溶接又は高周波（ＨＦ）溶接、又はその他任意の好適な組立方法により接合され得る。捕虫部分２６１４の材料は更に、１つ以上の虫誘引性物質を含み得る。例えば、ハウジング２６１８及び／又はディバイダ２６４６及び／又は底プレート２６３４及び／又は接着剤２６３６は、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコール（trunc-call）を含む）、双翅類��引剤（セラルア、キュールア（cue-lure）、ラチルア、メドルア、モグチュン、ムスカルア、及びトリメドルアを含む）、同翅類誘引剤（レスカルアを含む）、鱗翅類誘引剤（例えばディスパールア）、直鎖レピドプテランフェロモン（コドレルア、ゴシップルア、ヘキサルア、リトルア、ループルア、オルフラルア、及びオストラモンを含む）、及びその他の虫誘引性物質（例えばオイゲノール、メチルオイゲノール、及びシグルア）、又はその他の、捕虫装置２６１０の虫誘引効率を向上させるにおいを供給する物質を、含浸させることができる。そのような実施形態において、虫誘引性物質は、捕虫部分２６１４に一体化している。あるいは、虫誘引性物質は、下部エンクロージャ２６２８の内側表面に、又はハウジング２６１８の開口部を通して取り付けられ得る、別個のピース（図示せず）に埋め込むことができる。そのような誘引物質は、捕虫装置２６１０から半径約２メートルにいる虫に感知可能となることが望ましい。
【０３５２】
図７２は、捕虫装置２６１０を通る断面図である。見やすくするため、コード２６１６、プラグ２６３０及び導電性プロング２６２２は示されていない。いくつかの実施形態において、ベース部分２６１２は、コマンドを実行するためのプログラム可能プロセッサ又はチップ（図示せず）を有する回路基板２６５０を含み、これはコード２６１６、導電性プロング２６２２、及びＬＥＤ  ２６２４に電気的に接続されている。ただし、見やすくするため、電気的接続は一部しか示されていない。回路基板２６５０は、例えば導電性プロング２６２２から通常の家庭用電流を受け取り、ＬＥＤ  ２６２４を点灯させる電力を供給するための電子回路部品を含み得る。回路基板２６５０は、ＬＥＤ  ２６２４に定電圧を供給する、全波整流回路又はその他の回路などのエネルギー安定器を含み得るが、ただし、一部の種の虫にとって誘引性となり得るような動きを模倣するちらつき光を提供するように、ＬＥＤ  ２６２４に変動電圧を供給することもできる。回路基板２６５０は、ＵＶ光及び／又は可視光及び／又はＩＲ光を提供するために、ＬＥＤ  ２６２４に電力を供給するが、ただし、ＵＶ光及び／又は可視光及び／又はＩＲ光のちらつきの組み合わせを生み出すために、ＵＶ  ＬＥＤ  ２６２４のみ又は可視光ＬＥＤ  ２６２４のみ又はＩＲ  ＬＥＤ  ２６２４のみに電力を供給するか、あるいは変動電力を供給するよう、構成することもできる。回路基板２６５０はまた、圧電スピーカー（図示せず）などの発信機又はトランシーバー、又はその他の装置を駆動させるよう構成することができ、これらはベース部分２６１２に取り付けて、虫誘引性の音又は振動を発するようにすることができる。いくつかの実施形態において、この発信機又はトランシーバーは、虫をよりよく誘引するために、録音及び／又は生成された虫の音又は振動を発することができ、これには、虫の発信、応答、求愛、及び連結の歌のうち１つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の単音又は複数の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置２６１０から約２メートル以内の距離にいる虫に感知可能となることが望ましい。そのような虫誘引性の音は、捕虫装置２６１０から約１メートル以内の距離にいる人間に感知できないものであることが望ましい。
【０３５３】
図示のように、ベース部分２６１２の上表面２６２６の縁２６３２が、捕虫部分２６１４と係合して、使用中に定位置に固定させる。ただし、捕虫部分２６１４をベース部分２６１２に取り外し可能にしっかりと取り付けることができるような、他の任意の取り付けの形態に置き換えることができる。
【０３５４】
捕虫装置２６１０の操作において、導電性プロング２６２２（図示せず）を壁面電気コンセントに差し込むと、ＬＥＤ  ２６２４が矢印で示すように光を発し、これがベース部分２６１２の開口部２６４４とハウジング２６１８の開口部２６４２とを通って上部エンクロージャ２６４８に入り、ハウジング２６１８の内側表面と、ディバイダ２６４６の上表面２６４０とに直接当たる。いくつかの実施形態において、光はベース部分２６１２内では操作されず、捕虫部分２６１４内へ直接発光される。いくつかの実施形態において、ハウジング２６１８の内側表面は、ＬＥＤ  ２６２４からの光を反射して、光がディバイダ２６４６の上表面２６４０を照らしてこれを通過し、下部エンクロージャ２６２８内に入るが、ハウジング２６１８の内側表面は、光をより均一に分配するように、畝又はその他の特徴（図示せず）を有してもよい。ディバイダ２６４６の上表面２６４０は、接着剤２６３６の上に光をより均一に分配するように、平面又は凸状又は凹状又は形状の組み合わせであってよい。いくつかの実施形態において、ディバイダ２６４６を通り接着剤２６３６に光を分配するよう（例えば均等に、特定のパターンに従って、焦点を絞って、など）構成された、アナモルフィックレンズ（図示せず）又はその他のレンズ又はレンズの組み合わせなどの光学的エンハンサーを、ハウジング２６１８の開口部２６４２又はその近くで捕虫部分２６１４に取り付けてよく、又はベース部分２６１２の開口部２６４４又はその近くでベース部分２６１２に取り付けてよく、また、ハウジング２６１８の内側表面の役割を置換又は増強することができる。光は更に、ディバイダ２６４６の光散乱特性、ディバイダ２６４６の内側表面をコーティングする接着剤、又はこれら２つの組み合わせにより、均一に分配され得る。いくつかの実施形態において、ＬＥＤ  ２６２４からの光は、ディバイダ２６４６の上表面２６４０に斜めの角度（例えば、約０°〜９０°の鋭角）で直接当たり、上表面２６４０全体にわたって広がり、ディバイダ２６４６の上表面２６４０の光分配の役割、あるいは、捕虫部分２６１４又はベース部分２６１２に取り付けられたレンズ（複数可）の光分配の役割を、置換又は増強することができる。
【０３５５】
このように、下部エンクロージャ２６２８に入る光の一部が、ディバイダ２６４６の開口部２６５２と、ハウジング２６１８の対応する開口部２６２０とを通って、捕虫装置２６１０が設置されている周辺領域に放射される。虫及びその他の有害節足動物は、ディバイダ２６４６の開口部２６５２と、ハウジング２６１８の対応する開口部２６２０とを通る光に誘引され、ハウジング２６１８の開口部２６２０及びディバイダ２６４６の対応する開口部２６５２を通って這い入り、底プレート２６３４の接着剤２６３６に乗り、ここで捕らえられる。ユーザーは、ハウジング２６１８の開口部２６２０及びディバイダ２６４６の対応する開口部２６５２を通して見ることにより、捕らわれた虫を観察できる。十分な数の虫が捕獲されると、ユーザーは、捕獲された虫、虫の屑又は接着剤（これらは捕虫部分２６１４内の届かないところに留まる）に触れることなしに、使用済みの捕虫部分２６１４全体を容易に取り外して捨て、新しい捕虫部分２６１４に交換することができる。新しい捕虫部分２６１４は、接着剤コーティングされた新しい表面を有しており、捕虫装置２６１０が引き続き効率的かつ効果的に虫を確実に誘引して捕らえることができるようになる。
【０３５６】
いくつかの実施形態において、捕虫部分２６１４はベース部分２６１２の上でも下でもなく側面に取り付けられているため、捕虫装置２６１０の床からの突出が最小限に抑えられ、これによって、家庭環境に対する邪魔を最小限に抑える。いくつかの実施形態において、捕虫装置２６１０は、床に置かれたとき、捕虫装置２６１０が床から突出する合計距離によって画定される合計高さが、その全体長さ及び全体の幅よりも小さくなるように構成される。
【０３５７】
捕虫装置２６１０の利点は、捕虫部分２６１４内の光の操作であることが理解されよう。いくつかの実施形態において、光の操作は捕虫部分２６１４内でのみ起こる。光の操作には、反射、屈折、偏光、分散及び／又は散乱が含まれ得、これは操作可能なエレメント又は表面（例えば、ハウジング２６１８の内側表面及び接着剤２６３６）と係合することにより達成される。いくつかの実施形態において、光の操作は、接着剤２６３６上に光の均等な分布を生成する。いくつかの実施形態において、光は、接着剤２６３６の上又は捕虫部分２６１４内に所定のパターンを生成するよう操作され、例えば、均一な分布、高強度のホットスポットを伴う均一な分布、ホットスポットパターン、及び／又はこれらの組み合わせを生成するよう操作される。
【０３５８】
任意の好適な接着剤材料を、虫を捕獲するための接着表面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性接着剤を使用することができる。一般に、そのような接着剤の厚さは約０．０１ｍｍ〜１ｍｍの範囲である。いくつかの実施形態において、接着剤厚さは、約０．０５ｍｍ〜０．２ｍｍの範囲であり、厚さ約０．１ｍｍが最もよく使用される。
【０３５９】
この構成の捕虫装置２６１０は、ベース部分２６１２に取り外し可能に取り付けることができる様々な異なる捕虫部分２６１４に対応することができ、それぞれの捕虫部分２６１４は、特定の種類又は複数の種類の虫を誘引して捕らえるよう独自に構成される。例えば、捕虫部分２６１４の全体の寸法及び形状、捕虫部分２６１４のハウジング２６１８の開口部２６２０の寸法、形状、位置及び向き、並びにハウジング２６１８、底プレート２６３４、ディバイダ２６４６又は接着剤２６３６に含浸させたにおい（複数可）は、特定の種類又は複数の種類の虫を誘引して捕らえるよう独自に構成され得る。
【０３６０】
例えば、いくつかの実施形態において、捕虫部分２６１４はおよそ、幅２０ｍｍ〜６００ｍｍ、長さ２０ｍｍ〜６００ｍｍ、及び高さ５ｍｍ〜１５０ｍｍである。いくつかの実施形態において、捕虫部分２６１４はおよそ、幅２０ｍｍ〜２００ｍｍ、長さ２０ｍｍ〜２００ｍｍ、及び高さ５ｍｍ〜８０ｍｍである。いくつかの実施形態において、捕虫部分２６１４はおよそ、幅２０ｍｍ〜１３０ｍｍ、長さ２０ｍｍ〜１３０ｍｍ、及び高さ５ｍｍ〜５０ｍｍである。
【０３６１】
いくつかの実施形態において、ベース部分２６１２はおよそ、幅２０ｍｍ〜６００ｍｍ、長さ１０ｍｍ〜１５０ｍｍ、及び高さ１０ｍｍ〜１５０ｍｍである。いくつかの実施形態において、ベース部分２６１２は、幅２０ｍｍ〜２００ｍｍ、長さ１０ｍｍ〜１００ｍｍ、及び高さ１０ｍｍ〜８０ｍｍである。いくつかの実施形態において、ベース部分２６１２は、幅２０ｍｍ〜１３０ｍｍ、長さ１０ｍｍ〜５０ｍｍ、及び高さ１０ｍｍ〜５０ｍｍである。
【０３６２】
図７３は、捕虫装置の第２７の実施形態の前側斜視図であり、この捕虫装置は全体的に２７１０として示される。捕虫装置２７１０は、ベース部分２７１２と取り外し可能な捕虫部分２７１４とを含む。この図で、捕虫部分２７１４とベース部分２７１２は部分的に切り取られて示されており、捕虫部分２７１４はベース部分２７１２から取り外された状態で示されている。捕虫装置２７１０は、床に置くよう構成され、這う虫及び跳ねる虫又は害虫を捕捉する。図示のように、ベース部分２７１２は、電気コード２７１６と、複数の導電性プロング２７２２を備えた電気プラグ２７３０とを含み、これは、導電性プロング２７２２を標準の家庭用壁面電気コンセントに差し込むことにより、捕虫装置２７１０に電力を供給するよう適合されている。あるいは、ベース部分２７１２は、ベース部分２７１２内に取り付けられた電池（図示せず）から電力を受け取るよう構成され得る。電気コンセントと電池は、捕虫装置２７１０に電力を供給するものとして記述されるが、任意の好適な電源を使用することができる。ベース部分２７１２は、１つ以上のＬＥＤ  ２７２４などの発光エレメントを含む。いくつかの実施形態において、ＬＥＤ  ２７２４は、紫外（ＵＶ）光を発するＬＥＤを少なくとも１つ、及び可視光を発するＬＥＤを少なくとも１つ含む。いくつかの実施形態において、ＬＥＤ  ２７２４は、広範な種の虫をよりよく誘引するために、ＵＶ光を発するＬＥＤを少なくとも１つ、及び青色光を発するＬＥＤを少なくとも１つ含む。いくつかの実施形態において、この発光エレメントは、日光を模した波長の組み合わせを放射する。いくつかの実施形態において、ＬＥＤ  ２７６４は、ノミを含む特定の種の虫をよりよく誘引するために、ＩＲ光を発するＬＥＤを少なくとも１つ含む。ベース部分２７１２の前側表面２７２６には少なくとも１つの開口部２７４４があり、開口部２７４４には透明又は半透明のウィンドウ（図示せず）が取り付けられ、これは、ＬＥＤ  ２７２４をダストと虫の屑から保護し、ベース部分２７１２をクリーニングしやすくする。しかしながら、このウィンドウは必須ではない。いくつかの実施形態において、捕虫部分２７１４がベース部分２７１２に取り付けられたときに、ＬＥＤ  ２７２４の少なくとも一部が、ベース部分２７１２の前表面２７２６から突出して捕虫部分２７１４内に入り得る。前表面２７２６の外周には、前向きの縁２７３２があってよい。
【０３６３】
捕虫部分２７１４は、その外周に少なくとも１つの開口部２７２０を備えたハウジング２７１８を含む。ハウジング２７１８の開口部２７２０は、広範な種類の虫を捕虫装置２７１０に受け入れるよう構成することができ、あるいは、１種類以上の特定の種の虫を受け入れるよう構成することができる。いくつかの実施形態において、開口部２７２０は、捕虫部分２７１４を取り外して交換するときに、ユーザーの指が開口部２７２０に入ってしまい捕らえられた虫又は接着剤に誤って触れることを防ぐよう構成される。いくつかの実施形態において、開口部２７２０は、直径２５ｍｍの球が開口部２７２０を通過できないような寸法及び形状を有し、かつ、直径１ｍｍの球が開口部２７２０のいかなる部分も通過できるような寸法及び形状を有する。開口部２７２０の幅、形状及び向きは、均一であってよく又は変化してよく、また、捕虫部分２７１４が複数の開口部２７２０を有する場合は、それらの幅、形状及び向きは、同一であってよく又は異なってよい。開口部２７２０は、１種類以上の個々の虫又は様々な種類の虫を誘引するよう構成することができる。いくつかの実施形態において、ハウジング２７１８の内側表面（図示せず）は反射性コーティングを有する。あるいは、ハウジング２７１８の材料と、ハウジング２７１８の内側表面の表面仕上げは、その内側表面の反射性コーティングなしに、光を反射及び分散させるように構成され得る。捕虫部分２７１４は、上表面２７３８を備えた底プレート２７３４を含み、この少なくとも一部が接着剤２７３６でコーティングされている。いくつかの実施形態において、底プレート２７３４の下表面（図示せず）は、平らであるか、又は外周部が平らであり、装置を床に置いたときに、虫が捕虫装置２７１０の下に這い入ることができないように構成され得る。捕虫部分２７１４は、透明又は半透明の材料からなり、上表面２７４０を含む、ディバイダ２７４６を含む。いくつかの実施形態において、ディバイダ２７４６はその内側表面が透明又は半透明の接着剤でコーティングされており、これにより付加的な捕虫効果及び能力が提供される。ディバイダ２７４６は、ハウジング２７１８の開口部２７２０に対応する少なくとも１つの開口部２７５２を有する。ディバイダ２７４６は、透明又は半透明のプラスチックで熱成形されてよく、これにより低価格と使い捨て性を維持するが、射出成形で製造することもでき、また他の透明又は半透明の材料で製造することもできる。捕虫部分２７１４は更に、ディフューザー２７５４（この図では半分のみが示されている）を含み、これは光散乱特性を備えた透明又は半透明の材料で製造される。あるいは、ディフューザー２７５４は、ディフューザー２７５４に光散乱特性を付与する表面仕上げ又は表面形状又は表面コーティングを有し得る。いくつかの実施形態において、ディフューザー２７５４は、ディバイダ２７４６内の凹部にフィットする帯状のシート材料であり、接触しているディバイダ２７４６の表面の形状にぴったり沿う。あるいは、ディフューザー２７５４の形状は注型成形又は熱成形され得る。図示のように、ハウジング２７１８とディバイダ２７４６は上部エンクロージャ２７４８を形成し、ディバイダ２７４６と底プレート２７３４は下部エンクロージャ２７２８を形成する。図示のように、ハウジング２７１８は、ベース部分２７１２の前側表面２７２６の開口部２７４４に対応する少なくとも１つの開口部２７４２を含む。いくつかの実施形態において、開口部２７４２は、透明又は半透明のウィンドウ（図示せず）を有する。いくつかの実施形態において、ハウジング２７１８は、不透明なプラスチックシートから熱形成され、低価格と使い捨て性を維持しながら、クリーンで審美的に心地良い形状を形成する。あるいは、紙、板紙、厚紙又は紙パルプなどの不透明、透明又は半透明の材料で構築することができる。いくつかの実施形態において、ハウジング２７１８は、射出成形、又はその他の好適な製造技法により構築される。いくつかの実施形態において、ハウジング２７１８、ディバイダ２７４６及び底プレート２７３４は、その交差部又は係合部が接着剤で接合されているが、これらは他の一般的に使用されているパッケージング組立技法により接合されてよく、例えば超音波溶接又は高周波（ＨＦ）溶接、又はその他任意の好適な組立方法により接合され得る。例えば、ハウジング２７１８及び／又はディバイダ２７４６及び／又は底プレート２７３４及び／又は接着剤２７３６は、ソルビトール、甲虫類誘引剤（ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコール（trunc-call）を含む）、双翅類誘引剤（セラルア、キュールア（cue-lure）、ラチルア、メドルア、モグチュン、ムスカルア、及びトリメドルアを含む）、同翅類誘引剤（レスカルアを含む）、鱗翅類誘引剤（例えばディスパールア）、直鎖レピドプテランフェロモン（コドレルア、ゴシップルア、ヘキサルア、リトルア、ループルア、オルフラルア、及びオストラモンを含む）、及びその他の虫誘引性物質（例えばオイゲノール、メチルオイゲノール、及びシグルア）、又はその他の、捕虫装置２７１０の虫誘引効率を向上させるにおいを供給する物質を、含浸させることができる。あるいは、虫誘引性物質は、ディバイダ２７４６の内側表面に、又はハウジング２７１８の開口部を通して取り付けられ得る、別個のピース（図示せず）に埋め込むことができる。そのような誘引物質は、捕虫装置２７１０から半径約２メートルにいる虫に感知可能となることが望ましい。
【０３６４】
いくつかの実施形態において、ベース部分２７１２は、コマンドを実行するためのプログラム可能プロセッサ又はチップ（図示せず）を有する回路基板２７５０を含み、これはコード２７１６、導電性プロング２７２２、及びＬＥＤ  ２７２４に電気的に接続されている。ただし、見やすくするため、電気的接続は示されていない。回路基板２７５０は更に、例えば導電性プロング２７２２から通常の家庭用電流を受け取り、ＬＥＤ  ２７２４を点灯させる電力を供給するための電子回路部品を含み得る。回路基板２７５０は、ＬＥＤ  ２７２４に定電圧を供給する、全波整流回路又はその他の回路などのエネルギー安定器を含み得るが、ただし、一部の虫にとって誘引性となり得るような動きを模倣するちらつき光を提供するように、ＬＥＤ  ２７２４に変動電圧を供給することもできる。回路基板２７５０は、ＵＶ光及び／又は可視光及び／又はＩＲ光のすべてを提供するために、ＬＥＤ  ２７２４に電力を供給するが、ただし、ＵＶ光及び／又は可視光及び／又はＩＲ光のちらつきの組み合わせを生み出すために、ＵＶ  ＬＥＤ  ２７２４のみ又は可視光ＬＥＤ  ２７２４のみ又はＩＲ  ＬＥＤ  ２７２４のみに電力を供給するか、あるいは変動電力を供給するよう、構成することもできる。回路基板２７５０はまた、圧電スピーカー（図示せず）などの発信機又はトランシーバー、又はその他の装置を駆動させるよう構成することができ、これらはベース部分２７１２に取り付けて、虫誘引性の音又は振動を発するようにすることができる。いくつかの実施形態において、この発信機又はトランシーバーは、虫をよりよく誘引するために、録音及び／又は生成された虫の音又は振動を発することができ、これには、虫の発信、応答、求愛、及び連結の歌のうち１つ以上が含まれ得る。いくつかの実施形態において、この発信機又はトランシーバーは、録音及び／又は生成された虫誘引性の音又は振動（例えば哺乳動物の心拍など）を発することができる。例えば、この発信機又はトランシーバーは、約０．５Ｈｚ（例えば、大型哺乳動物の心拍数）〜約２４０ｋＨｚ（例えば、虫が感知可能な最高周波数）の範囲の周波数を有する虫誘引性の単音又は複数の音を発することができる。いくつかの実施形態において、この周波数は約５Ｈｚ〜１００ｋＨｚの範囲である。いくつかの実施形態において、この周波数は約３５Ｈｚ〜５０ｋＨｚの範囲である。そのような虫誘引性の音は、捕虫装置２７１０から約２メートル以内の距離にいる虫に感知可能となることが望ましい。そのような虫誘引性の音は、捕虫装置２７１０から約１メートル以内の距離にいる人間に感知できないものであることが望ましい。
【０３６５】
図示のように、ベース部分２７１２の上表面２７２６の縁２７３２が、捕虫部分２７１４と係合して、使用中に定位置に固定させる。ただし、捕虫部分２７１４をベース部分２７１２に取り外し可能にしっかりと取り付けることができるような、他の任意の取り付けの形態に置き換えることができる。
【０３６６】
捕虫装置２７１０の操作において、導電性プロング２７２２（図示せず）を壁面電気コンセントに差し込むと、ＬＥＤ  ２７２４が矢印で示すように光を発し、これがベース部分２７１２の開口部２７４４とハウジング２７１８の開口部２７４２とを通って上部エンクロージャ２７４８に入り、ディフューザー２７５４と、ディバイダ２７４６の上表面と、ハウジング２７１８の内側表面とに直接当たる。いくつかの実施形態において、光はベース部分２７１２内では操作されず、捕虫部分２７１４内へ直接発光される。ディフューザー２７５４は、ディバイダ２７４６の対応する表面を通って下部エンクロージャ２７２８内へと均一に光を透過する。いくつかの実施形態において、ハウジング２７１８の内側表面は、ＬＥＤ  ２７２４からの光を反射及び分散させて、光がディバイダ２７４６を通って下部エンクロージャ２７２８内に入り、底プレート２７３４の上表面２７３８をコーティングする接着剤２７３６上を均一に照らすが、ハウジング２７１８の内側表面は更に、光をより均一に分配するように、畝又はその他の特徴（図示せず）を有してもよい。ディバイダ２７４６の上表面２７４０は、接着剤２７３６の上に光をより均一に分配するように、平面又は凸状又は凹状又は形状の組み合わせであってよい。いくつかの実施形態において、ディバイダ２７４６を通り接着剤２７３６に光を分配するよう（例えば均等に、特定のパターンに従って、焦点を絞って、など）構成された、アナモルフィックレンズ（図示せず）又はその他のレンズ又はレンズの組み合わせなどの光学的エンハンサーを、ハウジング２７１８の開口部２７４２又はその近くでベース部分２７１４に取り付けてよく、又はベース部分２７１２の開口部２７４４又はその近くでベース部分２７１２に取り付けてよく、また、ハウジング２７１８の反射性コーティングされた内側表面の役割を置換又は増強することができる。光は更に、ディバイダ２７４６の光散乱特性、ディバイダ２７４６の内側表面をコーティングする接着剤、又はこれらの組み合わせにより、均一に分配され得る。いくつかの実施形態において、ＬＥＤ  ２７２４からの光は、ディバイダ２７４６の上表面２７４０に斜めの角度（例えば、約０°〜９０°の鋭角）で直接当たり、上表面２７４０全体にわたって広がり、ディバイダ２７４６の上表面２７４０の光分配の役割、あるいは、捕虫部分２７１４又はベース部分２７１２に取り付けられたレンズ（複数可）の光分配の役割を、置換又は増強することができる。
【０３６７】
このように、下部エンクロージャ２７２８に入る光の一部が、ディバイダ２７４６の開口部２７５２と、ハウジング２７１８の対応する開口部２７２０とを通って、捕虫装置２７１０が設置されている周辺領域に放射される。虫及びその他の有害節足動物は、ディフューザー２７５４からの光と、ディバイダの開口部２７５２とハウジング２７１８の対応する開口部２７２０とを通る接着剤２７３６からの光とに誘引されて、ハウジング２７１８の開口部２７２０及びディバイダ２７４６の対応する開口部２７５２を通って飛び入り又は這い入り、接着剤２７３６に乗り、ここで捕らえられ得る。ユーザーは、ハウジング２７１８の開口部２７２０及びディバイダ２７４６の対応する開口部２７５２を通して見ることにより、捕らわれた虫を観察できる。十分な数の虫が捕獲されると、ユーザーは、捕獲された虫、虫の屑又は接着剤（これらは捕虫部分２７１４内の届かないところに留まる）に触れることなしに、使用済みの捕虫部分２７１４全体を容易に取り外して捨て、新しい捕虫部分２７１４に交換することができる。新しい捕虫部分２７１４は、接着剤コーティングされた新しい表面を有しており、捕虫装置２７１０が引き続き効率的かつ効果的に虫を確実に誘引して捕らえることができるようになる。
【０３６８】
いくつかの実施形態において、捕虫部分ｗはベース部分２７１２の上でも下でもなく側面に取り付けられているため、捕虫装置２７１０の床からの突出が最小限に抑えられ、これによって、家庭環境に対する邪魔を最小限に抑える。いくつかの実施形態において、捕虫装置２７１０は、床に置かれたとき、捕虫装置２７１０が床から突出する合計距離によって画定される合計高さが、その全体長さ及び全体の幅よりも小さくなるように構成され得る。
【０３６９】
捕虫装置２７１０の利点は、捕虫部分２７１４内の光の操作であることが理解されよう。いくつかの実施形態において、光の操作は捕虫部分２７１４内でのみ起こる。光の操作には、反射、屈折、偏光、分散及び／又は散乱が含まれ得、これは操作可能なエレメント又は表面（例えば、ハウジング２７１８の内側表面及び接着剤２７３６）と係合することにより達成される。いくつかの実施形態において、光の操作は、接着剤２７３６上に光の均等な分布を生成する。いくつかの実施形態において、光は、接着剤２７３６の上又は捕虫部分２７１４内に所定のパターンを生成するよう操作され、例えば、均一な分布、高強度のホットスポットを伴う均一な分布、ホットスポットパターン、及び／又はこれらの組み合わせを生成するよう操作される。
【０３７０】
任意の好適な接着剤材料を、虫を捕獲するための接着表面の一部として使用することができる。いくつかの実施形態において、アクリル、ブチルゴム、天然ゴム、ニトリル、シリコーン、スチレンブロックコポリマー、スチレン−エチレン／プロピレン、スチレン−イソプレン−スチレン、ビニルエーテルなどの感圧性接着剤を使用することができる。一般に、そのような接着剤の厚さは約０．０１ｍｍ〜１ｍｍの範囲である。いくつかの実施形態において、接着剤厚さは、約０．０５ｍｍ〜０．２ｍｍの範囲であり、厚さ約０．１ｍｍが最もよく使用される。
【０３７１】
この構成の捕虫装置２７１０は、ベース部分２７１２に取り外し可能に取り付けることができる様々な異なる捕虫部分２７１４に対応することができ、それぞれの捕虫部分２７１４は、特定の種類又は複数の種類の虫を誘引して捕らえるよう独自に構成される。例えば、捕虫部分２７１４の全体の寸法及び形状、捕虫部分２７１４のハウジングｗの開口部２７２０の寸法、形状、位置及び向き、並びにハウジング２７１８、底プレート２７３４、ディバイダ２７４６又は接着剤２７３６に含浸させたにおい（複数可）は、特定の種類又は複数の種類の虫を誘引して捕らえるよう独自に構成され得る。
【０３７２】
例えば、いくつかの実施形態において、捕虫部分２７１４はおよそ、幅２０ｍｍ〜６００ｍｍ、長さ２０ｍｍ〜６００ｍｍ、及び高さ５ｍｍ〜１５０ｍｍである。いくつかの実施形態において、捕虫部分２７１４はおよそ、幅２０ｍｍ〜２００ｍｍ、長さ２０ｍｍ〜２００ｍｍ、及び高さ５ｍｍ〜８０ｍｍである。いくつかの実施形態において、捕虫部分２７１４はおよそ、幅２０ｍｍ〜１３０ｍｍ、長さ２０ｍｍ〜１３０ｍｍ、及び高さ５ｍｍ〜５０ｍｍである。
【０３７３】
いくつかの実施形態において、ベース部分２７１２はおよそ、幅２０ｍｍ〜６００ｍｍ、長さ１０ｍｍ〜１５０ｍｍ、及び高さ１０ｍｍ〜１５０ｍｍである。いくつかの実施形態において、ベース部分２７１２は、幅２０ｍｍ〜２００ｍｍ、長さ１０ｍｍ〜１００ｍｍ、及び高さ１０ｍｍ〜８０ｍｍである。いくつかの実施形態において、ベース部分２７１２は、幅２０ｍｍ〜１３０ｍｍ、長さ１０ｍｍ〜５０ｍｍ、及び高さ１０ｍｍ〜５０ｍｍである。
【０３７４】
一態様において、捕虫装置が開示され、この捕虫装置は、接着表面と第１開口部を有するエンクロージャを含む捕虫部分であって、この接着表面は、エンクロージャ内に少なくとも部分的に収容され、かつ虫を付着するよう構成されている、捕虫部分と、発光エレメント及び取り付け部分を含むベース部分であって、この発光エレメントは、捕虫部分に対して光を提供するよう構成され、この取り付け部分は、電源につながって電力を受け取るよう構成されている、ベース部分と、を備え、この捕虫部分は、ベース部分と取り外し可能に係合し、係合しているときにベース部分からの光を受け取るよう構成されている。一実施形態において、この第１開口部は、虫をこのエンクロージャ内に入らせるよう構成される。一実施形態において、このエンクロージャは第２開口部を含み、この第２開口部は、このエンクロージャから光が放射されるように構成される。一実施形態において、このベース部分内で、光は操作されない。一実施形態において、このエンクロージャは第３開口部を含み、この第３開口部は、このベース部分から受け取る光をこのエンクロージャへと通すように構成される。一実施形態において、このエンクロージャは、光を所定のパターンで分配するよう構成される。一実施形態において、このエンクロージャは、第１内側表面を有する前部ハウジング部分と、第２内側表面を有する後部ハウジング部分とを有し、この前部ハウジング部分と後部ハウジング部分は互いに噛み合い係合してエンクロージャを形成し、第１内側表面又は第２内側表面のうち少なくとも一方が、光を操作するよう構成されている。一実施形態において、第１内側表面又は第２内側表面のうち少なくとも一方が、接着表面を含む。一実施形態において、この後部ハウジング部分が凹状表面を有し、この凹状表面は、エンクロージャ内に光を均一に反射するよう構成されている。一実施形態において、光は接着表面を透過し、接着表面を照らして、接着表面に虫を誘引する。一実施形態において、このエンクロージャは、第１内側表面を有する前部ハウジング部分と、第２内側表面を有する後部ハウジング部分と、前部ハウジング部分と後部ハウジング部分との間に少なくとも部分的に配置されるディバイダ部分とを含み、前部ハウジング部分と後部ハウジング部分は互いに噛み合い係合してエンクロージャを形成し、このディバイダ部分は、エンクロージャを前部エンクロージャ部分と後部エンクロージャ部分に分割する。一実施形態において、ディバイダ部分は、半透明材料を含む後側表面と、接着表面を含む前側表面とを含む。一実施形態において、この後部ハウジング部分の第２内側表面は、凹状表面を含み、この凹状表面は、ディバイダ部分の後側表面に光を反射させるよう構成されている。一実施形態において、光は接着表面を透過し、接着表面を照らして、接着表面に虫を誘引する。一実施形態において、このディバイダ部分の後側表面は、後部ハウジング部分の第２内側表面からの光、又は発光エレメントから直接来る光を、受け取るよう構成されている。一実施形態において、このディバイダ部分は、斜めの角度の光を受け取り、これをディバイダ部分にわたって広げるよう構成されている。一実施形態において、このディバイダ部分は、光を操作するよう構成されている。一実施形態において、このディバイダ部分は、平面又は形成形状を含み、このディバイダ部分の形状は、光分布を最適化するよう構成されている。一実施形態において、このベース部分は突起を含み、捕虫部分はこの突起を受け取るための陥凹を含み、この突起が捕虫部分により受け取られたときに、ベース部分と捕虫部分とが係合する。一実施形態において、この捕虫部分は突起を含み、ベース部分はこの突起を受け取るための陥凹を含み、突起がベース部分により受け取られたときに、ベース部分と捕虫部分とが係合する。一実施形態において、この捕虫部分は、ポリマー系、繊維系、又は炭素系材料を含む。一実施形態において、この取り付け部分は、取り付け部分の後側表面から実質的に垂直かつ直接突出している剛性の導電体を有する電気プラグを含み、この導電体は、電気コンセントに挿入可能である。一実施形態において、この電源は、電気コンセント又は電池を含む。一実施形態において、この発光エレメントは、発光ダイオード（ＬＥＤ）を含む。一実施形態において、この発光エレメントは、紫外（ＵＶ）ＬＥＤ及び青色ＬＥＤを含む。一実施形態において、このベース部分は、発光エレメントに定電圧を供給するよう構成されたエネルギー安定器を含む。一実施形態において、このエネルギー安定器は、全波整流回路を含む。一実施形態において、このベース部分は開口部を含み、この開口部は、ベース部分から捕虫部分へと光を発するよう構成されている。一実施形態において、この開口部は透明又は半透明のウィンドウを含む。一実施形態において、この開口部は発光エレメントに隣接している。一実施形態において、この捕虫部分は虫誘引性物質を含む。一実施形態において、この虫誘引性物質は、ソルビトール、甲虫類誘引剤、双翅類誘引剤、同翅類誘引剤、鱗翅類誘引剤、直鎖レピドプテランフェロモン、オイゲノール、メチルオイゲノール、及びシグルアからなる群から選択される。一実施形態において、この甲虫類誘引剤は、ブレビコミン、ドミニカルア、フロンタリン、グランドルア、イプスジエノール、イプセノール、ジャポニルア、リネアチン、メガトモ酸、マルチストリアチン、オリクタルア、スルカトール、及びトランクコール（trunc-call）を含む。一実施形態において、この双翅類誘引剤は、セラルア、キュールア（cue-lure）、ラチルア、メドルア、モグチュン、ムスカルア、及びトリメドルアを含む。一実施形態において、この同翅類誘引剤は、レスカルアを含む。一実施形態において、この鱗翅類誘引剤は、ディスパールアを含む。一実施形態において、この直鎖レピドプテランフェロモンは、コドレルア、ゴシップルア、ヘキサルア、リトルア、ループルア、オルフラルア、及びオストラモンを含む。一実施形態において、この虫誘引性物質は、エンクロージャに一体化している。一実施形態において、このベース部分は発信機を含む。一実施形態において、この発信機は、虫誘引性の音を発するよう構成された圧電スピーカーを含む。一実施形態において、この虫誘引性の音は、約０．２Ｈｚ〜２４０ＫＨｚの範囲の周波数を含む。一実施形態において、このベースはスイッチを含み、このスイッチは、ユーザーがこの捕虫装置の特性を制御できるよう構成される。一実施形態において、この特性は、電力、光の強さ、光の波長又は周波数、光のちらつき、光のパターン、及びこれらの組み合わせからなる群から選択される。一実施形態において、このスイッチは、機械的スイッチ、光学的スイッチ、電子的スイッチ、電気機械的スイッチ、又はホール効果センサーを含む。一実施形態において、このエンクロージャは反射性表面を含む。一実施形態において、この接着表面はこの反射性表面に隣接している。一実施形態において、このベース部分は、発光エレメントに対して変動電圧を供給するよう構成された回路を含み、この発光エレメントは、捕虫部分に断続的な光を提供する。一実施形態において、このエンクロージャは外側表面を含み、この外側表面は、このエンクロージャから発する光の量を低減するよう構成されたスリーブにより少なくとも部分的に取り囲まれている。一実施形態において、この第１又は第２内側表面のうち少なくとも１つは、模様付き表面を含み、この模様付き表面は、エンクロージャの表面積を増加させるよう構成される。一実施形態において、この模様付き表面は、第１又は第２内側表面の長さの少なくとも一部分にわたって延在する畝を含む。一実施形態において、この第１又は第２内側表面のうち少なくとも１つは、模様付き表面を含み、この模様付き表面は、エンクロージャの表面積を増加させるよう構成される。一実施形態において、この模様付き表面は、第１又は第２内側表面の長さの少なくとも一部分にわたって延在する畝を含む。一実施形態において、この捕虫装置は更に、後部ハウジング部分の第２内側表面に隣接して配置される光伝導体を含み、この光伝導体は、前側表面及び後側表面を有し、この光伝導体は、ベース部分からの光を受け取り、この光を所定のパターンでエンクロージャ内に分配するよう構成される。一実施形態において、この光伝導体の前側表面は更に、接着剤材料を含む。一実施形態において、この光反射体の後側表面は、所定の方向に放射される光の量を低減するよう構成される。一実施形態において、この光伝導体は先細であり、ベース部分に隣接する部分でより厚い奥行きを有し、反対側でより薄い奥行きを有する。一実施形態において、この光伝導体の後側表面は、光を光伝導体内へと反射するよう構成されている。一実施形態において、光はこの光伝導体内で複数回反射されてから、エンクロージャ内に放射される。一実施形態において、この後側表面は、後部カバー又は艶消し層を含む。一実施形態において、このベース部分は更に、光学的エンハンサーを含み、この光学的エンハンサーは、光を所定のパターンで捕虫部分内に導くよう構成されている。一実施形態において、この光学的エンハンサーは、レンズを含む。一実施形態において、このエンクロージャは内側スリーブを含み、このベース部分は外側スリーブを含み、この内側スリーブはこの外側スリーブに揃うよう構成されている。一実施形態において、この外側スリーブは、開口部を有するフェースプレートを含む。一実施形態において、このフェースプレート開口部は、エンクロージャ開口部に対応し、この開口部は位置揃えの手段を提供する。一実施形態において、この内側スリーブは、外側スリーブ内に投入されるよう構成されている。一実施形態において、この内側スリーブは、この内側スリーブを保持するためのタブを含む。一実施形態において、このベース部分はドッキングスイッチを含み、このドッキングスイッチは、捕虫部分がベース部分に正しく係合したときに、発光エレメントをオンにするよう構成されている。一実施形態において、この捕虫部分はドッキングスイッチアクチベーターを含み、このドッキングスイッチアクチベーターは、捕虫部分がベース部分に正しく係合したときに、ドッキングスイッチをオンにするよう構成されている。一実施形態において、このドッキングスイッチは、機械的スイッチ、光学的スイッチ、電子的スイッチ、電気機械的スイッチ、又はホール効果センサーを含む。
【０３７５】
一態様において、捕虫装置が開示され、この捕虫装置は、接着表面と第１開口部を有するエンクロージャを含む捕虫部分を含み、この接着表面は、エンクロージャ内に少なくとも部分的に収容され、かつ虫を付着するよう構成されており、また発光エレメントは、エンクロージャ内に少なくとも部分的に収容され、この発光エレメントは、エンクロージャ内に光を供給するよう構成されており、この発光エレメントは、電源につながって電力を受け取るよう構成されており、ベース部分は、捕虫部分に取り外し可能に係合するよう構成され、電源へのアクセスを提供する。一実施形態において、この発光エレメントは、複数の捕虫電気接触を含み、このベース部分は、複数のベース電気接触を含み、この捕虫接触はベース接触につながって、発光エレメントに電力を供給する。一実施形態において、このベース接触は、電源につながっている。一実施形態において、この発光エレメントは、発光ダイオード（ＬＥＤ）を含む。
【０３７６】
一態様において、取り外し可能な捕虫装置カートリッジは、カートリッジを画定するエンクロージャを含み、このエンクロージャは、接着表面と第１開口部とを含み、この接着表面は、少なくとも部分的にエンクロージャ内に収容されかつ虫を付着させるよう構成されており、この第１開口部は、虫をこのエンクロージャ内に入らせるよう構成されており、このエンクロージャは、エンクロージャ内に所定のパターンで光を供給するよう構成されている。一実施形態において、このエンクロージャは更に発光エレメントを含む。一実施形態において、この発光エレメントは、発光ダイオード（ＬＥＤ）を含む。一実施形態において、この発光エレメントは、紫外（ＵＶ）ＬＥＤ及び青色ＬＥＤを含む。一実施形態において、このエンクロージャは、第１内側表面を有する前部ハウジング部分と、第２内側表面を有する後部ハウジング部分とを有し、この前部ハウジング部分と後部ハウジング部分は互いに噛み合い係合してエンクロージャを形成し、第１内側表面又は第２内側表面のうち少なくとも一方が、光を操作するよう構成されている。一実施形態において、第１内側表面又は第２内側表面のうち少なくとも一方が、接着表面を含む。一実施形態において、この後部ハウジング部分が凹状表面を有し、この凹状表面は、エンクロージャ内に光を均一に反射するよう構成されている。一実施形態において、光は接着表面を透過し、接着表面を照らして、接着表面に虫を誘引する。一実施形態において、このエンクロージャは、第１内側表面を有する前部ハウジング部分と、第２内側表面を有する後部ハウジング部分と、前部ハウジング部分と後部ハウジング部分との間に少なくとも部分的に配置されるディバイダ部分とを含み、前部ハウジング部分と後部ハウジング部分は互いに噛み合い係合してエンクロージャを形成し、このディバイダ部分は、エンクロージャを前部エンクロージャ部分と後部エンクロージャ部分に分割する。一実施形態において、ディバイダ部分は、半透明材料を有する後側表面と、接着表面を有する前側表面とを含む。一実施形態において、この後部ハウジング部分の第２内側表面は、凹状表面を含み、この凹状表面は、ディバイダ部分の後側表面に光を反射させるよう構成されている。一実施形態において、光は接着表面を透過し、接着表面を照らして、接着表面に虫を誘引する。一実施形態において、このディバイダ部分の後側表面は、後部ハウジング部分の第２内側表面からの光、又は発光エレメントから直接来る光を、受け取るよう構成されている。一実施形態において、このエンクロージャは下表面を含み、この下表面は、差し込み可能なベースを、取り外し可能に取り付けるよう構成されている。一実施形態において、このエンクロージャは生分解性材料を含む。一実施形態において、このエンクロージャは外側表面を含み、この外側表面は装飾エレメントを含む。一実施形態において、この装飾エレメントは、花、植物、貝殻、会社ロゴ、スポーツチームロゴ、フットボール、バスケットボール、サッカーボール、ホッケーパック、フットボールヘルメット、又はホッケースティックからなる群から選択される形状を含む。一実施形態において、この捕虫部分は虫誘引性物質を含む。一実施形態において、この虫誘引性物質は、ソルビトール、甲虫類誘引剤、双翅類誘引剤、同翅類誘引剤、鱗翅類誘引剤、直鎖レピドプテランフェロモン、オイゲノール、メチルオイゲノール、及びシグルアからなる群から選択される。一実施形態において、この虫誘引性物質は、カートリッジから約２メートルの距離にいる虫が感知可能である。一実施形態において、このエンクロージャは、模様付き表面を含み、この模様付き表面は、エンクロージャの表面積を増加させるよう構成される。一実施形態において、この模様付き表面は、エンクロージャの長さの少なくとも一部分にわたって延在する畝を含む。一実施形態において、このカートリッジは更に、エンクロージャ内に配置される光伝導体を含み、この光伝導体は、光を受け取って、この光を所定のパターンでエンクロージャ内に分配するよう構成される。一実施形態において、このエンクロージャは内側スリーブを含み、この内側スリーブは外側スリーブに内に受容されて揃うよう構成されている。一実施形態において、この外側スリーブは、開口部を有するフェースプレートを含む。一実施形態において、このフェースプレート開口部は、エンクロージャ開口部に対応し、この開口部は位置揃えの手段を提供する。一実施形態において、この内側スリーブは、この内側スリーブを保持するためのタブを含む。一実施形態において、このカートリッジはドッキングスイッチアクチベーターを含み、このドッキングスイッチアクチベーターは、カートリッジがベース部分に正しく係合したときに、ドッキングスイッチをオンにするよう構成されている。一実施形態において、このドッキングスイッチアクチベーターは、機械的スイッチ、光学的スイッチ、電子的スイッチ、電気機械的スイッチ、又はホール効果センサーを含む。
【０３７７】
一態様において、一方法が開示され、この方法は、捕虫装置のベース部分を提供する工程と、捕虫装置の第１捕虫部分を提供する工程であって、この第１捕虫部分は開口部を含む、工程と、この第１捕虫部分をこのベース部分に取り付ける工程と、このベース部分を電源に接続して電力を発光エレメントに供給する工程であって、この発光エレメントはベース部分又は第１捕虫部分内にあり、かつこの発光エレメントは、第１捕虫部分内に虫を誘引するよう構成されている、工程と、この開口部を通して、第１捕虫部分に虫を受容する工程と、を含む。一実施形態において、この方法は更に、第１捕虫部分をベース部分から分離する工程と、この第１捕虫部分を廃棄する工程であって、虫は、廃棄される第１捕虫部分内に留まっている、工程と、を含む。一実施形態において、この第１捕虫部分は、人間が第１捕虫部分内の虫に接触することなしに廃棄される。一実施形態において、この第１捕虫部分は接着表面を含み、虫はこの接着表面に付着する。一実施形態において、このベース部分はドッキングスイッチを含み、このドッキングスイッチは、第１捕虫部分がベース部分に正しく取り付けられたときに、発光エレメントをオンにするよう構成されている。一実施形態において、第１捕虫部分をベース部分から分離すると、発光エレメントがオフになる。一実施形態において、第１捕虫部分をベース部分から分離すると、発光エレメントは、発光が部分的に遮蔽される。一実施形態において、この方法は更に、捕虫装置の第２捕虫部分を提供する工程であって、この第２捕虫部分は開口部を含む、工程と、この第２捕虫部分をこのベース部分に取り付ける工程と、を含む。第４の態様の一実施形態において、第１捕虫装置と第２捕虫装置は異なる構成を有する。
【０３７８】
一態様において、ドッキング装置が開示され、これは、ドッキングアクチベーターに応答してオンになるよう構成されたドッキング構造を含み、このドッキングアクチベーターは、ドッキング構造を係合するよう構成された別のピース上に配置されており、このドッキング構造が電源につながって、発光エレメントへの電力を制御するよう構成されている。一実施形態において、このドッキングアクチベーターは、表面、突起、タブ、又は磁石を含む。一実施形態において、このドッキング構造は、ドッキングアクチベーターが係合しているときに閉じ、ドッキングアクチベーターの係合が外れているときに開くよう、構成されている。一実施形態において、このドッキング構造は、ドッキングアクチベーターからの圧力に応答してオンになるよう構成されている。一実施形態において、このドッキング構造は、ドッキングアクチベーターからの変位に応答してオンになるよう構成されている。
【０３７９】
一態様において、取り外し可能な捕虫装置カートリッジは、カートリッジを画定するエンクロージャを含み、このエンクロージャは、接着表面と第１開口部とを含み、この接着表面は、少なくとも部分的にエンクロージャ内に収容されかつ虫を付着させるよう構成されており、更にドッキングアクチベーターを含み、このドッキングアクチベーターは、取り付け部分内のドッキング構造に係合するよう構成されている。
【０３８０】
本明細書に開示される捕虫装置は、虫を効果的かつ効率的に誘引し捕らえることができる。これらは、既存の捕虫装置よりも安価であり得る。これらは必要とされるどのような場所にも十分にフィットする小ささであり、ある場所から別の場所へと便利に移動可能であり得る。これらは、壁に取り付けたときの突出が最小限であり得る。この取り外し可能で交換可能な捕虫部分は、外観が魅力的であり得、しかも、安価かつ使い捨て可能であり、捕捉された虫又は接着剤にユーザーが触れることなく、容易にメンテナンスすることができる。
【０３８１】
本開示の実施形態の上記説明は、当業者に本開示の作成又は利用を可能にするよう提供されている。これらの実施形態に対する様々な改変が、当業者には明らかであり、また本明細書に記述されている包括的原理は、本開示の趣旨又は範囲から逸脱することなく、他の実施形態に適用可能である。よって、本明細書に示されている説明及び図面は、本開示の例示的な実施形態を表わし、よって主題を示すものであり、この主題は、本開示により幅広く想到されることが理解されよう。また更に、本開示の範囲は他の実施形態を完全に包含し、したがって本開示の範囲は添付の請求項以外のいかなるものによっても制限されないことが理解されよう。
【図１】
2019205471.tif 000003
【図２】
2019205471.tif 000004
【図３】
2019205471.tif 000005
【図４】
2019205471.tif 000006
【図５】
2019205471.tif 000007
【図６】
2019205471.tif 000008
【図７】
2019205471.tif 000009
【図８】
2019205471.tif 000010
【図９】
2019205471.tif 000011
【図１０】
2019205471.tif 000012
【図１１】
2019205471.tif 000013
【図１２】
2019205471.tif 000014
【図１３】
2019205471.tif 000015
【図１４】
2019205471.tif 000016
【図１５】
2019205471.tif 000017
【図１６】
2019205471.tif 000018
【図１７】
2019205471.tif 000019
【図１８】
2019205471.tif 000020
【図１９】
2019205471.tif 000021
【図２０】
2019205471.tif 000022
【図２１】
2019205471.tif 000023
【図２２】
2019205471.tif 000024
【図２３】
2019205471.tif 000025
【図２４】
2019205471.tif 000026
【図２５】
2019205471.tif 000027
【図２６】
2019205471.tif 000028
【図２７】
2019205471.tif 000029
【図２８】
2019205471.tif 000030
【図２９】
2019205471.tif 000031
【図３０】
2019205471.tif 000032
【図３１】
2019205471.tif 000033
【図３２】
2019205471.tif 000034
【図３３】
2019205471.tif 000035
【図３４】
2019205471.tif 000036
【図３５】
2019205471.tif 000037
【図３６】
2019205471.tif 000038
【図３７】
2019205471.tif 000039
【図３８】
2019205471.tif 000040
【図３９】
2019205471.tif 000041
【図４０】
2019205471.tif 000042
【図４１】
2019205471.tif 000043
【図４２】
2019205471.tif 000044
【図４３】
2019205471.tif 000045
【図４４】
2019205471.tif 000046
【図４５】
2019205471.tif 000047
【図４６】
2019205471.tif 000048
【図４７】
2019205471.tif 000049
【図４８】
2019205471.tif 000050
【図４９】
2019205471.tif 000051
【図５０】
2019205471.tif 000052
【図５１】
2019205471.tif 000053
【図５２】
2019205471.tif 000054
【図５３】
2019205471.tif 000055
【図５４】
2019205471.tif 000056
【図５５】
2019205471.tif 000057
【図５６】
2019205471.tif 000058
【図５７】
2019205471.tif 000059
【図５８】
2019205471.tif 000060
【図５９】
2019205471.tif 000061
【図６０】
2019205471.tif 000062
【図６１】
2019205471.tif 000063
【図６２】
2019205471.tif 000064
【図６３】
2019205471.tif 000065
【図６４】
2019205471.tif 000066
【図６５】
2019205471.tif 000067
【図６６】
2019205471.tif 000068
【図６７】
2019205471.tif 000069
【図６８】
2019205471.tif 000070
【図６９】
2019205471.tif 000071
【図７０】
2019205471.tif 000072
【図７１】
2019205471.tif 000073
【図７２】
2019205471.tif 000074
【図７３】
2019205471.tif 000075
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
捕虫装置であって、
接着表面と第１開口部を有するエンクロージャを含む捕虫部分であって、前記接着表面は、前記エンクロージャ内に少なくとも部分的に収容され、かつ虫を付着するよう構成されている、捕虫部分と、
発光エレメント及び取り付け部分を含むベース部分であって、前記発光エレメントは、光の主方向にある、前記捕虫部分に光を提供するよう構成され、前記取り付け部分は、電源につながって電力を受け取るよう構成されている、ベース部分と、を備え、
前記捕虫部分は、前記ベース部分と取り外し可能に係合し、係合しているときに前記ベース部分からの光を受け取るように、前記光の前記主方向に対して鋭角をなすよう構成されており、
前記捕虫装置は、平らな表面の上に置いて、前記エンクロージャの前記第１開口部を介して這う虫を取り込むよう構成されている、捕虫装置。
【請求項２】
前記取り付け部分が、電気プラグから実質的に垂直かつ直接突出している剛性の導電体を有する前記電気プラグとつながった電気コードを含み、前記導電体は、電源コンセントに差し込むことができる、請求項１に記載の捕虫装置。
【請求項３】
前記捕虫部分が、上表面及び下表面を有する底プレートを含む、請求項１に記載の捕虫装置。
【請求項４】
前記底プレートの前記上表面が、透明、半透明、又は不透明な接着剤コーティングを含む、請求項３に記載の捕虫装置。
【請求項５】
前記底プレートの前記下表面が、前記捕虫装置を平らな表面の上に置いたときに、前記捕虫装置の下を虫が這うのを防ぐよう構成されている、請求項３に記載の捕虫装置。
【請求項６】
前記下表面が平坦であるか、又は外周部分が平坦である、請求項５に記載の捕虫装置。
【請求項７】
捕虫装置であって、
接着表面と第１開口部を有するエンクロージャを含む捕虫部分であって、前記接着表面は、前記エンクロージャ内に少なくとも部分的に収容され、かつ虫を付着するよう構成されている、捕虫部分と、
発光エレメント及び取り付け部分を含むベース部分であって、前記発光エレメントは、光の主方向にある、前記捕虫部分に光を提供するよう構成され、前記取り付け部分は、電源につながって電力を受け取るよう構成されている、ベース部分と、を備え、
前記捕虫部分は、前記ベース部分と取り外し可能に係合し、係合しているときに前記ベース部分からの光を受け取るように、前記光の前記主方向に対して鋭角をなすよう構成されており、
前記捕虫部分は、取り外し可能なカバーを有する虫誘引モジュールを含む、捕虫装置。
【請求項８】
前記取り外し可能なカバーが、プルタブ及び膜を含み、前記エンクロージャが、前記取り外し可能なプルタブを受容するためのタブスロットを含む、請求項７に記載の捕虫装置。
【請求項９】
前記虫誘引モジュールが、使い捨てカップを含み、前記使い捨てカップは、前記プルタブが係合するまで膜で覆われている、請求項８に記載の捕虫装置。
【請求項１０】
前記プルタブを係合させることは、前記膜がカップから分離するまで、前記タブスロットの前記プルタブを引っ張ることを含む、請求項９に記載の捕虫装置。
【請求項１１】
前記取り外し可能なカバーが、未使用の間、前記虫誘引モジュールを気密封止する、請求項７に記載の捕虫装置。
【請求項１２】
前記虫誘引モジュールが、担体材料と、１つ以上の虫誘引性物質とを含む、請求項７に記載の捕虫装置。
【請求項１３】
前記担体材料と前記虫誘引性物質が、所定の期間、虫誘引性のにおいを放出するよう構成される、請求項１２に記載の捕虫装置。
【請求項１４】
前記所定の期間が、１週間、１ヶ月、又は最長３ヶ月を含む、請求項１３に記載の捕虫装置。
【請求項１５】
前記所定の期間が、前記捕虫装置の寿命を含む、請求項１３に記載の捕虫装置。
【請求項１６】
前記放出される虫誘引性のにおいは、時間が経つにつれて変化する、請求項１５に記載の捕虫装置。
【請求項１７】
第１の虫誘引性のにおいが第１期間にわたって放出され、第２の虫誘引性のにおいが第２期間にわたって放出される、請求項１６に記載の捕虫装置。
【請求項１８】
第１の虫誘引性のにおいが第１期間にわたって第１濃度で放出され、前記第１の虫誘引性のにおいが第２期間にわたって第２濃度で放出される、請求項１７に記載の捕虫装置。
【請求項１９】
前記担体材料が１つ以上のにおい隠しを放出するよう構成されており、前記におい隠しは、人間及び／又は対象外の動物に対して、前記虫誘引性物質をマスキングするよう構成されている、請求項１２に記載の捕虫装置。
【請求項２０】
前記虫誘引モジュールを温めて、虫誘引性物質の放出を助けるよう構成されている加熱エレメントを更に備える、請求項７に記載の捕虫装置。
【請求項２１】
前記加熱エレメントが、前記捕虫装置の前記ベース部分内に回路基板を含む、請求項２０に記載の捕虫装置。
【請求項２２】
前記エンクロージャが、
第１内側表面を有する前部ハウジング部分と、
第２内側表面を有する後部ハウジング部分と、
前記前部ハウジング部分と前記後部ハウジング部分との間に少なくとも部分的に配置されるディバイダ部分とを含み、
前記ディバイダ部分は、前記エンクロージャを前部エンクロージャ部分と後部エンクロージャ部分に分割し、
前記虫誘引モジュールが前記後部ハウジング部分に配置される、請求項７に記載の捕虫装置。
【請求項２３】
前記取り外し可能なカバーが、プルタブ及び膜を含み、前記ディバイダ部分が、スロットを含み、前記前部エンクロージャが、前記取り外し可能なプルタブを受容するためのタブスロットを含み、前記プルタブが、前記ディバイダ部分のスロットと前記前部エンクロージャのタブスロットとを通って延在する、請求項２２に記載の捕虫装置。
【請求項２４】
前記ディバイダ部分と前記前部ハウジング部分が、前記虫誘引モジュールの虫誘引性物質が前記捕虫装置から放出されるように、複数の開口部を含む、請求項２２に記載の捕虫装置。
【請求項２５】
捕虫装置であって、
接着表面と第１開口部を有するエンクロージャを含む捕虫部分であって、前記接着表面は、前記エンクロージャ内に少なくとも部分的に収容され、かつ虫を付着するよう構成されている、捕虫部分と、
発光エレメント及び取り付け部分を含むベース部分であって、前記発光エレメントは、光の主方向にある、前記捕虫部分に光を提供するよう構成され、前記取り付け部分は、電源につながって電力を受け取るよう構成されている、ベース部分と、を備え、
前記ベース部分は開口部を含み、前記開口部は、前記ベース部分から前記捕虫部分へと光を発するよう構成されており、
前記捕虫部分は、前記ベース部分と取り外し可能に係合し、係合しているときに該ベース部分からの光を受け取るように、前記光の前記主方向に対して鋭角をなすよう構成されており、
前記発光エレメントの一部が前記ベース部分から前記開口部を通って前記捕虫部分内に突出し、前記捕虫部分と係合しているときに光を該捕虫部分へと供給する、捕虫装置。
【請求項２６】
前記ベース部分の前記開口部が、透明又は半透明のウィンドウを含む、請求項２５に記載の捕虫装置。
【請求項２７】
前記ベース部分の前記開口部が、光検出器のための取り付け表面を提供するよう構成されている、請求項２５に記載の捕虫装置。
【請求項２８】
前記光検出器が、光センサ、光電池、光トランジスタ、光抵抗器又は光ダイオードを含む、請求項２７に記載の捕虫装置。
【請求項２９】
前記捕虫装置の前記ベース部分内に配置される回路基板を更に備え、前記回路基板は、前記捕虫部分と前記ベース部分とが係合しているときに、前記発光エレメント及び前記光検出器と電気的につながっている、請求項２８に記載の捕虫装置。
【請求項３０】
前記回路基板が、前記光検出器の電気的特性の変化を検出するよう構成されており、前記変化が、前記捕虫装置内の虫容積の指標となる、請求項２９に記載の捕虫装置。
【請求項３１】
前記回路基板が、前記虫容積が所定の閾値に達すると、視覚的な指標をユーザーに提供するよう構成されている、請求項３０に記載の捕虫装置。
【請求項３２】
前記視覚的な指標が、光の点滅、又は所定の色の光の点灯を含む、請求項３１に記載の捕虫装置。
【請求項３３】
捕虫装置であって、
接着表面と第１開口部を有するエンクロージャを含む捕虫部分であって、前記接着表面は、前記エンクロージャ内に少なくとも部分的に収容され、かつ虫を付着するよう構成されている、捕虫部分と、
発光エレメント及び取り付け部分を含むベース部分であって、前記発光エレメントは、光の主方向にある、前記捕虫部分に光を提供するよう構成され、前記取り付け部分は、電源につながって電力を受け取るよう構成されている、ベース部分と、を備え、
前記捕虫部分は、前記ベース部分と取り外し可能に係合し、係合しているときに該ベース部分からの光を受け取るように、前記光の前記主方向に対して鋭角をなすよう構成されており、
前記エンクロージャは、
第１内側表面を有する前部ハウジング部分と、
第２内側表面を有する後部ハウジング部分と、
前記前部ハウジング部分と前記後部ハウジング部分との間に少なくとも部分的に配置されるディバイダ部分とを有し、前記ディバイダ部分は、虫を誘引するための明暗コントラスト領域を提供するよう構成されたテキスト又は図形を含む、捕虫装置。
【請求項３４】
前記テキスト又は図形が、印刷、ホットスタンプ、シルクスクリーン、エンボス加工、刻印、又は成形により適用される、請求項３３に記載の捕虫装置。
【請求項３５】
前記テキスト又は図形が、照明されたときに光って見える蛍光顔料を含む、請求項３４に記載の捕虫装置。
【請求項３６】
捕虫装置であって、
接着表面と第１開口部を有するエンクロージャを含む捕虫部分であって、前記接着表面は、前記エンクロージャ内に少なくとも部分的に収容され、かつ虫を付着するよう構成されている、捕虫部分と、
発光エレメント及び取り付け部分を含むベース部分であって、前記発光エレメントは、発光ダイオード（ＬＥＤ）アレイを含み、そして、光の主方向にある、前記捕虫部分に光を提供するよう構成され、前記取り付け部分は、電源につながって電力を受け取るよう構成されており、
前記捕虫部分は、前記ベース部分と取り外し可能に係合し、係合しているときに前記ベース部分からの光を受け取るように、前記光の前記主方向に対して鋭角をなすよう構成されており、
前記ベース部分は、反射性表面を有する後部ハウジングを含み、前記反射性表面は、前記ＬＥＤから発せられた光に対する後ろ方向のバリヤーとして作用するよう構成されている、捕虫装置。
【請求項３７】
前記ベース部分が、透明又は半透明のウィンドウを含み、前記ウィンドウは、前記ベース部分から前記捕虫部分へと光を発するよう構成されている、請求項３６に記載の捕虫装置。
【請求項３８】
前記ウィンドウが、前記後部ハウジングの反射性表面とＬＥＤを、ダストと屑から保護するよう更に構成されている、請求項３７に記載の捕虫装置。